(57)【要約】複数のワイヤレスデバイスを含む通信システムにおいて干渉を減らすための技法が開示される。第１のデバイスは、通信媒体が、第２のデバイスと通信するために利用可能であるかどうかを決定するために、送信要求（ＲＴＳ）部分および第１のビームトレーニングシーケンスを含むＲＴＳ−ＴＲＮフレームを送信する。通信媒体が利用可能である場合、第２のデバイスは、送信可（ＣＴＳ）部分および第２のビームトレーニングシーケンスを含むＣＴＳ−ＴＲＮフレームを送信する。ＲＴＳ−ＴＲＮフレームおよび／またはＣＴＳ−ＴＲＮフレームを受信する１つまたは複数の近隣デバイスは、ＲＴＳ−ＴＲＮフレームおよび／またはＣＴＳ−ＴＲＮフレームにおける持続時間フィールドに基づいて第１のおよび第２のデバイスが通信している限りは、信号を送信するときに、第１のおよび第２のデバイスに向けられた１つまたは複数の空白を生成するように、それらのそれぞれのアンテナを構成する。これは、第１のおよび／または第２のデバイスにおける干渉を減らす。【選択図】図４Ｃ
2019502318.tif 000002
【特許請求の範囲】
【請求項１】
ワイヤレス通信のための装置であって、
持続時間フィールド、受信機アドレスフィールド、および第１のビームトレーニングシーケンスを含む第１のフレームを生成するように構成された処理システム、ここにおいて、前記持続時間フィールドは、通信媒体がデバイスと通信するために使用されることになる推定持続時間を示す情報を含み、前記受信機アドレスフィールドは、前記デバイスを識別する情報を含む、と、
前記デバイスへの送信のために前記第１のフレームを出力するように構成されたインタフェースと
を備える、装置。
【請求項２】
前記第１のフレームは、送信要求（ＲＴＳ）部分を備える、請求項１に記載の装置。
【請求項３】
前記処理システムは、前記デバイスに実質的に向けられたプライマリローブを有するアンテナ輻射パターンで前記第１のフレームを送信するためのアンテナを構成するようにさらに構成される、請求項１に記載の装置。
【請求項４】
前記処理システムは、前記デバイスからの第２のフレームを受信するようにさらに構成され、前記第２のフレームは、送信可（ＣＴＳ）部分および第２のビームトレーニングシーケンスを備える、請求項１に記載の装置。
【請求項５】
前記処理システムは、前記第２のフレームを受信することに応答してデータまたは制御フレームのうちの少なくとも１つを生成するようにさらに構成され、前記インタフェースは、前記デバイスへの送信のために前記データまたは制御フレームのうちの前記少なくとも１つを出力するようにさらに構成される、請求項４に記載の装置。
【請求項６】
前記処理システムは、前記第２のビームトレーニングシーケンスに基づいて、前記デバイスに実質的に向けられたプライマリローブを有するアンテナ輻射パターンで前記データまたは制御フレームのうちの少なくとも１つを送信、受信、または送信および受信するためのアンテナを構成するようにさらに構成される、請求項４に記載の装置。
【請求項７】
前記処理システムは、前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するようにさらに構成される、請求項５に記載の装置。
【請求項８】
前記処理システムは、前記第２のビームトレーニングシーケンスに基づいて、前記デバイスに実質的に向けられたプライマリローブを有するアンテナ輻射パターンで前記ＡＣＫ、データ、またはＡＣＫおよびデータフレームのうちの前記少なくとも１つを受信するためのアンテナを構成するようにさらに構成される、請求項７に記載の装置。
【請求項９】
前記推定持続時間は、前記デバイスへ送信される１つまたは複数のデータフレームの推定持続時間を含む、請求項１に記載の装置。
【請求項１０】
前記インタフェースは、シングルキャリアを介したミリ波スペクトルで、またはＩＥＥＥ８０２．１１ａｄ、８０２．１１ａｙ、または８０２．１１ａｊプロトコルに従って、前記第１のフレームを送信するように構成される、請求項１に記載の装置。
【請求項１１】
ワイヤレス通信のための方法であって、
持続時間フィールド、受信機アドレスフィールド、および第１のビームトレーニングシーケンスを含む第１のフレームを生成すること、ここにおいて、前記持続時間フィールドは、通信媒体がデバイスと通信するために使用されることになる推定持続時間を示す情報を含み、前記受信機アドレスフィールドは、前記デバイスを識別する情報を含む、と、
前記デバイスへの送信のために前記第１のフレームを出力することと
を備える、方法。
【請求項１２】
前記第１のフレームは、送信要求（ＲＴＳ）部分を備える、請求項１１に記載の方法。
【請求項１３】
前記デバイスに実質的に向けられたプライマリローブを有するアンテナ輻射パターンで前記第１のフレームを送信するためのアンテナを構成すること
をさらに備える、請求項１１に記載の方法。
【請求項１４】
前記第１のフレームを送信することに応答して前記デバイスからの第２のフレームを受信することをさらに備え、ここにおいて、前記第２のフレームは、送信可（ＣＴＳ）部分および第２のビームトレーニングシーケンスを備える、請求項１１に記載の方法。
【請求項１５】
前記第２のフレームを受信することに応答してデータまたは制御フレームのうちの少なくとも１つを生成すること、
前記デバイスへの送信のために前記データまたは制御フレームのうちの前記少なくとも１つを出力することと
をさらに備える、請求項１４に記載の方法。
【請求項１６】
前記第２のビームトレーニングシーケンスに基づいて、前記デバイスに実質的に向けられたプライマリローブを有するアンテナ輻射パターンで前記データまたは制御フレームのうちの少なくとも１つを送信、受信、または送信および受信するためのアンテナを構成すること
をさらに備える、請求項１４に記載の方法。
【請求項１７】
前記データまたは制御フレームのうちの前記少なくとも１つの前記送信の後に、前記デバイスから肯定応答（ＡＣＫ）、データ、またはＡＣＫおよびデータフレームのうちの少なくとも１つを受信すること
をさらに備える、請求項１５に記載の方法。
【請求項１８】
前記第２のビームトレーニングシーケンスに基づいて、前記デバイスに実質的に向けられたプライマリローブを有するアンテナ輻射パターンで前記ＡＣＫ、データ、またはＡＣＫおよびデータフレームのうちの前記少なくとも１つを受信するためのアンテナを構成すること
をさらに備える、請求項１７に記載の方法。
【請求項１９】
前記推定持続時間は、前記デバイスへ送信される１つまたは複数のデータフレームの推定持続時間を含む、請求項１１に記載の方法。
【請求項２０】
前記第１のフレームを出力することは、シングルキャリアを介したミリ波スペクトルでの、またはＩＥＥＥ８０２．１１ａｄ、８０２．１１ａｙ、または８０２．１１ａｊプロトコルに従う、送信のために前記第１のフレームを出力することを備える、請求項１１に記載の方法。
【請求項２１】
ワイヤレス通信のための装置であって、
持続時間フィールド、受信機アドレスフィールド、および第１のビームトレーニングシーケンスを含む第１のフレームを生成するための手段、ここにおいて、前記持続時間フィールドは、通信媒体がデバイスと通信するために使用されることになる推定持続時間を示す情報を含み、前記受信機アドレスフィールドは、前記デバイスを識別する情報を含む、と、
前記デバイスへの送信のために前記第１のフレームを出力するための手段と
を備える、装置。
【請求項２２】
前記第１のフレームは、送信要求（ＲＴＳ）部分を備える、請求項２１に記載の装置。
【請求項２３】
前記デバイスに実質的に向けられたプライマリローブを有するアンテナ輻射パターンで前記第１のフレームを送信するためのアンテナを構成するための手段をさらに備える、請求項２１に記載の装置。
【請求項２４】
前記第１のフレームを送信することに応答して、前記デバイスから第２のフレームを受信するための手段をさらに備え、ここにおいて、前記第２のフレームは、送信可（ＣＴＳ）部分および第２のビームトレーニングシーケンスを備える、請求項１７に記載の装置。
【請求項２５】
前記第２のフレームを受信することに応答して、データまたは制御フレームのうちの少なくとも１つを生成するための手段と、
前記デバイスへの送信のために前記データまたは制御フレームのうちの前記少なくとも１つを出力するための手段と
をさらに備える、請求項２４に記載の装置。
【請求項２６】
前記第２のビームトレーニングシーケンスに基づいて、前記デバイスに実質的に向けられたプライマリローブを有するアンテナ送信輻射パターンで前記データまたは制御フレームのうちの少なくとも１つを送信、受信、または送信および受信するためのアンテナを構成するための手段をさらに備える、請求項２４に記載の装置。
【請求項２７】
前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するための手段をさらに備える、請求項２５に記載の装置。
【請求項２８】
前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成するための手段をさらに備える、請求項２７に記載の装置。
【請求項２９】
前記推定持続時間は、前記デバイスへ送信される１つまたは複数のデータフレームの推定持続時間を含む、請求項２１に記載の装置。
【請求項３０】
出力するための前記手段は、シングルキャリアを介したミリ波スペクトルでの、またはＩＥＥＥ８０２．１１ａｄ、８０２．１１ａｙ、または８０２．１１ａｊプロトコルに従う、送信のために前記第１のフレームを出力するための手段を備える、請求項２１に記載の装置。
【請求項３１】
コンピュータ読取り可能媒体であって、
持続時間フィールド、受信機アドレスフィールド、およびビームトレーニングシーケンスを含むフレームを生成すること、ここにおいて、前記持続時間フィールドは、通信媒体がデバイスと通信するために使用されることになる推定持続時間を示す情報を含み、前記受信機アドレスフィールドは、前記デバイスを識別する情報を含む、と、
前記デバイスへの送信のために前記フレームを出力することと
を行うための命令を記憶したコンピュータ読取り可能媒体。
【請求項３２】
ワイヤレスノードであって、
少なくとも１つのアンテナと、
持続時間フィールド、受信機アドレスフィールド、およびビームトレーニングシーケンスを含むフレームを生成すること、ここにおいて、前記持続時間フィールドは、通信媒体がデバイスと通信するために使用されることになる推定持続時間を示す情報を含み、前記受信機アドレスフィールドは、前記デバイスを識別する情報を含む、
を行うように構成された処理システムと、
前記少なくとも１つのアンテナを介した前記デバイスへの送信のために前記フレームを出力するように構成されたインタフェースと
を備える、ワイヤレスノード。
【請求項３３】
ワイヤレス通信のための装置であって、
送信可（ＣＴＳ）部分および第１のビームトレーニングシーケンスを含む第１のフレームを生成するように構成された処理システムと、
デバイスへの送信のために前記第１のフレームを出力するように構成されたインタフェースと
を備える、装置。
【請求項３４】
前記処理システムは、前記デバイスから送信要求（ＲＴＳ）フレームを受信するようにさらに構成され、前記処理システムは、前記ＲＴＳフレームを受信することに応答して、前記第１のフレームを生成するようにさらに構成される、請求項３３に記載の装置。
【請求項３５】
前記処理システムは、全方向性様式で前記ＲＴＳフレームを受信するためのアンテナを構成するようにさらに構成される、請求項３４に記載の装置。
【請求項３６】
前記処理システムは、前記デバイスから送信要求（ＲＴＳ）部分および第２のビームトレーニングシーケンスを備える第２のフレームを受信するようにさらに構成され、前記処理システムは、前記第２のフレームを受信することに応答して、前記第１のフレームを生成するようにさらに構成される、請求項３３に記載の装置。
【請求項３７】
前記処理システムは、全方向性様式で前記第２のフレームを受信するためのアンテナを構成するようにさらに構成される、請求項３６に記載の装置。
【請求項３８】
前記処理システムは、前記第２のビームトレーニングシーケンスに基づいて、前記デバイスに実質的に向けられたプライマリローブを有するアンテナ輻射パターンで、前記第１のフレームを送信するためのアンテナを構成するようにさらに構成される、請求項３６に記載の装置。
【請求項３９】
前記処理システムは、前記第１のフレームの前記送信の後に、前記デバイスから、データまたは制御フレームのうちの少なくとも１つを受信するようにさらに構成される、請求項３３に記載の装置。
【請求項４０】
前記処理システムは、前記デバイスからＲＴＳ部分および第２のビームトレーニングシーケンスを備える第２のフレームを受信するようにさらに構成され、前記処理システムは、前記第２のビームトレーニングシーケンスに基づいて、前記データまたは制御フレームのうちの前記少なくとも１つを受信するためのアンテナを構成するようにさらに構成される、請求項３９に記載の装置。
【請求項４１】
前記処理システムは、前記データまたは制御フレームのうちの前記少なくとも１つを受信することに応答して、肯定応答（ＡＣＫ）、データ、またはＡＣＫおよびデータフレームのうちの少なくとも１つを生成するようにさらに構成され、前記インタフェースは、前記デバイスへの送信のために前記ＡＣＫ、データ、またはＡＣＫおよびデータフレームのうちの前記少なくとも１つを出力するように構成される、請求項３９に記載の装置。
【請求項４２】
前記処理システムは、前記デバイスからＲＴＳ部分および第２のビームトレーニングシーケンスを備える第２のフレームを受信するようにさらに構成され、前記処理システムは、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するようにさらに構成される、請求項４１に記載の装置。
【請求項４３】
ワイヤレス通信のための方法であって、
送信可（ＣＴＳ）部分および第１のビームトレーニングシーケンスを含む第１のフレームを生成することと、
デバイスへの送信のために前記第１のフレームを出力することと
を備える、方法。
【請求項４４】
前記デバイスから送信要求（ＲＴＳ）を受信することをさらに備え、ここにおいて、前記第１のフレームを生成することは、前記ＲＴＳフレームを受信することに応答するものである、請求項４３に記載の方法。
【請求項４５】
全方向性様式で前記ＲＴＳフレームを受信するためのアンテナを構成することをさらに備える、請求項４４に記載の方法。
【請求項４６】
前記デバイスから送信要求（ＲＴＳ）部分および第２のビームトレーニングシーケンスを備える第２のフレームを受信することをさらに備え、ここにおいて、前記第１のフレームを生成することは、前記第２のフレームを受信することに応答するものである、請求項４３に記載の方法。
【請求項４７】
全方向性様式で前記第２のフレームを受信するためのアンテナを構成することをさらに備える、請求項４６に記載の方法。
【請求項４８】
前記第２のビームトレーニングシーケンスに基づいて、前記デバイスに実質的に向けられたプライマリローブを有するアンテナ輻射パターンで前記第１のフレームを送信するためのアンテナを構成することをさらに備える、請求項４６に記載の方法。
【請求項４９】
前記第１のフレームの前記送信の後に、前記デバイスからデータまたは制御フレームのうちの少なくとも１つを受信することとをさらに備える、請求項４３に記載の方法。
【請求項５０】
前記デバイスからＲＴＳ部分と第２のビームトレーニングシーケンスを備える第２のフレームを受信することと、前記第２のビームトレーニングシーケンスに基づいて、前記データまたは制御フレームのうちの前記少なくとも１つを受信するためのアンテナを構成することとをさらに備える、請求項４９に記載の方法。
【請求項５１】
前記データまたは制御フレームのうちの前記少なくとも１つを受信することに応答して肯定応答（ＡＣＫ）、データ、またはＡＣＫおよびデータフレームのうちの少なくとも１つを生成することと、
前記デバイスへの送信のために前記ＡＣＫ、データ、またはＡＣＫおよびデータフレームのうちの前記少なくとも１つを出力することと
をさらに備える、請求項４９に記載の方法。
【請求項５２】
前記デバイスからＲＴＳ部分と第２のビームトレーニングシーケンスを備える第２のフレームを受信することと、前記第２のビームトレーニングシーケンスに基づいて、前記デバイスに実質的に向けられたプライマリローブを有するアンテナ輻射パターンで前記ＡＣＫ、データ、またはＡＣＫおよびデータフレームのうちの前記少なくとも１つを送信するためのアンテナを構成することとをさらに備える、請求項５１に記載の方法。
【請求項５３】
ワイヤレス通信のための装置であって、
送信可（ＣＴＳ）部分および第１のビームトレーニングシーケンスを含む第１のフレームを生成するための手段と、
デバイスへの送信のために前記第１のフレームを出力するための手段と
を備える、装置。
【請求項５４】
前記デバイスから送信要求（ＲＴＳ）を受信するための手段をさらに備え、ここにおいて、前記第１のフレームを生成するための前記手段は、前記ＲＴＳフレームを受信することに応答して、前記第１のフレームを生成するための手段を備える、請求項５３に記載の装置。
【請求項５５】
全方向性様式で前記ＲＴＳフレームを受信するためのアンテナを構成するための手段をさらに備える、請求項５４に記載の装置。
【請求項５６】
前記デバイスから送信要求（ＲＴＳ）部分および第２のビームトレーニングシーケンスを備える第２のフレームを受信するための手段をさらに備え、ここにおいて、前記第１のフレームを生成するための前記手段は、前記第２のフレームを受信することに応答して、前記第１のフレームを生成するための手段を備える、請求項５３に記載の装置。
【請求項５７】
全方向性様式で前記第２のフレームを受信するためのアンテナを構成するための手段をさらに備える、請求項５６に記載の装置。
【請求項５８】
前記第２のビームトレーニングシーケンスに基づいて、前記デバイスに実質的に向けられたプライマリローブを有するアンテナ輻射パターンで前記第１のフレームを送信するためのアンテナを構成するための手段をさらに備える、請求項５６に記載の装置。
【請求項５９】
前記第１のフレームの前記送信の後に、前記デバイスからデータまたは制御フレームのうちの少なくとも１つを受信するための手段をさらに備える、請求項５３に記載の装置。
【請求項６０】
前記デバイスからＲＴＳ部分と第２のビームトレーニングシーケンスを備える第２のフレームを受信するための手段と、前記第２のビームトレーニングシーケンスに基づいて、データまたは制御フレームのうちの前記少なくとも１つを受信するためのアンテナを構成するための手段をさらに備える、請求項５９に記載の装置。
【請求項６１】
前記データまたは制御フレームのうちの前記少なくとも１つを受信することに応答して、肯定応答（ＡＣＫ）、データ、またはＡＣＫおよびデータフレームのうちの少なくとも１つを生成するための手段と、
前記デバイスへの送信のために前記ＡＣＫ、データ、またはＡＣＫおよびデータフレームのうちの前記少なくとも１つを出力するための手段と
をさらに備える、請求項５９に記載の装置。
【請求項６２】
前記デバイスからＲＴＳ部分と第２のビームトレーニングシーケンスを備える第２のフレームを受信するための手段と、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するための手段とをさらに備える、請求項６１に記載の装置。
【請求項６３】
コンピュータ読取り可能媒体であって、
送信可（ＣＴＳ）部分およびビームトレーニングシーケンスを含むフレームを生成することと、
デバイスへの送信のために前記フレームを出力することと
を行うための命令を記憶したコンピュータ読取り可能媒体。
【請求項６４】
ワイヤレスノードであって、
少なくとも１つのアンテナと、
送信可（ＣＴＳ）部分およびビームトレーニングシーケンスを含むフレームを生成するように構成された処理システムと、
前記少なくとも１つのアンテナを介したデバイスへの送信のために前記フレームを出力するように構成されたインタフェースと
を備える、ワイヤレスノード。
【請求項６５】
ワイヤレス通信のための装置であって、
第１のデバイスから第１のビームトレーニングシーケンスを備える第１のフレームを受信することと、
前記第１のビームトレーニングシーケンスに基づいて第１の構成にアンテナを構成することと、
第２のフレームを生成することと
を行うように構成された処理システムと、
前記アンテナが前記第１の構成に構成されている間、前記アンテナを介した第２のデバイスへの送信のために前記第２のフレームを出力するように構成されたインタフェースと
を備える、装置。
【請求項６６】
前記第１の構成は、前記第１のデバイスに実質的に向けられた空白を有するアンテナ輻射パターンを生成するように構成された前記アンテナを備える、請求項６５に記載の装置。
【請求項６７】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項６５に記載の装置。
【請求項６８】
前記第１のフレームは、送信要求（ＲＴＳ）部分を備え、前記処理システムは、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、請求項６５に記載の装置。
【請求項６９】
前記第２の構成は、前記第１のデバイスに向けられた空白なしのアンテナ輻射パターンを生成するように構成された前記アンテナを備える、請求項６８に記載の装置。
【請求項７０】
前記第２のフレームは、送信要求（ＲＴＳ）フレームを備える、請求項６５に記載の装置。
【請求項７１】
前記第２のフレームは、送信要求（ＲＴＳ）部分および第２のビームトレーニングシーケンスを含むフレームを備える、請求項６５に記載の装置。
【請求項７２】
前記第２のフレームは、少なくとも１つのデータフレームを備える、請求項６５に記載の装置。
【請求項７３】
前記第２のフレームは、送信可（ＣＴＳ）フレームを備える、請求項６５に記載の装置。
【請求項７４】
前記第２のフレームは、送信可（ＣＴＳ）部分および第２のビームトレーニングシーケンスを含むフレームを備える、請求項６５に記載の装置。
【請求項７５】
前記第２のフレームは、少なくとも１つの肯定応答（ＡＣＫ）フレームを備える、請求項６５に記載の装置。
【請求項７６】
前記処理システムは、第３のデバイスから送信可（ＣＴＳ）部分および第２のビームトレーニングシーケンスを備える第３のフレームを受信するようにさらに構成され、前記アンテナの前記第１の構成は、前記第２のビームトレーニングシーケンスにさらに基づく、請求項６５に記載の装置。
【請求項７７】
前記第１の構成は、前記第１のデバイスに実質的に向けられた第１の空白および前記第３のデバイスに実質的に向けられた第２の空白を有するアンテナ輻射パターンを生成するように構成された前記アンテナを備える、請求項７６に記載の装置。
【請求項７８】
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、請求項７６に記載の装置。
【請求項７９】
前記第１のフレームは、送信要求（ＲＴＳ）部分を備え、前記処理システムは、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、請求項７６に記載の装置。
【請求項８０】
前記第２の構成は、それぞれ、前記第１のデバイスにおよび前記第３のデバイスに向けられた空白なしのアンテナ輻射パターンを生成するように構成された前記アンテナを備える、請求項７９に記載の装置。
【請求項８１】
前記処理システムは、前記アンテナのための少なくとも前記第１の構成と、前記少なくとも第１の構成が有効である関連の持続時間とを含むテーブルを生成するように構成される、請求項６５に記載の装置。
【請求項８２】
ワイヤレス通信のための方法であって、
第１のデバイスから第１のビームトレーニングシーケンスを備える第１のフレームを受信することと、
前記第１のビームトレーニングシーケンスに基づいて第１の構成にアンテナを構成することと、
第２のフレームを生成することと、
前記アンテナが前記第１の構成に構成されている間、前記アンテナを介した第２のデバイスへの送信のために前記第２のフレームを出力することと
を備える、方法。
【請求項８３】
前記第１の構成は、前記第１のデバイスに実質的に向けられた空白を有するアンテナ輻射パターンを生成するように構成された前記アンテナを備える、請求項８２に記載の方法。
【請求項８４】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項８２に記載の方法。
【請求項８５】
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、請求項８２に記載の方法。
【請求項８６】
前記第２の構成は、前記第１のデバイスに向けられた空白なしのアンテナ輻射パターンを生成するように構成された前記アンテナを備える、請求項８２に記載の方法。
【請求項８７】
前記第２のフレームは、送信要求（ＲＴＳ）フレームを備える、請求項８２に記載の方法。
【請求項８８】
前記第２のフレームは、送信要求（ＲＴＳ）部分および第２のビームトレーニングシーケンスを含むフレームを備える、請求項８２に記載の方法。
【請求項８９】
前記第２のフレームは、少なくとも１つのデータフレームを備える、請求項８２に記載の方法。
【請求項９０】
前記第２のフレームは、送信可（ＣＴＳ）フレームを備える、請求項８２に記載の方法。
【請求項９１】
前記第２のフレームは、送信可（ＣＴＳ）部分および第２のビームトレーニングシーケンスを含むフレームを備える、請求項８２に記載の方法。
【請求項９２】
前記第２のフレームは、少なくとも１つの肯定応答（ＡＣＫ）フレームを備える、請求項８２に記載の方法。
【請求項９３】
第３のデバイスから送信可（ＣＴＳ）部分および第２のビームトレーニングシーケンスを含む第３のフレームを受信することをさらに備え、ここにおいて、前記アンテナの前記第１の構成は、前記第２のビームトレーニングシーケンスにさらに基づく、
をさらに備える、請求項８２に記載の方法。
【請求項９４】
前記第１の構成は、前記第１のデバイスに実質的に向けられた第１の空白および前記第３のデバイスに実質的に向けられた第２の空白を有するアンテナ輻射パターンを生成するように構成された前記アンテナを備える、請求項９３に記載の方法。
【請求項９５】
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、請求項９３に記載の方法。
【請求項９６】
前記第１のフレームは、送信要求（ＲＴＳ）部分を備え、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、請求項９３に記載の方法。
【請求項９７】
前記第２の構成は、それぞれ、前記第１のデバイスにおよび前記第３のデバイスに向けられた空白なしのアンテナ輻射パターンを生成するように構成された前記アンテナを備える、請求項９３に記載の方法。
【請求項９８】
前記アンテナのための少なくとも前記第１の構成と、前記少なくとも第１の構成が有効である関連の持続時間とを含むテーブルを生成することをさらに備える、請求項８２に記載の方法。
【請求項９９】
ワイヤレス通信のための装置であって、
第１のデバイスから第１のビームトレーニングシーケンスを備える第１のフレームを受信するための手段と、
前記第１のビームトレーニングシーケンスに基づいて第１の構成にアンテナを構成するための手段と、
第２のフレームを生成するための手段と、
前記アンテナが前記第１の構成に構成されている間、前記アンテナを介した第２のデバイスへの送信のために前記第２のフレームを出力するための手段と
を備える、装置。
【請求項１００】
前記第１の構成は、前記第１のデバイスに実質的に向けられた空白を有するアンテナ輻射パターンを生成するように構成された前記アンテナを備える、請求項９９に記載の装置。
【請求項１０１】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項９９に記載の装置。
【請求項１０２】
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、請求項９９に記載の装置。
【請求項１０３】
前記第２の構成は、前記第１のデバイスに向けられた空白なしのアンテナ輻射パターンを生成するように構成された前記アンテナを備える、請求項１０１に記載の装置。
【請求項１０４】
前記第２のフレームは、送信要求（ＲＴＳ）フレームを備える、請求項１０１に記載の装置。
【請求項１０５】
前記第２のフレームは、送信要求（ＲＴＳ）部分および第２のビームトレーニングシーケンスを含むフレームを備える、請求項９９に記載の装置。
【請求項１０６】
前記第２のフレームは、少なくとも１つのデータフレームを備える、請求項９９に記載の装置。
【請求項１０７】
前記第２のフレームは、送信可（ＣＴＳ）フレームを備える、請求項９９に記載の装置。
【請求項１０８】
前記第２のフレームは、送信可（ＣＴＳ）部分および第２のビームトレーニングシーケンスを含むフレームを備える、請求項９９に記載の装置。
【請求項１０９】
前記第２のフレームは、少なくとも１つの肯定応答（ＡＣＫ）フレームを備える、請求項９９に記載の装置。
【請求項１１０】
第３のデバイスから送信可（ＣＴＳ）部分および第２のビームトレーニングシーケンスを含む第３のフレームを受信するための手段をさらに備え、ここにおいて、前記アンテナの前記第１の構成は、前記第２のビームトレーニングシーケンスにさらに基づく、
をさらに備える、請求項９９に記載の装置。
【請求項１１１】
前記第１の構成は、前記第１のデバイスに実質的に向けられた第１の空白および前記第３のデバイスに実質的に向けられた第２の空白を有するアンテナ輻射パターンを生成するように構成された前記アンテナを備える、請求項１１０に記載の装置。
【請求項１１２】
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、請求項１１０に記載の装置。
【請求項１１３】
前記第１のフレームは、送信要求（ＲＴＳ）部分を備え、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、請求項１１０に記載の装置。
【請求項１１４】
前記第２の構成は、それぞれ、前記第１のデバイスにおよび前記第３のデバイスに向けられた空白なしのアンテナ輻射パターンを生成するように構成された前記アンテナを備える、請求項１１３に記載の装置。
【請求項１１５】
前記アンテナのための少なくとも前記第１の構成と、前記少なくとも第１の構成が有効である関連の持続時間とを含むテーブルを生成するための手段をさらに備える、請求項９９に記載の装置。
【請求項１１６】
コンピュータ読取り可能媒体であって、
第１のデバイスからビームトレーニングシーケンスを備える第１のフレームを受信することと、
前記ビームトレーニングシーケンスに基づいて第１の構成にアンテナを構成することと、
第２のフレームを生成することと、
前記アンテナが前記第１の構成に構成されている間、前記アンテナを介した第２のデバイスへの送信のために前記第２のフレームを出力することと
を行うための命令を記憶したコンピュータ読取り可能媒体。
【請求項１１７】
ワイヤレスノードであって、
少なくとも１つのアンテナと、
第１のデバイスからビームトレーニングシーケンスを備える第１のフレームを受信することと、
前記ビームトレーニングシーケンスに基づいて第１の構成に前記少なくとも１つのアンテナを構成することと、
第２のフレームを生成することと
を行うように構成された処理システムと、
前記少なくとも１つのアンテナが、前記第１の構成に構成されてる間、前記少なくとも１つのアンテナを介して第２のデバイスへの送信のために前記第２のフレームを出力するためのインタフェースと
を備える、ワイヤレスノード。
【請求項１１８】
ワイヤレス通信のための装置であって、
第１のデバイスから第１の送信可（ＣＴＳ）部分および第１のビームトレーニングシーケンスを備える第１のフレームを受信することと、
前記第１のビームトレーニングシーケンスに基づいて第１の構成にアンテナを構成することと、
第２のフレームを生成することと
を行うように構成された処理システムと、
前記アンテナが前記第１の構成に構成されている間、前記アンテナを介した第２のデバイスへの送信のために前記第２のフレームを出力するように構成されたインタフェースと
を備える、装置。
【請求項１１９】
前記第１の構成は、前記第１のデバイスに実質的に向けられた空白を有するアンテナ輻射パターンを生成するように構成された前記アンテナを備える、請求項１１８に記載の装置。
【請求項１２０】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項１１８に記載の装置。
【請求項１２１】
前記処理システムは、
前記第１のデバイスが、前記第１のフレームの前記第１のＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３の構成を出力するように構成される、
請求項１１８に記載の装置。
【請求項１２２】
前記第２の構成は、前記第１のデバイスに向けられた空白なしのアンテナ輻射パターンを生成するように構成された前記アンテナを備える、請求項１２１に記載の装置。
【請求項１２３】
前記第２のフレームは、送信要求（ＲＴＳ）フレームを備える、請求項１１８に記載の装置。
【請求項１２４】
前記第２のフレームは、送信要求（ＲＴＳ）部分および第２のビームトレーニングシーケンスを備える、請求項１１８に記載の装置。
【請求項１２５】
前記第２のフレームは、少なくとも１つのデータフレームデータフレームを備える、請求項１１８に記載の装置。
【請求項１２６】
前記第２のフレームは、送信可（ＣＴＳ）フレームを備える、請求項１１８に記載の装置。
【請求項１２７】
前記第２のフレームは、第２の送信可（ＣＴＳ）部分および第２のビームトレーニングシーケンスを備える、請求項１１８に記載の装置。
【請求項１２８】
前記第２のフレームは、少なくとも１つの肯定応答（ＡＣＫ）フレームを備える、請求項１１８に記載の装置。
【請求項１２９】
前記処理システムは、前記アンテナのための少なくとも前記第１の構成と、前記少なくとも第１の構成が有効である関連の持続時間とを含むテーブルを生成するように構成される、請求項１１８に記載の装置。
【請求項１３０】
ワイヤレス通信のための方法であって、
第１のデバイスから第１の送信可（ＣＴＳ）部分および第１のビームトレーニングシーケンスを備える第１のフレームを受信することと、
前記第１のビームトレーニングシーケンスに基づいて第１の構成にアンテナを構成することと、
第２のフレームを生成することと
を行うように構成され、
前記アンテナが前記第１の構成に構成されている間、前記アンテナを介した第２のデバイスへの送信のために前記第２のフレームを出力することと
を備える、方法。
【請求項１３１】
前記第１の構成は、前記第１のデバイスに実質的に向けられた空白を有するアンテナ輻射パターンを生成するように構成された前記アンテナを備える、請求項１３０に記載の方法。
【請求項１３２】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項１３０に記載の方法。
【請求項１３３】
前記第１のデバイスが、前記第１のフレームの前記第１のＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、請求項１３０に記載の方法。
【請求項１３４】
前記第２の構成は、前記第１のデバイスに向けられた空白なしのアンテナ輻射パターンを生成するように構成された前記アンテナを備える、請求項１３３に記載の方法。
【請求項１３５】
前記第２のフレームは、送信要求（ＲＴＳ）フレームを備える、請求項１３０に記載の方法。
【請求項１３６】
前記第２のフレームは、送信要求（ＲＴＳ）部分および第２のビームトレーニングシーケンスを備える、請求項１３０に記載の方法。
【請求項１３７】
前記第２のフレームは、少なくとも１つのデータフレームを備える、請求項１３０に記載の方法。
【請求項１３８】
前記第２のフレームは、送信可（ＣＴＳ）フレームを備える、請求項１３０に記載の方法。
【請求項１３９】
前記第２のフレームは、第２の送信可（ＣＴＳ）部分および第２のビームトレーニングシーケンスを備える、請求項１３０に記載の方法。
【請求項１４０】
前記第２のフレームは、少なくとも１つの肯定応答（ＡＣＫ）フレームを備える、請求項１３０に記載の方法。
【請求項１４１】
前記アンテナのための少なくとも前記第１の構成と、前記少なくとも第１の構成が有効である関連の持続時間とを含むテーブルを生成することをさらに備える、
をさらに備える、請求項１３０に記載の方法。
【請求項１４２】
ワイヤレス通信のための装置であって、
第１のデバイスから第１の送信可（ＣＴＳ）部分および第１のビームトレーニングシーケンスを備える第１のフレームを受信するための手段と、
前記第１のビームトレーニングシーケンスに基づいて第１の構成にアンテナを構成するための手段と、
第２のフレームを生成するための手段と、
前記アンテナが前記第１の構成に構成されている間、前記アンテナを介した第２のデバイスへの送信のために前記第２のフレームを出力するための手段と
を備える、装置。
【請求項１４３】
前記第１の構成は、前記第１のデバイスに実質的に向けられた空白を有するアンテナ輻射パターンを生成するように構成された前記アンテナを備える、請求項１４２に記載の装置。
【請求項１４４】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項１４２に記載の装置。
【請求項１４５】
前記第１のデバイスが、前記第１のフレームの前記第１のＣＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、請求項１４２に記載の装置。
【請求項１４６】
前記第２の構成は、前記第１のデバイスに向けられた空白なしのアンテナ輻射パターンを生成するように構成された前記アンテナを備える、請求項１４５に記載の装置。
【請求項１４７】
前記第２のフレームは、送信要求（ＲＴＳ）フレームを備える、請求項１４２に記載の装置。
【請求項１４８】
前記第２のフレームは、送信要求（ＲＴＳ）部分および第２のビームトレーニングシーケンスを備える、請求項１４２に記載の装置。
【請求項１４９】
前記第２のフレームは、少なくとも１つのデータフレームを備える、請求項１４２に記載の装置。
【請求項１５０】
前記第２のフレームは、送信可（ＣＴＳ）フレームを備える、請求項１４２に記載の装置。
【請求項１５１】
前記第２のフレームは、第２の送信可（ＣＴＳ）部分および第２のビームトレーニングシーケンスを備える、請求項１４２に記載の装置。
【請求項１５２】
前記第２のフレームは、少なくとも１つの肯定応答（ＡＣＫ）フレームを備える、請求項１４２に記載の装置。
【請求項１５３】
前記アンテナのための少なくとも前記第１の構成と、前記少なくとも第１の構成が有効である関連の持続時間とを含むテーブルを生成するための手段をさらに備える、請求項１４２に記載の装置。
【請求項１５４】
コンピュータ読取り可能媒体であって、
第１のデバイスから送信可（ＣＴＳ）部分およびビームトレーニングシーケンスを備える第１のフレームを受信することと、
前記ビームトレーニングシーケンスに基づいて第１の構成にアンテナを構成することと、
第２のフレームを生成することと、
前記アンテナが前記第１の構成に構成されている間、前記アンテナを介した第２のデバイスへの送信のために前記第２のフレームを出力することと
を行うための命令を記憶したコンピュータ読取り可能媒体。
【請求項１５５】
ワイヤレスノードであって、
少なくとも１つのアンテナと、
第１のデバイスから送信可（ＣＴＳ）部分およびビームトレーニングシーケンスを備えるフレームを受信することと、
前記ビームトレーニングシーケンスに基づいて第１の構成に前記少なくとも１つのアンテナを構成することと、
第２のフレームを生成することと
を行うように構成された処理システムと、
前記少なくとも１つのアンテナが、前記第１の構成に構成されている間、前記少なくとも１つのアンテナを介して第２のデバイスへの送信のために前記第２のフレームを出力するためのインタフェースと
を備える、ワイヤレスノード。
【請求項１５６】
ワイヤレス通信のための装置であって、
通信媒体が前記装置と前記デバイスとの間の通信を提供するために利用可能であるかどうかを決定するために使用されることになる第１の制御フレームを生成するように構成された処理システム、ここにおいて、前記第１の制御フレームは、第１のビームトレーニングシーケンスを備える、と、
送信のために前記第１の制御フレームを出力するように構成されたインタフェースと
を備える、装置。
【請求項１５７】
前記処理システムは、指向性様式で前記第１の制御フレームを送信するためにアンテナを構成するようにさらに構成される、請求項１５６に記載の装置。
【請求項１５８】
前記処理システムは、前記デバイスに実質的に向けられたプライマリローブを有するアンテナ輻射パターンで前記第１の制御フレームを送信するためのアンテナを構成するようにさらに構成される、請求項１５６に記載の装置。
【請求項１５９】
前記第１の制御フレームは、送信要求（ＲＴＳ）部分をさらに備える、請求項１５６に記載の装置。
【請求項１６０】
前記処理システムは、前記第１の制御フレームの前記送信の後に、前記デバイスから第２の制御フレームを受信するようにさらに構成され、前記第２の制御フレームは、送信可（ＣＴＳ）部分および第２のビームトレーニングシーケンスを備える、と、請求項１５６に記載の装置。
【請求項１６１】
前記処理システムは、前記第２の制御フレームを受信することに応答して、データまたは制御フレームのうちの少なくとも１つを生成するためにさらに構成され、前記インタフェースは、前記デバイスへの送信のために前記データまたは制御フレームのうちの前記少なくとも１つを出力するためにさらに構成される、請求項１６０に記載の装置。
【請求項１６２】
前記処理システムは、前記第２のビームトレーニングシーケンスに基づいて、前記デバイスに実質的に向けられたプライマリローブを有するアンテナ輻射パターンで、前記データまたは制御フレームのうちの少なくとも１つを送信、受信、または送信および受信するためのアンテナを構成するようにさらに構成される、請求項１６０に記載の装置。
【請求項１６３】
前記処理システムは、前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するようにさらに構成される、請求項１６１に記載の装置。
【請求項１６４】
前記処理システムは、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成するようにさらに構成される、請求項１６３に記載の装置。
【請求項１６５】
前記第１の制御フレームは、送信可（ＣＴＳ）部分をさらに備える、請求項１５６に記載の装置。
【請求項１６６】
前記処理システムは、前記デバイスから送信要求（ＲＴＳ）フレームを受信するようにさらに構成され、前記処理システムは、前記ＲＴＳフレームを受信することに応答して前記第１の制御フレームを生成するようにさらに構成される、請求項１５６に記載の装置。
【請求項１６７】
前記処理システムは、全方向性様式で前記ＲＴＳフレームを受信するためのアンテナを構成するようにさらに構成される、請求項１６６に記載の装置。
【請求項１６８】
前記処理システムは、前記デバイスから送信要求（ＲＴＳ）部分および第２のビームトレーニングシーケンスを備える第２の制御フレームを受信するようにさらに構成され、前記処理システムは、前記第２の制御フレームを受信することに応答して、前記第１の制御フレームを生成するようにさらに構成される、請求項１５６に記載の装置。
【請求項１６９】
前記処理システムは、全方向性様式で前記第２の制御フレームを受信するためのアンテナを構成するようにさらに構成される、請求項１６８に記載の装置。
【請求項１７０】
前記処理システムは、前記第２のビームトレーニングシーケンスに基づいて、前記デバイスに実質的に向けられたプライマリローブを有するアンテナ輻射パターンで、前記第１の制御フレームを送信するためのアンテナを構成するようにさらに構成される、請求項１６８に記載の装置。
【請求項１７１】
前記処理システムは、前記第１の制御フレームの前記送信の後に、前記デバイスからデータまたは制御フレームのうちの少なくとも１つを受信するようにさらに構成される、請求項１５６に記載の装置。
【請求項１７２】
前記処理システムは、前記デバイスからＲＴＳ部分および第２のビームトレーニングシーケンスを備える第２の制御フレームを受信するようにさらに構成され、前記処理システムは、前記第２のビームトレーニングシーケンスに基づいて、前記データまたは制御フレームのうちの前記少なくとも１つを受信するためのアンテナを構成するようにさらに構成される、請求項１７１に記載の装置。
【請求項１７３】
前記処理システムは、前記データまたは制御フレームのうちの前記少なくとも１つを受信することに応答して、肯定応答（ＡＣＫ）、データ、またはＡＣＫおよびデータレームのうちの少なくとも１つを生成するようにさらに構成され、前記インタフェースは、前記デバイスへの送信のために前記ＡＣＫ、データ、またはＡＣＫおよびデータフレームのうちの前記少なくとも１つを出力するように構成される、請求項１７１に記載の装置。
【請求項１７４】
前記処理システムは、前記デバイスからＲＴＳ部分および第２のビームトレーニングシーケンスを備える第２の制御フレームを受信するようにさらに構成され、前記処理システムは、前記第２のビームトレーニングシーケンスに基づいて、前記デバイスに実質的に向けられたプライマリローブを有するアンテナ輻射パターンで前記ＡＣＫ、データ、またはＡＣＫおよびデータフレームのうちの前記少なくとも１つを送信するためのアンテナを構成するようにさらに構成される、請求項１７３に記載の装置。
【請求項１７５】
ワイヤレス通信のための方法であって、
通信媒体がデバイスと通信することに利用可能であるかを決定するために使用されることになる第１の制御フレームを生成すること、ここにおいて、前記第１の制御フレームは、第１のビームトレーニングシーケンスを備える、と、
前記デバイスへの送信のために前記第１の制御フレームを出力することと
を備える、方法。
【請求項１７６】
指向性様式で前記第１の制御フレームを送信するためのアンテナを構成することをさらに備える、請求項１７５に記載の方法。
【請求項１７７】
前記デバイスに実質的に向けられたプライマリローブを有するアンテナ輻射パターンで、指向性様式で前記第１の制御フレームを送信するためのアンテナを構成することをさらに備える、請求項１７５に記載の方法。
【請求項１７８】
前記第１の制御フレームを生成することは、送信要求（ＲＴＳ）部分を含むための前記フレーム制御フレームを生成することを備える、請求項１７５に記載の方法。
【請求項１７９】
前記第１の制御フレームの前記送信の後に、前記デバイスから第２の制御フレームを受信することをさらに備え、ここにおいて、前記第２の制御フレームは、送信可（ＣＴＳ）部分および第２のビームトレーニングシーケンスを備える、請求項１７５に記載の方法。
【請求項１８０】
前記第２の制御フレームを受信することに応答して、データまたは制御フレームのうちの少なくとも１つを生成すること、前記デバイスへの送信のために前記データまたは制御フレームのうちの前記少なくとも１つを出力することとをさらに備える、請求項１７９に記載の方法。
【請求項１８１】
前記第２のビームトレーニングシーケンスに基づいて、前記デバイスに実質的に向けられたプライマリローブを有するアンテナ輻射パターンで、前記データまたは制御フレームのうちの少なくとも１つを送信、受信、または送信および受信するためのアンテナを構成することをさらに備える、請求項１７９に記載の方法。
【請求項１８２】
前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信することをさらに備える、請求項１８０に記載の方法。
【請求項１８３】
前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成することをさらに備える、請求項１８２に記載の方法。
【請求項１８４】
前記第１の制御フレームを生成することは、送信可（ＣＴＳ）部分を含むための前記第１の制御フレームを生成することを備える、請求項１７５に記載の方法。
【請求項１８５】
前記デバイスから送信要求（ＲＴＳ）フレームを受信することをさらに備え、ここにおいて、前記第１の制御フレームを生成することは、前記ＲＴＳフレームを受信することに応答して、前記第１の制御フレームを生成することを備える、請求項１７５に記載の方法。
【請求項１８６】
全方向性様式で前記ＲＴＳフレームを受信するためのアンテナを構成することをさらに備える、請求項１８５に記載の方法。
【請求項１８７】
前記デバイスから送信要求（ＲＴＳ）部分および第２のビームトレーニングシーケンスを備える第２の制御フレームを受信することをさらに備え、ここにおいて、前記第１の制御フレームを生成することは、前記第２の制御フレームを受信することに応答して、前記第１の制御フレームを生成することを備える、請求項１７５に記載の方法。
【請求項１８８】
全方向性様式で前記第２の制御フレームを受信するためのアンテナを構成することをさらに備える、請求項１８７に記載の方法。
【請求項１８９】
前記第２のビームトレーニングシーケンスに基づいて、前記デバイスに実質的に向けられたプライマリローブを有するアンテナ輻射パターンで、前記第１の制御フレームを送信するためのアンテナを構成すること、をさらに備える、請求項１８７に記載の方法。
【請求項１９０】
前記第１の制御フレームの前記送信の後に、前記デバイスから、データまたは制御フレームのうちの少なくとも１つを受信することをさらに備える、請求項１７５に記載の方法。
【請求項１９１】
前記デバイスからＲＴＳ部分および第２のビームトレーニングシーケンスを備える第２の制御フレームを受信することと、前記第２のビームトレーニングシーケンスに基づいて、前記データまたは制御フレームのうちの前記少なくとも１つを受信するためのアンテナを構成することとをさらに備える、請求項１９０に記載の方法。
【請求項１９２】
前記データまたは制御フレームのうちの前記少なくとも１つを受信することに応答して、肯定応答（ＡＣＫ）、データ、またはＡＣＫおよびデータフレームのうちの少なくとも１つを生成することと、前記デバイスへの送信のために前記ＡＣＫ、データ、またはＡＣＫおよびデータフレームのうちの前記少なくとも１つを出力することとをさらに備える、請求項１９０に記載の方法。
【請求項１９３】
前記デバイスからＲＴＳ部分および第２のビームトレーニングシーケンスを備える第２の制御フレームを受信することと、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成することとをさらに備える、請求項１９２に記載の方法。
【請求項１９４】
ワイヤレス通信のための装置であって、
通信媒体がデバイスと通信することに利用可能であるかを決定するために使用されることになる第１の制御フレームを生成するための手段と、ここにおいて、前記第１の制御フレームは、第１のビームトレーニングシーケンスを備える、と、
前記デバイスへの送信のために前記第１の制御フレームを出力するための手段と
を備える、装置。
【請求項１９５】
指向性様式で前記第１の制御フレームを送信するためのアンテナを構成するための手段をさらに備える、請求項１９４に記載の装置。
【請求項１９６】
前記デバイスに実質的に向けられたプライマリローブを有するアンテナ輻射パターンで指向性様式で前記第１の制御フレームを送信するためのアンテナを構成するための手段をさらに備える、請求項１９４に記載の装置。
【請求項１９７】
前記第１の制御フレームを生成するための手段は、送信要求（ＲＴＳ）部分を含むための前記フレーム制御フレームを生成するための手段を備える、請求項１９４に記載の装置。
【請求項１９８】
前記第１の制御フレームの前記送信の後に、前記デバイスから第２の制御フレームを受信するための手段をさらに備え、前記第２の制御フレームは、送信可（ＣＴＳ）部分および第２のビームトレーニングシーケンスを備える、請求項１９４に記載の装置。
【請求項１９９】
前記第２の制御フレームを受信することに応答して、データまたは制御フレームのうちの少なくとも１つを生成するための手段と、前記デバイスへの送信のために前記データまたは制御フレームのうちの前記少なくとも１つを出力するための手段とをさらに備える、請求項１９８に記載の装置。
【請求項２００】
前記第２のビームトレーニングシーケンスに基づいて、前記デバイスに実質的に向けられたプライマリローブを有するアンテナ輻射パターンで、前記データまたは制御フレームのうちの少なくとも１つを送信、受信、または送信および受信するためのアンテナを構成するための手段をさらに備える、請求項１９８に記載の装置。
【請求項２０１】
前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するための手段をさらに備える、請求項１９９に記載の装置。
【請求項２０２】
前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成するための手段をさらに備える、請求項２０１に記載の装置。
【請求項２０３】
前記第１の制御フレームを生成するための手段は、送信可（ＣＴＳ）部分を含むための前記第１の制御フレームを生成するための手段を備える、請求項１９４に記載の装置。
【請求項２０４】
前記デバイスから送信要求（ＲＴＳ）フレームを受信するための手段をさらに備え、ここにおいて、前記第１の制御フレームを生成することは、前記ＲＴＳフレームを受信することに応答して、前記第１の制御フレームを生成するための手段を備える、請求項１９４に記載の装置。
【請求項２０５】
全方向性様式で前記ＲＴＳフレームを受信するためのアンテナを構成するための手段をさらに備える、請求項２０４に記載の装置。
【請求項２０６】
前記デバイスから送信要求（ＲＴＳ）部分および第２のビームトレーニングシーケンスを備える第２の制御フレームを受信するための手段をさらに備え、ここにおいて、前記第１の制御フレームを生成するための前記手段は、前記第２の制御フレームを受信することに応答して、前記第１の制御フレームを生成するための手段を備える、請求項１９４に記載の装置。
【請求項２０７】
全方向性様式で前記第２の制御フレームを受信するためのアンテナを構成するための手段をさらに備える、請求項２０６に記載の装置。
【請求項２０８】
前記第２のビームトレーニングシーケンスに基づいて、前記デバイスに実質的に向けられたプライマリローブを有するアンテナ輻射パターンで、指向性様式で前記第１の制御フレームを送信するためのアンテナを構成するための手段
をさらに備える、請求項２０６に記載の装置。
【請求項２０９】
前記第１の制御フレームの前記送信の後に、前記デバイスから、データまたは制御フレームのうちの少なくとも１つを受信するための手段
をさらに備える、請求項１９４に記載の装置。
【請求項２１０】
前記デバイスからＲＴＳ部分および第２のビームトレーニングシーケンスを備える第２の制御フレームを受信するための手段と、前記第２のビームトレーニングシーケンスに基づいて、前記データまたは制御フレームのうちの前記少なくとも１つを受信するためのアンテナを構成するための手段とをさらに備える、請求項２０９に記載の装置。
【請求項２１１】
前記データまたは制御フレームのうちの前記少なくとも１つを受信することに応答して、肯定応答（ＡＣＫ）、データ、またはＡＣＫおよびデータフレームのうちの少なくとも１つを生成するための手段と、前記デバイスへの送信のために前記ＡＣＫ、データ、またはＡＣＫおよびデータフレームのうちの前記少なくとも１つを出力するための手段とをさらに備える、請求項２０９に記載の装置。
【請求項２１２】
前記デバイスからＲＴＳ部分および第２のビームトレーニングシーケンスを備える第２の制御フレームを受信するための手段と、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するための手段と
をさらに備える、請求項２１１に記載の装置。
【請求項２１３】
コンピュータ読取り可能媒体であって、
通信媒体がデバイスと通信することに利用可能であるかを決定するために使用されることになる第１の制御フレームを生成すること、ここにおいて、前記第１の制御フレームは、第１のビームトレーニングシーケンスを備える、と、
前記デバイスへの送信のために前記第１の制御フレームを出力することと
を行うための命令を記憶したコンピュータ読取り可能媒体。
【請求項２１４】
ワイヤレスノードであって、
少なくとも１つのアンテナと、
通信媒体が前記装置と前記デバイスとの間の通信を提供するために利用可能であるかどうかを決定するために使用されることになる第１の制御フレームを生成するように構成された処理システム、ここにおいて、前記第１の制御フレームは、第１のビームトレーニングシーケンスを備える、と、
前記少なくとも１つのアンテナを介して、送信のために前記第１の制御フレームを出力するように構成されたインタフェースと
を備える、ワイヤレスノード。
【請求項２１５】
ワイヤレス通信のための装置であって、
通信媒体が第１のデバイスと第２のデバイスとの間の通信を提供するために利用可能であるかどうかを決定するために使用されることになる第１のフレームを受信すること、ここにおいて、前記第１のフレームは、第１のビームトレーニングシーケンスを備える、と、
前記第１のビームトレーニングシーケンスに基づいて第１の構成にアンテナを構成することと、
第２のフレームを生成することと
を行うように構成された処理システムと、
前記アンテナが前記第１の構成に構成されている間、前記アンテナを介した第３のデバイスへの送信のために前記第２のフレームを出力するように構成されたインタフェースと
を備える、装置。
【請求項２１６】
前記第１の構成は、前記第１のデバイスまたは前記第２のデバイスのうちの少なくとも１つに実質的に向けられた少なくとも１つの空白を有するアンテナ輻射パターンを生成するように構成された前記アンテナを備える、請求項２１５に記載の装置。
【請求項２１７】
前記第１の構成は、前記第１のデバイスまたは前記第２のデバイスのうちの少なくとも１つに実質的に向けられた少なくとも１つの空白、および前記第３のデバイスに実質的に向けられたプライマリローブを有するアンテナ輻射パターンを生成するように構成された前記アンテナを備える、請求項２１６に記載の装置。
【請求項２１８】
前記処理システムは、
前記第１のデバイスが、前記第１のフレームに基づいて、前記第２のデバイスと通信していることになる持続時間を決定することと、
前記決定が、前記持続時間が満了したために、前記第１のデバイスが、前記第２のデバイスと通信していないことを示す場合、第２の構成における前記アンテナを再構成することと、
第３のフレームを生成することと
を行うように構成され、
ここにおいて、前記インタフェースは、前記アンテナが前記第２の構成に構成されている間、前記アンテナを介した前記第３のデバイスへの送信のために前記第３のフレームを出力するように構成される、請求項２１６に記載の装置。
【請求項２１９】
前記第２の構成は、前記第１のデバイスまたは前記第２のデバイスのうちの前記少なくとも１つ向けである少なくとも１つの空白なしのアンテナ輻射パターンを生成するように構成された前記アンテナを備える、請求項２１８に記載の装置。
【請求項２２０】
前記第１のフレームは、送信要求（ＲＴＳ）部分を備える、請求項２１５に記載の装置。
【請求項２２１】
前記第１のフレームは、送信可（ＲＴＳ）部分を備える、請求項２１５に記載の装置。
【請求項２２２】
前記第２のフレームは、送信要求（ＲＴＳ）フレームを備える、請求項２１５に記載の装置。
【請求項２２３】
前記第２のフレームは、送信要求（ＲＴＳ）部分および第２のビームトレーニングシーケンスを含むフレームを備える、請求項２１５に記載の装置。
【請求項２２４】
前記第２のフレームは、少なくとも１つのデータフレームを備える、請求項２１５に記載の装置。
【請求項２２５】
前記第２のフレームは、送信可（ＣＴＳ）フレームを備える、請求項２１５に記載の装置。
【請求項２２６】
前記第２のフレームは、送信可（ＣＴＳ）部分および第２のビームトレーニングシーケンスを含むフレームを備える、請求項２１５に記載の装置。
【請求項２２７】
前記第２のフレームは、少なくとも１つの肯定応答（ＡＣＫ）フレームを備える、請求項２１５に記載の装置。
【請求項２２８】
前記処理システムは、前記アンテナのための少なくとも前記第１の構成と、前記少なくとも第１の構成が有効である関連の持続時間とを含むテーブルを生成するように構成される、請求項２１５に記載の装置。
【請求項２２９】
ワイヤレス通信のための方法であって、
通信媒体が第１のデバイスと第２のデバイスとの間の通信を提供するために利用可能であるかどうかを決定するために使用されることになる第１のフレームを受信すること、ここにおいて、前記第１のフレームは、第１のビームトレーニングシーケンスを備える、と、
前記第１のビームトレーニングシーケンスに基づいて第１の構成にアンテナを構成することと、
第２のフレームを生成することと
を行うように構成され、
前記アンテナが前記第１の構成に構成されている間、前記アンテナを介した第３のデバイスへの送信のために前記第２のフレームを出力することと
を備える、方法。
【請求項２３０】
前記第１の構成は、前記第１のデバイスまたは前記第２のデバイスのうちの少なくとも１つに実質的に向けられた少なくとも１つの空白を有するアンテナ輻射パターンを生成するように構成された前記アンテナを備える、請求項２２９に記載の方法。
【請求項２３１】
前記第１の構成は、前記第１のデバイスまたは前記第２のデバイスのうちの少なくとも１つに実質的に向けられた少なくとも１つの空白、および前記第３のデバイスに実質的に向けられたプライマリローブを有するアンテナ輻射パターンを生成するように構成された前記アンテナを備える、請求項２３０に記載の方法。
【請求項２３２】
前記第１のデバイスが、前記第１のフレームに基づいて、前記第２のデバイスと通信していることになる持続時間を決定することと、
前記決定が、前記持続時間が満了したために、前記第１のデバイスが前記第２のデバイスと通信していないことを示す場合、第２の構成に前記アンテナを再構成することと、
第３のフレームを生成することと、
前記アンテナが前記第２の構成に構成されている間、前記アンテナを介した前記第３のデバイスへの送信のために前記第３のフレームを出力することと
をさらに備える、請求項２３０に記載の方法。
【請求項２３３】
前記第２の構成は、前記第１のデバイスまたは前記第２のデバイスのうちの前記少なくとも１つ向けである少なくとも１つの空白なしのアンテナ輻射パターンを生成するように構成された前記アンテナを備える、請求項２３２に記載の方法。
【請求項２３４】
前記第１のフレームは、送信要求（ＲＴＳ）部分を備える、請求項２２９に記載の方法。
【請求項２３５】
前記第１のフレームは、送信可（ＲＴＳ）部分を備える、請求項２２９に記載の方法。
【請求項２３６】
前記第２のフレームは、送信要求（ＲＴＳ）フレームを備える、請求項２２９に記載の方法。
【請求項２３７】
前記第２のフレームは、送信要求（ＲＴＳ）部分および第２のビームトレーニングシーケンスを含むフレームを備える、請求項２２９に記載の方法。
【請求項２３８】
前記第２のフレームは、少なくとも１つのデータフレームを備える、請求項２２９に記載の方法。
【請求項２３９】
前記第２のフレームは、送信可（ＣＴＳ）フレームを備える、請求項２２９に記載の方法。
【請求項２４０】
前記第２のフレームは、送信可（ＣＴＳ）部分および第２のビームトレーニングシーケンスを含むフレームを備える、請求項２２９に記載の方法。
【請求項２４１】
前記第２のフレームは、少なくとも１つの肯定応答（ＡＣＫ）フレームを備える、請求項２２９に記載の方法。
【請求項２４２】
前記アンテナのための少なくとも前記第１の構成と、前記少なくとも第１の構成が有効である関連の持続時間とを含むテーブルを生成することをさらに備える、請求項２２９に記載の方法。
【請求項２４３】
ワイヤレス通信のための装置であって、
通信媒体が第１のデバイスと第２のデバイスとの間の通信を提供するために利用可能であるかどうかを決定するために使用されることになる第１のフレームを受信するための手段と、ここにおいて、前記第１のフレームは、第１のビームトレーニングシーケンスを備える、と、
前記第１のビームトレーニングシーケンスに基づいて第１の構成にアンテナを構成するための手段と、
第２のフレームを生成するための手段と、
前記アンテナが前記第１の構成に構成されている間、前記アンテナを介した第３のデバイスへの送信のために前記第２のフレームを出力するための手段と
を備える、装置。
【請求項２４４】
前記第１の構成は、前記第１のデバイスまたは前記第２のデバイスのうちの少なくとも１つに実質的に向けられた少なくとも１つの空白を有するアンテナ輻射パターンを生成するように構成された前記アンテナを備える、請求項２４３に記載の装置。
【請求項２４５】
前記第１の構成は、前記第１のデバイスまたは前記第２のデバイスのうちの少なくとも１つに実質的に向けられた少なくとも１つの空白、および前記第３のデバイスに実質的に向けられたプライマリローブを有するアンテナ輻射パターンを生成するように構成された前記アンテナを備える、請求項２４４に記載の装置。
【請求項２４６】
前記第１のデバイスが、前記第１のフレームに基づいて、前記第２のデバイスと通信していることになる持続時間を決定するための手段と、
前記決定が、前記持続時間が満了したために、前記第１のデバイスが前記第２のデバイスと通信していないことを示す場合、第２の構成に前記アンテナを再構成するための手段と、
第３のフレームを生成するための手段と、
前記アンテナが前記第２の構成に構成されている間、前記アンテナを介した前記第３のデバイスへの送信のために前記第３のフレームを出力するための手段と
をさらに備える、請求項２４４に記載の装置。
【請求項２４７】
前記第２の構成は、前記第１のデバイスまたは前記第２のデバイスのうちの前記少なくとも１つ向けである少なくとも１つの空白なしのアンテナ輻射パターンを生成するように構成された前記アンテナを備える、請求項２４６に記載の装置。
【請求項２４８】
前記第１のフレームは、送信要求（ＲＴＳ）部分を備える、請求項２４３に記載の装置。
【請求項２４９】
前記第１のフレームは、送信可（ＲＴＳ）部分を備える、請求項２４３に記載の装置。
【請求項２５０】
前記第２のフレームは、送信要求（ＲＴＳ）フレームを備える、請求項２４３に記載の装置。
【請求項２５１】
前記第２のフレームは、送信要求（ＲＴＳ）部分および第２のビームトレーニングシーケンスを含むフレームを備える、請求項２４３に記載の装置。
【請求項２５２】
前記第２のフレームは、少なくとも１つのデータフレームを備える、請求項２４３に記載の装置。
【請求項２５３】
前記第２のフレームは、送信可（ＣＴＳ）フレームを備える、請求項２４３に記載の装置。
【請求項２５４】
前記第２のフレームは、送信可（ＣＴＳ）部分および第２のビームトレーニングシーケンスを含むフレームを備える、請求項２４３に記載の装置。
【請求項２５５】
前記第２のフレームは、少なくとも１つの肯定応答（ＡＣＫ）フレームを備える、請求項２４３に記載の装置。
【請求項２５６】
請求項装置の装置であって、
前記アンテナのための少なくとも前記第１の構成と、前記少なくとも第１の構成が有効である関連の持続時間とを含むテーブルを生成するための手段をさらに備える、装置。
【請求項２５７】
コンピュータ読取り可能媒体であって、
通信媒体が第１のデバイスと第２のデバイスとの間の通信を提供するために利用可能であるかどうかを決定するために使用されることになる第１のフレームを受信すること、ここにおいて、前記第１のフレームは、第１のビームトレーニングシーケンスを備える、と、
前記第１のビームトレーニングシーケンスに基づいて第１の構成にアンテナを構成することと、
第２のフレームを生成することと、
前記アンテナが前記第１の構成に構成されている間、前記アンテナを介した第３のデバイスへの送信のために前記第２のフレームを出力することと
を行うための命令を記憶したコンピュータ読取り可能媒体。
【請求項２５８】
ワイヤレスノードであって、
少なくとも１つのアンテナと、
通信媒体が第１のデバイスと第２のデバイスとの間の通信を提供するために利用可能であるかどうかを決定するために使用されることになる第１のフレームを受信すること、ここにおいて、前記第１のフレームは、第１のビームトレーニングシーケンスを備える、と、
前記第１のビームトレーニングシーケンスに基づいて第１の構成に前記少なくとも１つのアンテナを構成することと、
第２のフレームを生成することと
を行うように構成された処理システムと、
前記少なくとも１つのアンテナが、前記第１の構成に構成されてる間、前記少なくとも１つのアンテナを介して第３のデバイスへの送信のために前記第２のフレームを出力するように構成されたインタフェースと
を備える、ワイヤレスノード。
【請求項２５９】
ワイヤレス通信のための装置であって、
持続時間フィールド、アドレスフィールド、および第１のビームトレーニングシーケンスを含む第１のフレームを生成するように構成された処理システム、ここにおいて、前記持続時間フィールドは、通信媒体がデバイスと通信するために使用されることになる推定持続時間を示す情報を含み、前記アドレスフィールドは、前記装置または前記デバイスのうちの少なくとも１つの識別する情報を含む、と、
前記デバイスへの送信のために前記第１のフレームを出力するように構成されたインタフェースと
を備える、装置。
【請求項２６０】
前記第１のフレームは、前記持続時間フィールドおよび前記アドレスフィールドを含む送信要求（ＲＴＳ）部分を備える、請求項２５９に記載の装置。
【請求項２６１】
前記処理システムは、前記デバイスに実質的に向けられたプライマリローブを有するアンテナ輻射パターンで前記第１のフレームを送信するためのアンテナを構成するようにさらに構成される、請求項２５９に記載の装置。
【請求項２６２】
前記処理システムは、前記デバイスから第２のフレームを受信するようにさらに構成され、前記第２のフレームは、送信可（ＣＴＳ）部分および第２のビームトレーニングシーケンスを備える、請求項２５９に記載の装置。
【請求項２６３】
前記処理システムは、前記第２のフレームを受信することに応答して、データまたは制御フレームのうちの少なくとも１つを生成するためにさらに構成され、ここにおいて、前記インタフェースは、前記デバイスへの送信のために前記データまたは制御フレームのうちの前記少なくとも１つを出力するためにさらに構成される、請求項２６２に記載の装置。
【請求項２６４】
前記処理システムは、前記第２のビームトレーニングシーケンスに基づいて、前記デバイスに実質的に向けられたプライマリローブを有するアンテナ輻射パターンで、前記データまたは制御フレームのうちの少なくとも１つを送信、受信、または送信および受信するためのアンテナを構成するようにさらに構成される、請求項２６２に記載の装置。
【請求項２６５】
前記処理システムは、前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するようにさらに構成される、請求項２６３に記載の装置。
【請求項２６６】
前記処理システムは、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成するようにさらに構成される、請求項２６５に記載の装置。
【請求項２６７】
前記推定持続時間は、前記デバイスへ送信される１つまたは複数のデータフレームの推定持続時間を含む、請求項２５９に記載の装置。
【請求項２６８】
前記インタフェースは、シングルキャリアを介したミリ波スペクトルで、またはＩＥＥＥ８０２．１１ａｄ、８０２．１１ａｙ、または８０２．１１ａｊプロトコルに従って、前記第１のフレームを送信するように構成される、請求項２５９に記載の装置。
【請求項２６９】
前記第１のフレームは、送信可（ＣＴＳ）部分を備える、請求項２５９に記載の装置。
【請求項２７０】
前記処理システムは、前記デバイスから送信要求（ＲＴＳ）フレームを受信するようにさらに構成され、前記処理システムは、前記ＲＴＳフレームを受信することに応答して、前記第１のフレームを生成するようにさらに構成される、請求項２５９に記載の装置。
【請求項２７１】
前記処理システムは、全方向性様式で前記ＲＴＳフレームを受信するためのアンテナを構成するようにさらに構成される、請求項２７０に記載の装置。
【請求項２７２】
前記処理システムは、前記デバイスから送信要求（ＲＴＳ）部分および第２のビームトレーニングシーケンスを備える第２のフレームを受信するようにさらに構成され、前記処理システムは、前記第２のフレームを受信することに応答して、前記第１のフレームを生成するようにさらに構成される、請求項２５９に記載の装置。
【請求項２７３】
前記処理システムは、全方向性様式で前記第２のフレームを受信するためのアンテナを構成するようにさらに構成される、請求項２７２に記載の装置。
【請求項２７４】
前記処理システムは、前記第２のビームトレーニングシーケンスに基づいて、前記デバイスに実質的に向けられたプライマリローブを有するアンテナ輻射パターンで、前記第１のフレームを送信するためのアンテナを構成するようにさらに構成される、請求項２７２に記載の装置。
【請求項２７５】
前記処理システムは、前記第１のフレームの前記送信の後に、前記デバイスから、データまたは制御フレームのうちの少なくとも１つを受信するようにさらに構成される、請求項２５９に記載の装置。
【請求項２７６】
前記処理システムは、前記デバイスからＲＴＳ部分および第２のビームトレーニングシーケンスを備える第２のフレームを受信するようにさらに構成され、前記処理システムは、前記第２のビームトレーニングシーケンスに基づいて、前記データまたは制御フレームのうちの前記少なくとも１つを受信するためのアンテナを構成するようにさらに構成される、請求項２７５に記載の装置。
【請求項２７７】
前記処理システムは、前記データまたは制御フレームのうちの前記少なくとも１つを受信することに応答して、肯定応答（ＡＣＫ）、データ、またはＡＣＫおよびデータレームのうちの少なくとも１つを生成するようにさらに構成され、前記インタフェースは、前記デバイスへの送信のために前記ＡＣＫ、データ、またはＡＣＫおよびデータフレームのうちの前記少なくとも１つを出力するように構成される、請求項２７５に記載の装置。
【請求項２７８】
前記処理システムは、前記デバイスからＲＴＳ部分および第２のビームトレーニングシーケンスを備える第２のフレームを受信するようにさらに構成され、前記処理システムは、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するようにさらに構成される、請求項２７７に記載の装置。
【請求項２７９】
前記処理システムは、
第２のデバイスから第２のビームトレーニングシーケンスを備える第２のフレームを受信することと、
前記第２のビームトレーニングシーケンスに基づいてある構成にアンテナを構成することと、
第２のフレームを生成することと
をさらに備え、
ここにおいて、前記インタフェースは、前記アンテナが前記構成に構成されている間、前記アンテナを介した前記デバイスへの送信のために前記第１のフレームを出力するように構成される、請求項２５９に記載の装置。
【請求項２８０】
前記第１のフレームは、前記持続時間フィールドおよび前記アドレスフィールドを含むＣＴＳ部分を備え、前記アドレスフィールドにおける前記情報は、前記装置を識別する、請求項２５９に記載の装置。
【請求項２８１】
前記アドレスフィールドにおける前記情報は、前記デバイスを含むデバイスのセットを識別し、前記インタフェースは、デバイスの前記セットへの送信のために前記第１のフレームを出力するようにさらに構成される、請求項２５９に記載の装置。
【請求項２８２】
ワイヤレス通信のための方法であって、
持続時間フィールド、アドレスフィールド、および第１のビームトレーニングシーケンスを含む第１のフレームを生成すること、ここにおいて、前記持続時間フィールドは、通信媒体がデバイスと通信するために装置によって使用されることになる推定持続時間を示す情報を含み、前記アドレスフィールドは、前記装置または前記デバイスのうちの少なくとも１つの識別する情報を含む、と、
前記デバイスへの送信のために前記第１のフレームを出力することと
を備える、方法。
【請求項２８３】
前記第１のフレームは、前記持続時間フィールドおよび前記アドレスフィールドを含む送信要求（ＲＴＳ）部分を備える、請求項２８２に記載の方法。
【請求項２８４】
前記デバイスに実質的に向けられたプライマリローブを有するアンテナ輻射パターンで前記第１のフレームを送信するためのアンテナを構成することをさらに備える、請求項２８２に記載の方法。
【請求項２８５】
前記第１のフレームを送信することに応答して、前記デバイスから第２のフレームを受信することをさらに備え、ここにおいて、前記第２のフレームは、送信可（ＣＴＳ）部分および第２のビームトレーニングシーケンスを備える、請求項２８２に記載の方法。
【請求項２８６】
前記第２のフレームを受信することに応答して、データまたは制御フレームのうちの少なくとも１つを生成することと、
前記デバイスへの送信のために前記データまたは制御フレームのうちの前記少なくとも１つを出力することと
をさらに備える、請求項２８５に記載の方法。
【請求項２８７】
前記第２のビームトレーニングシーケンスに基づいて、前記デバイスに実質的に向けられたプライマリローブを有するアンテナ輻射パターンで、前記データまたは制御フレームのうちの少なくとも１つを送信、受信、または送信および受信するためのアンテナを構成することをさらに備える、請求項２８５に記載の方法。
【請求項２８８】
前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信することをさらに備える、請求項２８６に記載の方法。
【請求項２８９】
前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成することをさらに備える、請求項２８８に記載の方法。
【請求項２９０】
前記推定持続時間は、前記デバイスへ送信される１つまたは複数のデータフレームの推定持続時間を含む、請求項２８２に記載の方法。
【請求項２９１】
前記第１のフレームを出力することは、シングルキャリアを介したミリ波スペクトルでの、またはＩＥＥＥ８０２．１１ａｄ、８０２．１１ａｙ、または８０２．１１ａｊプロトコルに従う、送信のために前記第１のフレームを出力することを備える、請求項２８２に記載の方法。
【請求項２９２】
前記第１のフレームは、送信可（ＲＴＳ）部分を備える、請求項２８２に記載の方法。
【請求項２９３】
前記デバイスから送信要求（ＲＴＳ）を受信することをさらに備え、ここにおいて、前記第１のフレームを生成することは、前記ＲＴＳフレームを受信することに応答するものである、請求項２８２に記載の方法。
【請求項２９４】
全方向性様式で前記ＲＴＳフレームを受信するためのアンテナを構成することをさらに備える、請求項２９３に記載の方法。
【請求項２９５】
前記デバイスから送信要求（ＲＴＳ）部分および第２のビームトレーニングシーケンスを備える第２のフレームを受信することをさらに備え、ここにおいて、前記第１のフレームを生成することは、前記第２のフレームを受信することに応答するものである、請求項２８２に記載の方法。
【請求項２９６】
全方向性様式で前記第２のフレームを受信するためのアンテナを構成することをさらに備える、請求項２９５に記載の方法。
【請求項２９７】
前記第２のビームトレーニングシーケンスに基づいて、前記デバイスに実質的に向けられたプライマリローブを有するアンテナ輻射パターンで前記第１のフレームを送信するためのアンテナを構成することをさらに備える、請求項２９５に記載の方法。
【請求項２９８】
前記第１のフレームの前記送信の後に、前記デバイスからデータまたは制御フレームのうちの少なくとも１つを受信することをさらに備える、請求項２８２に記載の方法。
【請求項２９９】
前記デバイスからＲＴＳ部分と第２のビームトレーニングシーケンスを備える第２のフレームを受信することと、前記第２のビームトレーニングシーケンスに基づいて、前記データまたは制御フレームのうちの前記少なくとも１つを受信するためのアンテナを構成することとをさらに備える、請求項２９８に記載の方法。
【請求項３００】
前記データまたは制御フレームのうちの前記少なくとも１つを受信することに応答して、肯定応答（ＡＣＫ）、データ、またはＡＣＫおよびデータフレームのうちの少なくとも１つを生成することと、
前記デバイスへの送信のために前記ＡＣＫ、データ、またはＡＣＫおよびデータフレームのうちの前記少なくとも１つを出力することと
をさらに備える、請求項２９８に記載の方法。
【請求項３０１】
前記デバイスからＲＴＳ部分と第２のビームトレーニングシーケンスを備える第２のフレームを受信することと、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成することとをさらに備える、請求項３００に記載の方法。
【請求項３０２】
第２のデバイスから第２のビームトレーニングシーケンスを備える第２のフレームを受信することと、
前記第２のビームトレーニングシーケンスに基づいて、ある構成にアンテナを構成することと、
第２のフレームを生成することと、
前記アンテナが前記構成に構成されている間、前記アンテナを介した前記デバイスへの送信のために前記第１のフレームを出力することと
をさらに備える、請求項２８２に記載の方法。
【請求項３０３】
前記第１のフレームは、前記持続時間フィールドおよび前記アドレスフィールドを含むＣＴＳ部分を備え、前記アドレスフィールドにおける前記情報は、前記装置を識別する、
請求項２８２に記載の方法。
【請求項３０４】
前記アドレスフィールドにおける前記情報は、前記デバイスを含むデバイスのセットを識別し、前記インタフェースは、デバイスの前記セットへの送信のために前記第１のフレームを出力するようにさらに構成される、請求項２８２に記載の方法。
【請求項３０５】
ワイヤレス通信のための装置であって、
持続時間フィールド、アドレスフィールド、および第１のビームトレーニングシーケンスを含む第１のフレームを生成するための手段、ここにおいて、前記持続時間フィールドは、通信媒体がデバイスと通信するために使用されることになる推定持続時間を示す情報を含み、前記アドレスフィールドは、前記装置または前記デバイスのうちの少なくとも１つの識別する情報を含む、と、
前記デバイスへの送信のために前記第１のフレームを出力するための手段と
を備える、装置。
【請求項３０６】
前記第１のフレームは、前記持続時間フィールドおよび前記アドレスフィールドを含む送信要求（ＲＴＳ）部分を備える、請求項３０５に記載の装置。
【請求項３０７】
前記デバイスに実質的に向けられたプライマリローブを有するアンテナ輻射パターンで、前記第１のフレームを送信するために、アンテナを構成するための手段と
をさらに備える、請求項３０５に記載の装置。
【請求項３０８】
前記第１のフレームを送信することに応答して、前記デバイスから第２のフレームを受信するための手段をさらに備え、ここにおいて、前記第２のフレームは、送信可（ＣＴＳ）部分および第２のビームトレーニングシーケンスを備える、請求項３０５に記載の装置。
【請求項３０９】
前記第２のフレームを受信することに応答して、データまたは制御フレームのうちの少なくとも１つを生成するための手段と、
前記デバイスへの送信のために前記データまたは制御フレームのうちの前記少なくとも１つを出力するための手段と
をさらに備える、請求項３０８に記載の装置。
【請求項３１０】
前記第２のビームトレーニングシーケンスに基づいて、前記デバイスに実質的に向けられたプライマリローブを有するアンテナ送信輻射パターンで、前記データまたは制御フレームのうちの少なくとも１つを送信、受信、または送信および受信するためのアンテナを構成するための手段をさらに備える、請求項３０８に記載の装置。
【請求項３１１】
前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するための手段をさらに備える、請求項３０９に記載の装置。
【請求項３１２】
前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成するための手段をさらに備える、請求項３１１に記載の装置。
【請求項３１３】
前記推定持続時間は、前記デバイスへ送信される１つまたは複数のデータフレームの推定持続時間を含む、請求項３０５に記載の装置。
【請求項３１４】
出力するための前記手段は、シングルキャリアを介したミリ波スペクトルでの、またはＩＥＥＥ８０２．１１ａｄ、８０２．１１ａｙ、または８０２．１１ａｊプロトコルに従う、送信のために前記第１のフレームを出力するための手段を備える、
請求項３０５に記載の装置。
【請求項３１５】
前記第１のフレームは、送信可（ＣＴＳ）部分を備える、
請求項３０５に記載の装置。
【請求項３１６】
前記デバイスから送信要求（ＲＴＳ）フレームを受信するための手段をさらに備え、ここにおいて、前記第１のフレームを生成するための前記手段は、前記ＲＴＳフレームを受信することに応答して、前記第１のフレームを生成するための手段を備える、請求項３０５に記載の装置。
【請求項３１７】
全方向性様式で前記ＲＴＳフレームを受信するためにアンテナを構成するための手段をさらに備える、請求項３１６に記載の装置。
【請求項３１８】
前記デバイスから送信要求（ＲＴＳ）部分および第２のビームトレーニングシーケンスを備える第２のフレームを受信するための手段をさらに備え、ここにおいて、前記第１のフレームを生成するための前記手段は、前記第２のフレームを受信することに応答して、前記第１のフレームを生成するための手段を備える、請求項３０５に記載の装置。
【請求項３１９】
全方向性様式で前記第２のフレームを受信するためにアンテナを構成するための手段をさらに備える、請求項３１８に記載の装置。
【請求項３２０】
前記第２のビームトレーニングシーケンスに基づいて、前記デバイスに実質的に向けられたプライマリローブを有するアンテナ輻射パターンで、前記第１のフレームを送信するためのアンテナを構成するための手段をさらに備える、請求項３１８に記載の装置。
【請求項３２１】
前記第１のフレームの前記送信の後に、前記デバイスからデータまたは制御フレームのうちの少なくとも１つを受信するための手段をさらに備える、請求項３０５に記載の装置。
【請求項３２２】
前記デバイスからＲＴＳ部分と第２のビームトレーニングシーケンスを備える第２のフレームを受信するための手段と、前記第２のビームトレーニングシーケンスに基づいて、データまたは制御フレームのうちの前記少なくとも１つを受信するためのアンテナを構成するための手段をさらに備える、請求項３２１に記載の装置。
【請求項３２３】
前記データまたは制御フレームのうちの前記少なくとも１つを受信することに応答して、肯定応答（ＡＣＫ）、データ、またはＡＣＫおよびデータフレームのうちの少なくとも１つを生成するための手段と
前記デバイスへの送信のために前記ＡＣＫ、データ、またはＡＣＫおよびデータフレームのうちの前記少なくとも１つを出力するための手段と
をさらに備える、請求項３２１に記載の装置。
【請求項３２４】
前記デバイスからＲＴＳ部分と第２のビームトレーニングシーケンスを備える第２のフレームを受信するための手段と、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するための手段と
をさらに備える、請求項３２３に記載の装置。
【請求項３２５】
第２のデバイスから第２のビームトレーニングシーケンスを備える第２のフレームを受信するための手段と、
前記第２のビームトレーニングシーケンスに基づいて、ある構成にアンテナを構成するための手段と、
第２のフレームを生成するための手段と、
前記アンテナが前記構成に構成されている間、前記アンテナを介した前記デバイスへの送信のために前記第１のフレームを出力するための手段と
をさらに備える、請求項３０５に記載の装置。
【請求項３２６】
前記第１のフレームは、前記持続時間フィールドおよび前記アドレスフィールドを含むＣＴＳ部分を備え、前記アドレスフィールドにおける前記情報は、前記装置を識別する、請求項３０５に記載の装置。
【請求項３２７】
前記アドレスフィールドにおける前記情報は、前記デバイスを含むデバイスのセットを識別し、前記インタフェースは、デバイスの前記セットへの送信のために前記第１のフレームを出力するようにさらに構成される、請求項３０５に記載の装置。
【請求項３２８】
コンピュータ読取り可能媒体であって、
持続時間フィールド、アドレスフィールド、およびビームトレーニングシーケンスを含むフレームを生成すること、ここにおいて、前記持続時間フィールドは、通信媒体がデバイスと通信するために装置によって使用されることになる推定持続時間を示す情報を含み、前記アドレスフィールドは、前記デバイスを識別する情報を含む、と、
前記デバイスへの送信のために前記フレームを出力することと
を行うための命令を記憶したコンピュータ読取り可能媒体。
【請求項３２９】
ワイヤレスノードであって、
少なくとも１つのアンテナと、
持続時間フィールド、アドレスフィールド、およびビームトレーニングシーケンスを含むフレームを生成するように構成された処理システム、ここにおいて、前記持続時間フィールドは、通信媒体がデバイスと通信するために使用されることになる推定持続時間を示す情報を含み、前記アドレスフィールドは、前記ワイヤレスノードまたは前記デバイスのうちの前記少なくとも１つの識別する情報を含む、と、
前記少なくとも１つのアンテナを介した前記デバイスへの送信のために前記フレームを出力するように構成されたインタフェースと
を備える、ワイヤレスノード。
【請求項３３０】
ワイヤレス通信のための装置であって、
第１のデバイスから第１のビームトレーニングシーケンスを備える第１のフレームを受信することと、
前記第１のビームトレーニングシーケンスに基づいて、第１の構成にアンテナを構成することと、
第２のフレームを生成することと
を行うように構成された処理システムと、
前記アンテナが前記第１の構成に構成されている間、前記アンテナを介した第２のデバイスへの送信のために前記第２のフレームを出力するように構成されたインタフェースと
を備える、装置。
【請求項３３１】
前記第１の構成は、前記第１のデバイスに実質的に向けられた空白を有するアンテナ輻射パターンを生成するように構成された前記アンテナを備える、請求項３３０に記載の装置。
【請求項３３２】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項３３０に記載の装置。
【請求項３３３】
前記第１のフレームは、送信要求（ＲＴＳ）部分を備え、前記処理システムは、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、
請求項３３０に記載の装置。
【請求項３３４】
前記第２の構成は、前記第１のデバイスに向けられた空白なしのアンテナ輻射パターンを生成するように構成された前記アンテナを備える、請求項３３３に記載の装置。
【請求項３３５】
前記持続時間は、前記第１のデバイスから前記第３のデバイスへ送信される１つまたは複数のデータフレームの推定持続時間を含む、請求項３３３に記載の装置。
【請求項３３６】
前記インタフェースは、シングルキャリアを介したミリ波スペクトルで、またはＩＥＥＥ８０２．１１ａｄ、８０２．１１ａｙ、または８０２．１１ａｊプロトコルに従って、前記第２のフレームを送信するように構成される、請求項３３０に記載の装置。
【請求項３３７】
前記第２のフレームは、送信要求（ＲＴＳ）フレームを備える、請求項３３０に記載の装置。
【請求項３３８】
前記第２のフレームは、送信要求（ＲＴＳ）部分および第２のビームトレーニングシーケンスを含むフレームを備える、請求項３３０に記載の装置。
【請求項３３９】
前記第２のフレームは、少なくとも１つのデータフレームを備える、請求項３３０に記載の装置。
【請求項３４０】
前記第２のフレームは、送信可（ＣＴＳ）フレームを備える、請求項３３０に記載の装置。
【請求項３４１】
前記第２のフレームは、送信可（ＣＴＳ）部分および第２のビームトレーニングシーケンスを含むフレームを備える、請求項３３０に記載の装置。
【請求項３４２】
前記第２のフレームは、少なくとも１つの肯定応答（ＡＣＫ）フレームを備える、請求項３３０に記載の装置。
【請求項３４３】
前記処理システムは、第３のデバイスから送信可（ＣＴＳ）部分および第２のビームトレーニングシーケンスを備える第３のフレームを受信するようにさらに構成され、前記アンテナの前記第１の構成は、前記第２のビームトレーニングシーケンスにさらに基づく、請求項３３０に記載の装置。
【請求項３４４】
前記第１の構成は、前記第１のデバイスに実質的に向けられた第１の空白および前記第３のデバイスに実質的に向けられた第２の空白を有するアンテナ輻射パターンを生成するように構成された前記アンテナを備える、請求項３４３に記載の装置。
【請求項３４５】
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、請求項３４３に記載の装置。
【請求項３４６】
前記第１のフレームは、送信要求（ＲＴＳ）部分を備え、前記処理システムは、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、請求項３４３に記載の装置。
【請求項３４７】
前記第２の構成は、それぞれ、前記第１のデバイスにおよび前記第３のデバイスに向けられた空白なしのアンテナ輻射パターンを生成するように構成された前記アンテナを備える、請求項３４６に記載の装置。
【請求項３４８】
前記処理システムは、前記アンテナのための少なくとも前記第１の構成と、前記少なくとも第１の構成が有効である関連の持続時間とを含むテーブルを生成するように構成される、請求項３３０に記載の装置。
【請求項３４９】
前記第１のフレームは、送信可（ＣＴＳ）部分を備え、前記処理システムは、
前記第１のデバイスが、前記第１のフレームの前記ＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、請求項３３０に記載の装置。
【請求項３５０】
前記第２の構成は、前記第１のデバイスに向けられた空白なしのアンテナ輻射パターンを生成するように構成された前記アンテナを備える、請求項３４９に記載の装置。
【請求項３５１】
前記持続時間は、前記第１のデバイスから前記第３のデバイスへ１つまたは複数のデータフレームを送信するための推定持続時間を含む、請求項３４９に記載の装置。
【請求項３５２】
前記処理システムは、前記第１のトレーニングシーケンスに基づいて、前記第１のフレームの到来角の推定値を生成するようにさらに構成され、前記第１の構成は、前記推定された到来角にさらに基づく、請求項３３０に記載の装置。
【請求項３５３】
前記処理システムは、前記第２のフレームの前記送信に起因した前記第１のデバイスにおける推定された干渉が、しきい値にあるかまたはそれよりも下回るように、前記第１の構成に前記アンテナを構成するようにさらに構成される、請求項３３０に記載の装置。
【請求項３５４】
前記処理システムは、１つまたは複数のそれぞれのセクタに関して、前記第１のデバイスに向かう方向において１つまたは複数のアンテナ利得を推定することと、前記１つまたは複数のそれぞれのセクタに関して、前記装置と前記第１のデバイスとの間の１つまたは複数のアンテナ相互差異を推定することとを行うようにさらに構成され、前記第１の構成は、前記推定された１つまたは複数のアンテナ利得および前記推定された１つまたは複数のアンテナ相互差異にさらに基づく、請求項３３０に記載の装置。
【請求項３５５】
ワイヤレス通信のための方法であって、
第１のデバイスから第１のビームトレーニングシーケンスを備える第１のフレームを受信することと、
前記第１のビームトレーニングシーケンスに基づいて、第１の構成にアンテナを構成することと、
第２のフレームを生成することと、
前記アンテナが前記第１の構成に構成されている間、前記アンテナを介した第２のデバイスへの送信のために前記第２のフレームを出力することと
を備える、方法。
【請求項３５６】
前記第１の構成は、前記第１のデバイスに実質的に向けられた空白を有するアンテナ輻射パターンを生成するように構成された前記アンテナを備える、請求項３５５に記載の方法。
【請求項３５７】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項３５５に記載の方法。
【請求項３５８】
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、請求項３５５に記載の方法。
【請求項３５９】
前記第２の構成は、前記第１のデバイスに向けられた空白なしのアンテナ輻射パターンを生成するように構成された前記アンテナを備える、請求項３５８に記載の方法。
【請求項３６０】
前記持続時間は、前記第１のデバイスから前記第３のデバイスへ送信される１つまたは複数のデータフレームの推定持続時間を含む、請求項３５８に記載の方法。
【請求項３６１】
前記第２のフレームを出力することは、シングルキャリアを介したミリ波スペクトルでの、またはＩＥＥＥ８０２．１１ａｄ、８０２．１１ａｙ、または８０２．１１ａｊプロトコルに従う、送信のために前記セクションフレームを出力することを備える、請求項３５５に記載の方法。
【請求項３６２】
前記第２のフレームは、送信要求（ＲＴＳ）フレームを備える、請求項３５５に記載の方法。
【請求項３６３】
前記第２のフレームは、送信要求（ＲＴＳ）部分および第２のビームトレーニングシーケンスを含むフレームを備える、請求項３５５に記載の方法。
【請求項３６４】
前記第２のフレームは、少なくとも１つのデータフレームを備える、請求項３５５に記載の方法。
【請求項３６５】
前記第２のフレームは、送信可（ＣＴＳ）フレームを備える、請求項３５５に記載の方法。
【請求項３６６】
前記第２のフレームは、送信可（ＣＴＳ）部分および第２のビームトレーニングシーケンスを含むフレームを備える、請求項３５５に記載の方法。
【請求項３６７】
前記第２のフレームは、少なくとも１つの肯定応答（ＡＣＫ）フレームを備える、請求項３５５の方法。
【請求項３６８】
第３のデバイスから送信可（ＣＴＳ）部分および第２のビームトレーニングシーケンスを含む第３のフレームを受信することをさらに備え、ここにおいて、前記アンテナの前記第１の構成は、前記第２のビームトレーニングシーケンスにさらに基づく、
をさらに備える、請求項３５５に記載の方法。
【請求項３６９】
前記第１の構成は、前記第１のデバイスに実質的に向けられた第１の空白および前記第３のデバイスに実質的に向けられた第２の空白を有するアンテナ輻射パターンを生成するように構成された前記アンテナを備える、請求項３６８の方法。
【請求項３７０】
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、請求項３６８の方法。
【請求項３７１】
前記第１のフレームは、送信要求（ＲＴＳ）部分を備え、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、請求項３６８の方法。
【請求項３７２】
前記第２の構成は、それぞれ、前記第１のデバイスにおよび前記第３のデバイスに向けられた空白なしのアンテナ輻射パターンを生成するように構成された前記アンテナを備える、請求項３７１の方法。
【請求項３７３】
前記アンテナのための少なくとも前記第１の構成と、前記少なくとも第１の構成が有効である関連の持続時間とを含むテーブルを生成することをさらに備える、請求項３５５に記載の方法。
【請求項３７４】
前記第１のフレームは、送信可（ＣＴＳ）部分を備え、
前記第１のデバイスが、前記第１のフレームの前記ＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、請求項３５５の方法。
【請求項３７５】
前記第２の構成は、前記第１のデバイスに向けられた空白なしのアンテナ輻射パターンを生成するように構成された前記アンテナを備える、請求項３７４の方法。
【請求項３７６】
前記持続時間は、前記第１のデバイスから前記第３のデバイスへ１つまたは複数のデータフレームを送信するための推定持続時間を含む、請求項３７４８の方法。
【請求項３７７】
前記第１のトレーニングシーケンスに基づいて、前記第１のフレームの到来角の推定値を生成することをさらに備え、ここにおいて、前記第１の構成は、前記推定された到来角にさらに基づく、請求項３５５に記載の方法。
【請求項３７８】
前記第１の構成に前記アンテナを構成することは、前記第２のフレームの前記送信に起因する前記第１のデバイスにおける推定された干渉が、しきい値にあるかまたはそれよりも下回るように、前記第１の構成に前記アンテナを構成することを備える、請求項３５５の方法。
【請求項３７９】
１つまたは複数のそれぞれのセクタに関して、前記第１のデバイスに向かう方向において１つまたは複数のアンテナ利得を推定することと、前記１つまたは複数のそれぞれのセクタに関して、前記装置と前記第１のデバイスとの間の１つまたは複数のアンテナ相互差異を推定すること、ここにおいて、前記第１の構成は、前記推定された１つまたは複数のアンテナ利得および前記推定された１つまたは複数のアンテナ相互差異にさらに基づく、と、をさらに備える、請求項３４９に記載の方法。
【請求項３８０】
ワイヤレス通信のための装置であって、
第１のデバイスから第１のビームトレーニングシーケンスを備える第１のフレームを受信するための手段と、
前記第１のビームトレーニングシーケンスに基づいて、第１の構成にアンテナを構成するための手段と、
第２のフレームを生成するための手段と、
前記アンテナが前記第１の構成に構成されている間、前記アンテナを介した第２のデバイスへの送信のために前記第２のフレームを出力するための手段と
を備える、装置。
【請求項３８１】
前記第１の構成は、前記第１のデバイスに実質的に向けられた空白を有するアンテナ輻射パターンを生成するように構成された前記アンテナを備える、請求項３８０に記載の装置。
【請求項３８２】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項３８０に記載の装置。
【請求項３８３】
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、請求項３８０に記載の装置。
【請求項３８４】
前記第２の構成は、前記第１のデバイスに向けられた空白なしのアンテナ輻射パターンを生成するように構成された前記アンテナを備える、請求項３８３に記載の装置。
【請求項３８５】
前記持続時間は、前記第１のデバイスから前記第３のデバイスへ送信される１つまたは複数のデータフレームの推定持続時間を含む、請求項３８３に記載の装置。
【請求項３８６】
前記第２のフレームを出力するための前記手段は、シングルキャリアを介したミリ波スペクトルでの、またはＩＥＥＥ８０２．１１ａｄ、８０２．１１ａｙ、または８０２．１１ａｊプロトコルに従う、送信のために前記第２のフレームを出力するための手段を備える、請求項３８０に記載の装置。
【請求項３８７】
前記第２のフレームは、送信要求（ＲＴＳ）フレームを備える、請求項３８０に記載の装置。
【請求項３８８】
前記第２のフレームは、送信要求（ＲＴＳ）部分および第２のビームトレーニングシーケンスを含むフレームを備える、請求項３８０に記載の装置。
【請求項３８９】
前記第２のフレームは、少なくとも１つのデータフレームを備える、請求項３８０に記載の装置。
【請求項３９０】
前記第２のフレームは、送信可（ＣＴＳ）フレームを備える、請求項３８０に記載の装置。
【請求項３９１】
前記第２のフレームは、送信可（ＣＴＳ）部分および第２のビームトレーニングシーケンスを含むフレームを備える、請求項３８０に記載の装置。
【請求項３９２】
前記第２のフレームは、少なくとも１つの肯定応答（ＡＣＫ）フレームを備える、請求項３８０に記載の装置。
【請求項３９３】
第３のデバイスから送信可（ＣＴＳ）部分および第２のビームトレーニングシーケンスを含む第３のフレームを受信するための手段をさらに備え、ここにおいて、前記アンテナの前記第１の構成は、前記第２のビームトレーニングシーケンスにさらに基づく、請求項３８０に記載の装置。
【請求項３９４】
前記第１の構成は、前記第１のデバイスに実質的に向けられた第１の空白および前記第３のデバイスに実質的に向けられた第２の空白を有するアンテナ輻射パターンを生成するように構成された前記アンテナを備える、請求項３９３に記載の装置。
【請求項３９５】
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、請求項３９３に記載の装置。
【請求項３９６】
前記第１のフレームは、送信要求（ＲＴＳ）部分を備え、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、請求項３９３に記載の装置。
【請求項３９７】
前記第２の構成は、それぞれ、前記第１のデバイスにおよび前記第３のデバイスに向けられた空白なしのアンテナ輻射パターンを生成するように構成された前記アンテナを備える、請求項３９６に記載の装置。
【請求項３９８】
前記アンテナのための少なくとも前記第１の構成と、前記少なくとも第１の構成が有効である関連の持続時間とを含むテーブルを生成するための手段をさらに備える、請求項３８０に記載の装置。
【請求項３９９】
前記第１のフレームは、送信可（ＣＴＳ）部分を備え、
前記第１のデバイスが、前記第１のフレームの前記ＣＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、請求項３８０に記載の装置。
【請求項４００】
前記第２の構成は、前記第１のデバイスに向けられた空白なしのアンテナ輻射パターンを生成するように構成された前記アンテナを備える、請求項３９９に記載の装置。
【請求項４０１】
前記持続時間は、前記第１のデバイスから前記第３のデバイスへ１つまたは複数のデータフレームを送信するための推定持続時間を含む、請求項３９９に記載の装置。
【請求項４０２】
前記第１のトレーニングシーケンスに基づいて、前記第１のフレームの到来角の推定値を生成するための手段をさらに備え、ここにおいて、前記第１の構成は、前記推定された到来角にさらに基づく、請求項３８０に記載の装置。
【請求項４０３】
前記第１の構成に前記アンテナを構成するための前記手段は、前記第２のフレームの前記送信に起因する前記第１のデバイスにおける推定された干渉が、しきい値にあるかまたはそれよりも下回るように、前記第１の構成に前記アンテナを構成するための手段を備える、請求項３８０に記載の装置。
【請求項４０４】
１つまたは複数のそれぞれのセクタに関して、前記第１のデバイスに向かう方向において１つまたは複数のアンテナ利得を推定するための手段と、前記１つまたは複数のそれぞれのセクタに関して、前記装置と前記第１のデバイスとの間の１つまたは複数のアンテナ相互差異を推定するための手段、ここにおいて、前記第１の構成は、前記推定された１つまたは複数のアンテナ利得および前記推定された１つまたは複数のアンテナ相互差異にさらに基づく、と
をさらに備える、請求項３８０に記載の装置。
【請求項４０５】
コンピュータ読取り可能媒体であって、
第１のデバイスからビームトレーニングシーケンスを備える第１のフレームを受信することと、
前記ビームトレーニングシーケンスに基づいて、第１の構成にアンテナを構成することと、
第２のフレームを生成することと、
前記アンテナが前記第１の構成に構成されている間、前記アンテナを介した第２のデバイスへの送信のために前記第２のフレームを出力することと
を行うための命令を記憶したコンピュータ読取り可能媒体。
【請求項４０６】
ワイヤレスノードであって、
少なくとも１つのアンテナと、
第１のデバイスからビームトレーニングシーケンスを備える第１のフレームを受信することと、
前記ビームトレーニングシーケンスに基づいて、第１の構成に前記少なくとも１つのアンテナを構成することと、
第２のフレームを生成することと
を行うように構成された処理システムと、
前記少なくとも１つのアンテナが、前記第１の構成に構成されている間、前記少なくとも１つのアンテナを介した第２のデバイスへの送信のために前記第２のフレームを出力するためのインタフェースと
を備える、ワイヤレスノード。
【発明の詳細な説明】
【関連出願の相互参照】
【０００１】
[0001]  この出願は、米国特許商標庁に２０１５年１２月３０日に出願された仮特許出願第６２／２７３，３９７号、および米国特許商標庁に２０１６年１２月２９日に出願された非仮特許出願第１５／３９３，７８５号に対する優先権およびそれの利益を主張する。
【技術分野】
【０００２】
[0002]  本開示は、一般に、ワイヤレス通信に関し、より具体的には、近隣（neighboring）ワイヤレスデバイスからの干渉を減らすためのシステムおよび方法に関する。
【背景技術】
【０００３】
[0003]  複数の輻射素子（radiating element）（例えば、フェーズドアレイアンテナ）から成るアンテナを有するワイヤレスデバイスは、指向性様式で（in a directional manner）、信号を遠隔デバイスへ送信して遠隔デバイスから受信し得る。指向性様式で信号を送信および受信することの利点は、全方向性様式で（in an omnidirectional manner）信号を受信することと比較してより高いアンテナ利得が達成され得ることである。さらなる利点は、近接して（proximate）置かれなかったり、アンテナの指向性（directivity）に沿わなかったりする、望まないワイヤレスデバイス（「非ターゲットデバイス」）からの信号は、そのようなデバイスからの信号干渉を減らすために実質的に減衰させられ（attenuated）得る。
【０００４】
[0004]  ターゲットデバイスへおよびターゲットデバイスから指向的に信号を送信および受信するためのアンテナを構成することに加えて、アンテナは、特定の方向に向けられた１つまたは複数の空白(null)（または高い信号減衰（high signal attenuation）の領域）を提供するようにさらに構成され得る。そのような１つまたは複数の空白は、非ターゲットデバイスにおける干渉を低減するために使用され得る。
【０００５】
[0005]  １つまたは複数の空白を使用してそのような干渉の低減を果たす（effectuating）技法が、ここに説明される。
【発明の概要】
【０００６】
[0006]  本開示のある特定の態様は、ワイヤレス通信のための装置を提供する。この装置は、持続時間フィールド、アドレスフィールド、および第１のビームトレーニングシーケンスを含む第１のフレームを生成するように構成された処理システム、ここにおいて、持続時間フィールドは、通信媒体がその間にデバイスと通信するために使用されることになる推定持続時間を示す情報を含み、アドレスフィールドは、装置またはデバイスのうちの少なくとも１つの識別する情報を含む、と、デバイスへの送信のために第１のフレームを出力するように構成されたインタフェースとを備える。
【０００７】
[0007]  本開示のある特定の態様は、ワイヤレス通信のための方法を提供する。この方法は、持続時間フィールド、アドレスフィールド、および第１のビームトレーニングシーケンスを含む第１のフレームを生成すること、ここにおいて、持続時間フィールドは、通信媒体がその間にデバイスと通信するために装置によって使用されることになる推定持続時間を示す情報を含み、アドレスフィールドは、装置またはデバイスのうちの少なくとも１つの識別する情報を含む、と、デバイスへの送信のために第１のフレームを出力することとを備える。
【０００８】
[0008]  本開示のある特定の態様は、ワイヤレス通信のための装置を提供する。この装置は、持続時間フィールド、アドレスフィールド、および第１のビームトレーニングシーケンスを含む第１のフレームを生成するための手段、ここにおいて、持続時間フィールドは、通信媒体がその間にデバイスと通信するために装置によって使用されることになる推定持続時間を示す情報を含み、アドレスフィールドは、装置またはデバイスのうちの少なくとも１つの識別する情報を含む、と、デバイスへの送信のために第１のフレームを出力するための手段とを備える。
【０００９】
[0009]  本開示のある特定の態様は、持続時間フィールド、アドレスフィールド、およびビームトレーニングシーケンスを含むフレームを生成すること、ここにおいて、持続時間フィールドは、通信媒体がその間にデバイスと通信するために装置によって使用されることになる推定持続時間を示す情報を含み、アドレスフィールドは、装置またはデバイスのうちの少なくとも１つの識別する情報を含む、と、デバイスへの送信のためにフレームを出力することとを行うための命令を記憶したコンピュータ読取り可能媒体を提供する。
【００１０】
[0010]  本開示のある特定の態様は、ワイヤレスノードを提供する。このワイヤレスノードは、少なくとも１つのアンテナと、持続時間フィールド、アドレスフィールド、およびビームトレーニングシーケンスを含むフレームを生成するように構成された処理システム、ここにおいて、持続時間フィールドは、通信媒体がその間にデバイスと通信するために装置によって使用されることになる推定持続時間を示す情報を含み、アドレスフィールドは、装置またはデバイスのうちの少なくとも１つの識別する情報を含む、と、少なくとも１つのアンテナを介したデバイスへの送信のためにフレームを出力するように構成されたインタフェースとを備える。
【００１１】
[0011]  本開示のある特定の態様は、ワイヤレス通信のための装置を提供する。この装置は、送信可（ＣＴＳ： Clear to Send）部分および第１のビームトレーニングシーケンスを含む第１のフレームを生成するように構成された処理システムと、デバイスへの送信のために第１のフレームを出力するように構成されたインタフェースとを備える。
【００１２】
[0012]  本開示のある特定の態様は、ワイヤレス通信のための方法を提供する。この方法は、送信可（ＣＴＳ）部分および第１のビームトレーニングシーケンスを含む第１のフレームを生成することと、デバイスへの送信のために第１のフレームを出力することを備える。
【００１３】
[0013]  本開示のある特定の態様は、ワイヤレス通信のための装置を提供する。この装置は、送信可（ＣＴＳ）部分および第１のビームトレーニングシーケンスを含む第１のフレームを生成するための手段と、デバイスへの送信のために第１のフレームを出力するための手段を備える。
【００１４】
[0014]  本開示のある特定の態様は、送信可（ＣＴＳ）部分およびビームトレーニングシーケンスを含むフレームを生成することと、デバイスへの送信のためにフレームを出力することとを行うための命令を記憶したコンピュータ読取り可能媒体を提供する。
【００１５】
[0015]  本開示のある特定の態様は、ワイヤレスノードを提供する。このワイヤレスノードは、少なくとも１つのアンテナと、送信可（ＣＴＳ）部分およびビームトレーニングシーケンスを含むフレームを生成するように構成された処理システムと、少なくとも１つのアンテナを介したデバイスへの送信のためにフレームを出力するように構成されたインタフェースとを備える。
【００１６】
[0016]  本開示のある特定の態様は、ワイヤレス通信のための装置を提供する。この装置は、第１のデバイスから第１のビームトレーニングシーケンスを備える第１のフレームを受信することと、第１のビームトレーニングシーケンスに基づいて、第１の構成にアンテナを構成することと、第２のフレームを生成することとを行うように構成された処理システムと、アンテナが第１の構成に構成されている間、アンテナを介した第２のデバイスへの送信のために第２のフレームを出力するように構成されたインタフェースとを備える。
【００１７】
[0017]  本開示のある特定の態様は、ワイヤレス通信のための方法を提供する。この方法は、第１のデバイスから第１のビームトレーニングシーケンスを備える第１のフレームを受信することと、第１のビームトレーニングシーケンスに基づいて、第１の構成にアンテナを構成することと、第２のフレームを生成することと、アンテナが第１の構成に構成されている間、アンテナを介した第２のデバイスへの送信のために第２のフレームを出力することとを備える。
【００１８】
[0018]  本開示のある特定の態様は、ワイヤレス通信のための装置を提供する。この装置は、第１のデバイスから第１のビームトレーニングシーケンスを備える第１のフレームを受信するための手段と、第１のビームトレーニングシーケンスに基づいて、第１の構成にアンテナを構成するための手段と、第２のフレームを生成するための手段と、アンテナが第１の構成に構成されている間、アンテナを介した第２のデバイスへの送信のために第２のフレームを出力するための手段と、を備える。
【００１９】
[0019]  本開示のある特定の態様は、第１のデバイスからビームトレーニングシーケンスを備える第１のフレームを受信することと、ビームトレーニングシーケンスに基づいて、第１の構成にアンテナを構成することと、第２のフレームを生成することと、アンテナが第１の構成に構成されている間、アンテナを介した第２のデバイスへの送信のために第２のフレームを出力することとを行うための命令を記憶したコンピュータ読取り可能媒体を提供する。
【００２０】
[0020]  本開示のある特定の態様は、ワイヤレスノードを提供する。このワイヤレスノードは、少なくとも１つのアンテナと、第１のデバイスからビームトレーニングシーケンスを備える第１のフレームを受信することと、ビームトレーニングシーケンスに基づいて、第１の構成に少なくとも１つのアンテナを構成することと、第２のフレームを生成することとを行うように構成された処理システムと、少なくとも１つのアンテナが、第１の構成に構成されている間、少なくとも１つのアンテナを介した第２のデバイスへの送信のために第２のフレームを出力するためのインタフェースとを備える。
【００２１】
[0021]  本開示のある特定の態様は、ワイヤレス通信のための装置を提供する。この装置は、第１のデバイスから第１の送信可（ＣＴＳ）部分および第１のビームトレーニングシーケンスを備える第１のフレームを受信することと、第１のビームトレーニングシーケンスに基づいて、第１の構成にアンテナを構成することと、第２のフレームを生成することとを行うように構成された処理システムと、アンテナが第１の構成に構成されている間、アンテナを介した第２のデバイスへの送信のために第２のフレームを出力するように構成されたインタフェースとを備える。
【００２２】
[0022]  本開示のある特定の態様は、ワイヤレス通信のための方法を提供する。この方法は、第１のデバイスから第１の送信可（ＣＴＳ）部分および第１のビームトレーニングシーケンスを備える第１のフレームを受信することと、第１のビームトレーニングシーケンスに基づいて、第１の構成にアンテナを構成することと、第２のフレームを生成することと、アンテナが第１の構成に構成されている間、アンテナを介した第２のデバイスへの送信のために第２のフレームを出力することとを備える。
【００２３】
[0023]  本開示のある特定の態様は、ワイヤレス通信のための装置を提供する。この装置は、第１のデバイスから第１の送信可（ＣＴＳ）部分および第１のビームトレーニングシーケンスを備える第１のフレームを受信するための手段と、第１のビームトレーニングシーケンスに基づいて、第１の構成にアンテナを構成するための手段と、第２のフレームを生成するための手段と、アンテナが第１の構成に構成されている間、アンテナを介した第２のデバイスへの送信のために第２のフレームを出力するための手段とを備える。
【００２４】
[0024]  本開示のある特定の態様は、第１のデバイスから送信可（ＣＴＳ）部分およびビームトレーニングシーケンスを備える第１のフレームを受信することと、ビームトレーニングシーケンスに基づいて、第１の構成にアンテナを構成することと、第２のフレームを生成することと、アンテナが第１の構成に構成されている間、アンテナを介した第２のデバイスへの送信のために第２のフレームを出力することとを行うための命令を記憶したコンピュータ読取り可能媒体を提供する。
【００２５】
[0025]  本開示のある特定の態様は、ワイヤレスノードを提供する。このワイヤレスノードは、少なくとも１つのアンテナと、第１のデバイスから送信可（ＣＴＳ）部分およびビームトレーニングシーケンスを備えるフレームを受信することと、ビームトレーニングシーケンスに基づいて、第１の構成に少なくとも１つのアンテナを構成することと、第２のフレームを生成することとを行うように構成された処理システムと、少なくとも１つのアンテナが、第１の構成に構成されてる間、少なくとも１つのアンテナを介して第２のデバイスへの送信のために第２のフレームを出力するためのインタフェースとを備える。
【００２６】
[0026]  本開示のある特定の態様は、ワイヤレス通信のための装置を提供する。この装置は、通信媒体が装置とデバイスとの間の通信を提供することに利用可能であるかどうかを決定するために使用されることになる第１の制御フレームを生成するように構成された処理システム、ここにおいて、第１の制御フレームは、第１のビームトレーニングシーケンスを備える、と、送信のための制御フレームを出力するように構成されたインタフェースとを備える。
【００２７】
[0027]  本開示のある特定の態様は、ワイヤレス通信のための方法を提供する。この方法は、通信媒体がデバイスと通信することに利用可能であるかを決定するために使用されることになる第１の制御フレームを生成すること、ここにおいて、第１の制御フレームは、第１のビームトレーニングシーケンスを備える、と、デバイスへの送信のために第１の制御フレームを出力することとを備える。
【００２８】
[0028]  本開示のある特定の態様は、ワイヤレス通信のための装置を提供する。この装置は、通信媒体がデバイスと通信することに利用可能であるかを決定するために使用されることになる第１の制御フレームを生成するための手段、ここにおいて、第１の制御フレームは、第１のビームトレーニングシーケンスを備える、と、デバイスへの送信のために第１の制御フレームを出力するための手段とを備える。
【００２９】
[0029]  本開示のある特定の態様は、通信媒体がデバイスと通信することに利用可能であるかを決定するために使用されることになる第１の制御フレームを生成すること、ここにおいて、第１の制御フレームは、第１のビームトレーニングシーケンスを備える、と、デバイスへの送信のために第１の制御フレームを出力することとを行うための命令を記憶したコンピュータ読取り可能媒体を提供する。
【００３０】
[0030]  本開示のある特定の態様は、ワイヤレスノードを提供する。このワイヤレスノードは、少なくとも１つのアンテナと、  通信媒体が装置とデバイスとの間の通信を提供することに利用可能であるかどうかを決定するために使用されることになる第１の制御フレームを生成するように構成された処理システム、ここにおいて、第１の制御フレームは、第１のビームトレーニングシーケンスを備える、と、少なくとも１つのアンテナを介した送信のために第１の制御フレームを出力するように構成されたインタフェースとを備える。
【００３１】
[0031]  本開示のある特定の態様は、ワイヤレス通信のための装置を提供する。この装置は、通信媒体が第１のデバイスと第２のデバイスとの間の通信を提供することに利用可能であるかどうかを決定するために使用されることになる第１のフレームを受信すること、ここにおいて、第１のフレームは、第１のビームトレーニングシーケンスを備える、と、第１のビームトレーニングシーケンスに基づいて、第１の構成にアンテナを構成することと、第２のフレームを生成することとを行うように構成された処理システムを備える。この装置は、アンテナが第１の構成に構成されている間、アンテナを介した第３のデバイスへの送信のために第２のフレームを出力するように構成されたインタフェースとをさらに備える。
【００３２】
[0032]  本開示のある特定の態様は、ワイヤレス通信のための方法を提供する。この方法は、通信媒体が第１のデバイスと第２のデバイスとの間の通信を提供することに利用可能であるかどうかを決定するために使用されることになる第１のフレームを受信すること、ここにおいて、第１のフレームは、第１のビームトレーニングシーケンスを備える、と、  第１のビームトレーニングシーケンスに基づいて、第１の構成にアンテナを構成することと、第２のフレームを生成することと、アンテナが第１の構成に構成されている間、アンテナを介して、第３のデバイスへの送信のために第２のフレームを出力することとを備える。
【００３３】
[0033]  本開示のある特定の態様は、ワイヤレス通信のための装置を提供する。この装置は、通信媒体が第１のデバイスと第２のデバイスとの間の通信を提供することに利用可能であるかどうかを決定するために使用されることになる第１のフレームを受信するための手段、ここにおいて、第１のフレームは、第１のビームトレーニングシーケンスを備える、と、第１のビームトレーニングシーケンスに基づいて、第１の構成にアンテナを構成するための手段と、第２のフレームを生成するための手段と、アンテナが第１の構成に構成されている間、アンテナを介した第３のデバイスへの送信のために第２のフレームを出力するための手段とを備える。
【００３４】
[0034]  本開示のある特定の態様は、通信媒体が第１のデバイスと第２のデバイスとの間の通信を提供することに利用可能であるかどうかを決定するために使用されることになる第１のフレームを受信すること、ここにおいて、第１のフレームは、第１のビームトレーニングシーケンスを備える、と、第１のビームトレーニングシーケンスに基づいて、第１の構成にアンテナを構成することと、第２のフレームを生成することと、アンテナが第１の構成に構成されている間、アンテナを介した第３のデバイスへの送信のために第２のフレームを出力することとを行うための命令を記憶したコンピュータ読取り可能媒体を提供する。
【００３５】
[0035]  本開示のある特定の態様は、ワイヤレスノードを提供する。このワイヤレスノードは、少なくとも１つのアンテナと、通信媒体が第１のデバイスと第２のデバイスとの間の通信を提供することに利用可能であるかどうかを決定するために使用されることになる第１のフレームを受信すること、ここにおいて、第１のフレームは、第１のビームトレーニングシーケンスを備える、と、第１のビームトレーニングシーケンスに基づいて、第１の構成に少なくとも１つのアンテナを構成することと、第２のフレームを生成することとを行うように構成された処理システムと、少なくとも１つのアンテナが、第１の構成に構成されてる間、少なくとも１つのアンテナを介して第３のデバイスへの送信のために第２のフレームを出力するように構成されたインタフェースとを備える。
【図面の簡単な説明】
【００３６】
【図１】本開示の様々な態様に従う、例示的なワイヤレス通信システムのブロック図。
【図２】本開示の別の態様に従う、例示的なアクセスポイントおよびアクセス端末のブロック図。
【図３Ａ】本開示の別の態様に従う、例示的な修正された送信要求（ＲＴＳ：Request to Send）フレームの図。
【図３Ｂ】本開示の別の態様に従う、例示的な修正された送信可（ＣＴＳ）フレームの図。
【図３Ｃ】本開示の別の態様に従う、ＡＣＫフレームの図。
【図３Ｄ】本開示の別の態様に従う、例示的なフレームの図。
【図３Ｅ】本開示の別の態様に従う、別の例示的なフレームの図。
【図４Ａ】本開示の別の態様に従う、第１の構成における、例示的な通信システムのブロック図。
【図４Ｂ】本開示の別の態様に従う、第２の構成における例示的な通信システムのブロック図。
【図４Ｃ】本開示の別の態様に従う、第３の構成における例示的な通信システムのブロック図。
【図４Ｄ】本開示の別の態様に従う、第４の構成における例示的な通信システムのブロック図。
【図４Ｅ】本開示の別の態様に従う、第５の構成における例示的な通信システムのブロック図。
【図４Ｆ】本開示の別の態様に従う、第６の構成における例示的な通信システムのブロック図。
【図５】本開示のある特定の態様に従う、別のデバイスとワイヤレスに通信する例示的な方法のフロー図。
【図６】本開示のある特定の態様に従う、別のデバイスとワイヤレスに通信する別の例示的な方法のフロー図。
【図７】本開示のある特定の態様に従う、別のデバイスとワイヤレスに通信するさらに別の例示的な方法のフロー図。
【図８】本開示のある特定の態様に従う、別のデバイスとワイヤレスに通信するまた別の例示的な方法のフロー図。
【図９】本開示のある特定の態様に従う、例示的なデバイスのブロック図。
【詳細な説明】
【００３７】
[0052]  開示の様々な態様は、添付図面を参照して以下においてより十分に説明される。しかしながら、本開示は、多くの異なる形態で具現化され、本開示全体を通して提示されるいずれかの特定の構造または機能に限定されるものとして解釈されるべきではない。むしろ、これら態様は、本開示が徹底的で完全であり、当業者に本開示の範囲を十分に伝えることになるように提供される。ここでの教示に基づき、当業者は、本開示の範囲が、本開示のその他任意の態様と組み合わされて実施されようと、あるいは、それから独立して実施されようと、ここに開示される開示の任意の態様をカバーするように意図されていることを理解すべきである。例えば、本明細書で述べられる任意の数の態様を使用して、装置が実施され得るか、または方法が実践され得る。加えて、本開示の範囲は、本明細書で述べられる本開示の様々な態様の他に、またはそれら本開示の様々な態様に加えて、他の構造、機能性、または構造および機能性を使用して実施されるそのような装置または方法をカバーすることを意図される。本明細書で開示される開示のうちのいずれかの態様が、請求項の１つまたは複数の要素によって具現化され得ることが理解されるべきである。
【００３８】
[0053]  「例示的な（exemplary）」という用語は、ここで、「例、実例、または例示としての役割を果たす（serving as）」という意味で使用される。「例示的な」ものとしてここに説明される任意の態様は、必ずしも、他の態様よりも好ましいまたは有利であるようには解釈されるべきでない。
【００３９】
[0054]  特定の態様がここで説明されるが、これら態様の多くの変形および置換が、本開示の範囲内に含まれる。好ましい態様のいくつかの利益および利点が述べられるが、本開示の範囲は、特定の利益、用途、または目的に限定されることを意図されない。むしろ本開示の態様は、異なるワイヤレス技術、システム構成、ネットワーク、および送信プロトコルに広く適用可能であることを意図されており、それらのうちのいくつかが、図において、および好ましい態様の以下の説明において例として例示される。詳細な説明および図面は、限定ではなく、本開示の単なる例示であり、本開示の範囲は、添付の特許請求の範囲およびそれらの均等物によって定義されている。
【００４０】
[0055]  ここで説明される技術は、直交多重化方式に基づく通信システムを含む、様々なブロードバンドワイヤレス通信システムのために使用され得る。このような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどを含む。ＳＤＭＡシステムは、複数のアクセス端末に属するデータを同時に送信するために、十分に異なる方向を利用し得る。ＴＤＭＡシステムは、異なるタイムスロットに送信信号を分割することによって、複数のアクセス端末が同じ周波数チャネルを共有することを可能にし得、各タイムスロットは、異なるアクセス端末に割り当てられる。ＯＦＤＭＡシステムは、直交周波数分割多重化（ＯＦＤＭ）を利用し、これは、システム帯域幅全体を複数の直交サブキャリアに区分する（partitions）変調技法である。これらのサブキャリアは、トーン、ビン、等とも呼ばれ得る。ＯＦＤＭでは、各サブキャリアがデータで独立に変調され得る。ＳＣ−ＦＤＭＡシステムは、システム帯域幅にわたって分配されるサブキャリア上で送信するためにインターリーブされたＦＤＭＡ（ＩＦＤＭＡ）を、隣接するサブキャリアのブロック上で送信するために局所化された（localized）ＦＤＭＡ（ＬＦＤＭＡ）を、または隣接するサブキャリアの複数のブロック上で送信するために強化されたＦＤＭＡ（ＥＦＤＭＡ）を利用し得る。一般に、変調シンボルは、ＯＦＤＭでは周波数ドメインにおいて、およびＳＣ−ＦＤＭＡでは時間ドメインにおいて送られる。
【００４１】
[0056]  ここでの教示は、様々なワイヤードまたはワイヤレス装置（例えば、ノード）に組み込まれ得る（例えば、それらの中で実施される、またはそれらによって行われる）。いくつかの態様では、ここでの教示に従って実施されるワイヤレスノードが、アクセスポイントまたはアクセス端末を備え得る。
【００４２】
[0057]  アクセスポイント（「ＡＰ：access point」）は、ノードＢ、無線ネットワークコントローラ（「ＲＮＣ：Radio Network Controller」）、進化型ノードＢ（ｅＮＢ：evolved Node B）、基地局コントローラ（「ＢＳＣ：Base Station Controller」）、基地トランシーバ局（「ＢＴＳ：Base Transceiver Station」）、基地局（「ＢＳ：Base Station」）、トランシーバ機能（「ＴＦ：Transceiver Function」）、無線ルータ、無線トランシーバ、ベーシックサービスセット（「ＢＳＳ：Basic Service Set」）、拡張サービスセット（「ＥＳＳ：Extended Service Set」）、無線基地局（「ＲＢＳ：Radio Base Station」）、または何らかの他の専門用語を備え得る、これらとして実施され得る、またはこれらとして知られ得る。
【００４３】
[0058]  アクセス端末（「ＡＴ：access terminal」）が、加入者局、加入者ユニット、モバイル局、遠隔局、遠隔端末、ユーザ端末、ユーザエージェント、ユーザデバイス、ユーザ機器、ユーザ局、または何らかの他の専門用語を備え得る、これらとしてインプエリメントされ得る、またはこれらとして知られ得る。いくつかの実施形態では、アクセス端末が、セルラ電話、コードレス電話、セッション開始プロトコル（「ＳＩＰ：Session Initiation Protocol」）電話、ワイヤレスローカルループ（「ＷＬＬ：wireless local loop」）局、パーソナルデジタルアシスタント（「ＰＤＡ：personal digital assistant」）、ワイヤレス接続能力を有するハンドヘルドデバイス、局（「ＳＴＡ：Station」）、またはワイヤレスモデムに接続された何らかの他の好適な処理デバイスを備え得る。従って、ここで教示される１つまたは複数の態様は、電話（例えば、セルラ電話またはスマートフォン）、コンピュータ（例えば、ラップトップ）、ポータブル通信デバイス、ポータブルコンピューティングデバイス（例えば、パーソナルデータアシスタント）、エンターテイメントデバイス（例えば、音楽もしくはビデオデバイス、または衛星ラジオ）、全地球測位システムデバイス、あるいはワイヤレスまたはワイヤードの媒体を介して通信するように構成されるあらゆる他の好適なデバイスに組み込まれ得る。いくつかの態様において、ノードは、ワイヤレスノードである。そのようなワイヤレスノードは、例えば、ワイヤードまたはワイヤレス通信リンクを介して、ネットワーク（例えば、セルラネットワークまたはインターネットのようなワイドエリアネットワーク）のための、またはそれへの接続性を提供し得る。
【００４４】
[0059]  図１は、アクセスポイント（ＡＴ）およびアクセス端末（ＡＴ）のような、複数のワイヤレスノードを有する例示的なワイヤレス通信システム１００のブロック図を例示する。簡潔さのため、１つのアクセスポイント１１０のみが示される。アクセスポイントが、一般に、複数のアクセス端末と通信する固定局であり、基地局または何らかの他の用語でも呼ばれ得る。アクセス端末が、固定式またはモバイルであり得、モバイル局、ワイヤレスデバイス、または何らかの他の専門用語とも呼ばれ得る。アクセスポイント１１０は、ダウンリンクおよびアップリンク上で、任意の所与の瞬間に１つまたは複数のアクセス端末１２０ａから１２０ｉと通信し得る。ダウンリンク（すなわち、順方向リンク）は、アクセスポイントからアクセス端末への通信リンクであり、アップリンク（すなわち、逆方向リンク）は、アクセス端末からアクセスポイントへの通信リンクである。アクセス端末がまた、別のアクセス端末とピアツーピアで通信し得る。システムコントローラ１３０が、アクセスポイントに結合し、アクセスポイントに調整および制御を提供する。アクセスポイント１１０は、バックボーン（backbone）ネットワーク１５０と結合された他のデバイスと通信し得る。
【００４５】
[0060]  図２は、ワイヤレス通信システム１００における、アクセスポイント１１０（一般に、第１のワイヤレスノード）およびアクセス端末１２０（一般に、第２のワイヤレスノード）のブロック図を例示する。アクセスポイント１１０は、ダウンリンクのための送信エンティティであり、アップリンクのための受信エンティティである。アクセス端末１２０は、アップリンクのための送信エンティティであり、ダウンリンクのための受信エンティティである。ここで使用される場合、「送信エンティティ(transmitting entity)」は、ワイヤレスチャネルを介してデータを送信することが可能な、独立して動作される装置またはデバイスであり、「受信エンティティ(receiving entity)」は、ワイヤレスチャネルを介してデータを受信することが可能な、独立に動作される装置またはデバイスである。
【００４６】
[0061]  アクセスポイント１１０は、代替的にアクセス端末であり得、アクセス端末１２０は、代替的にアクセスポイントであり得ることが理解されるべきである。
【００４７】
[0062]  データを送信することに関し、アクセスポイント１１０は、送信データプロセッサ２２０、フレームビルダ２２２、送信プロセッサ２２４、複数のトランシーバ２２６−１乃至２２６−Ｎおよび複数のアンテナ２３０−１乃至２３０−Ｎを備える。アクセスポイント１１０はまた、アクセスポイント１１０の動作を制御するためのコントローラ２３４を備える。
【００４８】
[0063]  動作において、送信データプロセッサ２２０は、データソース２１５からのデータ（例えば、データビット）を受信して、送信のためにそのデータを処理する。例えば、送信データプロセッサ２２０は、データ（例えば、データビット）をエンコードしてエンコードデータにでき、エンコードデータをデータシンボルに変調し得る。送信データプロセッサ２２０は、異なる変調およびコーディング方式（ＭＣＳ：modulation and coding scheme）をサポートし得る。例えば、送信データプロセッサ２２０は、複数の異なるコーディングレートのうちのいずれか１つで、（例えば、低密度パリティチェック（ＬＤＰＣ：low-density parity check）エンコーディングを使用して）データをエンコードし得る。また、送信データプロセッサ２２０は、ＢＰＳＫ、ＱＰＳＫ、１６ＱＡＭ、６４ＱＡＭ、６４ＡＰＳＫ、１２８ＡＰＳＫ、２５６ＱＡＭ、および２５６ＡＰＳＫを含むが、それらに限定されない、複数の異なる変調方式のうちのいずれか１つを使用して、エンコードデータを変調し得る。
【００４９】
[0064]  ある特定の態様において、コントローラ２３４は、（例えば、ダウンリンクのチャネル状態に基づいて）どの変調およびコーディング方式（ＭＣＳ）を使用するかを特定する送信データプロセッサ２２０にコマンドを送り得、送信データプロセッサ２２０は、特定されたＭＣＳに従ってデータソース２１５からのデータをエンコードし変調し得る。送信データプロセッサ２２０が、データスクランブリング、および／または他の処理のような、データに対する追加処理を行い得ることが理解されるであろう。送信データプロセッサ２２０は、フレームビルダ２２２にデータシンボルを出力する。
【００５０】
[0065]  フレームビルダ２２２は、フレーム（パケットとしてもまた呼ばれる）を構成（constructs）し、フレームのデータペイロードにデータシンボルを挿入する。フレームは、プリアンブル、ヘッダ、およびデータペイロードを含み得る。プリアンブルは、フレームを受信する際にアクセス端末１２０を支援するために、短いトレーニングフィールド（ＳＴＦ：short training field）シーケンスおよびチャネル推定（ＣＥ：channel estimation）シーケンスを含み得る。ヘッダは、データをエンコードおよび変調するために使用されるＭＣＳおよびデータの長さのような、ペイロードにおけるデータに関連した情報を含み得る。この情報は、アクセス端末１２０がデータを復調およびデコードすることを可能にする。ペイロードにおけるデータは、複数のブロック間で分割され得、ここにおいて、各ブロックは、位相トラッキングで受信機を支援するためにガードインターバル（ＧＩ：guard interval）およびデータの部分を含み得る。フレームビルダ２２２は、送信プロセッサ２２４にフレームを出力する。
【００５１】
[0066]  送信プロセッサ２２４は、ダウンリンク上での送信のためにフレームを処理する。例えば、送信プロセッサ２２４は、直交周波数分割多重（ＯＦＤＭ）送信モードおよびシングルキャリア（ＳＣ：single-carrier）送信モードのような、異なる送信モードをサポートし得る。この例において、コントローラ２３４は、どの送信モードを使用するべきかを特定する送信プロセッサ２２４にコマンドを送り得、送信プロセッサ２２４は、特定された送信モードに従って送信のためのフレームを処理し得る。送信プロセッサ２２４は、ダウンリンク信号の周波数の構成要素（constituent）がある特定のスペクトル要件を満たすように、スぺクトルマスクをフレームに適用し得る。
【００５２】
[0067]  ある特定の態様において、送信プロセッサ２２４は、多入力多出力（ＭＩＭＯ）送信をサポートし得る。これら態様において、アクセスポイント１１０は、複数のアンテナ２３０−１乃至２３０−Ｎおよび複数のトランシーバ２２６−１乃至２２６−Ｎ（例えば、各アンテナごとに１つ）を含み得る。送信プロセッサ２２４は、到来する（incoming）フレームに対して空間処理を行い得、および複数のアンテナに複数の送信フレームストリームを提供し得る。トランシーバ２２６−１乃至２２６−Ｎは、それぞれ、アンテナ２３０−１乃至２３０−Ｎを介した送信のための送信信号を生成するために、それぞれの送信フレームストリームを受信および処理し（例えば、アナログに変換し、増幅し、フィルタリングし、および周波数アップコンバートし）得る。
【００５３】
[0068]  データを送信することに関し、アクセス端末１２０は、送信データプロセッサ２６０、フレームビルダ２６２、送信プロセッサ２６４、複数のトランシーバ２６６−１乃至２６６−Ｍ、および複数のアンテナ２７０−１乃至２７０−Ｍ（例えば、１つのトランシーバにつき１つのアンテナ）を備える。アクセス端末１２０は、アップリンク上でアクセスポイント１１０にデータを送信し得、および／または（例えば、ピアツーピア通信のために）別のアクセス端末にデータを送信し得る。アクセス端末１２０はまた、アクセス端末１２０の動作を制御するためのコントローラ２７４を備える。
【００５４】
[0069]  動作において、送信データプロセッサ２６０は、データソース２５５からのデータ（例えば、データビット）を受信し、送信のためにデータを処理する（例えば、エンコードおよび変調する）。送信データプロセッサ２６０は、異なるＭＣＳをサポートし得る。例えば、送信データプロセッサ２６０は、（例えば、ＬＤＰＣエンコーディングを使用して）複数の異なるコーディングレートのうちのいずれか１つでデータをエンコードし、ＢＰＳＫ、ＱＰＳＫ、１６ＱＡＭ、６４ＱＡＭ、６４ＡＰＳＫ、１２８ＡＰＳＫ、２５６ＱＡＭ、および２５６ＡＰＳＫを含むものの、それらに限定されない、複数の異なる変調方式のうちのいずれか１つを使用して、エンコードデータを変調し得る。ある特定の態様において、コントローラ２７４は、どのＭＣＳを使用するかを（例えば、アップリンクのチャネル状態に基づいて）特定する送信データプロセッサ２６０にコマンドを送り得、送信データプロセッサ２６０は、特定のＭＣＳに従ってデータソース２５５からのデータをエンコードおよび変調し得る。送信データプロセッサ２６０が、データに対して追加処理を行い得ることが理解されよう。送信データプロセッサ２６０は、フレームビルダ２６２にデータシンボルを出力する。
【００５５】
[0070]  フレームビルダ２６２は、フレームを構成し、受信されたデータシンボルをフレームのデータペイロードに挿入する。フレームは、プリアンブル、ヘッダ、およびデータペイロードを含み得る。プリアンブルは、フレームを受信する際にアクセスポイント１１０および／または他のアクセス端末を支援するためにＳＴＦシーケンスおよびＣＥシーケンスを含み得る。ヘッダは、データをエンコードおよび変調するために使用されるＭＣＳおよびデータの長さのような、ペイロードにおけるデータに関連した情報を含み得る。ペイロードにおけるデータは、複数のブロックの間で分割され得、ここにおいて、各ブロックは、位相トラッキングでアクセスポイントおよび／またはアクセス端末を支援するガードインターバル（ＧＩ）およびデータの部分を含み得る。フレームビルダ２６２は、送信プロセッサ２６４にフレームを出力する。
【００５６】
[0071]  送信プロセッサ２６４は、送信のためにフレームを処理する。例えば、送信プロセッサ２６４は、ＯＦＤＭ送信モードおよびＳＣ送信モードのような、異なる送信モードをサポートし得る。この例において、コントローラ２７４は、どの送信モードを使用するべきかを特定する送信プロセッサ２６４にコマンドを送り得、送信プロセッサ２６４は、特定された送信モードに従って送信のためのフレームを処理し得る。送信プロセッサ２６４は、アップリンク信号の周波数の構成要素がある特定のスペクトル要件を満たすように、フレームにスぺクトルマスクを適用し得る。
【００５７】
[0072]  トランシーバ２６６−１乃至２６６−Ｍは、１つまたは複数のアンテナ２７０−１乃至２７０−Ｍを介した送信のために送信プロセッサ２６４の出力を受信および処理する（例えば、アナログに変換し、増幅し、フィルタリングし、および周波数アップコンバートする）。例えば、トランシーバ２６６は、６０ＧＨｚのレンジおける周波数を有する信号を送信するために、送信プロセッサ２６４の出力をアップコンバートし得る。
【００５８】
[0073]  ある特定の態様において、送信プロセッサ２６４は、多入力多出力（ＭＩＭＯ）送信をサポートし得る。これら態様において、アクセス端末１２０は、複数のアンテナ２７０−１乃至２７０−Ｍおよび複数のトランシーバ２６６−１乃至２６６−Ｍ（例えば、各アンテナごとに１つ）を含み得る。送信プロセッサ２６４は、到来するフレームに対して空間処理を行い得、および複数のアンテナ２７０−１乃至２７０−Ｍに複数の送信フレームストリームを提供し得る。トランシーバ２６６−１乃至２６６−Ｍは、アンテナ２７０−１乃至２７０−Ｍを介した送信のための送信信号を生成するために、それぞれの送信フレームストリームを受信および処理し（例えば、アナログに変換し、増幅し、フィルタリングし、および周波数アップコンバートし）得る。
【００５９】
[0074]  データを受信するために、アクセスポイント１１０は、受信プロセッサ２４２、および受信データプロセッサ２４４を備える。動作において、トランシーバ２２６−１乃至２２６−Ｎは、（例えば、アクセス端末１２０から）信号を受信し、この受信信号を空間的に処理する（例えば、周波数ダウンコンバートし、増幅し、フィルタリングし、およびデジタルに変換する）。
【００６０】
[0075]  受信プロセッサ２４２は、トランシーバ２２６−１乃至２２６−Ｎの出力を受信し、データシンボルを復元するために出力を処理する。例えば、アクセスポイント１１０は、フレームにおいて、（例えば、アクセス端末１２０から）データを受信し得る。この例において、受信プロセッサ２４２は、フレームのプリアンブルにおけるＳＴＦシーケンスを使用して、フレームのスタートを検出し得る。受信機プロセッサ２４２はまた、自動利得制御（ＡＧＣ：automatic gain control）調整のために、ＳＴＦを使用し得る。受信プロセッサ２４２はまた、（例えば、フレームのプリアンブルにおけるＣＥシーケンスを使用して）チャネル推定を行い得、チャネル推定に基づいて、受信されたチャネルに対してチャネル等化を行い得る。
【００６１】
[0076]  さらに、受信機プロセッサ２４２は、ペイロードにおいてガードインターバル（ＧＩ）を使用して、位相ノイズを推定し得、推定された位相ノイズに基づいて、受信された信号における位相ノイズを減らし得る。位相ノイズは、周波数変換に使用されるアクセスポイント１１０における局部発振器からのノイズ、および／またはアクセス端末１２０における局部発振器からのノイズに起因し得る。位相ノイズはまた、チャネルからのノイズを含む。受信プロセッサ２４２はまた、フレームのヘッダから情報を復元し得（例えば、ＭＣＳ方式）、コントローラ２３４に情報を送り得る。チャネル等化および／または位相ノイズの低減を行った後に、受信プロセッサ２４２は、フレームからのデータシンボルを復元し得、さらなる処理のために受信データプロセッサ２４４に復元されたデータシンボルを出力し得る。
【００６２】
[0077]  受信データプロセッサ２４４は、受信プロセッサ２４２からデータシンボルおよびコントローラ２３４から対応するＭＳＣ方式のインジケーションを受信する。受信データプロセッサ２４４は、示されたＭＳＣ方式に従ってデータを復元するためにデータシンボルを復調およびデコードし、記憶および／またはさらなる処理のために復元データ（例えば、データビット）をデータシンク２４６に出力する。
【００６３】
[0078]  上で論じられたように、アクセス端末１２０は、ＯＦＤＭ送信モードまたはＳＣ送信モードを使用して、データを送信し得る。この事例において、受信プロセッサ２４２は、選択された送信モードに従って受信信号を処理し得る。また、上で論じられたように、送信プロセッサ２６４は、多入力多出力（ＭＩＭＯ）送信をサポートし得る。この事例において、アクセスポイント１１０は、複数のアンテナ２３０−１乃至２３０−Ｎおよび複数のトランシーバ２２６−１乃至２２６−Ｎ（例えば、各アンテナごとに１つ）を含む。各トランシーバは、それぞれのアンテナから信号を受信および処理する（例えば、周波数ダウンコンバートし、増幅し、フィルタリングし、およびデジタルに変換する）。受信プロセッサ２４２は、データシンボルを復元するために、トランシーバ２２６−１乃至２２６−Ｎの出力に対して空間処理を行い得る。
【００６４】
[0079]  データを受信するために、アクセス端末１２０は、受信プロセッサ２８２、および受信データプロセッサ２８４を備える。動作において、トランシーバ２６６−１乃至２６６−Ｍは、それぞれのアンテナ２７０−１乃至２７０−Ｍを介して、（例えば、アクセスポイント１１０または別のアクセス端末から）信号を受信し、この受信信号を処理する（例えば、周波数ダウンコンバートし、増幅し、フィルタリングし、およびデジタルに変換する）。
【００６５】
[0080]  受信プロセッサ２８２は、トランシーバ２６６−１乃至２６６−Ｍの出力を受信し、およびデータシンボルを復元するために出力を処理する。例えば、アクセス端末１２０は、上で論じられたように、フレームにおいて、（例えば、アクセスポイント１１０または別のアクセス端末から）データを受信し得る。この例において、受信プロセッサ２８２は、フレームのプリアンブルにおけるＳＴＦシーケンスを使用して、フレームのスタートを検出し得る。受信プロセッサ２８２はまた、（例えば、フレームのプリアンブルにおけるＣＥシーケンスを使用して）チャネル推定を行い得、チャネル推定に基づいて、受信されたチャネルに対してチャネル等化を行い得る。
【００６６】
[0081]  さらに、受信機プロセッサ２８２は、ペイロードにおいてガードインターバル（ＧＩ）を使用して、位相ノイズを推定し得、推定された位相ノイズに基づいて、受信された信号における位相ノイズを減らし得る。受信プロセッサ２８２はまた、フレームのヘッダから情報を復元し得（例えば、ＭＣＳ方式）、コントローラ２７４に情報を送り得る。チャネル等化および／または位相ノイズの低減を行った後に、受信プロセッサ２８２は、フレームからのデータシンボルを復元し得、さらなる処理のために受信データプロセッサ２８４に復元されたデータシンボルを出力し得る。
【００６７】
[0082]  受信データプロセッサ２８４は、受信プロセッサ２８２からデータシンボルおよびコントローラ２７４から対応するＭＳＣ方式のインジケーションを受信する。受信機データプロセッサ２８４は、示されたＭＳＣ方式に従ってデータを復元するためにデータシンボルを復調およびデコードし、記憶および／またはさらなる処理のために復元データ（例えば、データビット）をデータシンク２８６に出力する。
【００６８】
[0083]  上で論じられたように、アクセスポイント１１０または別のアクセス端末は、ＯＦＤＭ送信モードまたはＳＣ送信モードを使用して、データを送信し得る。この事例において、受信プロセッサ２８２は、選択された送信モードに従って受信信号を処理し得る。また、上で論じられたように、送信プロセッサ２２４は、多入力多出力（ＭＩＭＯ）送信をサポートし得る。この事例において、アクセス端末１２０は、複数のアンテナおよび複数のトランシーバ（例えば、各アンテナごとに１つ）を含み得る。各トランシーバは、それぞれのアンテナから信号を受信および処理する（例えば、周波数ダウンコンバートし、増幅し、フィルタリングし、およびデジタルに変換する）。受信プロセッサ２８２は、データシンボルを復元するために、トランシーバの出力に対して空間処理を行い得る。
【００６９】
[0084]  図２に示されるように、アクセスポイント１１０はまた、コントローラ２３４に結合されたメモリ２３６を備え得る。メモリ２３６はまた、コントローラ２３４によって実行されると、コントローラ２３４にここに記載される動作のうちの１つまたは複数を行わせる命令を記憶し得る。同様に、アクセス端末１２０はまた、コントローラ２７４に結合されたメモリ２７６を備える。メモリ２７６はまた、コントローラ２７４によって実行されると、コントローラ２７４にここに記載される動作のうちの１つまたは複数を行わせる命令を記憶し得る。
【００７０】
[0085]  図３Ａは、本開示の別の態様に従う、例示的な修正された送信要求（ＲＴＳ）フレーム３００の図を例示する。ワイヤレスデバイス（「送信元デバイス：originating device」としてここで呼ばれる）は、通信媒体が１つまたは複数のデータフレームを「宛先デバイス」に送るために利用可能であるかを決定するために、ＲＴＳフレームを使用し得る。典型的に、宛先デバイスへ送信される１つまたは複数のデータフレームのサイズが特定されたしきい値を超えるとき、ＲＴＳフレームは送られる。ＲＴＳフレームを受信することに応答して、宛先デバイスは、通信媒体が利用可能である場合、送信元デバイスへ送信可（ＣＴＳ）フレームを送り返す。ＣＴＳフレームを受信することに応答して、送信元デバイスは、宛先デバイスに１つまたは複数のデータフレームを送る。１つまたは複数のデータフレームを成功裏に受信することに応答して、宛先デバイスは、送信元デバイスに１つまたは複数の肯定応答（「ＡＣＫ：Acknowledgement」）フレームを送る。
【００７１】
[0086]  フレームの詳細に関して、フレーム３００は、フレーム制御フィールド３１０、持続時間フィールド３１２、受信機アドレスフィールド３１４、送信機アドレスフィールド３１６、およびフレームチェックシーケンスフィールド３１８を含むＲＴＳ部分を含む。ここでより詳細に論じられるように改善された通信および干渉低減目的のために、フレーム３００は、宛先デバイスおよび１つまたは複数の近隣デバイスのそれぞれのアンテナを構成するためのビームトレーニングシーケンスフィールド３２０をさらに含む。
【００７２】
[0087]  フレーム３００のＲＴＳ部分はまた、ＩＥＥＥａプロトコルにおいて特定された標準ＲＴＳフレームとして、構成され得る。この点については、フレーム制御フィールド３１０が、以下のサブフィールド：ＲＴＳフレーム部分に関連付けられたバージョンを特定するための「プロトコル」サブフィールド；フレームのタイプを示すための「タイプ」サブフィールド（例えば、制御フレームのためのｔｙｐｅ＝０１）；フレームのサブタイプを示すための「サブタイプ」サブフィールド（例えば、ｓｕｂｔｙｐｅ＝１０１１は、ＲＴＳフレームを示す）；および配信システムが制御フレームを送受信するかどうかを示すための「ＴｏＤＳ」および「ＦｒｏｍＤＳ」サブフィールド（例えば、ＲＴＳフレームのためのＴｏＤＳ＝０およびＦｒｏｍＤＳ＝０）、を含む。
【００７３】
[0088]  加えて、フレーム制御フィールド３１０は、以下のサブフィールド：フレームが断片化されているかどうかを示すための「Ｍｏｒｅ  Ｆｒａｇｍｅｎｔｓ」サブフィールド（例えば、断片化されていないＲＴＳフレームのためのＭｏｒｅ  Ｆｒａｇｍｅｎｔｓ＝０）；、フレームが受信されていない場合に再送信されるべきかどうかを示すための「Ｒｅｔｒｙ」サブフィールド（例えば、再送信されないＲＴＳフレームのためのＲｅｔｒｙ＝０）；現在のフレーム交換終結（conclusion）後に送信者の電力管理状態を示すための「Ｐｏｗｅｒ  Ｍａｎａｇｅｍｅｎｔ」サブフィールド；管理およびデータフレームにおいて使用される「Ｍｏｒｅ  Ｄａｔａ」サブフィールド（例えば、ＲＴＳフレームのためのＭｏｒｅ  Ｄａｔａ＝０）；フレームが暗号化されるかどうかを示すための「Ｐｒｏｔｅｃｔｅｄ  Ｆｒａｍｅ」サブフィールド（例えば、ＲＴＳフレームが暗号化されないＰｒｏｔｅｃｔｅｄ  Ｆｒａｍｅ＝０）；および関連のフレームの順序を示すための「Ｏｒｄｅｒ」サブフィールド（例えば、フレームがぱらけた順序(out of order)で送信できないＲＴＳフレームのためのＯｒｄｅｒ＝０）、をさらに含む。
【００７４】
[0089]  フレーム３００のＲＴＳ部分の持続時間フィールド３１２は、送信元デバイスがその間宛先デバイスと通信していることになる推定持続時間のインジケーションを提供する。すなわち、言い換えると、持続時間フィールド３１２は、送信元デバイスと宛先デバイスとの間の通信を果たすために通信媒体がその間において使用されることになる持続時間の推定値を特定する。持続時間は、以下の累積的な持続時間：（１）ＲＴＳフレームの送信の終わりとＣＴＳフレームの送信の始まりとの間のＳＩＦＳ（Short Interframe Space）の持続時間；（２）ＣＴＳフレームの持続時間；（３）ＣＴＳフレームの送信の終わりと１つまたは複数のデータフレームの送信の始まりとの間の別のＳＩＦＳの持続時間；（４）１つまたは複数のデータフレームの持続時間；（５）１つまたは複数のデータフレームの送信の終わりとＡＣＫフレームの送信の始まりとの間の別のＳＩＦＳの持続時間；および（６）ＡＣＫフレームの持続時間、を含み得る。さらにここでより詳細に論じられるように、１つまたは複数の近隣デバイスは、送信元デバイスおよび／または宛先デバイスにおいて、これらのデバイスが通信している間、送信干渉を減らすように構成されるこれらのそれぞれのアンテナを維持するために持続時間を使用し得る。
【００７５】
[0090]  フレーム３００のＲＴＳ部分の受信アドレスフィールド３１４は、宛先デバイスのアドレス（例えば、媒体アクセス制御（ＭＡＣ）アドレス、アソシエーション識別子（ＡＩＤ：association identifier）、ベーシックサービスセット識別子（ＢＳＳＩＤ：basic service set identifier）、グループＩＤ、等）を表示する。マルチユーザ（ＭＵ：multi-user）アプリケーションにおいて、受信機アドレスフィールド３１４は、宛先デバイスのセットのアドレスを示す。より詳細に論じられるように、ＲＴＳフレーム３００を受信するデバイスは、デバイスが宛先デバイスであるかまたは非宛先（non-destination）近隣デバイスであるかに依存して、異なる動作を行い得る。フレーム３００のＲＴＳ部分の送信機アドレスフィールド３１６は、送信元デバイスのアドレス（例えば、ＭＡＣアドレス、ＡＩＤ、ＢＳＳＩＤ、グループＩＤ、等）を示す。フレーム３００のＲＴＳ部分のフレームチェックシーケンスフィールド３１８は、受信デバイスがフレーム３００のＲＴＳ部分を介して送信された情報の有効性（validity）を決定することを可能にする値を含む。
【００７６】
[0091]  以前に論じられたように、修正されたフレーム３００は、受信デバイスが送信元デバイスによって行われる通信を改善して送信元デバイスにおける干渉を減らすようにそれらのそれぞれのアンテナを構成することを可能にするためのビームトレーニングシーケンスを含むビームトレーニングシーケンスフィールド３２０を含む。フィールド３２０におけるビームトレーニングシーケンスは、ＩＥＥＥ８０２．１１ａｄまたは８０２．１１ａｙに従うトレーニング（ＴＲＮ）シーケンスに適合し得る。例えば、さらにここでより詳細に論じられるように、宛先デバイスは送信元デバイスへおよび送信元デバイスから指向的に送信および受信するために、ビームトレーニングシーケンスを使用してそれのアンテナを構成し得る。１つまたは複数の近隣デバイスに関し、そのような１つまたは複数の近隣デバイスは、送信元デバイスに実質的に向けられた空白(nulls)を有するアンテナ輻射パターンを生成するように（または、送信元デバイスにおける推定された干渉が、定義されたしきい値にあるかまたはそれを下回るように（例えば、所望のビット誤り率（ＢＥＲ：bit error rate）、信号対雑音比（ＳＮＲ：signal-to-noise ratio）、信号対干渉比（ＳＩＮＲ：signal-to-interference ratio）、および／または他の１つまたは複数の通信属性を達成するために））ビームトレーニングシーケンスを使用してそれらのそれぞれのアンテナを構成し、送信元デバイスにおける送信干渉を減らし得る。ビームトレーニングシーケンスフィールド３２０におけるビームトレーニングシーケンスは、ゴレイ（Golay）シーケンスに基づき得る。
【００７７】
[0092]  図３Ｂは、本開示の別の態様に従う、例示的な修正された送信可（ＣＴＳ）フレーム３５０の図を例示する。以前に論じられたように、宛先デバイスは、通信媒体が、送信元デバイスから宛先デバイスへの１つまたは複数のデータフレームの送信に利用可能である場合、送信元デバイスにＣＴＳフレーム３５０を送る。
【００７８】
[0093]  特に、修正されたＣＴＳフレーム３５０は、フレーム制御フィールド３６０、持続時間フィールド３６２、受信機アドレスフィールド３６４、およびフレームチェックシーケンスフィールド３６６を含むＣＴＳ部分を含む。ここでより詳細に論じられるように改善された通信および干渉低減の目的のために、フレーム３５０は、送信元デバイスおよび１つまたは複数の近隣デバイスのそれぞれのアンテナを構成するためにビームトレーニングシーケンスフィールド３６８をさらに含む。
【００７９】
[0094]  フレーム３５０のＣＴＳ部分のフレーム制御フィールド３６０は、以前に論じられたように、フレーム３００のＲＴＳ部分のそれと本質的に同じサブフィールドを含む。フレーム制御フィールド３６０のサブフィールドは、フレーム３００のＲＴＳ部分のフレーム制御フィールド３１０のサブフィールドと同じ値を含み、それは、フレーム制御フィールド３６０のサブタイプサブフィールドが、ＣＴＳフレームを示すために（ＲＴＳフレームを示す１０１１に代わって）１１００に設定される例外である。
【００８０】
[0095]  フレーム３５０のＣＴＳ部分の持続時間フィールド３６２は、送信元デバイスがその間宛先デバイスと通信していることになる残りの推定持続時間のインジケーションを提供する。すなわち、言い換えると、持続時間フィールド３６２は、送信元デバイスと宛先デバイスとの間の通信を果たすために通信媒体が使用されることになる残りの持続時間の推定値を特定する。特に、持続時間フィールド３６２は、ＣＴＳフレームの直前のＳＩＦＳおよびＣＴＳフレームの累積的な持続時間を含まないことを除いて、フレーム３００のＲＴＳ部分の持続時間フィールド３１２において示される持続時間を含む。より具体的には、持続時間は、以下の累積的な持続時間：（１）ＣＴＳフレームの送信の終わりと１つまたは複数のデータフレームの送信の始まりとの間のＳＩＦＳの持続時間；（２）１つまたは複数のデータフレームの持続時間；（３）１つまたは複数のデータフレームの送信の終わりとＡＣＫフレームの送信の始まりとの間の別のＳＩＦＳの持続時間；および（４）ＡＣＫフレームの持続時間、を含み得る。
【００８１】
[0096]  さらにここでより詳細に論じられるように、１つまたは複数の近隣デバイスは、フレーム３５０のＣＴＳ部分の持続時間フィールド３６２において示される持続時間を使用し、送信元デバイスおよび／または宛先デバイスにおける送信干渉をこれらのデバイスが通信している間減らすようにそれらのそれぞれのアンテナを構成し得る。例えば、修正されたＲＴＳフレーム３００と修正されたＣＴＳフレーム３５０との両方を受信していた近隣デバイスは、送信元デバイスおよび宛先デバイスが持続時間フィールド３１２および３６２において特定された持続時間について通信している間、送信元デバイスおよび宛先デバイスに実質的に向けられたそれぞれの空白を有するアンテナ輻射パターンを生成するようにそれのアンテナを構成し得る。別の例において、修正されたＣＴＳフレーム３５０のみを受信していた近隣デバイスは、送信元デバイスおよび宛先デバイスが持続時間フィールド３６２において特定された持続時間について通信している間、宛先デバイスに実質的に向けられた空白を有するアンテナ輻射パターンを生成するようにそれのアンテナを構成し得る。さらに別の例において、修正されたＲＴＳフレーム３００のみを受信していた近隣デバイスは、送信元デバイスおよび宛先デバイスが持続時間フィールド３１２において特定された持続時間について通信している間、送信元デバイスに実質的に向けられた空白を有するアンテナ輻射パターンを生成するようにそれのアンテナを構成し得る。
【００８２】
[0097]  フレーム３５０のＣＴＳ部分の受信アドレスフィールド３６４は、送信元デバイスのアドレス（例えば、ＭＡＣアドレス、ＡＩＤ、ＢＳＳＩＤ、グループＩＤ、等）を示す。示されていないが、ＣＴＳ部分はまた、フレーム３５０を送信するデバイスのアドレスを含む送信機アドレスフィールドを含み得る。フレーム３５０のＣＴＳ部分のフレームチェックシーケンスフィールド３６６は、受信デバイスがフレーム３５０のＣＴＳ部分を介して送信される情報の有効性を決定することを可能にする値を含む。
【００８３】
[0098]  以前に論じられたように、修正されたフレーム３５０は、受信デバイスが宛先デバイスによる通信を改善して宛先デバイスにおける干渉を減らすようにそれらのそれぞれのアンテナを構成することを可能にするためのビームトレーニングシーケンスを含むビームトレーニングシーケンスフィールド３６８を含む。フィールド３６８におけるビームトレーニングシーケンスは、ＩＥＥＥ８０２．１１ａｄまたは８０２．１１ａｙに従うトレーニング（ＴＲＮ）シーケンスに適合し得る。例えば、さらにここでより詳細に論じられるように、送信元デバイスは、ビームトレーニングシーケンスフィールド３６８を使用し、宛先デバイスへ指向的に送信するためにそれのアンテナを構成し得る。１つまたは複数の近隣デバイスに関し、そのような１つまたは複数の近隣デバイスは、宛先デバイスに向けられた空白を有するアンテナ輻射パターンを生成するように（または、宛先デバイスにおける推定された干渉が、定義されたしきい値にあるかそれを下回るように（例えば、所望のＢＥＲ、ＳＮＲ、ＳＩＮＲ、および／または他の１つまたは複数の通信属性を達成するために））ビームトレーニングシーケンスフィールドを使用してそれのそれぞれのアンテナを構成し、宛先デバイスにおける送信干渉を減らし得る。ビームトレーニングシーケンスフィールド３６８におけるシーケンスは、ゴレイシーケンスに基づき得る。
【００８４】
[0099]  図３Ｃは、本開示の別の態様に従う、例示的なＡＣＫフレーム３７０の図を例示する。ＡＣＫフレーム３７０は、ＩＥＥＥ８０２．１１プロトコルに準拠した標準ＡＣＫフレームとして構成され得る。以前に論じられたように、宛先デバイスは、送信元デバイスから１つまたは複数のデータフレームを成功裏に受信することに応答して、ＡＣＫフレーム３７０を送信元デバイスへ送信する。
【００８５】
[00100]  特に、ＡＣＫフレーム３７０は、フレーム制御フィールド３８０、持続時間フィールド３８２、受信機アドレスフィールド３８４、およびフレームチェックシーケンスフィールド３８６を含む。ＡＣＫフレーム３７０のフレーム制御フィールド３８０は、それぞれ、フレーム３００および３５０のＲＴＳ部分およびＣＴＳ部分のそれと本質的に同じサブフィールドを含む。フレーム制御フィールド３８０のサブフィールドは、それぞれのフレーム３００および３５０のフレーム制御フィールド３１０および３６０のサブフィールドと同じ値を含み、それは、フレーム制御フィールド３８０のサブタイプサブフィールドがＡＣＫフレームを示すために１１０１に設定される例外である。
【００８６】
[00101]  ＡＣＫフレーム３７０の持続時間フィールド３８２は、送信元デバイスがその間宛先デバイスと通信していることになる残りの推定持続時間のインジケーションを提供する。例えば、送信元デバイスからの最後のデータフレームがそれのフレーム制御フィールドのＭｏｒｅ  Ｆｒａｇｍｅｎｔｓサブフィールドにおいて０を示す場合、送信元デバイスから宛先デバイスへのさらなるデータ送信はない。従って、そのような事例において、一旦、ＡＣＫフレームが送信されると、送信元デバイスと宛先デバイスとの間のさらなる通信がないとき、持続時間フィールド３８２は、０を示す。他方、それのフレーム制御フィールドのＭｏｒｅ  Ｆｒａｇｍｅｎｔｓサブフィールドにおいて、送信元デバイスからの最後のデータフレームが１を示す場合、送信元デバイスから宛先デバイスへのより多くの後続データ送信がある。従って、そのような事例において、持続時間フィールド３８２は、送信元デバイスおよび宛先デバイスが、ＡＣＫフレームの送信の後にその間通信していることになる残りの持続時間の推定値を示す。以下に論じられるように、そのような推定持続時間は、送信元デバイスまたは宛先デバイスのうちの少なくとも１つに実質的に向けられた空白を有するアンテナ輻射パターンを生成するようにそれらのそれぞれのアンテナを構成するために近隣デバイスによって使用され得る。
【００８７】
[00102]  ＡＣＫフレーム３７０の受信アドレスフィールド３８４は、送信元デバイスのアドレス（例えば、ＭＡＣアドレス）を示す。ＡＣＫフレーム３７０のフレームチェックシーケンスフィールド３８６は、受信デバイスが、ＡＣＫフレーム３７０を介して、送信された情報の有効性を決定することを可能にする値を含む。
【００８８】
[00103]  図３Ｄは、本開示の別の態様に従う、例示的なフレーム３３０の図を例示する。修正されたＲＴＳフレーム３００および修正されたＣＴＳフレーム３５０は、各々、１つまたは複数の近隣デバイスが、修正されたＲＴＳフレーム３００または修正されたＣＴＳフレーム３５０を送信するデバイスに実質的に向けられた空白を有する送信輻射パターンを生成するようにそれらのそれぞれのアンテナを構成することを可能にするためのビームトレーニングシーケンスを含む。デバイスに実質的に向けられた空白で、１つまたは複数の近隣デバイスによる送信に起因したデバイスにおける干渉が低減され得る。
【００８９】
[00104]  修正されたＲＴＳフレーム３００または修正されたＣＴＳフレーム３５０を送信するデバイスにおいて干渉を減らすこの技法は、ＲＴＳまたはＣＴＳ情報を含むフレームに制限される必要はない。この点に関し、フレーム３３０は、フレーム部分３３２およびビームトレーニングシーケンス３３４を含む。同様に、フレーム３３０を受信する１つまたは複数の近隣デバイスは、ビームトレーニングシーケンス３３４を使用して、フレーム３３０を送信するデバイスに実質的に向けられた空白を有する送信輻射パターンを生成するようにそれのアンテナを構成し、そのデバイスにおける干渉を防ぎ得る。
【００９０】
[00105]  図３Ｅは、本開示の別の態様に従う、別の例示的なフレーム３４０の図を例示する。フレーム３４０は、フレーム３４０を送信するデバイスに実質的に向けられた空白を有する送信輻射パターンを生成するようにそれらのアンテナを構成する１つまたは複数の近隣デバイスによってフレーム３４０を送信するデバイスにおける干渉を減らすためのビームトレーニングシーケンスを含む例示的なデータフレームであり得る。
【００９１】
[00106]  特に、フレーム３４０は、ショートトレーニングフィールド（ＳＴＦ）シーケンス３４２、チャネル推定フィールド（ＣＥＦ）シーケンス３４４、ヘッダ３４６、データペイロード３４８、およびビームトレーニングシーケンス３４９を含み得る。論じられるように、フレーム３４０を受信する１つまたは複数の近隣デバイスは、ビームトレーニングシーケンス３４９を使用して、フレーム３４０を送信するデバイスに実質的に向けられた空白を有する送信輻射パターンを生成するようにそれのアンテナを構成し、そのデバイスにおける干渉を防ぎ得る。
【００９２】
[00107]  前述のフレーム３００、３５０、３７０、３３０、および３４０のいずれもが、シングルキャリアを介したミリ波スペクトル（例えば、約６０ＧＨｚ）で、および／またはＩＥＥＥ８０２．１１ａｄ、８０２．１１ａｙ、または８０２．１１ａｊプロトコルに従って、送信され得る。
【００９３】
[00108]  図４Ａ−４Ｆを参照する以下の説明は、例えば、近隣デバイスによる送信からの、送信元デバイスおよび宛先デバイスにおける干渉を少なくとも減らすことなどで送信元デバイスと宛先デバイスとの間の通信を改善するために、フレーム３００、３５０、および３７０がどのように使用されるかの例を提供する。図４Ａ−４Ｆを参照する下記の議論はまた、フレーム３３０および３４０にも適用可能であることが理解されるべきである。
【００９４】
[00109]  図４Ａは、本開示の別の態様に従う、第１の構成における例示的な通信システム４００のブロック図を例示する。例示されるように、通信システム４００は、第１のデバイス４１０、第２のデバイス４２０、第３のデバイス４３０、および第４のデバイス４４０のような、複数のワイヤレスデバイスを含む。この例において、第１のデバイス４１０は、宛先デバイスに１つまたは複数のデータフレームを送信していることになる送信元デバイスの例であり、それは、この例において、第２のデバイス４２０である。また、この例において、第３のデバイス４３０は、第１のデバイス４１０および第２のデバイス４２０に対する近隣デバイスの例であり、ここにおいて、第３のデバイス４３０は、１つまたは複数のデータフレームを別の宛先デバイスへ送信するための別の送信元デバイスとして役立ち得、それは、この例において、第４のデバイス４４０である。加えて、第４のデバイス４４０は、第１のデバイス４１０に対する近隣デバイスである。
【００９５】
[00110]  第１のデバイス４１０、第２のデバイス４２０、第３のデバイス４３０、および第４のデバイス４４０の各々は、複数のアンテナ素子を有するアンテナを含み、それらの各々が、全方向性様式でおよび指向性様式で送信および受信することを可能にする。第１の構成において、第１のデバイス４１０は、第２のデバイス４２０にほぼ向けられた指向性送信（ＤＩＲ−ＴＸ）のためにそれのアンテナを構成しており、第２のデバイス４２０、第３のデバイス４３０、および第４のデバイス４４０は、全方向性受信（ＯＭＮＩ−ＲＸ）のためにそれらのそれぞれのアンテナを構成している。
【００９６】
[00111]  第１の構成において、送信元デバイスとして動作する第１のデバイス４１０は、第２のデバイス４２０のアドレスを示す受信機アドレスフィールド３１４を有する修正されたＲＴＳ（「ＲＴＳ−ＴＲＮ：modified RTS」）フレーム３００を送信する。この例において、第２のデバイス４２０、第３のデバイス４３０、および第４のデバイス４４０は、第１のデバイス４１０に十分に近接してＲＴＳ−ＴＲＮフレーム３００を受信する。ＲＴＳ−ＴＲＮフレーム３００におけるビームトレーニングシーケンス３２０に基づき、第３の４３０および／または第４のデバイス４４０は、受信されたＲＴＳ−ＴＲＮフレームの到来角を推定し得る。
【００９７】
[00112]  図４Ｂは、本開示の別の態様に従う、第２の構成における例示的な通信システム４００のブロック図を例示する。第２の構成において、第２のデバイス４２０は、ＲＴＳ−ＴＲＮフレーム３００の受信機アドレスフィールド３１４に示されたアドレスに基づいて、それが宛先デバイスであることを決定する。それが宛先デバイスであることを決定することに応答して、第２のデバイス４２０は、受信されたＲＴＳ−ＴＲＮ３００のビームトレーニングシーケンスフィールド３２０においてビームトレーニングシーケンスを随意に使用し、第１のデバイス４１０に向けられた指向性送信のためにそれのアンテナを構成し得る。つまり、第２のデバイス４２０のアンテナは、第１のデバイス４１０に向けられたプライマリローブ（例えば、最も高い利得のローブ）、および別の方向に向けられた（例えば、第１のデバイス４１０に向けられていない）非プライマリローブ（例えば、プライマリローブのものよりも低い別個の利得を有するローブ）を有するアンテナ輻射パターンを生成するように構成され得る。この例において、非プライマリローブのうちの１つは、第３のデバイス４３０に向けられる。
【００９８】
[00113]  同様に、第３のデバイス４３０および第４のデバイス４４０は、ＲＴＳ−ＴＲＮフレーム３００の受信機アドレスフィールド３１４において示されたアドレスに基づいて、それらが宛先デバイスではないことを決定する。それらが宛先デバイスでないことを決定することに応答して、第３のデバイス４３０および第４のデバイス４４０は、ＲＴＳ−ＴＲＮフレーム３００のビームトレーニングシーケンスフィールド３２０におけるビームトレーニングシーケンスを使用して、第１のデバイス４１０へのそれらのそれぞれの方向を決定する。加えて、第３のデバイス４３０および第４のデバイス４４０は、ＲＴＳ−ＴＲＮフレーム３００の持続時間フィールド３１２において示された持続時間を記憶する。ここでさらに詳細に論じられるように、第１のデバイス４１０が持続時間フィールド３１２において示された持続時間に基づいて第２のデバイス４２０と通信している間において、第３のデバイス４３０および第４のデバイス４４０がその後（subsequently）信号を送信するとき、第３のデバイス４３０および第４のデバイス４４０は、第１のデバイス４１０に実質的に向けられたそれぞれの空白を有するそれぞれのアンテナ輻射パターンを生成するようにそれらのそれぞれのアンテナを構成する。第１のデバイス４１０および第２のデバイス４２０がもはや通信していないことを第３のデバイス４３０および第４のデバイス４４０が持続時間に基づいて決定するとき、第３のデバイス４３０および第４のデバイス４４０は第１のデバイス４１０に向けられた空白を有さないそれぞれのアンテナ輻射パターンを生成するようにそれのそれぞれのアンテナを再構成し得る。
【００９９】
[00114]  第２の構成において、第２のデバイス４２０は、第１のデバイス４１０に実質的に向けられた指向性送信のために随意に構成されたそれのアンテナで、修正されたＣＴＳ（「ＣＴＳ−ＴＲＮ：modified CTS」）フレーム３５０を送信する。この例において、第１のデバイス４１０は、ＣＴＳ−ＴＲＮフレーム３５０を受信する。また、この例に従い、第３のデバイス４３０はＣＴＳ−ＴＲＮフレーム３５０を受信し、その一方で第４のデバイス４４０はＣＴＳ−ＴＲＮフレーム３５０を受信しない。第３のデバイス４３０がＣＴＳフレーム３５０を受信する理由は、第２のデバイス４２０に関連付けられたアンテナ輻射パターンの非プライマリローブのうちの１つが第３のデバイス４３０に向けられ、ＣＴＳ−ＴＲＮフレーム３５０を搬送する信号の電力が第３のデバイス４３０の受信機の感度よりも大きいということであり得る。第４のデバイス４４０がＣＴＳフレーム３５０を受信しない理由は、第２のデバイス４２０に関連付けられた非プライマリローブのうちの１つが第４のデバイス４４０に向けられておらず、ＣＴＳ−ＴＲＮフレーム３５０を搬送する信号の第４のデバイス４４０における電力が第４のデバイス４４０の受信感度を下回るということであり得る。ＣＴＳ−ＴＲＮフレーム３５０におけるビームトレーニングシーケンス３６８に基づき、第３の４３０は、受信されたＣＴＳ−ＴＲＮフレームの到来角を推定し得る。
【０１００】
[00115]  図４Ｃは、本開示の別の態様に従う、第３の構成における例示的な通信システム４００のブロック図を例示する。第３の構成において、第１のデバイス４１０は、ＣＴＳ−ＴＲＮフレーム３５０の受信機アドレスフィールド３６４に示されたアドレスに基づいて、それがＣＴＳ−ＴＲＮフレーム３５０の意図された受信デバイスであることを決定する。それがＣＴＳ−ＴＲＮフレーム３５０の意図された受信デバイスであることを決定することに応答して、第１のデバイス４１０は、受信されたＣＴＳ−ＴＲＮ３５０のビームトレーニングシーケンスフィールド３６８においてビームトレーニングシーケンスを随意に使用し、第２のデバイス４２０に実質的に向けられた指向性送信のためにそれのアンテナを構成し得る。つまり、第１のデバイス４１０のアンテナは、第２のデバイス４２０に実質的に向けられたプライマリローブ（例えば、最も高い利得のローブ）および他の方向に向けられた非プライマリローブを有するアンテナ輻射パターンを生成するように構成される。
【０１０１】
[00116]  また、第３の構成において、第２のデバイス４２０はそれが以前に受信したＲＴＳ−ＴＲＮフレーム３００のビームトレーニングシーケンスフィールド３２０におけるビームトレーニングシーケンスに基づいて、第１のデバイス４１０に対する方向を既に知っているので、第２のデバイス４２０は第１のデバイス４１０に向けられた指向性受信（例えば、プライマリアンテナ輻射ローブ）のためにそれのアンテナを随意に構成し得る。このように、第１のデバイス４１０のアンテナが第２のデバイス４２０への指向性送信のために構成されて、第２のデバイス４２０のアンテナが第１のデバイス４１０からの指向性受信のために構成されている間に、第１のデバイス４１０は１つまたは複数のデータフレームを第２のデバイス４２０へ送信する。
【０１０２】
[00117]  さらに、第３の構成に従い、第３のデバイス４３０は、ＣＴＳ−ＴＲＮフレーム３５０の受信機アドレスフィールド３６４において示されるアドレスに基づいて、それがＣＴＳ−ＴＲＮフレーム３５０の意図された受信デバイスでないことを決定する。それがＣＴＳ−ＴＲＮフレーム３５０の意図された受信デバイスでないことを決定することに応答し、第３のデバイス４３０は、受信されたＣＴＳ−ＴＲＮ３５０のビームトレーニングシーケンスフィールド３６８におけるビームトレーニングシーケンスおよび以前に受信されたＲＴＳ−ＴＲＮフレーム３００のビームトレーニングシーケンスフィールド３２０におけるシーケンスを使用して、第２のデバイス４２０および第１のデバイス４１０にそれぞれ実質的に向けられた空白を有するアンテナ輻射パターンを生成するようにそれのアンテナを構成する。空白は、以前に受信されたＲＴＳ−ＴＲＮフレーム３００およびＣＴＳ−ＴＲＮフレーム３５０の推定された到来角に基づき得る。一般に、第３のデバイス４３０は、第１のデバイス４１０および第２のデバイス４２０にそれぞれ向けられた所望の信号電力、阻止（rejections）、または利得を有するアンテナ輻射パターンを生成する（例えば、そのようなデバイス４１０および４２０における推定された干渉が、定義されたしきい値にあるかまたはそれを下回ることを達成するために（例えば、所望のＢＥＲ、ＳＮＲ、ＳＩＮＲ、および／または他の１つまたは複数の通信属性を達成するために））。
【０１０３】
[00118]  より具体的には、第３のデバイス４３０は、
第１のデバイス４１０および第２のデバイス４２０に向かう方向におけるアンテナ利得を推定すること、第３のデバイス４３０と第１および第２のデバイス４１０、４２０との間のアンテナ相互差異(antenna reciprocity differences)（例えば、送信アンテナ利得−受信アンテナ利得）を推定すること、並びに１つまたは複数のセクタ上の上記を算出して第１のデバイス４１０および第２のデバイス４２０における対応する推定された干渉をそれぞれ決定することによって、それのアンテナ送信輻射パターンを構成し得る。
【０１０４】
[00119]  そのようなアンテナ構成で、第３のデバイス４３０は、第４のデバイス４４０を対象とする（intended for）ＲＴＳ−ＴＲＮフレーム３００を送信し、第４のデバイス４４０がそれを受信する。第３のデバイス４３０は、第１のデバイス４１０および第２のデバイス４２０に向けられた空白を有するアンテナ構成を、これらのデバイスがＲＴＳ−ＴＲＮフレーム３００およびＣＴＳ−ＴＲＮフレーム３５０の持続時間フィールド３１２および３６２において示される持続時間に基づいてそれぞれ通信する限り、維持する。第３のデバイス４３０のアンテナは第１のデバイス４１０および第２のデバイス４２０において向けられた空白を生成するように構成されるので、第３のデバイス４３０によるＲＴＳ−ＴＲＮフレーム３００の送信は第１のデバイス４１０および第２のデバイス４２０においてそれぞれ低減された干渉をもたらす。
【０１０５】
[00120]  図４Ｄは、本開示の別の態様に従う、第４の構成における例示的な通信システム４００のブロック図を例示する。第４の構成において、第４のデバイス４４０は、第３のデバイス４３０からのＲＴＳ−ＴＲＮ３００を受信することに応答して、ＣＴＳ−ＴＲＮフレーム３５０を第３のデバイス４３０へ送信する。より具体的には、第４のデバイス４４０は、第１のデバイス４１０から受信されたＲＴＳ−ＴＲＮフレーム３００のビームトレーニングシーケンスに基づいて、第１のデバイス４１０に実質的に向けられた空白を有するアンテナ輻射パターンを生成するようにそれのアンテナを構成する。この例において、第４のデバイス４４０は第２のデバイス４２０によって送信されるＣＴＳ−ＴＲＮフレーム３５０を受信しなかったので、第４のデバイス４００は第２のデバイス４２０への方向を知らず、それゆえ第２のデバイス４２０に向けられた空白を有するそれのアンテナ輻射パターンを構成できない。
【０１０６】
[00121]  従って、第４のデバイス４４０は、第１のデバイス４１０に実質的に向けられた空白を有するアンテナ輻射パターンを生成するように構成されたそれのアンテナで、ＣＴＳ−ＴＲＮフレーム３５０を第３のデバイス４３０へ送信する。空白は、以前に受信されたＲＴＳ−ＴＲＮフレーム３００の推定された到来角に基づき得る。一般に、第４のデバイス４４０は、第１のデバイス４１０に向けられた所望の信号電力、阻止、または利得を有するアンテナ輻射パターンを生成する（例えば、そのようなデバイス４１０における推定された干渉が、定義されたしきい値にあるかまたはそれを下回ることを達成するため（例えば、所望のＢＥＲ、ＳＮＲ、ＳＩＮＲ、および／または他の１つまたは複数の通信属性を達成するため））。
【０１０７】
[00122]  より具体的には、第４のデバイス４４０は、第１のデバイス４１０に向かう方向におけるアンテナ利得を推定すること、第４のデバイス４４０と第１のデバイス４１０との間のアンテナ相互差異（例えば、送信アンテナ利得−受信アンテナ利得）を推定すること、並びに１つまたは複数のセクタ上の上記を算出して第１のデバイス４１０における対応する推定された干渉を決定することによって、それのアンテナ送信輻射パターンを構成し得る。第１のデバイス４１０に向けられた、空白または所望の小信号電力があることから、第４のデバイス４４０によるＣＴＳ−ＴＲＮフレーム３５０の送信は第１のデバイス４１０において低減された干渉をもたらす。
【０１０８】
[00123]  代替的に、第４のデバイス４４０が、ビームトレーニングシーケンスを含むＲＴＳ−ＴＲＮフレーム３００を第３のデバイス４３０から受信したなら、第４のデバイス４４０は、第３のデバイス４３０に実質的に向けられたプライマリローブおよび第１のデバイス４１０に実質的に向けられた空白を有するアンテナ輻射パターンを生成するようにそれのアンテナを随意に構成し得る。この点について、第４のデバイス４４０のアンテナは、第３のデバイス４３０によるＣＴＳ−ＴＲＮフレーム３５０の受信を改善するように構成され、一方で、それと同時に、ＣＴＳ−ＴＲＮフレーム３５０の送信に起因した第１のデバイス４１０における干渉を低減する。
【０１０９】
[00124]  さらに、第４の構成に従い、第３のデバイス４３０は、全方向性様式（ＯＭＮＩ−ＲＸ）で受信するようにそれのアンテナを構成した。このため、この例において、第３のデバイス４３０は、それのアンテナが全方向性様式（ＯＭＮＩ−ＲＸ）で受信するように構成されている間にＣＴＳ−ＴＲＮフレーム３５０を受信する。
【０１１０】
[00125]  図４Ｅは、本開示の別の態様に従う、第５の構成における例示的な通信システム４００のブロック図を例示する。第３のデバイス４３０が第４のデバイス４４０からＣＴＳ−ＴＲＮフレーム３５０を受信したなら、第３のデバイス４３０は、１つまたは複数のデータフレームを第４のデバイス４４０へ送信するためのそれのアンテナを構成する。この点について、第３のデバイス４３０は、第１のデバイス４１０に実質的に向けられた第１の空白および第２のデバイス４２０に実質的に向けられた第２の空白を有するアンテナ輻射パターンを生成するようにそれのアンテナを、第１のデバイス４１０および第２のデバイス４２０からそれぞれＲＴＳ−ＴＲＮフレーム３００およびＣＴＳ−ＴＲＮフレーム３５０を介して受信されたそれぞれのビームトレーニングシーケンスに基づいて構成する。このアンテナ構成を使用し、第３のデバイス４３０は１つまたは複数のデータフレームを第４のデバイス４４０へ送信する。
【０１１１】
[00126]  代替的に、第３のデバイス４３０が第４のデバイス４４０からＣＴＳ−ＴＲＮフレーム３５０を受信したなら、第３のデバイス４３０は、第４のデバイス４４０からＣＴＳ−ＴＲＮフレーム３５０を介して受信されたビームトレーニングシーケンスに基づいて第４のデバイス４４０に実質的に向けられたプライマリローブと、第１のデバイス４１０および第２のデバイス４２０からＲＴＳ−ＴＲＮフレーム３００およびＣＴＳ−ＴＲＮフレーム３５０を介して受信されたビームトレーニングシーケンスにそれぞれ基づいて第１のデバイス４１０および第２のデバイス４２０に実質的に向けられたそれぞれの空白とを有するアンテナ輻射パターンを生成するようにそれのアンテナを構成し得る。
【０１１２】
[00127]  第５の構成において、第４のデバイス４４０は、全方向性様式（ＯＭＮＩ−ＲＸ）で１つまたは複数のデータフレームを受信するようにそれのアンテナを構成し得る。随意的に、第４のデバイス４４０が第３のデバイス４３０からＲＴＳ−ＴＲＮフレーム３００を受信したなら、第４のデバイス４４０は指向性様式で１つまたは複数のデータフレームを受信するためにそれのアンテナを構成し得る。例えば、この点について、第４のデバイス４４０は、第３のデバイス４３０からＲＴＳ−ＴＲＮフレーム３００を介して受信されたビームトレーニングシーケンスに基づいて第３のデバイス４３０に実質的に向けられたプライマリローブを有するアンテナ輻射パターンで１つまたは複数のデータフレームを受信するようにそれのアンテナ構成し得る。
【０１１３】
[00128]  一旦、第４のデバイス４４０が、第３のデバイス４３０から１つまたは複数のデータフレームを受信することを完了したら、第４のデバイス４００はＡＣＫフレーム３７０を第３のデバイス４３０へ送信する。この点について、第１のデバイス４１０および第２のデバイス４２０が未だ通信していることを第４のデバイス４００がＲＴＳ−ＴＲＮフレーム３００における持続時間に基づいて決定する場合、第４のデバイス４００は、ＡＣＫフレーム３７０の送信による第１のデバイス４１０における干渉を減らすために第１のデバイス４１０に実質的に向けられた空白を有するアンテナ輻射パターンを生成するように構成されたそれのアンテナでＡＣＫフレーム３７０を送信する。
【０１１４】
[00129]  他方、第１のデバイス４１０がもはや第２のデバイス４２０と通信していないことを、第１のデバイス４１０から受信されたＲＴＳ−ＴＲＮフレーム３００において示される持続時間に基づいて、第４のデバイス４４０が決定する場合、第４のデバイス４４０は、ＡＣＫフレーム３７０を第３のデバイス４３０へ送信するために、第１のデバイス４１０に実質的に向けられた空白を必ずしも有さないアンテナ輻射パターンを生成するようにそれのアンテナを再構成し得る。第１のデバイス４１０に実質的に向けられた空白はないものの、第４のデバイス４４０は、第３のデバイス４３０に実質的に向けられたプライマリローブを有するアンテナ輻射パターンを生成するように構成されたそれのアンテナでＡＣＫフレーム３７０を第３のデバイス４３０へ随意に送信し得る。
【０１１５】
[00130]  第３のデバイス４３０および第４のデバイス４４０は、同一の様式または逆の様式で、互いに通信することを継続し得る（例えば、第４のデバイス４４０がＲＴＳ−ＴＲＮフレーム３００および１つまたは複数のデータフレームを生成し、第３のデバイス４３０がＣＴＳ−ＴＲＮフレーム３５０およびＡＣＫフレーム３７０を生成する場合）。そのような通信に従って、第１のデバイス４１０および第２のデバイス４２０が依然として互いに通信していることを、第１のデバイス４１０または第２のデバイス４２０のうちの少なくとも１つによって送信されたＲＴＳ−ＴＲＮフレーム３００またはＣＴＳ−ＴＲＮフレーム３５０のうちの少なくとも１つにおいて示された少なくとも１つの持続時間に基づいて、第３のデバイス４３０または第４のデバイス４４０の一方または両方が決定する場合、第３のデバイス４３０または第４のデバイス４４０のうちの少なくとも１つまたは両方が、第１のデバイス４１０または第２のデバイス４２０のうちの少なくとも１つに実質的に向けられた少なくとも１つの空白を有するアンテナ輻射パターンを生成するようにそれのアンテナを構成し得る。
【０１１６】
[00131]  図４Ｆは、本開示の別の態様に従う、第６の構成における例示的な通信システム４００のブロック図を例示する。第６の構成によると、第１のデバイス４１０および第２のデバイス４２０が互いに通信することを終えている。従って、第１のデバイス４１０および第２のデバイス４２０は、全方向性様式（ＯＭＮＩ−ＲＸ）でまたは適切であると思われる他の様式で受信するようにそれらのそれぞれのアンテナを構成し得る。
【０１１７】
[00132]  さらに、第６の構成に従って、第３のデバイス４３０および第４のデバイス４４０は依然として互いに通信している。少なくとも第１のデバイス４１０または第２のデバイス４２０からのＲＴＳ−ＴＲＮフレーム３００またはＣＴＳ−ＴＲＮフレーム３５０において示される持続時間のうちの少なくとも１つに基づき、第３のデバイス４３０および第４のデバイス４４０が、第１のデバイス４１０および第２のデバイス４２０がもはや互いに通信していないことを決定している。従って、第３のデバイス４３０および第４のデバイス４４０は、例示されるように、第１のデバイス４１０および第２のデバイス４２０に向けられた空白を有するそれぞれのアンテナ輻射パターンを生成するようにそれらのそれぞれのアンテナを構成することをもはや必要としない。第３のデバイス４３０および第４のデバイス４４０は、指向性様式で（例えば、別のデバイスに実質的に向けられたそれらのプライマリローブで）互いに送信し得る。
【０１１８】
[00133]  図５は、本開示のある特定の態様に従う、別のデバイスとワイヤレスに通信する例示的な方法５００のフロー図を例示する。方法５００は、第２のデバイス４２０のような宛先デバイスとの通信のためにＲＴＳ−ＴＲＮフレーム３００を送信する第１のデバイス４１０のような送信元デバイスによって実施され得る。この例において、送信元デバイスは、近隣デバイスからのなんらかの干渉を検出しなかった。つまり、方法５００によると、送信元デバイスは、別のデバイスからのＲＴＳ−ＴＲＮフレーム３００またはＣＴＳ−ＴＲＮフレーム３５０を検出しなかった。
【０１１９】
[00134]  方法５００は、宛先デバイスにほぼ向けられた指向性様式で送信するためにそれのアンテナを構成している送信元デバイスを備える（ブロック５０２）。例えば、送信元デバイスは、宛先デバイスに向かう方向を送信元デバイスが推定することを可能にする宛先デバイスと以前に通信をしていたり、またはそれからの送信を傍受していたりし得る。この点について、図２に例示されるアクセスポイント１１０またはアクセス端末１２０に関し、送信プロセッサ２２４または２６４は、宛先デバイスに実質的に向けられたプライマリローブを有してアンテナ輻射パターンが生成されるようにアンテナ２３０−１乃至２３０−Ｎまたは２７０−１乃至２７０−Ｍのための信号を生成するためにトランシーバ２２６−１乃至２２６−Ｎまたは２６６−１乃至２６６−Ｍをそれぞれ構成し得る。周知のように、トランシーバ２２６−１乃至２２６−Ｎまたはトランシーバ２６６−１乃至２６６−Ｍは、送信プロセッサ２２４または２２６によって生成されたそれぞれの信号を別個の相対的な振幅／位相（例えば、重みとも呼ばれる）を有する異なる局部発振器信号と混合し、プライマリローブを生成するための強め合う干渉、非プライマリローブを生成するための強め合うおよび弱め合う干渉、並びに空白を生成するための弱め合う干渉を生じさせるものである。
【０１２０】
[00135]  方法５００は、アンテナが宛先デバイスに向けられた指向性送信のために構成される間に、ＲＴＳ−ＴＲＮ３００を生成し、アンテナを介して宛先デバイスへ送信することをさらに備える（ブロック５０４）。この点について、図２に例示されるアクセスポイント１１０またはアクセス端末１２０に関し、送信データプロセッサ２２０または２６０は、データソース２１５または２５５から受信されたデータに基づいてＲＴＳ−ＴＲＮフレーム３００のためのデータシンボルを生成する。フレームビルダ２２２または２６２はＲＴＳ−ＴＲＮフレーム３００のＲＴＳ部分に関連付けられたデータシンボルおよびビームトレーニングシーケンスフィールド３２０におけるビームトレーニングシーケンスを含むＲＴＳ−ＴＲＮフレーム３００を生成する。送信プロセッサ２２４または２６４は、宛先デバイスへの送信のためにＲＴＳ−ＴＲＮフレーム３００を出力するためのインタフェースとして振る舞う。
【０１２１】
[00136]  方法５００は、アンテナが全方向性様式で受信するように構成されている間に、アンテナを介して宛先デバイスからのＣＴＳ−ＴＲＮフレーム３５０を受信することをさらに備える（ブロック５０６）。この点について、図２に例示されるアクセスポイント１１０またはアクセス端末１２０に関し、受信プロセッサ２４２または２８２は、全方向性様式で信号を受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍをそれぞれ構成し得る。
【０１２２】
[00137]  方法５００は、宛先デバイスから受信されたＣＴＳ−ＴＲＮフレーム３５０のビームトレーニングシーケンスフィールド３６８におけるビームトレーニングシーケンスに基づいて、宛先デバイスへの指向性送信のためのアンテナを随意に構成することをさらに備える（ブロック５０８）。同様に、図２に例示されるアクセスポイント１１０またはアクセス端末１２０に関し、送信プロセッサ２２４または２６４は、アンテナ輻射パターンが宛先デバイスに実質的に向けられたプライマリローブを有して生成されるようにアンテナ２３０−１乃至２３０−Ｎまたは２７０−１乃至２７０−Ｍのための信号を生成するためにトランシーバ２２６−１乃至２２６−Ｎまたは２６６−１乃至２６６−Ｍをそれぞれ構成し得る。
【０１２３】
[00138]  方法５００は、アンテナが宛先デバイスに向けられた指向性送信のために構成されている間に、１つまたは複数のデータまたは制御フレームを生成し、アンテナを介して宛先デバイスへ送信することをさらに備える（ブロック５１０）。同様に、図２に例示されるアクセスポイント１１０またはアクセス端末１２０に関し、送信データプロセッサ２２０または２６０は、データソース２１５または２５５から受信されたデータに基づいて１つまたは複数のデータまたは制御フレームのためのデータシンボルを生成する。フレームビルダ２２２または２６２は、１つまたは複数のデータまたは制御フレームを生成する。送信プロセッサ２２４または２６４は、宛先デバイスへの送信のために１つまたは複数のデータまたは制御フレームを出力するためのインタフェースとして振る舞う。代替的に、または加えて、方法５００は、宛先デバイスから１つまたは複数のデータまたは制御フレームを受信することを備え得る。
【０１２４】
[00139]  方法５００は、アンテナが全方向性様式でまたは随意に宛先デバイス向けられた指向性様式で受信するように構成されている間に、アンテナを介して宛先デバイスから１つまたは複数のＡＣＫ、データ、またはＡＣＫおよびデータフレーム３７０を受信することをさらに備える（ブロック５１２）。この点について、図２に例示されるアクセスポイント１１０またはアクセス端末１２０に関し、受信プロセッサ２４２または２８２は、全方向性様式で信号を受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍをそれぞれ構成し得る。代替的に、受信プロセッサ２４２または２８２は、宛先デバイスに向けられた指向性様式で信号を受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍをそれぞれ構成し得る。
【０１２５】
[00140]  方法５００は、一旦、宛先デバイスとの通信が終えると、全方向性様式で受信するようにアンテナを再構成することをさらに備える（ブロック５１４）。この点について、図２に例示されるアクセスポイント１１０またはアクセス端末１２０に関し、受信プロセッサ２４２または２８２は、全方向性様式で信号を受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍをそれぞれ構成し得る。
【０１２６】
[00141]  図６は、本開示のある特定の態様に従う、別のデバイスとワイヤレスに通信する別の例示的な方法６００のフロー図を例示する。方法６００は、第１のデバイス４１０のような送信元デバイスからのＲＴＳ−ＴＲＮフレーム３００を受信することに応答してＣＴＳ−ＴＲＮフレーム３５０を送信する第２のデバイス４２０のような宛先デバイスによって実施され得る。例示的な方法６００によると、宛先デバイスは、例えば、近隣デバイスから別のＲＴＳ−ＴＲＮフレーム３００またはＣＴＳ−ＴＲＮフレーム３５０を受信することによる近隣デバイスからの干渉を検出しなかった。
【０１２７】
[00142]  方法６００は、全方向性様式で信号を受信するためのそれのアンテナを構成することを備える（ブロック６０２）。この点について、図２に例示されるアクセスポイント１１０またはアクセス端末１２０に関し、受信プロセッサ２４２または２８２は、それぞれ、全方向性様式で信号を受信するためにアンテナ２３０−１乃至２３０−Ｎまたは２７０−１乃至２７０−Ｍを構成するために、トランシーバ２２６−１乃至２２６−Ｎまたは２６６−１乃至２６６−Ｍを構成し得る。
【０１２８】
[00143]  方法６００は、アンテナが全方向性様式で受信するように構成されている間に、送信元デバイスからのＲＴＳ−ＴＲＮフレーム３００を受信することをさらに備える（ブロック６０４）。この点について、図２に例示されるアクセスポイント１１０またはアクセス端末１２０に関し、受信プロセッサ２４２または２８２、コントローラ２３４または２７４、および受信データプロセッサ２４４または２８４は、それぞれ、受信されたＲＴＳ−ＴＲＮフレーム３００を処理してＲＴＳ−ＴＲＮフレーム３００からデータを抽出するために一緒に動作する。データは、送信元デバイスのアイデンティティ（例えば、ＲＴＳ−ＴＲＮフレーム３００の送信機アドレスフィールド３１６におけるデータに基づく）と、送信元デバイスが宛先デバイスと通信することを所望すること（例えば、フレームがＲＴＳタイプフレームであることを示すフレーム制御フィールド３１０におけるデータに基づく）と、宛先デバイスがＲＴＳ−ＴＲＮフレーム３００のための意図された受信機であること（例えば、ＲＴＳ−ＴＲＮフレーム３００の受信機アドレスフィールド３１４におけるデータに基づく）とを宛先デバイスに知らせる。
【０１２９】
[00144]  方法６００は、受信されたＲＴＳ−ＴＲＮフレーム３００のビームトレーニングシーケンスフィールド３２０におけるビームトレーニングシーケンスに基づいて、送信元デバイスに実質的に向けられた指向性様式で送信するためのそれのアンテナを随意に構成することをさらに備える（ブロック６０６）。この点について、図２に例示されるアクセスポイント１１０またはアクセス端末１２０に関し、受信プロセッサ２２４または２６４は、アンテナ輻射パターンが送信元デバイスに実質的に向けられたプライマリローブを有して生成されるようにアンテナ２３０−１乃至２３０−Ｎまたは２７０−１乃至２７０−Ｍのための信号を生成するためにトランシーバ２２６−１乃至２２６−Ｎまたは２６６−１乃至２６６−Ｍをそれぞれ構成し得る。
【０１３０】
[00145]  方法６００は、アンテナが送信元デバイスに向けられた指向性送信のために構成されている間に、ＣＴＳ−ＴＲＮフレーム３５０を生成し、アンテナを介して送信元デバイスへ送信することをさらに備える（ブロック６０８）。この点について、図２に例示されるアクセスポイント１１０またはアクセス端末１２０に関し、送信データプロセッサ２２０または２６０は、データソース２１５または２５５から受信されたデータに基づいてＣＴＳ−ＴＲＮフレーム３５０のためのデータシンボルを生成する。フレームビルダ２２２または２６２は、ＣＴＳ−ＴＲＮフレーム３５０のＣＴＳ部分に関連付けられたデータシンボルおよびビームトレーニングシーケンスフィールド３６８においてビームトレーニングシーケンスを含むＣＴＳ−ＴＲＮフレーム３５０を生成する。送信プロセッサ２２４または２６４は、送信元デバイスへの送信のためにＣＴＳ−ＴＲＮフレーム３５０を出力するためのインタフェースとして振る舞う。
【０１３１】
[00146]  方法６００は、アンテナがＲＴＳ−ＴＲＮフレーム３００を介して以前に受信されたビームトレーニングシーケンスに基づいて全方向性様式でまたは随意に送信元デバイスに実質的に向けられた指向性様式で受信するように構成されている間に、アンテナを介して宛先デバイスからの１つまたは複数のデータまたは制御フレームを受信することをさらに備える（ブロック６１０）。この点について、図２に例示されるアクセスポイント１１０またはアクセス端末１２０に関し、受信プロセッサ２４２または２８２は、全方向性様式で信号を受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍをそれぞれ構成し得る。代替的に、受信プロセッサ２４２または２８２は、送信元デバイスに向けられた指向性様式で信号を受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍをそれぞれ構成し得る。さらに、この点について、図２に例示されるアクセスポイント１１０またはアクセス端末１２０に関し、受信プロセッサ２４２または２８２、コントローラ２３４または２７４、および受信データプロセッサ２４４または２８４は、それぞれ、受信された１つまたは複数のデータまたは制御フレームを処理してそこから情報を抽出するために一緒に動作する。
【０１３２】
[00147]  方法６００は、アンテナが送信元デバイスに向けられた指向性送信のために構成されている間に、１つまたは複数のＡＣＫ、データ、またはＡＣＫおよびデータフレーム３７０を生成し、アンテナを介して送信元デバイスへ送信することをさらに備える（ブロック６１２）。同様に、図２に例示されるアクセスポイント１１０またはアクセス端末１２０に関し、送信データプロセッサ２２０または２６０は、データソース２１５または２５５から受信されたデータに基づいて１つまたは複数のデータまたは制御フレーム３７０のためのデータシンボルを生成する。フレームビルダ２２２または２６２は、１つまたは複数のデータまたは制御フレーム３７０を生成する。送信プロセッサ２２４または２６４は、送信元デバイスへの送信のために１つまたは複数のデータまたは制御フレーム３７０を出力するためのインタフェースとして振る舞う。
【０１３３】
[00148]  方法６００は、一旦、送信元デバイスとの通信が完了したら、全方向性様式で受信するようにアンテナを再構成することをさらに備える（ブロック６１４）。この点について、図２に例示されるアクセスポイント１１０またはアクセス端末１２０に関し、受信プロセッサ２４２または２８２は、それぞれ、全方向性様式で信号を受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍを構成し得る。
【０１３４】
[00149]  図７は、本開示のある特定の態様に従う、別のデバイスとワイヤレスに通信する例示的な方法７００のフロー図を例示する。方法７００は、第４のデバイス４４０のような宛先デバイスとの通信のためのＲＴＳ−ＴＲＮフレーム３００を送信する第３のデバイス４３０のような送信元デバイスによって実施され得る。この例において、送信元デバイスは、１つまたは複数の近隣デバイスからの干渉も検出していた。つまり、方法７００によると、送信元デバイスは、少なくとも１つの他のデバイスからのＲＴＳ−ＴＲＮフレーム３００またはＣＴＳ−ＴＲＮフレーム３５０のうちの少なくとも１つを検出していた。
【０１３５】
[00150]  方法７００は、１つまたは複数の近隣デバイスからのＲＴＳ−ＴＲＮフレーム３００またはＣＴＳ−ＴＲＮフレーム３５０のうちの少なくとも１つをそれぞれ受信することによって潜在的な干渉を検出することを備える（ブロック７０２）。ＲＴＳ−ＴＲＮフレーム３００またはＣＴＳフレーム３５０のうちの少なくとも１つは、全方向性様式で受信するように構成されたアンテナを介して受信されていた可能性がある。この点について、図２に例示されるアクセスポイント１１０またはアクセス端末１２０に関し、受信プロセッサ２４２または２８２は、それぞれ、全方向性様式で信号を受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍを構成されていた可能性がある。
【０１３６】
[00151]  さらに、この点について、受信プロセッサ２４２または２８２、コントローラ２３４または２７４、および受信データプロセッサ２４４または２８４は、それぞれ、受信されたＲＴＳ−ＴＲＮフレーム３００またはＣＴＳ−ＴＲＮフレームのうちの少なくとも１つを処理してＲＴＳ−ＴＲＮフレーム３００またはＣＴＳ−ＴＲＮフレームのうちの少なくとも１つからデータを抽出するために一緒に動作する。データは、（例えば、ＲＴＳ−ＴＲＮフレーム３００またはＣＴＳ−ＴＲＮフレーム３５０のうちの受信機アドレスフィールド３１４または３６４におけるデータに基づいて）送信元デバイスに、ＲＴＳ−ＴＲＮフレーム３００またはＣＴＳ−ＴＲＮフレーム３５０のうちの少なくとも１つが、送信元デバイスを対象としないことを知らせる、それ故、１つまたは複数の近隣デバイスによる将来の通信は、潜在的な干渉として扱われるべきである。加えて、ＲＴＳ−ＴＲＮフレーム３００またはＣＴＳ−ＴＲＮフレーム３５０のうちの少なくとも１つの持続時間フィールドにおけるデータは、１つまたは複数の近隣デバイスがどのくらい長く通信していることになるかについてのインジケーションを提供する。そのようなデータは、近隣デバイスが持続時間情報に従って通信している限りは、１つまたは複数の近隣デバイスに向けられた（１つまたは複数の）空白を有するアンテナ輻射パターンを維持するために使用される。
【０１３７】
[00152]  一例として、一旦、送信元デバイスが１つまたは複数の近隣デバイスからＲＴＳ−ＴＲＮフレーム３００またはＣＴＳ−ＴＲＮフレーム３５０のうちの少なくとも１つを受信したなら、送信元デバイスは、以下の表１に従って、干渉低減のための情報を整理し得る。
【０１３８】
【表１】
2019502318.tif 000003
【０１３９】
[00153]  このように、表１に従って、送信元デバイスは、通信する近隣デバイスの各セットごとの、または１つまたは複数の通信する近隣デバイスから受信されたＲＴＳ−ＴＲＮまたはＣＴＳ−ＴＲＮフレームのうちの少なくとも１つの各セットごとの、エントリを維持し得る。表１の例には、Ｎ個のエントリがあり、ここで、Ｎは１つまたは複数の整数である。各エントリごとに、送信元デバイスは、対応するアンテナ構成およびアンテナ構成が有効である持続時間についての情報を含み得る。例えば、エントリ番号１において、アンテナ構成は、第１の近隣デバイスにおける干渉を減らすための方位角Ａ１および仰角Ａ２にある第１の空白、および第２近隣デバイスにおける干渉を減らすための方位角Ｂ１および仰角Ｂ２にある第２の空白を含み得る。エントリ番号１のアンテナ構成は１０ミリ秒（ｍｓ）の間、有効である。もしあれば、他のエントリは、（１つまたは複数の）他のアンテナ構成および（１つまたは複数の）通信する近隣デバイスの１つまたは複数の他のセットに関しての（１つまたは複数の）関連の持続時間を含み得る。
【０１４０】
[00154]  一旦、関連の持続時間が満了すると、対応するアンテナ構成を含む対応するエントリは、表１から削除され得る。そのようなアンテナ構成は、送信元デバイスにとって、他のデバイスに信号を送信するために使用することには、もはや有効ではない可能性がある。そのような事例において、送信元デバイスは、表１における有効なエントリと関連付けられたアンテナ構成を使用し得る。
【０１４１】
[00155]  方法７００は、受信されたＲＴＳ−ＴＲＮフレーム３００またはＣＴＳ−ＴＲＮフレーム３５０のうちの少なくとも１つにおける少なくともビームトレーニングシーケンスに基づいて、少なくとも１つの近隣デバイスに実質的に向けられた少なくとも１つの空白を有するアンテナ輻射パターンを生成するようにそれのアンテナを構成することをさらに備える（ブロック７０４）。１つまたは複数の空白に加えて、アンテナは、宛先デバイスに実質的に向けられたプライマリローブを有するアンテナ輻射パターンを生成するように構成され得る。この点について、図２に例示されるアクセスポイント１１０またはアクセス端末１２０に関し、受信プロセッサ２２４または２６４は、アンテナ輻射パターンが前述の１つまたは複数の空白および随意のプライマリローブを含むようにアンテナ２３０−１乃至２３０−Ｎまたは２７０−１乃至２７０−Ｍのための信号を生成するためにトランシーバ２２６−１乃至２２６−Ｎまたは２６６−１乃至２６６−Ｍを構成し得る。
【０１４２】
[00156]  方法７００は、アンテナがブロック７０４のように構成されている間に、ＲＴＳ−ＴＲＮフレーム３００を生成し、アンテナを介して宛先デバイスへ送信することをさらに備える（ブロック７０６）。この点について、図２に例示されるアクセスポイント１１０またはアクセス端末１２０に関し、送信データプロセッサ２２０または２６０は、データソース２１５または２５５から受信されたデータに基づいてＲＴＳ−ＴＲＮフレーム３００のためのデータシンボルを生成する。フレームビルダ２２２または２６２は、ＲＴＳ−ＴＲＮフレーム３００のＲＴＳ部分に関連付けられたデータシンボルおよびビームトレーニングシーケンスフィールド３２０におけるビームトレーニングシーケンスを含むＲＴＳ−ＴＲＮフレーム３００を生成する。送信プロセッサ２２４または２６４は、宛先デバイスへの送信のためにＲＴＳ−ＴＲＮフレーム３００を出力するためのインタフェースとして振る舞う。
【０１４３】
[00157]  方法７００は、アンテナが全方向性様式で受信するように構成されている間に、アンテナを介して宛先デバイスからのＣＴＳ−ＴＲＮフレーム３５０を受信するようにさらに構成される（ブロック７０８）。この点について、図２に例示されるアクセスポイント１１０またはアクセス端末１２０に関し、受信プロセッサ２４２または２８２は、全方向性様式で信号をそれぞれ受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍを構成し得る。さらに、受信プロセッサ２４２または２８２、コントローラ２３４または２７４、および受信データプロセッサ２４４または２８４は、それぞれ、ＣＴＳ−ＴＲＮフレーム３５０を処理してＣＴＳ−ＴＲＮフレーム３５０からデータを抽出するために一緒に動作する。データは、（例えば、それがＣＴＳタイプフレームであることを示すフレーム制御フィールド３６０におけるデータ、およびＣＴＳ−ＴＲＮフレーム３５０が送信元デバイスを対象とすることを示す受信機アドレスフィールド３６４におけるデータに基づいて）送信元デバイスに、通信媒体が宛先デバイスへの送信に利用可能であることを知らせる。
【０１４４】
[00158]  方法７００は、（例えば、１つまたは複数の近隣デバイスに実質的に向けられた１つまたは複数の空白を有し、宛先デバイスに実質的に向けられたプライマリローブを随意に有するアンテナ輻射パターンを生成するために）ブロック７０４のようにアンテナを構成することをさらに備える（ブロック７１０）。同様に、図２に例示されるアクセスポイント１１０またはアクセス端末１２０に関し、送信プロセッサ２２４または２６４は、アンテナ輻射パターンが１つまたは複数の近隣デバイスからの受信された１つまたは複数のＲＴＳ−ＴＲＮフレーム３００またはＣＴＳ−ＴＲＮフレーム３５０に基づいて１つまたは複数の近隣デバイスに実質的に向けられた１つまたは複数の空白、および宛先デバイスに実質的に向けられたプライマリローブを随意に有して生成されるようにしてアンテナ２３０−１乃至２３０−Ｎまたは２７０−１乃至２７０−Ｍのための信号を生成するようにトランシーバ２２６−１乃至２２６−Ｎまたは２６６−１乃至２６６−Ｍをそれぞれ構成し得る。
【０１４５】
[00159]  方法７００は、アンテナがブロック７１０のように構成されている間に、１つまたは複数のデータまたは制御フレームを生成し、アンテナを介して宛先デバイスへ送信することをさらに備える（ブロック７１２）。同様に、図２に例示されるアクセスポイント１１０またはアクセス端末１２０に関し、送信データプロセッサ２２０または２６０は、データソース２１５または２５５から受信されたデータに基づいて１つまたは複数のデータまたは制御フレームのためのデータシンボルを生成する。フレームビルダ２２２または２６２は、１つまたは複数のデータまたは制御フレームを生成する。送信プロセッサ２２４または２６４は、宛先デバイスへの送信のために１つまたは複数のデータまたは制御フレームを出力するためのインタフェースとして振る舞う。
【０１４６】
[00160]  方法７００は、アンテナが全方向性様式でまたは随意に宛先デバイスに向けられた指向性様式で受信するように構成されている間に、アンテナを介して宛先デバイスからの１つまたは複数のＡＣＫ、データ、またはＡＣＫおよびデータフレーム３７０を受信することをさらに備える（ブロック７１４）。この点について、図２に例示されるアクセスポイント１１０またはアクセス端末１２０に関し、受信プロセッサ２４２または２８２は、全方向性様式で信号を受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍをそれぞれ構成し得る。代替的に、受信プロセッサ２４２または２８２は、宛先デバイスに向けられた指向性様式で信号を受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍをそれぞれ構成し得る。
【０１４７】
[00161]  さらに、受信プロセッサ２４２または２８２、コントローラ２３４または２７４、および受信データプロセッサ２４４または２８４は、それぞれ、１つまたは複数のＡＣＫ、データ、またはＡＣＫおよびデータフレーム３７０を処理して１つまたは複数のＡＣＫ、データ、またはＡＣＫおよびデータフレーム３７０からデータを抽出するために一緒に動作する。データは、（例えば、それがＡＣＫタイプフレームであることを示すフレーム制御フィールド３６０におけるデータおよびＡＣＫフレーム３７０が送信元デバイスを対象とすることを示す受信機アドレスフィールド３６４におけるデータに基づいて）送信元デバイスに宛先デバイスが１つまたは複数のデータフレームを成功裏に受信したことを知らせ得る。
【０１４８】
[00162]  方法７００は、少なくとも１つのＲＴＳ−ＴＲＮフレーム３００またはＣＴＳ−ＴＲＮフレーム３５０の１つまたは複数の持続時間フィールド３１２または３６２において示される持続時間が満了しているか、またはもはや有効でないために、１つまたは複数の近隣デバイスがもはや通信していないことを送信元デバイスが決定した場合に、別の構成で送信するためにアンテナを再構成することをさらに備える（ブロック７１６）。そのような別の構成は、１つまたは複数の近隣デバイスにそれぞれ実質的に向けられた１つまたは複数の空白を必ずしも有さないアンテナ輻射パターンを生成するアンテナを含み得る。この点について、図２に例示されるアクセスポイント１１０またはアクセス端末１２０に関し、受信プロセッサ２２４または２６４は、アンテナの再構成を果たすためのアンテナ２３０−１乃至２３０−Ｎまたは２７０−１乃至２７０−Ｍを構成するようにトランシーバ２２６−１乃至２２６−Ｎまたは２６６−１乃至２６６−Ｍをそれぞれ構成し得る。
【０１４９】
[00163]  図８は、本開示のある特定の態様に従う、別のデバイスとワイヤレスに通信する別の例示的な方法８００のフロー図を例示する。方法８００は、第３のデバイス４３０のような、送信元デバイスからのＲＴＳ−ＴＲＮフレーム３００を受信することに応答してＣＴＳ−ＴＲＮフレーム３５０を送信する、第４のデバイス４４０のような、宛先デバイスによって実施され得る。例示的な方法８００によると、宛先デバイスは、１つまたは複数の近隣デバイスからの干渉を、そのような１つまたは複数の近隣デバイスからのＲＴＳ−ＴＲＮフレーム３００またはＣＴＳ−ＴＲＮフレーム３５０のうちの少なくとも１つを検出することで検出していた。
【０１５０】
[00164]  方法８００は、１つまたは複数の近隣デバイスからのＲＴＳ−ＴＲＮフレーム３００またはＣＴＳ−ＴＲＮフレーム３５０のうちの少なくとも１つをそれぞれ受信することによって潜在的な干渉を検出することを備える（ブロック８０２）。ＲＴＳ−ＴＲＮフレーム３００またはＣＴＳフレーム３５０のうちの少なくとも１つは、全方向性様式で受信するように構成されたアンテナを介して受信されていた可能性がある。この点について、図２に例示されるアクセスポイント１１０またはアクセス端末１２０に関し、受信プロセッサ２４２または２８２は、全方向性様式で信号を受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍをそれぞれ構成していた可能性がある。
【０１５１】
[00165]  さらに、この点について、受信プロセッサ２４２または２８２、コントローラ２３４または２７４、および受信データプロセッサ２４４または２８４は、それぞれ、受信されたＲＴＳ−ＴＲＮフレーム３００またはＣＴＳ−ＴＲＮフレームのうちの少なくとも１つを処理してＲＴＳ−ＴＲＮフレーム３００またはＣＴＳ−ＴＲＮフレーム３５０のうちの少なくとも１つからデータを抽出するために一緒に動作する。データは、（例えば、ＲＴＳ−ＴＲＮフレーム３００またはＣＴＳ−ＴＲＮフレーム３５０のうちの受信機アドレスフィールド３１４または３６４におけるデータに基づいて）宛先デバイスに、ＲＴＳ−ＴＲＮ３００またはＣＴＳ−ＴＲＮのうちの少なくとも１つが宛先デバイスを対象としないことを知らせる、それ故、１つまたは複数の近隣デバイスによる将来の通信は潜在的な干渉として扱われるべきである。加えて、ＲＴＳ−ＴＲＮフレーム３００またはＣＴＳ−ＴＲＮフレーム３５０のうちの少なくとも１つの持続時間フィールドにおけるデータは、１つまたは複数の近隣デバイスがどのくらい長く通信していることになるかについてのインジケーションを提供する。そのようなデータは、、近隣デバイスが持続時間情報に従って通信している限り、１つまたは複数の近隣デバイスに向けられた（１つまたは複数の）空白を有するアンテナ輻射パターンを維持するために使用される。
【０１５２】
[00166]  方法８００は、アンテナが全方向性様式で受信されるように構成されている間に、送信元デバイスからのＲＴＳ−ＴＲＮフレーム３００を受信することをさらに備える（ブロック８０４）。この点について、図２に例示されるアクセスポイント１１０またはアクセス端末１２０に関し、受信プロセッサ２４２または２８２、コントローラ２３４または２７４、および受信データプロセッサ２４４または２８４は、受信されたＲＴＳ−ＴＲＮフレーム３００を処理してＲＴＳ−ＴＲＮフレーム３００からデータを抽出するために一緒に動作する。データは、送信元デバイスのアイデンティティ（例えば、ＲＴＳ−ＴＲＮフレーム３００の送信機アドレスフィールド３１６におけるデータに基づく）と、送信元デバイスが宛先デバイスと通信することを所望すること（例えば、フレームは、ＲＴＳタイプフレームであることを示すフレーム制御フィールド３１０におけるデータに基づく）と、宛先デバイスがＲＴＳ−ＴＲＮフレーム３００のための意図された受信機であるということ（例えば、ＲＴＳ−ＴＲＮフレーム３００の受信機アドレスフィールド３１４におけるデータに基づく）とを宛先デバイスに知らせる。送信元デバイスと同様に、宛先デバイスは上で説明される表１に従って干渉低減に関する情報を整理し（organize）得る。
【０１５３】
[00167]  方法８００は、受信されたＲＴＳ−ＴＲＮフレーム３００またはＣＴＳ−ＴＲＮフレーム３５０のうちの少なくとも１つにおける少なくともビームトレーニングシーケンスに基づいて、少なくとも１つの近隣デバイスに実質的に向けられた少なくとも１つの空白を有するアンテナ輻射パターンを生成するようにそれのアンテナを構成することをさらに備える（ブロック８０６）。１つまたは複数の空白に加えて、アンテナは、送信元デバイスから受信されたＲＴＳ−ＴＲＮフレーム３００のビームトレーニングシーケンスに基づいて、送信元デバイスに実質的に向けられたプライマリローブを有するアンテナ輻射パターンを生成するように構成され得る。この点について、図２に例示されるアクセスポイント１１０またはアクセス端末１２０に関し、受信プロセッサ２２４または２６４は、アンテナ輻射パターンが前述の１つまたは複数の空白および随意のプライマリローブを含むようにしてアンテナ２３０−１乃至２３０−Ｎまたは２７０−１乃至２７０−Ｍに対する信号を生成するようにトランシーバ２２６−１乃至２２６−Ｎまたは２６６−１乃至２６６−Ｍをそれぞれ構成し得る。
【０１５４】
[00168]  方法８００は、アンテナがブロック８０６のように構成されている間に、ＣＴＳ−ＴＲＮフレーム３５０を生成し、アンテナを介して送信元デバイスに送信することをさらに備える（ブロック８０８）。この点について、図２に例示されるアクセスポイント１１０またはアクセス端末１２０に関し、送信データプロセッサ２２０または２６０は、データソース２１５または２５５から受信されたデータに基づいてＣＴＳ−ＴＲＮフレーム３５０のためのデータシンボルを生成する。フレームビルダ２２２または２６２は、ＣＴＳ−ＴＲＮフレーム３５０のＣＴＳ部分およびビームトレーニングシーケンスフィールド３６８におけるビームトレーニングシーケンスに関連付けられたデータシンボルを含むＣＴＳ−ＴＲＮフレーム３００を生成する。送信プロセッサ２２４または２６４は、送信元デバイスへの送信のためにＣＴＳ−ＴＲＮフレーム３５０を出力するためのインタフェースとして振る舞う。
【０１５５】
[00169]  方法８００は、アンテナがＲＴＳ−ＴＲＮフレーム３００を介して以前に受信されたビームトレーニングシーケンスに基づいて、全方向性様式でまたは随意に送信元デバイスに実質的に向けられた指向性様式で受信するように構成されている間に、アンテナを介して送信元デバイスからの１つまたは複数のデータまたは制御フレームを受信することをさらに備える（ブロック８１０）。この点について、図２に例示されるアクセスポイント１１０またはアクセス端末１２０に関し、受信プロセッサ２４２または２８２は、全方向性様式で信号を受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍをそれぞれ構成し得る。代替的に、受信プロセッサ２４２または２８２は、送信元デバイスに向けられた指向性様式で信号を受信するためのアンテナ２３０−１乃至２３０−Ｎまたは２７０−１乃至２７０−Ｍを構成するようにトランシーバ２２６−１乃至２２６−Ｎまたは２６６−１乃至２６６−Ｍをそれぞれ構成し得る。さらに、この点について、図２に例示されるアクセスポイント１１０またはアクセス端末１２０に関し、受信プロセッサ２４２または２８２、コントローラ２３４または２７２、および受信データプロセッサ２４４または２８２は、それぞれ、受信された１つまたは複数のデータまたは制御フレームを処理してそこから情報を抽出するために一緒に動作する。
【０１５６】
[00170]  方法８００は、アンテナがブロック８０６のように構成されている間に、１つまたは複数のＡＣＫ、データ、またはＡＣＫおよびデータフレーム３７０を生成し、アンテナを介して送信元デバイスへ送信することをさらに備える（ブロック８１２）。同様に、図２に例示されるアクセスポイント１１０またはアクセス端末１２０に関し、送信データプロセッサ２２０または２６０は、データソース２１５または２５５から受信されたデータに基づいて１つまたは複数のＡＣＫ、データ、またはＡＣＫおよびデータフレーム３７０のためのデータシンボルを生成する。フレームビルダ２２２または２６２は、１つまたは複数のＡＣＫ、データ、またはＡＣＫおよびデータフレーム３７０を生成する。送信プロセッサ２２４または２６４は、送信元デバイスへの送信のために１つまたは複数のＡＣＫ、データ、またはＡＣＫおよびデータフレーム３７０を出力するためのインタフェースとして振る舞う。
【０１５７】
[00171]  方法８００は、少なくとも１つのＲＴＳ−ＴＲＮフレーム３００またはＣＴＳ−ＴＲＮフレーム３５０の１つまたは複数の持続時間フィールド３１２または３６２において示される持続時間が満了しているか、またはもはや有効でないことに基づいて、１つまたは複数の近隣デバイスがもはや通信していないことを宛先デバイスが決定した場合に、別の構成で送信するためにアンテナを再構成することをさらに備える（ブロック８１４）。そのような別の構成は、１つまたは複数の近隣デバイスにそれぞれ実質的に向けられた１つまたは複数の空白を必ずしも有さないアンテナ輻射パターンを生成するアンテナを含み得る。この点について、図２に例示されるアクセスポイント１１０またはアクセス端末１２０に関し、受信プロセッサ２２４または２６４は、アンテナの再構成を果たすためのアンテナ２３０−１乃至２３０−Ｎまたは２７０−１乃至２７０−Ｍを構成するようにトランシーバ２２６−１乃至２２６−Ｎまたは２６６−１乃至２６６−Ｍをそれぞれ構成し得る。
【０１５８】
[00172]  図９は、本開示のある特定の態様に従う、例示的なデバイス９００を例示する。デバイス９００は、アクセスポイント（例えば、アクセスポイント１１０）またはアクセス端末（例えば、アクセス端末）において動作し、ここに記載される動作のうちの１つまたは複数を行うように構成され得る。デバイス９００は、処理システム９２０、および処理システム９２０に結合されるメモリ９１０を含む。メモリ９１０は、処理システム９２０によって実行されると、ここに記載される動作のうちの１つまたは複数を処理システム９２０に行わせる命令を記憶し得る。処理システム９２０の例示的な実施形態が以下に提供される。デバイス９００はまた、処理システム９２０に結合された送信／受信機インタフェース９３０を備える。インタフェース９３０（例えば、インタフェースバス）は、さらに以下に論じられるように、処理システム９２０を無線周波数（ＲＦ）フロントエンド（例えば、トランシーバ２２６−１乃至２２６−Ｎ、２６６−１乃至２２６−Ｍ）にインタフェースするように構成され得る。
【０１５９】
[00173]  ある特定の態様において、処理システム９２０は、以下のもの：送信データプロセッサ（例えば、送信データプロセッサ２２０または２６０）、フレームビルダ（例えば、フレームビルダ２２２または２６２）、送信プロセッサ（例えば、送信プロセッサ２２４または２６４）および／またはコントローラ（例えば、コントローラ２３４または２７４）のうちの１つまたは複数をここに記載された動作のうちの１つまたは複数を行うために含み得る。これら態様において、処理システム９２０はフレームを生成し、（例えば、アクセスポイントまたはアクセス端末への）ワイヤレス送信のためにインタフェース９３０を介してＲＦフロントエンド（例えば、トランシーバ２２６−１乃至２２６−Ｎまたは２６６−１乃至２６６−Ｍ）へフレームを出力し得る。
【０１６０】
[00174]  ある特定の態様において、処理システム９２０は、以下のもの：受信プロセッサ（例えば、受信プロセッサ２４２または２８２）、受信データプロセッサ、（例えば、受信データプロセッサ２４４まは２８４）および／またはコントローラ（例えば、コントローラ２３４および２７４）のうちの１つまたは複数をここに記載された動作のうちの１つまたは複数を行うために含み得る。これら態様において、処理システム９２０はインタフェース９３０を介してＲＦフロントエンド（例えば、トランシーバ２２６−１乃至２２６−Ｎまたは２６６−１乃至２６６−Ｍ）からフレームを受信し、このフレームを上で論じられた態様の任意の１つまたは複数に従って処理し得る。
【０１６１】
[00175]  アクセス端末１２０の事例において、デバイス９００は、処理システム９２０に結合されたユーザインタフェース９４０を含み得る。ユーザインタフェース９４０は、（例えば、キーパッド、マウス、ジョイスティック、等を介して）ユーザからのデータを受け取り、処理システム９２０にデータを提供するように構成され得る。ユーザインタフェース９４０はまた、処理システム９２０からのデータを（例えば、ディスプレイ、スピーカ、等を介して）ユーザに出力するように構成され得る。この事例において、データは、ユーザに出力される前に追加の処理を経験し得る。アクセスポイント１１０の事例において、ユーザインタフェース９４０は省略され得る。
【０１６２】
[00176]  上で説明された方法の様々な動作は、対応する機能を行うことが可能な任意の好適な手段によって行われ得る。この手段は、回路、特定用途向け集積回路（ＡＳＩＣ）、またはプロセッサを含むものの、それに限定されない様々なハードウェアおよび／またはソフトウェアの（１つまたは複数の）コンポーネントおよび／または（１つまたは複数の）モジュールを含み得る。一般に、図に例示された動作がある場合、それら動作は、対応する該当機能手段構成要素(corresponding counterpart means-plus-function components)を類似した番号付けで有し得る。
【０１６３】
[00177]  
[00178]  処理システム９２０およびフレームビルダ２２２および２６２は、各々、送信要求（ＲＴＳ）部分および第１のビームトレーニングシーケンスを含む第１のフレームを生成するための手段の例である。送信／受信インタフェース９３０および送信プロセッサ２２４および２６４は、各々、デバイスへの送信のために第１のフレームを出力するための手段の例である。送信／受信インタフェース９３０およびトランシーバ２２６−１乃至２２６−Ｎ並びに２６６−１乃至２６６−Ｍは、各々、指向性様式で第１のフレームを送信するようにアンテナを構成するための手段の例である。送信／受信インタフェース９３０、およびトランシーバ２２６−１乃至２２６−Ｎおよび２６６−１乃至２６６−Ｍは、各々、デバイスに実質的に向けられたプライマリローブを有するアンテナ輻射パターンで第１のフレームを送信するようにアンテナを構成するための手段の例である。
【０１６４】
[00179]  処理システム９２０、トランシーバ２２６−１乃至２２６−Ｎおよび２６６−１乃至２６６−Ｍ、受信プロセッサ２４２および２８２は、各々、第１のフレームを送信することに応答してデバイスからの第２のフレームを受信するための手段の例であり、ここにおいて、第２のフレームは、送信可（ＣＴＳ）部分および第２のビームトレーニングシーケンスを備える。処理システム９２０およびフレームビルダ２２２および２６２は、各々、第２のフレームを受信することに応答して１つまたは複数のデータフレームを生成するための手段の例である。送信／受信インタフェース９３０および送信プロセッサ２２４および２６４は、各々、デバイスへの送信のために１つまたは複数のデータフレームを出力するための手段の例である。
【０１６５】
[00180]  送信／受信インタフェース９３０、およびトランシーバ２２６−１乃至２２６−Ｎおよび２６６−１乃至２６６−Ｍは、各々、第２のビームトレーニングシーケンスに基づいてデバイスに実質的に向けられたプライマリローブを有するアンテナ輻射パターンで１つまたは複数のデータフレームを送信するようにアンテナを構成するための手段の例である。処理システム９２０、トランシーバ２２６−１乃至および２２６−Ｎおよび２６６−１乃至２６６−Ｍ、および受信プロセッサ２４２および２８２は、各々、１つまたは複数のデータフレームを送信することに応答してデバイスからの１つまたは複数の肯定応答（ＡＣＫ）フレームを受信するための手段の例である。送信／受信インタフェース９３０、およびトランシーバ２２６−１乃至２２６−Ｎおよび２６６−１乃至２６６−Ｍは、各々、第２のビームトレーニングシーケンスに基づいてデバイスに実質的に向けられたプライマリローブを有するアンテナ輻射パターンで１つまたは複数のＡＣＫフレーム３７０を受信するようにアンテナを構成するための手段の例である。
【０１６６】
[00181]  処理システム９２０およびフレームビルダ２６２は、各々、送信可（ＣＴＳ）部分および第１のビームトレーニングシーケンスを含む第１のフレームを生成するための手段の例である。送信／受信インタフェース９３０および送信プロセッサ２２４および２６４は、各々、デバイスへの送信のために第１のフレームを出力するための手段の例である。処理システム９２０、コントローラ２３４および２７４、およびフレームビルダ２６２は、各々、デバイスからの送信要求（ＲＴＳ）を受信することに応答して第１のフレームを生成するための手段の例である。
【０１６７】
[00182]  送信／受信インタフェース９３０およびトランシーバ２２６−１乃至２２６−Ｎ並びに２６６−１乃至２６６−Ｍは、各々、全方向性様式でＲＴＳフレームを受信するようにアンテナを構成するための手段の例である。処理システム９２０、コントローラ２３４および２７４、およびフレームビルダ２６２は、各々、送信要求（ＲＴＳ）部分および第２のビームトレーニングシーケンスを備える第２のフレームを受信することに応答して第１のフレームを生成するための手段の例である。送信／受信インタフェース９３０、コントローラ２３４および２７４、およびトランシーバ２２６−１乃至２２６−Ｎおよび２６６−１乃至２６６−Ｍは、各々、第１のフレームを送信することに応答してデバイスからの１つまたは複数のデータフレームを受信するための手段の例である。
【０１６８】
[00183]  送信／受信インタフェース９３０、コントローラ２３４および２７４、およびトランシーバ２２６−１乃至２２６−Ｎおよび２６６−１乃至２６６−Ｍは、各々、ＲＴＳ部分および第２のビームトレーニングシーケンスを備える第２のフレームに基づいてデバイスに実質的に向けられたプライマリローブを有するアンテナ輻射パターンで１つまたは複数のデータフレームを受信するようにアンテナを構成するための手段の例である。処理システム９２０およびフレームビルダ２６２は、各々、１つまたは複数のデータフレームを受信することに応答して１つまたは複数の肯定応答（ＡＣＫ）フレームを生成するための手段の例である。送信／受信インタフェース９３０および送信プロセッサ２２４および２６４は、各々、デバイスへの送信のために１つまたは複数のＡＣＫフレーム３７０を出力するための手段の例である。送信／受信インタフェース９３０、コントローラ２３４および２７４、並びにトランシーバ２２６−１乃至２２６−Ｎおよび２６６−１乃至２６６−Ｍは、各々、ＲＴＳ部分および第２のビームトレーニングシーケンスを備える第２のフレームに基づいてデバイスに実質的に向けられたプライマリローブを有するアンテナ輻射パターンで１つまたは複数のＡＣＫフレーム３７０を送信するようにアンテナを構成するための手段の例である。
【０１６９】
[00184]  処理システム９２０および受信プロセッサ２４２および２８２は、各々、第１のデバイスから第１の送信要求（ＲＴＳ）部分および第１のビームトレーニングシーケンスを備える第１のフレームを受信するための手段の例である。送信／受信インタフェース９３０、コントローラ２３４および２７４、並びにトランシーバ２２６−１乃至２２６−Ｎおよび２６６−１乃至２６６−Ｍは、各々、第１のビームトレーニングシーケンスに基づいて第１の構成にアンテナを構成するための手段の例である。処理システム９２０およびフレームビルダ２６２は、各々、第２のフレームを生成するための手段の例である。送信／受信インタフェース９３０および送信プロセッサ２２４および２６４は、各々、アンテナが第１の構成に構成されている間に、アンテナを介した第２のデバイスへの送信のために第２のフレームを出力するための手段の例である。
【０１７０】
[00185]  処理システム９２０およびコントローラ２３４および２７４は、各々、第１のデバイスが第１のフレームの第１のＲＴＳ部分に基づいて第３のデバイスとその間において通信していることになる持続時間を決定するための手段の例である。送信／受信インタフェース９３０、コントローラ２３４および２７４、並びにトランシーバ２２６−１乃至２２６−Ｎおよび２６６−１乃至２６６−Ｍは、各々、第１のデバイスが第３のデバイスともはや通信をしていないことを持続時間に基づいて決定することに応答してアンテナを第２の構成に再構成するための手段の例である。処理システム９２０およびフレームビルダ２６２は、各々、第３のフレームを生成するための手段の例である。送信／受信インタフェース９３０および送信プロセッサ２２４および２６４は、各々、アンテナが第２の構成に構成されている間に、アンテナを介した第２のデバイスへの送信のために第３のフレームを出力するための手段の例である。
【０１７１】
[00186]  処理システム９２０および受信プロセッサ２４２および２８２は、各々、第３のデバイスから送信可（ＣＴＳ）部分および第２のビームトレーニングシーケンスを含む第３のフレームを受信するための手段の例である。処理システム９２０およびコントローラ２３４および２７４は、各々、第１のデバイスが第１のフレームの第１のＲＴＳ部分または第３のフレームのＣＴＳ部分のうちの少なくとも１つに基づいて第３のデバイスとその間において通信していることになる持続時間を決定するための手段の例である。送信／受信インタフェース９３０、コントローラ２３４および２７４、並びにトランシーバ２２６−１乃至２２６−Ｎおよび２６６−１乃至２６６−Ｍは、各々、第１のデバイスが第３のデバイスともはや通信していないことを持続時間に基づいて決定することに応答してアンテナを第２の構成に再構成するための手段の例である。処理システム９２０およびフレームビルダ２６２は、各々、第３のフレームを生成するための手段の例である。送信／受信インタフェース９３０および送信プロセッサ２２４および２６４は、各々、アンテナが第２の構成に構成されている間に、アンテナを介した第２のデバイスへの送信のために第３のフレームを出力するための手段の例である。
【０１７２】
[00187]  処理システム９２０および受信プロセッサ２４２および２８２は、各々、第１のデバイスから第１の送信可（ＣＴＳ）部分および第１のビームトレーニングシーケンスを備える第１のフレームを受信するための手段の例である。送信／受信インタフェース９３０、コントローラ２３４および２７４、並びにトランシーバ２２６−１乃至２２６−Ｎおよび２６６−１乃至２６６−Ｍは、各々、第１のビームトレーニングシーケンスに基づいて第１の構成にアンテナを構成するための手段の例である。処理システム９２０およびフレームビルダ２６２は、各々、第２のフレームを生成するための手段の例である。送信／受信インタフェース９３０および送信プロセッサ２２４および２６４は、各々、アンテナが第１の構成に構成されている間に、アンテナを介した第２のデバイスへの送信のために第２のフレームを出力するための手段の例である。
【０１７３】
[00188]  処理システム９２０およびコントローラ２３４および２７４は、各々、第１のデバイスが、第１のフレームの第１のＣＴＳ部分に基づいて第３のデバイスとその間において通信していることになる持続時間を決定するための手段の例である。送信／受信インタフェース９３０、コントローラ２３４および２７４、並びにトランシーバ２２６−１乃至２２６−Ｎおよび２６６−１乃至２６６−Ｍは、各々、第１のデバイスが第３のデバイスともはや通信をしていないことを持続時間に基づいて決定することに応答してアンテナを第２の構成に再構成するための手段の例である。処理システム９２０およびフレームビルダ２６２は、各々、第３のフレームを生成するための手段の例である。送信／受信インタフェース９３０および送信プロセッサ２２４および２６４は、各々、アンテナが第２の構成に構成されている間に、アンテナを介した第２のデバイスへの送信のために第３のフレームを出力するための手段の例である。
【０１７４】
[00189]  いくつかのケースでは、フレームを実際に送信するのでなく、デバイスが送信のためにフレームを出力するためのインタフェース（出力するための手段）を有し得る。例えば、プロセッサは送信のために無線周波数（ＲＦ）フロントエンドへ、バスインタフェースを介して、フレームを出力し得る。同様に、フレームを実際に受信するのでなく、デバイスが別のデバイスから受信されたフレームを取得するためのインタフェース（取得するための手段）を有し得る。例えば、プロセッサが、受信のためにＲＦフロントエンドから、バスインタフェースを介して、フレームを取得（または受信）し得る。
【０１７５】
[00190]  ここで使用されるように、「決定すること」という用語は、様々なアクションを包含する。例えば、「決定すること」は、算出すること、計算すること、処理すること、導出すること、調査すること、ルックアップすること（例えば、テーブル、データベースまたは別のデータ構造においてルックアップすること）、確かめること、などを含み得る。また、「決定すること」は、受信すること（例えば、情報を受信すること）、アクセスすること（例えば、メモリ内のデータにアクセスすること）、などを含み得る。また、「決定すること」は、解決すること、選択すること、選ぶこと、確立すること、などを含み得る。
【０１７６】
[00191]  ここで使用される場合、項目のリスト「のうちの少なくとも１つ」という表現は、単一の構成要素（members）を含む、それらの項目の任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、並びに同一の要素の重複を有する任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃのその他任意の順序）をカバーするように意図される。
【０１７７】
[00192]  本開示に関連して説明された、様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理回路、個別ハードウェアコンポーネント、またはここで説明された機能を行うように設計されたこれらの任意の組合せで実施され得または行われ得る。汎用プロセッサは、マイクロプロセッサであり得るが、代替的に、このプロセッサは、任意の商業的に利用可能なプロセッサ、コントローラ、マイクロコントローラ、または状態マシンであり得る。プロセッサはまた、コンピューティングデバイスの組合せ、例えば、ＤＳＰとマイクロプロセッサの組合せ、複数のマイクロプロセッサ、ＤＳＰコアと連携した１つまたは複数のマイクロプロセッサ、あるいはその他任意のこのような構成として実施され得る。
【０１７８】
[00193]  本開示に関連して説明されたアルゴリズムまたは方法のステップは、直接ハードウェアにおいて、プロセッサによって実行されるソフトウェアモジュールにおいて、またはこれら２つの組合せにおいて、具現化され得る。ソフトウェアモジュールは、当該技術分野で知られている任意の形態の記憶媒体において存在し得る。使用され得る記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ等を含む。ソフトウェアモジュールは、単一の命令または多くの命令を備え得、いくつかの異なるコードセグメントにわたり、異なるプログラム間で、および複数の記憶媒体にわたって、分配され得る。記憶媒体は、プロセッサが記憶媒体から情報を読み取ることができるように、および記憶媒体に情報を書き込むことができるように、プロセッサに結合され得る。代替的には、記憶媒体は、プロセッサと一体化され得る。
【０１７９】
[00194]  ここに開示された方法は、説明された方法を達成するための１つまたは複数のステップまたは動作を備える。方法のステップおよび／またはアクションは、特許請求の範囲から逸脱することなく互いに置き換えられ得る。言い換えれば、ステップまたはアクションの特定の順序が明記されない限り、特定のステップおよび／またはアクションの順序および／または使用は、特許請求の範囲から逸脱することなく修正され得る。
【０１８０】
[00195]  説明された機能は、ハードウェア、ソフトウェア、ファームウェア、またはこれらの任意の組合せで実施され得る。ハードウェアで実施される場合、例示的なハードウェア構成は、ワイヤレスノードにおける処理システムを備え得る。処理システムは、バスアーキテクチャで実施され得る。バスは、処理システムの特定のアプリケーションおよび全設計制約に依存して、あらゆる数の相互接続するバスおよびブリッジを含み得る。バスは、プロセッサ、機械読取り可能媒体、およびバスインタフェースを含む様々な回路を互いにリンクさせ得る。バスインタフェースは、特に、バスを介して処理システムにネットワークアダプタを接続するために使用され得る。ネットワークアダプタは、ＰＨＹレイヤの信号処理機能を実施するために使用され得る。アクセス端末１２０（図１を参照）の事例において、ユーザインタフェース（例えば、キーパッド、ディスプレイ、マウス、ジョイスティック、等）もまた、バスに接続され得る。バスはまた、タイミングソース、周辺機器、電圧レギュレータ、電力管理回路、などの、様々な他の回路をリンクし得、これらは、当該技術分野において周知であり、それ故、これ以上は説明されない。
【０１８１】
[00196]  プロセッサは、バスの管理と、機械読取り可能媒体上に記憶されたソフトウェアの実行を含む、汎用処理とを担い得る。プロセッサは、１つまたは複数の汎用および／または専用プロセッサで実施され得る。例は、マイクロプロセッサ、マイクロコントローラ、ＤＳＰプロセッサ、およびソフトウェアを実行できるその他の回路を含む。ソフトウェアは、ソフトウェア、ファームウェア、ミドルウェア、マイクロコード、ハードウェア記述言語、またはその他の方法で呼ばれるかにかかわらず、命令、データ、またはこれらの任意の組合せを意味するように広く解釈されるべきである。機械読取り可能媒体は、例として、ＲＡＭ（ランダムアクセスメモリ）、フラッシュメモリ、ＲＯＭ（読み取り専用メモリ）、ＰＲＯＭ（プログラマブル読み取り専用メモリ）、ＥＰＲＯＭ（消去可能なプログラマブル読み取り専用メモリ）、ＥＥＰＲＯＭ（電気的に消去可能なプログラマブル読み取り専用メモリ）、レジスタ、磁気ディスク、光学ディスク、ハードドライブ、またはあらゆる他の好適な記憶媒体、あるいはそれらの任意の組合せを含み得る。機械読取り可能媒体は、コンピュータプログラム製品において具現化され得る。コンピュータプログラム製品は、パッケージング材料を備え得る。
【０１８２】
[00197]  ハードウェア実施形態において、機械読取り可能媒体は、プロセッサとは別個の処理システムの一部であり得る。しかしながら、当業者が容易に理解するであろうように、機械読取り可能媒体、またはその任意の部分は、処理システムの外部にあり得る。例として、機械読取り可能媒体は、伝送回線、データによって変調されたキャリア波、および／またはワイヤレスノードとは別個のコンピュータ製品を含み得、それら全てが、バスインタフェースを通じてプロセッサによってアクセスされ得る。代替的に、または加えて、機械読取り可能媒体、またはそのいずれかの部分は、キャッシュおよび／または汎用レジスタファイルを場合によっては有するような、プロセッサに組み込まれ得る。
【０１８３】
[00198]  処理システムは、プロセッサ機能を提供する１つまたは複数のマイクロプロセッサと、機械読取り可能媒体の少なくとも一部を提供する外部メモリとを有する汎用処理システムとして構成され得、全てが外部バスアーキテクチャを通じて他のサポート回路と共にリンクされている。代替的に、処理システムは、プロセッサと、バスインタフェースと、アクセス端末の場合はユーザインタフェースと、サポート回路と、単一チップに組み込まれた機械読取り可能媒体の少なくとも一部とを有するＡＳＩＣ（特定用途向け集積回路）で、または、１つまたは複数のＦＰＧＡ（フィールドプログラマブルゲートアレイ）、ＰＬＤ（プログラマブル論理デバイス）、コントローラ、ステートマシン、ゲート論理、個別ハードウェアコンポーネント、またはその他任意の好適な回路、または本開示の全体にわたって説明された様々な機能を行うことができる回路の任意の組合せで、実施され得る。当業者は、特定のアプリケーションおよびシステム全体に課された全設計制約に依存して、処理システムについて説明された機能をどのように実施することが最善かを認識するであろう。
【０１８４】
[00199]  機械読取り可能媒体は、多数のソフトウェアモジュールを備え得る。これらソフトウェアモジュールは、プロセッサによって実行されると、処理システムに様々な機能を行わせる命令を含む。これらソフトウェアモジュールは、送信モジュールおよび受信モジュールを含み得る。各ソフトウェアモジュールは、単一の記憶デバイスにおいて存在し得るか、または複数の記憶デバイスにわたって分散され得る。例として、ソフトウェアモジュールは、トリガリングイベントが生じたときに、ハードドライブからＲＡＭにロードされ得る。ソフトウェアモジュールの実行中、プロセッサは、アクセス速度を上げるために、命令のうちのいくつかをキャッシュにロードし得る。その次に、１つまたは複数のキャッシュラインが、プロセッサによる実行のために汎用レジスタファイルにロードされ得る。下記でソフトウェアモジュールの機能に言及するとき、そのような機能は、そのソフトウェアモジュールからの命令を実行するとき、プロセッサによって実施されるということが理解されるであろう。
【０１８５】
[00200]  ソフトウェアで実施される場合、これら機能は、コンピュータ読取り可能媒体上で、１つまたは複数の命令またはコードとして送信または記憶され得る。コンピュータ読取り可能媒体は、１つの場所から別の場所へのコンピュータプログラムの転送を容易にする任意の媒体を含む通信媒体とコンピュータ記憶媒体との両方を含む。記憶媒体は、コンピュータによってアクセスされることができる任意の利用可能な媒体であり得る。限定ではなく例として、このようなコンピュータ読取り可能媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは、データ構造または命令の形式で所望のプログラムコードを記憶または搬送するために使用されることができ、かつ、コンピュータによってアクセスされることができるその他任意の媒体を備えることができる。また、任意の接続は、コンピュータ読取り可能媒体と厳密には称され得る。例えば、ソフトウェアが、ウェブサイト、サーバ、または、同軸ケーブル、光ファイバケーブル、ツイストペア、デジタル加入者線（「ＤＳＬ」）、または、赤外線（ＩＲ）や、無線や、マイクロ波のようなワイヤレス技術を使用する他の遠隔ソースから送信される場合、同軸ケーブル、光ファイバケーブル、ツイストペア、ＤＳＬ、または、赤外線、無線、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は、通常磁気的にデータを再生し、一方で、ディスク（discs）は、レーザーで光学的にデータを再生する。このように、いくつかの態様では、コンピュータ読取り可能媒体は、非一時的なコンピュータ読取り可能媒体（例えば、有形媒体）を備え得る。加えて、他の態様に関して、コンピュータ読取り可能媒体は、一時的なコンピュータ読取り可能媒体（例えば、信号）を備え得る。上記の組合せもまた、コンピュータ読取可能な媒体の範囲内に含まれるべきである。
【０１８６】
[00201]  このように、ある特定の態様は、ここで提示された動作を行うためのコンピュータプログラム製品を備え得る。例えば、このようなコンピュータプログラム製品は、その上に命令が記憶された（および／またはエンコードされた）コンピュータ読取り可能媒体を備え得、これら命令は、ここで説明された動作を行うために１つまたは複数のプロセッサによって実行可能である。ある特定の態様において、コンピュータプログラム製品はパッケージング材料を含み得る。
【０１８７】
[00202]  さらに、ここで説明された方法および技法を行うためのモジュールおよび／または他の適切な手段は、適宜、アクセス端末および／または基地局によって、ダウンロードされることができること、および／または、別の方法で取得されることができることが理解されるべきである。例えば、このようなデバイスは、ここで説明された方法を行うための手段の転送を容易にするためにサーバに結合されることができる。代替的に、ここで説明された様々な方法は、アクセス端末および／または基地局が、デバイスに記憶手段を結合または提供する際に、様々な方法を得ることができるように、記憶手段（例えば、ＲＡＭ、ＲＯＭ、コンパクトディスク（ＣＤ）またはフロッピーディスクのような物理記憶媒体、等）を介して提供されることができる。さらに、ここで説明された方法および技法をデバイスに提供するためのその他任意の好適な技法が、利用されることができる。
【０１８８】
[00203]  特許請求の範囲は、上記に例示された厳密な構成およびコンポーネントに限定されないことが理解されるべきである。様々な修正、変更、および変形が、上記に説明された方法および装置の配置、動作および詳細において、特許請求の範囲から逸脱することなく行われ得る。
【図１】
2019502318.tif 000004
【図２】
2019502318.tif 000005
【図３Ａ】
2019502318.tif 000006
【図３Ｂ】
2019502318.tif 000007
【図３Ｃ】
2019502318.tif 000008
【図３Ｄ】
2019502318.tif 000009
【図３Ｅ】
2019502318.tif 000010
【図４Ａ】
2019502318.tif 000011
【図４Ｂ】
2019502318.tif 000012
【図４Ｃ】
2019502318.tif 000013
【図４Ｄ】
2019502318.tif 000014
【図４Ｅ】
2019502318.tif 000015
【図４Ｆ】
2019502318.tif 000016
【図５】
2019502318.tif 000017
【図６】
2019502318.tif 000018
【図７】
2019502318.tif 000019
【図８】
2019502318.tif 000020
【図９】
2019502318.tif 000021
【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
持続時間フィールド、受信機アドレスフィールド、および第１のビームトレーニングシーケンスを含む第１のフレームを生成するように構成された処理システム、ここにおいて、前記持続時間フィールドは、通信媒体がデバイスと通信するために使用されることになる推定持続時間を示す情報を含み、前記受信機アドレスフィールドは、前記デバイスを識別する情報を含む、と、
前記デバイスへの送信のために前記第１のフレームを出力するように構成されたインタフェースと
を備える、装置。
【請求項２】
前記第１のフレームは、送信要求（ＲＴＳ）部分を備える、請求項１に記載の装置。
【請求項３】
前記処理システムは、前記デバイスに実質的に向けられたプライマリローブを有するアンテナ輻射パターンで前記第１のフレームを送信するためのアンテナを構成するようにさらに構成される、請求項１に記載の装置。
【請求項４】
前記処理システムは、前記デバイスからの第２のフレームを受信するようにさらに構成され、前記第２のフレームは、送信可（ＣＴＳ）部分および第２のビームトレーニングシーケンスを備える、請求項１に記載の装置。
【請求項５】
前記処理システムは、前記第２のフレームを受信することに応答してデータまたは制御フレームのうちの少なくとも１つを生成するようにさらに構成され、前記インタフェースは、前記デバイスへの送信のために前記データまたは制御フレームのうちの前記少なくとも１つを出力するようにさらに構成される、請求項４に記載の装置。
【請求項６】
前記処理システムは、前記第２のビームトレーニングシーケンスに基づいて、前記デバイスに実質的に向けられたプライマリローブを有するアンテナ輻射パターンで前記データまたは制御フレームのうちの少なくとも１つを送信、受信、または送信および受信するためのアンテナを構成するようにさらに構成される、請求項４に記載の装置。
【請求項７】
前記処理システムは、前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するようにさらに構成される、請求項５に記載の装置。
【請求項８】
前記処理システムは、前記第２のビームトレーニングシーケンスに基づいて、前記デバイスに実質的に向けられたプライマリローブを有するアンテナ輻射パターンで前記ＡＣＫ、データ、またはＡＣＫおよびデータフレームのうちの前記少なくとも１つを受信するためのアンテナを構成するようにさらに構成される、請求項７に記載の装置。
【請求項９】
前記推定持続時間は、前記デバイスへ送信される１つまたは複数のデータフレームの推定持続時間を含む、請求項１に記載の装置。
【請求項１０】
前記インタフェースは、シングルキャリアを介したミリ波スペクトルで、またはＩＥＥＥ８０２．１１ａｄ、８０２．１１ａｙ、または８０２．１１ａｊプロトコルに従って、前記第１のフレームを送信するように構成される、請求項１に記載の装置。
【請求項１１】
ワイヤレス通信のための方法であって、
持続時間フィールド、受信機アドレスフィールド、および第１のビームトレーニングシーケンスを含む第１のフレームを生成すること、ここにおいて、前記持続時間フィールドは、通信媒体がデバイスと通信するために使用されることになる推定持続時間を示す情報を含み、前記受信機アドレスフィールドは、前記デバイスを識別する情報を含む、と、
前記デバイスへの送信のために前記第１のフレームを出力することと
を備える、方法。
【請求項１２】
前記第１のフレームは、送信要求（ＲＴＳ）部分を備える、請求項１１に記載の方法。
【請求項１３】
前記デバイスに実質的に向けられたプライマリローブを有するアンテナ輻射パターンで前記第１のフレームを送信するためのアンテナを構成することをさらに備える、請求項１１に記載の方法。
【請求項１４】
前記第１のフレームを送信することに応答して前記デバイスからの第２のフレームを受信することをさらに備え、ここにおいて、前記第２のフレームは、送信可（ＣＴＳ）部分および第２のビームトレーニングシーケンスを備える、請求項１１に記載の方法。
【請求項１５】
前記第２のフレームを受信することに応答してデータまたは制御フレームのうちの少なくとも１つを生成することと、
前記デバイスへの送信のために前記データまたは制御フレームのうちの前記少なくとも１つを出力することと
をさらに備える、請求項１４に記載の方法。
【請求項１６】
前記第２のビームトレーニングシーケンスに基づいて、前記デバイスに実質的に向けられたプライマリローブを有するアンテナ輻射パターンで前記データまたは制御フレームのうちの少なくとも１つを送信、受信、または送信および受信するためのアンテナを構成すること
をさらに備える、請求項１４に記載の方法。
【請求項１７】
前記データまたは制御フレームのうちの前記少なくとも１つの前記送信の後に、前記デバイスから肯定応答（ＡＣＫ）、データ、またはＡＣＫおよびデータフレームのうちの少なくとも１つを受信すること
をさらに備える、請求項１５に記載の方法。
【請求項１８】
前記第２のビームトレーニングシーケンスに基づいて、前記デバイスに実質的に向けられたプライマリローブを有するアンテナ輻射パターンで前記ＡＣＫ、データ、またはＡＣＫおよびデータフレームのうちの前記少なくとも１つを受信するためのアンテナを構成すること
をさらに備える、請求項１７に記載の方法。
【請求項１９】
前記推定持続時間は、前記デバイスへ送信される１つまたは複数のデータフレームの推定持続時間を含む、請求項１１に記載の方法。
【請求項２０】
前記第１のフレームを出力することは、シングルキャリアを介したミリ波スペクトルでの、またはＩＥＥＥ８０２．１１ａｄ、８０２．１１ａｙ、または８０２．１１ａｊプロトコルに従う、送信のために前記第１のフレームを出力することを備える、請求項１１に記載の方法。
【請求項２１】
ワイヤレス通信のための装置であって、
持続時間フィールド、受信機アドレスフィールド、および第１のビームトレーニングシーケンスを含む第１のフレームを生成するための手段、ここにおいて、前記持続時間フィールドは、通信媒体がデバイスと通信するために使用されることになる推定持続時間を示す情報を含み、前記受信機アドレスフィールドは、前記デバイスを識別する情報を含む、と、
前記デバイスへの送信のために前記第１のフレームを出力するための手段と
を備える、装置。
【請求項２２】
前記第１のフレームは、送信要求（ＲＴＳ）部分を備える、請求項２１に記載の装置。
【請求項２３】
前記デバイスに実質的に向けられたプライマリローブを有するアンテナ輻射パターンで前記第１のフレームを送信するためのアンテナを構成するための手段をさらに備える、請求項２１に記載の装置。
【請求項２４】
前記第１のフレームを送信することに応答して、前記デバイスから第２のフレームを受信するための手段をさらに備え、ここにおいて、前記第２のフレームは、送信可（ＣＴＳ）部分および第２のビームトレーニングシーケンスを備える、請求項１７に記載の装置。
【請求項２５】
前記第２のフレームを受信することに応答して、データまたは制御フレームのうちの少なくとも１つを生成するための手段と、
前記デバイスへの送信のために前記データまたは制御フレームのうちの前記少なくとも１つを出力するための手段と
をさらに備える、請求項２４に記載の装置。
【請求項２６】
前記第２のビームトレーニングシーケンスに基づいて、前記デバイスに実質的に向けられたプライマリローブを有するアンテナ送信輻射パターンで前記データまたは制御フレームのうちの少なくとも１つを送信、受信、または送信および受信するためのアンテナを構成するための手段をさらに備える、請求項２４に記載の装置。
【請求項２７】
前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するための手段をさらに備える、請求項２５に記載の装置。
【請求項２８】
前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成するための手段をさらに備える、請求項２７に記載の装置。
【請求項２９】
前記推定持続時間は、前記デバイスへ送信される１つまたは複数のデータフレームの推定持続時間を含む、請求項２１に記載の装置。
【請求項３０】
出力するための前記手段は、シングルキャリアを介したミリ波スペクトルでの、またはＩＥＥＥ８０２．１１ａｄ、８０２．１１ａｙ、または８０２．１１ａｊプロトコルに従う、送信のために前記第１のフレームを出力するための手段を備える、請求項２１に記載の装置。
【請求項３１】
コンピュータ読取り可能媒体であって、
持続時間フィールド、受信機アドレスフィールド、およびビームトレーニングシーケンスを含むフレームを生成すること、ここにおいて、前記持続時間フィールドは、通信媒体がデバイスと通信するために使用されることになる推定持続時間を示す情報を含み、前記受信機アドレスフィールドは、前記デバイスを識別する情報を含む、と、
前記デバイスへの送信のために前記フレームを出力することと
を行うための命令を記憶したコンピュータ読取り可能媒体。
【請求項３２】
ワイヤレスノードであって、
少なくとも１つのアンテナと、
持続時間フィールド、受信機アドレスフィールド、およびビームトレーニングシーケンスを含むフレームを生成すること、ここにおいて、前記持続時間フィールドは、通信媒体がデバイスと通信するために使用されることになる推定持続時間を示す情報を含み、前記受信機アドレスフィールドは、前記デバイスを識別する情報を含む、
を行うように構成された処理システムと、
前記少なくとも１つのアンテナを介した前記デバイスへの送信のために前記フレームを出力するように構成されたインタフェースと
を備える、ワイヤレスノード。
【請求項３３】
ワイヤレス通信のための装置であって、
送信可（ＣＴＳ）部分および第１のビームトレーニングシーケンスを含む第１のフレームを生成するように構成された処理システム、前記ＣＴＳ部分は、フレーム制御フィールド、持続時間フィールド、受信機アドレスフィールド、およびフレームチェックシーケンスを含む、と、
デバイスへの送信のために前記第１のフレームを出力するように構成されたインタフェースと
を備える、装置。
【請求項３４】
前記処理システムは、前記デバイスから送信要求（ＲＴＳ）フレームを受信するようにさらに構成され、前記処理システムは、前記ＲＴＳフレームを受信することに応答して、前記第１のフレームを生成するようにさらに構成される、請求項３３に記載の装置。
【請求項３５】
前記処理システムは、全方向性様式で前記ＲＴＳフレームを受信するためのアンテナを構成するようにさらに構成される、請求項３４に記載の装置。
【請求項３６】
前記処理システムは、前記デバイスから送信要求（ＲＴＳ）部分および第２のビームトレーニングシーケンスを備える第２のフレームを受信するようにさらに構成され、前記処理システムは、前記第２のフレームを受信することに応答して、前記第１のフレームを生成するようにさらに構成される、請求項３３に記載の装置。
【請求項３７】
前記処理システムは、全方向性様式で前記第２のフレームを受信するためのアンテナを構成するようにさらに構成される、請求項３６に記載の装置。
【請求項３８】
前記処理システムは、前記第２のビームトレーニングシーケンスに基づいて、前記デバイスに実質的に向けられたプライマリローブを有するアンテナ輻射パターンで、前記第１のフレームを送信するためのアンテナを構成するようにさらに構成される、請求項３６に記載の装置。
【請求項３９】
前記処理システムは、前記第１のフレームの前記送信の後に、前記デバイスから、データまたは制御フレームのうちの少なくとも１つを受信するようにさらに構成される、請求項３３に記載の装置。
【請求項４０】
前記処理システムは、前記デバイスからＲＴＳ部分および第２のビームトレーニングシーケンスを備える第２のフレームを受信するようにさらに構成され、前記処理システムは、前記第２のビームトレーニングシーケンスに基づいて、前記データまたは制御フレームのうちの前記少なくとも１つを受信するためのアンテナを構成するようにさらに構成される、請求項３９に記載の装置。
【請求項４１】
前記処理システムは、前記データまたは制御フレームのうちの前記少なくとも１つを受信することに応答して、肯定応答（ＡＣＫ）、データ、またはＡＣＫおよびデータフレームのうちの少なくとも１つを生成するようにさらに構成され、前記インタフェースは、前記デバイスへの送信のために前記ＡＣＫ、データ、またはＡＣＫおよびデータフレームのうちの前記少なくとも１つを出力するように構成される、請求項３９に記載の装置。
【請求項４２】
前記処理システムは、前記デバイスからＲＴＳ部分および第２のビームトレーニングシーケンスを備える第２のフレームを受信するようにさらに構成され、前記処理システムは、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するようにさらに構成される、請求項４１に記載の装置。
【請求項４３】
ワイヤレス通信のための方法であって、
送信可（ＣＴＳ）部分および第１のビームトレーニングシーケンスを含む第１のフレームを生成すること、前記ＣＴＳ部分は、フレーム制御フィールド、持続時間フィールド、受信機アドレスフィールド、およびフレームチェックシーケンスを含む、と、
デバイスへの送信のために前記第１のフレームを出力することと
を備える、方法。
【請求項４４】
前記デバイスから送信要求（ＲＴＳ）を受信することをさらに備え、ここにおいて、前記第１のフレームを生成することは、前記ＲＴＳフレームを受信することに応答するものである、請求項４３に記載の方法。
【請求項４５】
全方向性様式で前記ＲＴＳフレームを受信するためのアンテナを構成することをさらに備える、請求項４４に記載の方法。
【請求項４６】
前記デバイスから送信要求（ＲＴＳ）部分および第２のビームトレーニングシーケンスを備える第２のフレームを受信することをさらに備え、ここにおいて、前記第１のフレームを生成することは、前記第２のフレームを受信することに応答するものである、請求項４３に記載の方法。
【請求項４７】
全方向性様式で前記第２のフレームを受信するためのアンテナを構成することをさらに備える、請求項４６に記載の方法。
【請求項４８】
前記第２のビームトレーニングシーケンスに基づいて、前記デバイスに実質的に向けられたプライマリローブを有するアンテナ輻射パターンで前記第１のフレームを送信するためのアンテナを構成することをさらに備える、請求項４６に記載の方法。
【請求項４９】
前記第１のフレームの前記送信の後に、前記デバイスからデータまたは制御フレームのうちの少なくとも１つを受信することとをさらに備える、請求項４３に記載の方法。
【請求項５０】
前記デバイスからＲＴＳ部分と第２のビームトレーニングシーケンスを備える第２のフレームを受信することと、前記第２のビームトレーニングシーケンスに基づいて、前記データまたは制御フレームのうちの前記少なくとも１つを受信するためのアンテナを構成することとをさらに備える、請求項４９に記載の方法。
【請求項５１】
前記データまたは制御フレームのうちの前記少なくとも１つを受信することに応答して肯定応答（ＡＣＫ）、データ、またはＡＣＫおよびデータフレームのうちの少なくとも１つを生成することと、
前記デバイスへの送信のために前記ＡＣＫ、データ、またはＡＣＫおよびデータフレームのうちの前記少なくとも１つを出力することと
をさらに備える、請求項４９に記載の方法。
【請求項５２】
前記デバイスからＲＴＳ部分と第２のビームトレーニングシーケンスを備える第２のフレームを受信することと、前記第２のビームトレーニングシーケンスに基づいて、前記デバイスに実質的に向けられたプライマリローブを有するアンテナ輻射パターンで前記ＡＣＫ、データ、またはＡＣＫおよびデータフレームのうちの前記少なくとも１つを送信するためのアンテナを構成することとをさらに備える、請求項５１に記載の方法。
【請求項５３】
ワイヤレス通信のための装置であって、
送信可（ＣＴＳ）部分および第１のビームトレーニングシーケンスを含む第１のフレームを生成するための手段、前記ＣＴＳ部分は、フレーム制御フィールド、持続時間フィールド、受信機アドレスフィールド、およびフレームチェックシーケンスを含む、と、
デバイスへの送信のために前記第１のフレームを出力するための手段と
を備える、装置。
【請求項５４】
前記デバイスから送信要求（ＲＴＳ）を受信するための手段をさらに備え、ここにおいて、前記第１のフレームを生成するための前記手段は、前記ＲＴＳフレームを受信することに応答して、前記第１のフレームを生成するための手段を備える、請求項５３に記載の装置。
【請求項５５】
全方向性様式で前記ＲＴＳフレームを受信するためのアンテナを構成するための手段をさらに備える、請求項５４に記載の装置。
【請求項５６】
前記デバイスから送信要求（ＲＴＳ）部分および第２のビームトレーニングシーケンスを備える第２のフレームを受信するための手段をさらに備え、ここにおいて、前記第１のフレームを生成するための前記手段は、前記第２のフレームを受信することに応答して、前記第１のフレームを生成するための手段を備える、請求項５３に記載の装置。
【請求項５７】
全方向性様式で前記第２のフレームを受信するためのアンテナを構成するための手段をさらに備える、請求項５６に記載の装置。
【請求項５８】
前記第２のビームトレーニングシーケンスに基づいて、前記デバイスに実質的に向けられたプライマリローブを有するアンテナ輻射パターンで前記第１のフレームを送信するためのアンテナを構成するための手段をさらに備える、請求項５６に記載の装置。
【請求項５９】
前記第１のフレームの前記送信の後に、前記デバイスからデータまたは制御フレームのうちの少なくとも１つを受信するための手段をさらに備える、請求項５３に記載の装置。
【請求項６０】
前記デバイスからＲＴＳ部分と第２のビームトレーニングシーケンスを備える第２のフレームを受信するための手段と、前記第２のビームトレーニングシーケンスに基づいて、データまたは制御フレームのうちの前記少なくとも１つを受信するためのアンテナを構成するための手段をさらに備える、請求項５９に記載の装置。
【請求項６１】
前記データまたは制御フレームのうちの前記少なくとも１つを受信することに応答して、肯定応答（ＡＣＫ）、データ、またはＡＣＫおよびデータフレームのうちの少なくとも１つを生成するための手段と、
前記デバイスへの送信のために前記ＡＣＫ、データ、またはＡＣＫおよびデータフレームのうちの前記少なくとも１つを出力するための手段と
をさらに備える、請求項５９に記載の装置。
【請求項６２】
前記デバイスからＲＴＳ部分と第２のビームトレーニングシーケンスを備える第２のフレームを受信するための手段と、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するための手段とをさらに備える、請求項６１に記載の装置。
【請求項６３】
コンピュータ読取り可能媒体であって、
送信可（ＣＴＳ）部分およびビームトレーニングシーケンスを含むフレームを生成すること、前記ＣＴＳ部分は、フレーム制御フィールド、持続時間フィールド、受信機アドレスフィールド、およびフレームチェックシーケンスを含む、と、
デバイスへの送信のために前記フレームを出力することと
を行うための命令を記憶したコンピュータ読取り可能媒体。
【請求項６４】
ワイヤレスノードであって、
少なくとも１つのアンテナと、
送信可（ＣＴＳ）部分およびビームトレーニングシーケンスを含むフレームを生成するように構成された処理システム、前記ＣＴＳ部分は、フレーム制御フィールド、持続時間フィールド、受信機アドレスフィールド、およびフレームチェックシーケンスを含む、と、
前記少なくとも１つのアンテナを介したデバイスへの送信のために前記フレームを出力するように構成されたインタフェースと
を備える、ワイヤレスノード。
【請求項６５】
ワイヤレス通信のための装置であって、
第１のデバイスから第１の送信可（ＣＴＳ）部分および第１のビームトレーニングシーケンスを備える第１のフレームを受信することと、
前記第１のビームトレーニングシーケンスに基づいて第１の構成にアンテナを構成することと、
第２のフレームを生成することと
を行うように構成された処理システムと、
前記アンテナが前記第１の構成に構成されている間、前記アンテナを介した第２のデバイスへの送信のために前記第２のフレームを出力するように構成されたインタフェースと
を備え、
ここにおいて、前記第１の構成は、前記第１のデバイスに実質的に向けられた空白を有するアンテナ輻射パターンを生成するように構成された前記アンテナを備え、
前記処理システムは、
前記第１のデバイスが、前記第１のフレームの前記第１のＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
ここにおいて、前記インタフェースは、前記アンテナが前記第２の構成に構成されている間、前記アンテナを介した前記第２のデバイスへの送信のために前記第３のフレームを出力するように構成され、
前記第２の構成は、前記第１のデバイスに向けられた空白なしのアンテナ輻射パターンを生成するように構成された前記アンテナを備える、
装置。
【請求項６６】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項６５に記載の装置。
【請求項６７】
前記第２のフレームは、送信要求（ＲＴＳ）フレームを備える、請求項６５に記載の装置。
【請求項６８】
前記第２のフレームは、送信要求（ＲＴＳ）部分および第２のビームトレーニングシーケンスを備える、請求項６５に記載の装置。
【請求項６９】
前記第２のフレームは、少なくとも１つのデータフレームデータフレームを備える、請求項６５に記載の装置。
【請求項７０】
前記第２のフレームは、送信可（ＣＴＳ）フレームを備える、請求項６５に記載の装置。
【請求項７１】
前記第２のフレームは、第２の送信可（ＣＴＳ）部分および第２のビームトレーニングシーケンスを備える、請求項６５に記載の装置。
【請求項７２】
前記第２のフレームは、少なくとも１つの肯定応答（ＡＣＫ）フレームを備える、請求項６５に記載の装置。
【請求項７３】
前記処理システムは、前記アンテナのための少なくとも前記第１の構成と、前記少なくとも第１の構成が有効である関連の持続時間とを含むテーブルを生成するように構成される、請求項６５に記載の装置。
【請求項７４】
ワイヤレス通信のための方法であって、
第１のデバイスから第１の送信可（ＣＴＳ）部分および第１のビームトレーニングシーケンスを備える第１のフレームを受信することと、
前記第１のビームトレーニングシーケンスに基づいて第１の構成にアンテナを構成することと、
第２のフレームを生成することと、
前記アンテナが前記第１の構成に構成されている間、前記アンテナを介した第２のデバイスへの送信のために前記第２のフレームを出力することと
を備え、
ここにおいて、前記第１の構成は、前記第１のデバイスに実質的に向けられた空白を有するアンテナ輻射パターンを生成するように構成された前記アンテナを備え、
前記第１のデバイスが、前記第１のフレームの前記第１のＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備え、
ここにおいて、前記第２の構成は、前記第１のデバイスに向けられた空白なしのアンテナ輻射パターンを生成するように構成された前記アンテナを備える、
方法。
【請求項７５】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項７４に記載の方法。
【請求項７６】
前記第２のフレームは、送信要求（ＲＴＳ）フレームを備える、請求項７４に記載の方法。
【請求項７７】
前記第２のフレームは、送信要求（ＲＴＳ）部分および第２のビームトレーニングシーケンスを備える、請求項７４に記載の方法。
【請求項７８】
前記第２のフレームは、少なくとも１つのデータフレームを備える、請求項７４に記載の方法。
【請求項７９】
前記第２のフレームは、送信可（ＣＴＳ）フレームを備える、請求項７４に記載の方法。
【請求項８０】
前記第２のフレームは、第２の送信可（ＣＴＳ）部分および第２のビームトレーニングシーケンスを備える、請求項７４に記載の方法。
【請求項８１】
前記第２のフレームは、少なくとも１つの肯定応答（ＡＣＫ）フレームを備える、請求項７４に記載の方法。
【請求項８２】
前記アンテナのための少なくとも前記第１の構成と、前記少なくとも第１の構成が有効である関連の持続時間とを含むテーブルを生成することをさらに備える、請求項７４に記載の方法。
【請求項８３】
ワイヤレス通信のための装置であって、
第１のデバイスから第１の送信可（ＣＴＳ）部分および第１のビームトレーニングシーケンスを備える第１のフレームを受信するための手段と、
前記第１のビームトレーニングシーケンスに基づいて第１の構成にアンテナを構成するための手段と、
第２のフレームを生成するための手段と、
前記アンテナが前記第１の構成に構成されている間、前記アンテナを介した第２のデバイスへの送信のために前記第２のフレームを出力するための手段と
を備え、
ここにおいて、前記第１の構成は、前記第１のデバイスに実質的に向けられた空白を有するアンテナ輻射パターンを生成するように構成された前記アンテナを備え、
前記第１のデバイスが、前記第１のフレームの前記第１のＣＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備え、
ここにおいて、前記第２の構成は、前記第１のデバイスに向けられた空白なしのアンテナ輻射パターンを生成するように構成された前記アンテナを備える、
装置。
【請求項８４】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項８３に記載の装置。
【請求項８５】
前記第２のフレームは、送信要求（ＲＴＳ）フレームを備える、請求項８３に記載の装置。
【請求項８６】
前記第２のフレームは、送信要求（ＲＴＳ）部分および第２のビームトレーニングシーケンスを備える、請求項８３に記載の装置。
【請求項８７】
前記第２のフレームは、少なくとも１つのデータフレームを備える、請求項８３に記載の装置。
【請求項８８】
前記第２のフレームは、送信可（ＣＴＳ）フレームを備える、請求項８３に記載の装置。
【請求項８９】
前記第２のフレームは、第２の送信可（ＣＴＳ）部分および第２のビームトレーニングシーケンスを備える、請求項８３に記載の装置。
【請求項９０】
前記第２のフレームは、少なくとも１つの肯定応答（ＡＣＫ）フレームを備える、請求項８３に記載の装置。
【請求項９１】
前記アンテナのための少なくとも前記第１の構成と、前記少なくとも第１の構成が有効である関連の持続時間とを含むテーブルを生成するための手段をさらに備える、請求項８３に記載の装置。
【請求項９２】
コンピュータ読取り可能媒体であって、
第１のデバイスから送信可（ＣＴＳ）部分およびビームトレーニングシーケンスを備える第１のフレームを受信することと、
前記ビームトレーニングシーケンスに基づいて第１の構成にアンテナを構成することと、
第２のフレームを生成することと、
前記アンテナが前記第１の構成に構成されている間、前記アンテナを介した第２のデバイスへの送信のために前記第２のフレームを出力することと
を行うための命令を記憶し、
ここにおいて、前記第１の構成は、前記第１のデバイスに実質的に向けられた空白を有するアンテナ輻射パターンを生成するように構成された前記アンテナを備え、
前記第１のデバイスが、前記第１のフレームの前記第１のＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備え、
ここにおいて、前記第２の構成は、前記第１のデバイスに向けられた空白なしのアンテナ輻射パターンを生成するように構成された前記アンテナを備える、
コンピュータ読取り可能媒体。
【請求項９３】
ワイヤレスノードであって、
少なくとも１つのアンテナと、
第１のデバイスから送信可（ＣＴＳ）部分およびビームトレーニングシーケンスを備えるフレームを受信することと、
前記ビームトレーニングシーケンスに基づいて第１の構成に前記少なくとも１つのアンテナを構成することと、
第２のフレームを生成することと
を行うように構成された処理システムと、
前記少なくとも１つのアンテナが、前記第１の構成に構成されている間、前記少なくとも１つのアンテナを介して第２のデバイスへの送信のために前記第２のフレームを出力するためのインタフェースと
を備え、
ここにおいて、前記第１の構成は、前記第１のデバイスに実質的に向けられた空白を有するアンテナ輻射パターンを生成するように構成された前記アンテナを備え、
前記第１のデバイスが、前記第１のフレームの前記第１のＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備え、
ここにおいて、前記第２の構成は、前記第１のデバイスに向けられた空白なしのアンテナ輻射パターンを生成するように構成された前記アンテナを備える、
ワイヤレスノード。
【請求項９４】
ワイヤレス通信のための装置であって、
持続時間フィールド、アドレスフィールド、および第１のビームトレーニングシーケンスを含む第１のフレームを生成するように構成された処理システム、ここにおいて、前記持続時間フィールドは、通信媒体がデバイスと通信するために使用されることになる推定持続時間を示す情報を含み、前記アドレスフィールドは、前記装置または前記デバイスのうちの少なくとも１つの識別する情報を含む、と、
前記デバイスへの送信のために前記第１のフレームを出力するように構成されたインタフェースと
を備える、装置。
【請求項９５】
前記第１のフレームは、前記持続時間フィールドおよび前記アドレスフィールドを含む送信要求（ＲＴＳ）部分を備える、請求項９４に記載の装置。
【請求項９６】
前記処理システムは、前記デバイスに実質的に向けられたプライマリローブを有するアンテナ輻射パターンで前記第１のフレームを送信するためのアンテナを構成するようにさらに構成される、請求項９４に記載の装置。
【請求項９７】
前記処理システムは、前記デバイスから第２のフレームを受信するようにさらに構成され、前記第２のフレームは、送信可（ＣＴＳ）部分および第２のビームトレーニングシーケンスを備える、請求項９４に記載の装置。
【請求項９８】
前記処理システムは、前記第２のフレームを受信することに応答して、データまたは制御フレームのうちの少なくとも１つを生成するためにさらに構成され、ここにおいて、前記インタフェースは、前記デバイスへの送信のために前記データまたは制御フレームのうちの前記少なくとも１つを出力するためにさらに構成される、請求項９７に記載の装置。
【請求項９９】
前記処理システムは、前記第２のビームトレーニングシーケンスに基づいて、前記デバイスに実質的に向けられたプライマリローブを有するアンテナ輻射パターンで、前記データまたは制御フレームのうちの少なくとも１つを送信、受信、または送信および受信するためのアンテナを構成するようにさらに構成される、請求項９７に記載の装置。
【請求項１００】
前記処理システムは、前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するようにさらに構成される、請求項９８に記載の装置。
【請求項１０１】
前記処理システムは、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成するようにさらに構成される、請求項１００に記載の装置。
【請求項１０２】
前記推定持続時間は、前記デバイスへ送信される１つまたは複数のデータフレームの推定持続時間を含む、請求項９４に記載の装置。
【請求項１０３】
前記インタフェースは、シングルキャリアを介したミリ波スペクトルで、またはＩＥＥＥ８０２．１１ａｄ、８０２．１１ａｙ、または８０２．１１ａｊプロトコルに従って、前記第１のフレームを送信するように構成される、請求項９４に記載の装置。
【請求項１０４】
前記第１のフレームは、送信可（ＣＴＳ）部分を備える、請求項９４に記載の装置。
【請求項１０５】
前記処理システムは、前記デバイスから送信要求（ＲＴＳ）フレームを受信するようにさらに構成され、前記処理システムは、前記ＲＴＳフレームを受信することに応答して、前記第１のフレームを生成するようにさらに構成される、請求項９４に記載の装置。
【請求項１０６】
前記処理システムは、全方向性様式で前記ＲＴＳフレームを受信するためのアンテナを構成するようにさらに構成される、請求項１０５に記載の装置。
【請求項１０７】
前記処理システムは、前記デバイスから送信要求（ＲＴＳ）部分および第２のビームトレーニングシーケンスを備える第２のフレームを受信するようにさらに構成され、前記処理システムは、前記第２のフレームを受信することに応答して、前記第１のフレームを生成するようにさらに構成される、請求項９４に記載の装置。
【請求項１０８】
前記処理システムは、全方向性様式で前記第２のフレームを受信するためのアンテナを構成するようにさらに構成される、請求項１０７に記載の装置。
【請求項１０９】
前記処理システムは、前記第２のビームトレーニングシーケンスに基づいて、前記デバイスに実質的に向けられたプライマリローブを有するアンテナ輻射パターンで、前記第１のフレームを送信するためのアンテナを構成するようにさらに構成される、請求項１０７に記載の装置。
【請求項１１０】
前記処理システムは、前記第１のフレームの前記送信の後に、前記デバイスから、データまたは制御フレームのうちの少なくとも１つを受信するようにさらに構成される、請求項９４に記載の装置。
【請求項１１１】
前記処理システムは、前記デバイスからＲＴＳ部分および第２のビームトレーニングシーケンスを備える第２のフレームを受信するようにさらに構成され、前記処理システムは、前記第２のビームトレーニングシーケンスに基づいて、前記データまたは制御フレームのうちの前記少なくとも１つを受信するためのアンテナを構成するようにさらに構成される、請求項１１０に記載の装置。
【請求項１１２】
前記処理システムは、前記データまたは制御フレームのうちの前記少なくとも１つを受信することに応答して、肯定応答（ＡＣＫ）、データ、またはＡＣＫおよびデータレームのうちの少なくとも１つを生成するようにさらに構成され、前記インタフェースは、前記デバイスへの送信のために前記ＡＣＫ、データ、またはＡＣＫおよびデータフレームのうちの前記少なくとも１つを出力するように構成される、請求項１１０に記載の装置。
【請求項１１３】
前記処理システムは、前記デバイスからＲＴＳ部分および第２のビームトレーニングシーケンスを備える第２のフレームを受信するようにさらに構成され、前記処理システムは、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するようにさらに構成される、請求項１１２に記載の装置。
【請求項１１４】
前記処理システムは、
第２のデバイスから第２のビームトレーニングシーケンスを備える第２のフレームを受信することと、
前記第２のビームトレーニングシーケンスに基づいてある構成にアンテナを構成することと、
第２のフレームを生成することと
を行うように構成され、
ここにおいて、前記インタフェースは、前記アンテナが前記構成に構成されている間、前記アンテナを介した前記デバイスへの送信のために前記第１のフレームを出力するように構成される、請求項９４に記載の装置。
【請求項１１５】
前記第１のフレームは、前記持続時間フィールドおよび前記アドレスフィールドを含むＣＴＳ部分を備え、前記アドレスフィールドにおける前記情報は、前記装置を識別する、請求項９４に記載の装置。
【請求項１１６】
前記アドレスフィールドにおける前記情報は、前記デバイスを含むデバイスのセットを識別し、前記インタフェースは、デバイスの前記セットへの送信のために前記第１のフレームを出力するようにさらに構成される、請求項９４に記載の装置。
【請求項１１７】
ワイヤレス通信のための方法であって、
持続時間フィールド、アドレスフィールド、および第１のビームトレーニングシーケンスを含む第１のフレームを生成すること、ここにおいて、前記持続時間フィールドは、通信媒体がデバイスと通信するために装置によって使用されることになる推定持続時間を示す情報を含み、前記アドレスフィールドは、前記装置または前記デバイスのうちの少なくとも１つの識別する情報を含む、と、
前記デバイスへの送信のために前記第１のフレームを出力することと
を備える、方法。
【請求項１１８】
前記第１のフレームは、前記持続時間フィールドおよび前記アドレスフィールドを含む送信要求（ＲＴＳ）部分を備える、請求項１１７に記載の方法。
【請求項１１９】
前記デバイスに実質的に向けられたプライマリローブを有するアンテナ輻射パターンで前記第１のフレームを送信するためのアンテナを構成することをさらに備える、請求項１１７に記載の方法。
【請求項１２０】
前記第１のフレームを送信することに応答して、前記デバイスから第２のフレームを受信することをさらに備え、ここにおいて、前記第２のフレームは、送信可（ＣＴＳ）部分および第２のビームトレーニングシーケンスを備える、請求項１１７に記載の方法。
【請求項１２１】
前記第２のフレームを受信することに応答して、データまたは制御フレームのうちの少なくとも１つを生成することと、
前記デバイスへの送信のために前記データまたは制御フレームのうちの前記少なくとも１つを出力することと
をさらに備える、請求項１２０に記載の方法。
【請求項１２２】
前記第２のビームトレーニングシーケンスに基づいて、前記デバイスに実質的に向けられたプライマリローブを有するアンテナ輻射パターンで、前記データまたは制御フレームのうちの少なくとも１つを送信、受信、または送信および受信するためのアンテナを構成することをさらに備える、請求項１２０に記載の方法。
【請求項１２３】
前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信することをさらに備える、請求項１２１に記載の方法。
【請求項１２４】
前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成することをさらに備える、請求項１２３に記載の方法。
【請求項１２５】
前記推定持続時間は、前記デバイスへ送信される１つまたは複数のデータフレームの推定持続時間を含む、請求項１１７に記載の方法。
【請求項１２６】
前記第１のフレームを出力することは、シングルキャリアを介したミリ波スペクトルでの、またはＩＥＥＥ８０２．１１ａｄ、８０２．１１ａｙ、または８０２．１１ａｊプロトコルに従う、送信のために前記第１のフレームを出力することを備える、請求項１１７に記載の方法。
【請求項１２７】
前記第１のフレームは、送信可（ＲＴＳ）部分を備える、請求項１１７に記載の方法。
【請求項１２８】
前記デバイスから送信要求（ＲＴＳ）を受信することをさらに備え、ここにおいて、前記第１のフレームを生成することは、前記ＲＴＳフレームを受信することに応答するものである、請求項１１７に記載の方法。
【請求項１２９】
全方向性様式で前記ＲＴＳフレームを受信するためのアンテナを構成することをさらに備える、請求項１２８に記載の方法。
【請求項１３０】
前記デバイスから送信要求（ＲＴＳ）部分および第２のビームトレーニングシーケンスを備える第２のフレームを受信することをさらに備え、ここにおいて、前記第１のフレームを生成することは、前記第２のフレームを受信することに応答するものである、請求項１１７に記載の方法。
【請求項１３１】
全方向性様式で前記第２のフレームを受信するためのアンテナを構成することをさらに備える、請求項１３０に記載の方法。
【請求項１３２】
前記第２のビームトレーニングシーケンスに基づいて、前記デバイスに実質的に向けられたプライマリローブを有するアンテナ輻射パターンで前記第１のフレームを送信するためのアンテナを構成することをさらに備える、請求項１３０に記載の方法。
【請求項１３３】
前記第１のフレームの前記送信の後に、前記デバイスからデータまたは制御フレームのうちの少なくとも１つを受信することをさらに備える、請求項１１７に記載の方法。
【請求項１３４】
前記デバイスからＲＴＳ部分と第２のビームトレーニングシーケンスを備える第２のフレームを受信することと、前記第２のビームトレーニングシーケンスに基づいて、前記データまたは制御フレームのうちの前記少なくとも１つを受信するためのアンテナを構成することとをさらに備える、請求項１３３に記載の方法。
【請求項１３５】
前記データまたは制御フレームのうちの前記少なくとも１つを受信することに応答して、肯定応答（ＡＣＫ）、データ、またはＡＣＫおよびデータフレームのうちの少なくとも１つを生成することと、
前記デバイスへの送信のために前記ＡＣＫ、データ、またはＡＣＫおよびデータフレームのうちの前記少なくとも１つを出力することと
をさらに備える、請求項１３３に記載の方法。
【請求項１３６】
前記デバイスからＲＴＳ部分と第２のビームトレーニングシーケンスを備える第２のフレームを受信することと、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成することとをさらに備える、請求項１３５に記載の方法。
【請求項１３７】
第２のデバイスから第２のビームトレーニングシーケンスを備える第２のフレームを受信することと、
前記第２のビームトレーニングシーケンスに基づいて、ある構成にアンテナを構成することと、
第２のフレームを生成することと、
前記アンテナが前記構成に構成されている間、前記アンテナを介した前記デバイスへの送信のために前記第１のフレームを出力することと
をさらに備える、請求項１１７に記載の方法。
【請求項１３８】
前記第１のフレームは、前記持続時間フィールドおよび前記アドレスフィールドを含むＣＴＳ部分を備え、前記アドレスフィールドにおける前記情報は、前記装置を識別する、
請求項１１７に記載の方法。
【請求項１３９】
前記アドレスフィールドにおける前記情報は、前記デバイスを含むデバイスのセットを識別し、前記インタフェースは、デバイスの前記セットへの送信のために前記第１のフレームを出力するようにさらに構成される、請求項１１７に記載の方法。
【請求項１４０】
ワイヤレス通信のための装置であって、
持続時間フィールド、アドレスフィールド、および第１のビームトレーニングシーケンスを含む第１のフレームを生成するための手段、ここにおいて、前記持続時間フィールドは、通信媒体がデバイスと通信するために使用されることになる推定持続時間を示す情報を含み、前記アドレスフィールドは、前記装置または前記デバイスのうちの少なくとも１つの識別する情報を含む、と、
前記デバイスへの送信のために前記第１のフレームを出力するための手段と
を備える、装置。
【請求項１４１】
前記第１のフレームは、前記持続時間フィールドおよび前記アドレスフィールドを含む送信要求（ＲＴＳ）部分を備える、請求項１４０に記載の装置。
【請求項１４２】
前記デバイスに実質的に向けられたプライマリローブを有するアンテナ輻射パターンで、前記第１のフレームを送信するために、アンテナを構成するための手段
をさらに備える、請求項１４０に記載の装置。
【請求項１４３】
前記第１のフレームを送信することに応答して、前記デバイスから第２のフレームを受信するための手段をさらに備え、ここにおいて、前記第２のフレームは、送信可（ＣＴＳ）部分および第２のビームトレーニングシーケンスを備える、請求項１４０に記載の装置。
【請求項１４４】
前記第２のフレームを受信することに応答して、データまたは制御フレームのうちの少なくとも１つを生成するための手段と、
前記デバイスへの送信のために前記データまたは制御フレームのうちの前記少なくとも１つを出力するための手段と
をさらに備える、請求項１４３に記載の装置。
【請求項１４５】
前記第２のビームトレーニングシーケンスに基づいて、前記デバイスに実質的に向けられたプライマリローブを有するアンテナ送信輻射パターンで、前記データまたは制御フレームのうちの少なくとも１つを送信、受信、または送信および受信するためのアンテナを構成するための手段をさらに備える、請求項１４３に記載の装置。
【請求項１４６】
前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するための手段をさらに備える、請求項１４４に記載の装置。
【請求項１４７】
前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成するための手段をさらに備える、請求項１４６に記載の装置。
【請求項１４８】
前記推定持続時間は、前記デバイスへ送信される１つまたは複数のデータフレームの推定持続時間を含む、請求項１４０に記載の装置。
【請求項１４９】
出力するための前記手段は、シングルキャリアを介したミリ波スペクトルでの、またはＩＥＥＥ８０２．１１ａｄ、８０２．１１ａｙ、または８０２．１１ａｊプロトコルに従う、送信のために前記第１のフレームを出力するための手段を備える、
請求項１４０に記載の装置。
【請求項１５０】
前記第１のフレームは、送信可（ＣＴＳ）部分を備える、
請求項１４０に記載の装置。
【請求項１５１】
前記デバイスから送信要求（ＲＴＳ）フレームを受信するための手段をさらに備え、ここにおいて、前記第１のフレームを生成するための前記手段は、前記ＲＴＳフレームを受信することに応答して、前記第１のフレームを生成するための手段を備える、請求項１４０に記載の装置。
【請求項１５２】
全方向性様式で前記ＲＴＳフレームを受信するためにアンテナを構成するための手段をさらに備える、請求項１５１に記載の装置。
【請求項１５３】
前記デバイスから送信要求（ＲＴＳ）部分および第２のビームトレーニングシーケンスを備える第２のフレームを受信するための手段をさらに備え、ここにおいて、前記第１のフレームを生成するための前記手段は、前記第２のフレームを受信することに応答して、前記第１のフレームを生成するための手段を備える、請求項１４０に記載の装置。
【請求項１５４】
全方向性様式で前記第２のフレームを受信するためにアンテナを構成するための手段をさらに備える、請求項１５３に記載の装置。
【請求項１５５】
前記第２のビームトレーニングシーケンスに基づいて、前記デバイスに実質的に向けられたプライマリローブを有するアンテナ輻射パターンで、前記第１のフレームを送信するためのアンテナを構成するための手段をさらに備える、請求項１５３に記載の装置。
【請求項１５６】
前記第１のフレームの前記送信の後に、前記デバイスからデータまたは制御フレームのうちの少なくとも１つを受信するための手段をさらに備える、請求項１４０に記載の装置。
【請求項１５７】
前記デバイスからＲＴＳ部分と第２のビームトレーニングシーケンスを備える第２のフレームを受信するための手段と、前記第２のビームトレーニングシーケンスに基づいて、データまたは制御フレームのうちの前記少なくとも１つを受信するためのアンテナを構成するための手段をさらに備える、請求項１５６に記載の装置。
【請求項１５８】
前記データまたは制御フレームのうちの前記少なくとも１つを受信することに応答して、肯定応答（ＡＣＫ）、データ、またはＡＣＫおよびデータフレームのうちの少なくとも１つを生成するための手段と、
前記デバイスへの送信のために前記ＡＣＫ、データ、またはＡＣＫおよびデータフレームのうちの前記少なくとも１つを出力するための手段と
をさらに備える、請求項１５６に記載の装置。
【請求項１５９】
前記デバイスからＲＴＳ部分と第２のビームトレーニングシーケンスを備える第２のフレームを受信するための手段と、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するための手段と
をさらに備える、請求項１５８に記載の装置。
【請求項１６０】
第２のデバイスから第２のビームトレーニングシーケンスを備える第２のフレームを受信するための手段と、
前記第２のビームトレーニングシーケンスに基づいて、ある構成にアンテナを構成するための手段と、
第２のフレームを生成するための手段と、
前記アンテナが前記構成に構成されている間、前記アンテナを介した前記デバイスへの送信のために前記第１のフレームを出力するための手段と
をさらに備える、請求項１４０に記載の装置。
【請求項１６１】
前記第１のフレームは、前記持続時間フィールドおよび前記アドレスフィールドを含むＣＴＳ部分を備え、前記アドレスフィールドにおける前記情報は、前記装置を識別する、請求項１４０に記載の装置。
【請求項１６２】
前記アドレスフィールドにおける前記情報は、前記デバイスを含むデバイスのセットを識別し、前記インタフェースは、デバイスの前記セットへの送信のために前記第１のフレームを出力するようにさらに構成される、請求項１４０に記載の装置。
【請求項１６３】
コンピュータ読取り可能媒体であって、
持続時間フィールド、アドレスフィールド、およびビームトレーニングシーケンスを含むフレームを生成すること、ここにおいて、前記持続時間フィールドは、通信媒体がデバイスと通信するために装置によって使用されることになる推定持続時間を示す情報を含み、前記アドレスフィールドは、前記デバイスを識別する情報を含む、と、
前記デバイスへの送信のために前記フレームを出力することと
を行うための命令を記憶したコンピュータ読取り可能媒体。
【請求項１６４】
ワイヤレスノードであって、
少なくとも１つのアンテナと、
持続時間フィールド、アドレスフィールド、およびビームトレーニングシーケンスを含むフレームを生成するように構成された処理システム、ここにおいて、前記持続時間フィールドは、通信媒体がデバイスと通信するために使用されることになる推定持続時間を示す情報を含み、前記アドレスフィールドは、前記ワイヤレスノードまたは前記デバイスのうちの前記少なくとも１つの識別する情報を含む、と、
前記少なくとも１つのアンテナを介した前記デバイスへの送信のために前記フレームを出力するように構成されたインタフェースと
を備える、ワイヤレスノード。
【請求項１６５】
ワイヤレス通信のための装置であって、
第１のデバイスから第１のビームトレーニングシーケンスを備える第１のフレームを受信することと、
前記第１のビームトレーニングシーケンスに基づいて、第１の構成にアンテナを構成することと、
第２のフレームを生成することと
を行うように構成された処理システムと、
前記アンテナが前記第１の構成に構成されている間、前記アンテナを介した第２のデバイスへの送信のために前記第２のフレームを出力するように構成されたインタフェースと
を備え、
ここにおいて、前記第１の構成は、前記第１のデバイスに実質的に向けられた空白を有するアンテナ輻射パターンを生成するように構成された前記アンテナを備え、
前記第１のフレームは、送信要求（ＲＴＳ）部分を備え、前記処理システムは、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
ここにおいて、前記インタフェースは、前記アンテナが前記第２の構成に構成されている間、前記アンテナを介した前記第２のデバイスへの送信のために前記第３のフレームを出力するように構成され、
前記第２の構成は、前記第１のデバイスに向けられた空白なしのアンテナ輻射パターンを生成するように構成された前記アンテナを備える、
装置。
【請求項１６６】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項１６５に記載の装置。
【請求項１６７】
前記持続時間は、前記第１のデバイスから前記第３のデバイスへ送信される１つまたは複数のデータフレームの推定持続時間を含む、請求項１６５に記載の装置。
【請求項１６８】
前記インタフェースは、シングルキャリアを介したミリ波スペクトルで、またはＩＥＥＥ８０２．１１ａｄ、８０２．１１ａｙ、または８０２．１１ａｊプロトコルに従って、前記第２のフレームを送信するように構成される、請求項１６５に記載の装置。
【請求項１６９】
前記第２のフレームは、送信要求（ＲＴＳ）フレームを備える、請求項１６５に記載の装置。
【請求項１７０】
前記第２のフレームは、送信要求（ＲＴＳ）部分および第２のビームトレーニングシーケンスを含むフレームを備える、請求項１６５に記載の装置。
【請求項１７１】
前記第２のフレームは、少なくとも１つのデータフレームを備える、請求項１６５に記載の装置。
【請求項１７２】
前記第２のフレームは、送信可（ＣＴＳ）フレームを備える、請求項１６５に記載の装置。
【請求項１７３】
前記第２のフレームは、送信可（ＣＴＳ）部分および第２のビームトレーニングシーケンスを含むフレームを備える、請求項１６５に記載の装置。
【請求項１７４】
前記第２のフレームは、少なくとも１つの肯定応答（ＡＣＫ）フレームを備える、請求項１６５に記載の装置。
【請求項１７５】
前記処理システムは、第３のデバイスから送信可（ＣＴＳ）部分および第２のビームトレーニングシーケンスを備える第３のフレームを受信するようにさらに構成され、前記アンテナの前記第１の構成は、前記第２のビームトレーニングシーケンスにさらに基づく、請求項１６５に記載の装置。
【請求項１７６】
前記第１の構成は、前記第１のデバイスに実質的に向けられた第１の空白および前記第３のデバイスに実質的に向けられた第２の空白を有するアンテナ輻射パターンを生成するように構成された前記アンテナを備える、請求項１７５に記載の装置。
【請求項１７７】
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、請求項１７５に記載の装置。
【請求項１７８】
前記第１のフレームは、送信要求（ＲＴＳ）部分を備え、前記処理システムは、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、請求項１７５に記載の装置。
【請求項１７９】
前記第２の構成は、それぞれ、前記第１のデバイスにおよび前記第３のデバイスに向けられた空白なしのアンテナ輻射パターンを生成するように構成された前記アンテナを備える、請求項１７８に記載の装置。
【請求項１８０】
前記処理システムは、前記アンテナのための少なくとも前記第１の構成と、前記少なくとも第１の構成が有効である関連の持続時間とを含むテーブルを生成するように構成される、請求項１６５に記載の装置。
【請求項１８１】
前記第１のフレームは、送信可（ＣＴＳ）部分を備え、前記処理システムは、
前記第１のデバイスが、前記第１のフレームの前記ＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、請求項１６５に記載の装置。
【請求項１８２】
前記第２の構成は、前記第１のデバイスに向けられた空白なしのアンテナ輻射パターンを生成するように構成された前記アンテナを備える、請求項１８１に記載の装置。
【請求項１８３】
前記持続時間は、前記第１のデバイスから前記第３のデバイスへ１つまたは複数のデータフレームを送信するための推定持続時間を含む、請求項１８１に記載の装置。
【請求項１８４】
前記処理システムは、前記第１のトレーニングシーケンスに基づいて、前記第１のフレームの到来角の推定値を生成するようにさらに構成され、前記第１の構成は、前記推定された到来角にさらに基づく、請求項１６５に記載の装置。
【請求項１８５】
前記処理システムは、前記第２のフレームの前記送信に起因した前記第１のデバイスにおける推定された干渉が、しきい値にあるかまたはそれよりも下回るように、前記第１の構成に前記アンテナを構成するようにさらに構成される、請求項１６５に記載の装置。
【請求項１８６】
前記処理システムは、１つまたは複数のそれぞれのセクタに関して、前記第１のデバイスに向かう方向において１つまたは複数のアンテナ利得を推定することと、前記１つまたは複数のそれぞれのセクタに関して、前記装置と前記第１のデバイスとの間の１つまたは複数のアンテナ相互差異を推定することとを行うようにさらに構成され、前記第１の構成は、前記推定された１つまたは複数のアンテナ利得および前記推定された１つまたは複数のアンテナ相互差異にさらに基づく、請求項１６５に記載の装置。
【請求項１８７】
ワイヤレス通信のための方法であって、
第１のデバイスから第１のビームトレーニングシーケンスを備える第１のフレームを受信することと、
前記第１のビームトレーニングシーケンスに基づいて、第１の構成にアンテナを構成することと、
第２のフレームを生成することと、
前記アンテナが前記第１の構成に構成されている間、前記アンテナを介した第２のデバイスへの送信のために前記第２のフレームを出力することと
を備え、
ここにおいて、前記第１の構成は、前記第１のデバイスに実質的に向けられた空白を有するアンテナ輻射パターンを生成するように構成された前記アンテナを備え、
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備え、
ここにおいて、前記第２の構成は、前記第１のデバイスに向けられた空白なしのアンテナ輻射パターンを生成するように構成された前記アンテナを備える、
方法。
【請求項１８８】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項１８７に記載の方法。
【請求項１８９】
前記持続時間は、前記第１のデバイスから前記第３のデバイスへ送信される１つまたは複数のデータフレームの推定持続時間を含む、請求項１８７に記載の方法。
【請求項１９０】
前記第２のフレームを出力することは、シングルキャリアを介したミリ波スペクトルでの、またはＩＥＥＥ８０２．１１ａｄ、８０２．１１ａｙ、または８０２．１１ａｊプロトコルに従う、送信のために前記セクションフレームを出力することを備える、請求項１８７に記載の方法。
【請求項１９１】
前記第２のフレームは、送信要求（ＲＴＳ）フレームを備える、請求項１８７に記載の方法。
【請求項１９２】
前記第２のフレームは、送信要求（ＲＴＳ）部分および第２のビームトレーニングシーケンスを含むフレームを備える、請求項１８７に記載の方法。
【請求項１９３】
前記第２のフレームは、少なくとも１つのデータフレームを備える、請求項１８７に記載の方法。
【請求項１９４】
前記第２のフレームは、送信可（ＣＴＳ）フレームを備える、請求項１８７に記載の方法。
【請求項１９５】
前記第２のフレームは、送信可（ＣＴＳ）部分および第２のビームトレーニングシーケンスを含むフレームを備える、請求項１８７に記載の方法。
【請求項１９６】
前記第２のフレームは、少なくとも１つの肯定応答（ＡＣＫ）フレームを備える、請求項１８７に記載の方法。
【請求項１９７】
第３のデバイスから送信可（ＣＴＳ）部分および第２のビームトレーニングシーケンスを含む第３のフレームを受信することをさらに備え、ここにおいて、前記アンテナの前記第１の構成は、前記第２のビームトレーニングシーケンスにさらに基づく、請求項１８７に記載の方法。
【請求項１９８】
前記第１の構成は、前記第１のデバイスに実質的に向けられた第１の空白および前記第３のデバイスに実質的に向けられた第２の空白を有するアンテナ輻射パターンを生成するように構成された前記アンテナを備える、請求項１９７に記載の方法。
【請求項１９９】
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、請求項１９７に記載の方法。
【請求項２００】
前記第１のフレームは、送信要求（ＲＴＳ）部分を備え、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、請求項１９７に記載の方法。
【請求項２０１】
前記第２の構成は、それぞれ、前記第１のデバイスにおよび前記第３のデバイスに向けられた空白なしのアンテナ輻射パターンを生成するように構成された前記アンテナを備える、請求項２００に記載の方法。
【請求項２０２】
前記アンテナのための少なくとも前記第１の構成と、前記少なくとも第１の構成が有効である関連の持続時間とを含むテーブルを生成することをさらに備える、請求項１８７に記載の方法。
【請求項２０３】
前記第１のフレームは、送信可（ＣＴＳ）部分を備え、
前記第１のデバイスが、前記第１のフレームの前記ＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、請求項１８７に記載の方法。
【請求項２０４】
前記第２の構成は、前記第１のデバイスに向けられた空白なしのアンテナ輻射パターンを生成するように構成された前記アンテナを備える、請求項２０３に記載の方法。
【請求項２０５】
前記持続時間は、前記第１のデバイスから前記第３のデバイスへ１つまたは複数のデータフレームを送信するための推定持続時間を含む、請求項２０３に記載の方法。
【請求項２０６】
前記第１のトレーニングシーケンスに基づいて、前記第１のフレームの到来角の推定値を生成することをさらに備え、ここにおいて、前記第１の構成は、前記推定された到来角にさらに基づく、請求項１８７に記載の方法。
【請求項２０７】
前記第１の構成に前記アンテナを構成することは、前記第２のフレームの前記送信に起因する前記第１のデバイスにおける推定された干渉が、しきい値にあるかまたはそれよりも下回るように、前記第１の構成に前記アンテナを構成することを備える、請求項１８７に記載の方法。
【請求項２０８】
１つまたは複数のそれぞれのセクタに関して、前記第１のデバイスに向かう方向において１つまたは複数のアンテナ利得を推定することと、前記１つまたは複数のそれぞれのセクタに関して、前記装置と前記第１のデバイスとの間の１つまたは複数のアンテナ相互差異を推定すること、ここにおいて、前記第１の構成は、前記推定された１つまたは複数のアンテナ利得および前記推定された１つまたは複数のアンテナ相互差異にさらに基づく、と、をさらに備える、請求項１８１に記載の方法。
【請求項２０９】
ワイヤレス通信のための装置であって、
第１のデバイスから第１のビームトレーニングシーケンスを備える第１のフレームを受信するための手段と、
前記第１のビームトレーニングシーケンスに基づいて、第１の構成にアンテナを構成するための手段と、
第２のフレームを生成するための手段と、
前記アンテナが前記第１の構成に構成されている間、前記アンテナを介した第２のデバイスへの送信のために前記第２のフレームを出力するための手段と
を備え、
ここにおいて、前記第１の構成は、前記第１のデバイスに実質的に向けられた空白を有するアンテナ輻射パターンを生成するように構成された前記アンテナを備え、
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備え、
ここにおいて、前記第２の構成は、前記第１のデバイスに向けられた空白なしのアンテナ輻射パターンを生成するように構成された前記アンテナを備える、
装置。
【請求項２１０】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項２０９に記載の装置。
【請求項２１１】
前記持続時間は、前記第１のデバイスから前記第３のデバイスへ送信される１つまたは複数のデータフレームの推定持続時間を含む、請求項２０９に記載の装置。
【請求項２１２】
前記第２のフレームを出力するための前記手段は、シングルキャリアを介したミリ波スペクトルでの、またはＩＥＥＥ８０２．１１ａｄ、８０２．１１ａｙ、または８０２．１１ａｊプロトコルに従う、送信のために前記第２のフレームを出力するための手段を備える、請求項２０９に記載の装置。
【請求項２１３】
前記第２のフレームは、送信要求（ＲＴＳ）フレームを備える、請求項２０９に記載の装置。
【請求項２１４】
前記第２のフレームは、送信要求（ＲＴＳ）部分および第２のビームトレーニングシーケンスを含むフレームを備える、請求項２０９に記載の装置。
【請求項２１５】
前記第２のフレームは、少なくとも１つのデータフレームを備える、請求項２０９に記載の装置。
【請求項２１６】
前記第２のフレームは、送信可（ＣＴＳ）フレームを備える、請求項２０９に記載の装置。
【請求項２１７】
前記第２のフレームは、送信可（ＣＴＳ）部分および第２のビームトレーニングシーケンスを含むフレームを備える、請求項２０９に記載の装置。
【請求項２１８】
前記第２のフレームは、少なくとも１つの肯定応答（ＡＣＫ）フレームを備える、請求項２０９に記載の装置。
【請求項２１９】
第３のデバイスから送信可（ＣＴＳ）部分および第２のビームトレーニングシーケンスを含む第３のフレームを受信するための手段をさらに備え、ここにおいて、前記アンテナの前記第１の構成は、前記第２のビームトレーニングシーケンスにさらに基づく、請求項２０９に記載の装置。
【請求項２２０】
前記第１の構成は、前記第１のデバイスに実質的に向けられた第１の空白および前記第３のデバイスに実質的に向けられた第２の空白を有するアンテナ輻射パターンを生成するように構成された前記アンテナを備える、請求項２１９に記載の装置。
【請求項２２１】
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、請求項２１９に記載の装置。
【請求項２２２】
前記第１のフレームは、送信要求（ＲＴＳ）部分を備え、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、請求項２１９に記載の装置。
【請求項２２３】
前記第２の構成は、それぞれ、前記第１のデバイスにおよび前記第３のデバイスに向けられた空白なしのアンテナ輻射パターンを生成するように構成された前記アンテナを備える、請求項２２２に記載の装置。
【請求項２２４】
前記アンテナのための少なくとも前記第１の構成と、前記少なくとも第１の構成が有効である関連の持続時間とを含むテーブルを生成するための手段をさらに備える、請求項２０９に記載の装置。
【請求項２２５】
前記第１のフレームは、送信可（ＣＴＳ）部分を備え、
前記第１のデバイスが、前記第１のフレームの前記ＣＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、請求項２０９に記載の装置。
【請求項２２６】
前記第２の構成は、前記第１のデバイスに向けられた空白なしのアンテナ輻射パターンを生成するように構成された前記アンテナを備える、請求項２２５に記載の装置。
【請求項２２７】
前記持続時間は、前記第１のデバイスから前記第３のデバイスへ１つまたは複数のデータフレームを送信するための推定持続時間を含む、請求項２２５に記載の装置。
【請求項２２８】
前記第１のトレーニングシーケンスに基づいて、前記第１のフレームの到来角の推定値を生成するための手段をさらに備え、ここにおいて、前記第１の構成は、前記推定された到来角にさらに基づく、請求項２０９に記載の装置。
【請求項２２９】
前記第１の構成に前記アンテナを構成するための前記手段は、前記第２のフレームの前記送信に起因する前記第１のデバイスにおける推定された干渉が、しきい値にあるかまたはそれよりも下回るように、前記第１の構成に前記アンテナを構成するための手段を備える、請求項２０９に記載の装置。
【請求項２３０】
１つまたは複数のそれぞれのセクタに関して、前記第１のデバイスに向かう方向において１つまたは複数のアンテナ利得を推定するための手段と、前記１つまたは複数のそれぞれのセクタに関して、前記装置と前記第１のデバイスとの間の１つまたは複数のアンテナ相互差異を推定するための手段、ここにおいて、前記第１の構成は、前記推定された１つまたは複数のアンテナ利得および前記推定された１つまたは複数のアンテナ相互差異にさらに基づく、と
をさらに備える、請求項２０９に記載の装置。
【請求項２３１】
コンピュータ読取り可能媒体であって、
第１のデバイスからビームトレーニングシーケンスを備える第１のフレームを受信することと、
前記ビームトレーニングシーケンスに基づいて、第１の構成にアンテナを構成することと、
第２のフレームを生成することと、
前記アンテナが前記第１の構成に構成されている間、前記アンテナを介した第２のデバイスへの送信のために前記第２のフレームを出力することと
を行うための命令を記憶し、
ここにおいて、前記第１の構成は、前記第１のデバイスに実質的に向けられた空白を有するアンテナ輻射パターンを生成するように構成された前記アンテナを備え、
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備え、
ここにおいて、前記第２の構成は、前記第１のデバイスに向けられた空白なしのアンテナ輻射パターンを生成するように構成された前記アンテナを備える、
コンピュータ読取り可能媒体。
【請求項２３２】
ワイヤレスノードであって、
少なくとも１つのアンテナと、
第１のデバイスからビームトレーニングシーケンスを備える第１のフレームを受信することと、
前記ビームトレーニングシーケンスに基づいて、第１の構成に前記少なくとも１つのアンテナを構成することと、
第２のフレームを生成することと
を行うように構成された処理システムと、
前記少なくとも１つのアンテナが、前記第１の構成に構成されている間、前記少なくとも１つのアンテナを介した第２のデバイスへの送信のために前記第２のフレームを出力するためのインタフェースと
を備え、
ここにおいて、前記第１の構成は、前記第１のデバイスに実質的に向けられた空白を有するアンテナ輻射パターンを生成するように構成された前記アンテナを備え、
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備え、
ここにおいて、前記第２の構成は、前記第１のデバイスに向けられた空白なしのアンテナ輻射パターンを生成するように構成された前記アンテナを備える、
ワイヤレスノード。
【手続補正２】
【補正対象書類名】明細書
【補正対象項目名】０１８８
【補正方法】変更
【補正の内容】
【０１８８】
[00203]  特許請求の範囲は、上記に例示された厳密な構成およびコンポーネントに限定されないことが理解されるべきである。様々な修正、変更、および変形が、上記に説明された方法および装置の配置、動作および詳細において、特許請求の範囲から逸脱することなく行われ得る。
以下に本願の出願当初の特許請求の範囲に記載された発明を付記する。
［Ｃ１］
ワイヤレス通信のための装置であって、
持続時間フィールド、受信機アドレスフィールド、および第１のビームトレーニングシーケンスを含む第１のフレームを生成するように構成された処理システム、ここにおいて、前記持続時間フィールドは、通信媒体がデバイスと通信するために使用されることになる推定持続時間を示す情報を含み、前記受信機アドレスフィールドは、前記デバイスを識別する情報を含む、と、
前記デバイスへの送信のために前記第１のフレームを出力するように構成されたインタフェースと
を備える、装置。
［Ｃ２］
前記第１のフレームは、送信要求（ＲＴＳ）部分を備える、Ｃ１に記載の装置。
［Ｃ３］
前記処理システムは、前記デバイスに実質的に向けられたプライマリローブを有するアンテナ輻射パターンで前記第１のフレームを送信するためのアンテナを構成するようにさらに構成される、Ｃ１に記載の装置。
［Ｃ４］
前記処理システムは、前記デバイスからの第２のフレームを受信するようにさらに構成され、前記第２のフレームは、送信可（ＣＴＳ）部分および第２のビームトレーニングシーケンスを備える、Ｃ１に記載の装置。
［Ｃ５］
前記処理システムは、前記第２のフレームを受信することに応答してデータまたは制御フレームのうちの少なくとも１つを生成するようにさらに構成され、前記インタフェースは、前記デバイスへの送信のために前記データまたは制御フレームのうちの前記少なくとも１つを出力するようにさらに構成される、Ｃ４に記載の装置。
［Ｃ６］
前記処理システムは、前記第２のビームトレーニングシーケンスに基づいて、前記デバイスに実質的に向けられたプライマリローブを有するアンテナ輻射パターンで前記データまたは制御フレームのうちの少なくとも１つを送信、受信、または送信および受信するためのアンテナを構成するようにさらに構成される、Ｃ４に記載の装置。
［Ｃ７］
前記処理システムは、前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するようにさらに構成される、Ｃ５に記載の装置。
［Ｃ８］
前記処理システムは、前記第２のビームトレーニングシーケンスに基づいて、前記デバイスに実質的に向けられたプライマリローブを有するアンテナ輻射パターンで前記ＡＣＫ、データ、またはＡＣＫおよびデータフレームのうちの前記少なくとも１つを受信するためのアンテナを構成するようにさらに構成される、Ｃ７に記載の装置。
［Ｃ９］
前記推定持続時間は、前記デバイスへ送信される１つまたは複数のデータフレームの推定持続時間を含む、Ｃ１に記載の装置。
［Ｃ１０］
前記インタフェースは、シングルキャリアを介したミリ波スペクトルで、またはＩＥＥＥ８０２．１１ａｄ、８０２．１１ａｙ、または８０２．１１ａｊプロトコルに従って、前記第１のフレームを送信するように構成される、Ｃ１に記載の装置。
［Ｃ１１］
ワイヤレス通信のための方法であって、
持続時間フィールド、受信機アドレスフィールド、および第１のビームトレーニングシーケンスを含む第１のフレームを生成すること、ここにおいて、前記持続時間フィールドは、通信媒体がデバイスと通信するために使用されることになる推定持続時間を示す情報を含み、前記受信機アドレスフィールドは、前記デバイスを識別する情報を含む、と、
前記デバイスへの送信のために前記第１のフレームを出力することと
を備える、方法。
［Ｃ１２］
前記第１のフレームは、送信要求（ＲＴＳ）部分を備える、Ｃ１１に記載の方法。
［Ｃ１３］
前記デバイスに実質的に向けられたプライマリローブを有するアンテナ輻射パターンで前記第１のフレームを送信するためのアンテナを構成すること
をさらに備える、Ｃ１１に記載の方法。
［Ｃ１４］
前記第１のフレームを送信することに応答して前記デバイスからの第２のフレームを受信することをさらに備え、ここにおいて、前記第２のフレームは、送信可（ＣＴＳ）部分および第２のビームトレーニングシーケンスを備える、Ｃ１１に記載の方法。
［Ｃ１５］
前記第２のフレームを受信することに応答してデータまたは制御フレームのうちの少なくとも１つを生成すること、
前記デバイスへの送信のために前記データまたは制御フレームのうちの前記少なくとも１つを出力することと
をさらに備える、Ｃ１４に記載の方法。
［Ｃ１６］
前記第２のビームトレーニングシーケンスに基づいて、前記デバイスに実質的に向けられたプライマリローブを有するアンテナ輻射パターンで前記データまたは制御フレームのうちの少なくとも１つを送信、受信、または送信および受信するためのアンテナを構成すること
をさらに備える、Ｃ１４に記載の方法。
［Ｃ１７］
前記データまたは制御フレームのうちの前記少なくとも１つの前記送信の後に、前記デバイスから肯定応答（ＡＣＫ）、データ、またはＡＣＫおよびデータフレームのうちの少なくとも１つを受信すること
をさらに備える、Ｃ１５に記載の方法。
［Ｃ１８］
前記第２のビームトレーニングシーケンスに基づいて、前記デバイスに実質的に向けられたプライマリローブを有するアンテナ輻射パターンで前記ＡＣＫ、データ、またはＡＣＫおよびデータフレームのうちの前記少なくとも１つを受信するためのアンテナを構成すること
をさらに備える、Ｃ１７に記載の方法。
［Ｃ１９］
前記推定持続時間は、前記デバイスへ送信される１つまたは複数のデータフレームの推定持続時間を含む、Ｃ１１に記載の方法。
［Ｃ２０］
前記第１のフレームを出力することは、シングルキャリアを介したミリ波スペクトルでの、またはＩＥＥＥ８０２．１１ａｄ、８０２．１１ａｙ、または８０２．１１ａｊプロトコルに従う、送信のために前記第１のフレームを出力することを備える、Ｃ１１に記載の方法。
［Ｃ２１］
ワイヤレス通信のための装置であって、
持続時間フィールド、受信機アドレスフィールド、および第１のビームトレーニングシーケンスを含む第１のフレームを生成するための手段、ここにおいて、前記持続時間フィールドは、通信媒体がデバイスと通信するために使用されることになる推定持続時間を示す情報を含み、前記受信機アドレスフィールドは、前記デバイスを識別する情報を含む、と、
前記デバイスへの送信のために前記第１のフレームを出力するための手段と
を備える、装置。
［Ｃ２２］
前記第１のフレームは、送信要求（ＲＴＳ）部分を備える、Ｃ２１に記載の装置。
［Ｃ２３］
前記デバイスに実質的に向けられたプライマリローブを有するアンテナ輻射パターンで前記第１のフレームを送信するためのアンテナを構成するための手段をさらに備える、Ｃ２１に記載の装置。
［Ｃ２４］
前記第１のフレームを送信することに応答して、前記デバイスから第２のフレームを受信するための手段をさらに備え、ここにおいて、前記第２のフレームは、送信可（ＣＴＳ）部分および第２のビームトレーニングシーケンスを備える、Ｃ１７に記載の装置。
［Ｃ２５］
前記第２のフレームを受信することに応答して、データまたは制御フレームのうちの少なくとも１つを生成するための手段と、
前記デバイスへの送信のために前記データまたは制御フレームのうちの前記少なくとも１つを出力するための手段と
をさらに備える、Ｃ２４に記載の装置。
［Ｃ２６］
前記第２のビームトレーニングシーケンスに基づいて、前記デバイスに実質的に向けられたプライマリローブを有するアンテナ送信輻射パターンで前記データまたは制御フレームのうちの少なくとも１つを送信、受信、または送信および受信するためのアンテナを構成するための手段をさらに備える、Ｃ２４に記載の装置。
［Ｃ２７］
前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するための手段をさらに備える、Ｃ２５に記載の装置。
［Ｃ２８］
前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成するための手段をさらに備える、Ｃ２７に記載の装置。
［Ｃ２９］
前記推定持続時間は、前記デバイスへ送信される１つまたは複数のデータフレームの推定持続時間を含む、Ｃ２１に記載の装置。
［Ｃ３０］
出力するための前記手段は、シングルキャリアを介したミリ波スペクトルでの、またはＩＥＥＥ８０２．１１ａｄ、８０２．１１ａｙ、または８０２．１１ａｊプロトコルに従う、送信のために前記第１のフレームを出力するための手段を備える、Ｃ２１に記載の装置。
［Ｃ３１］
コンピュータ読取り可能媒体であって、
持続時間フィールド、受信機アドレスフィールド、およびビームトレーニングシーケンスを含むフレームを生成すること、ここにおいて、前記持続時間フィールドは、通信媒体がデバイスと通信するために使用されることになる推定持続時間を示す情報を含み、前記受信機アドレスフィールドは、前記デバイスを識別する情報を含む、と、
前記デバイスへの送信のために前記フレームを出力することと
を行うための命令を記憶したコンピュータ読取り可能媒体。
［Ｃ３２］
ワイヤレスノードであって、
少なくとも１つのアンテナと、
持続時間フィールド、受信機アドレスフィールド、およびビームトレーニングシーケンスを含むフレームを生成すること、ここにおいて、前記持続時間フィールドは、通信媒体がデバイスと通信するために使用されることになる推定持続時間を示す情報を含み、前記受信機アドレスフィールドは、前記デバイスを識別する情報を含む、
を行うように構成された処理システムと、
前記少なくとも１つのアンテナを介した前記デバイスへの送信のために前記フレームを出力するように構成されたインタフェースと
を備える、ワイヤレスノード。
［Ｃ３３］
ワイヤレス通信のための装置であって、
送信可（ＣＴＳ）部分および第１のビームトレーニングシーケンスを含む第１のフレームを生成するように構成された処理システムと、
デバイスへの送信のために前記第１のフレームを出力するように構成されたインタフェースと
を備える、装置。
［Ｃ３４］
前記処理システムは、前記デバイスから送信要求（ＲＴＳ）フレームを受信するようにさらに構成され、前記処理システムは、前記ＲＴＳフレームを受信することに応答して、前記第１のフレームを生成するようにさらに構成される、Ｃ３３に記載の装置。
［Ｃ３５］
前記処理システムは、全方向性様式で前記ＲＴＳフレームを受信するためのアンテナを構成するようにさらに構成される、Ｃ３４に記載の装置。
［Ｃ３６］
前記処理システムは、前記デバイスから送信要求（ＲＴＳ）部分および第２のビームトレーニングシーケンスを備える第２のフレームを受信するようにさらに構成され、前記処理システムは、前記第２のフレームを受信することに応答して、前記第１のフレームを生成するようにさらに構成される、Ｃ３３に記載の装置。
［Ｃ３７］
前記処理システムは、全方向性様式で前記第２のフレームを受信するためのアンテナを構成するようにさらに構成される、Ｃ３６に記載の装置。
［Ｃ３８］
前記処理システムは、前記第２のビームトレーニングシーケンスに基づいて、前記デバイスに実質的に向けられたプライマリローブを有するアンテナ輻射パターンで、前記第１のフレームを送信するためのアンテナを構成するようにさらに構成される、Ｃ３６に記載の装置。
［Ｃ３９］
前記処理システムは、前記第１のフレームの前記送信の後に、前記デバイスから、データまたは制御フレームのうちの少なくとも１つを受信するようにさらに構成される、Ｃ３３に記載の装置。
［Ｃ４０］
前記処理システムは、前記デバイスからＲＴＳ部分および第２のビームトレーニングシーケンスを備える第２のフレームを受信するようにさらに構成され、前記処理システムは、前記第２のビームトレーニングシーケンスに基づいて、前記データまたは制御フレームのうちの前記少なくとも１つを受信するためのアンテナを構成するようにさらに構成される、Ｃ３９に記載の装置。
［Ｃ４１］
前記処理システムは、前記データまたは制御フレームのうちの前記少なくとも１つを受信することに応答して、肯定応答（ＡＣＫ）、データ、またはＡＣＫおよびデータフレームのうちの少なくとも１つを生成するようにさらに構成され、前記インタフェースは、前記デバイスへの送信のために前記ＡＣＫ、データ、またはＡＣＫおよびデータフレームのうちの前記少なくとも１つを出力するように構成される、Ｃ３９に記載の装置。
［Ｃ４２］
前記処理システムは、前記デバイスからＲＴＳ部分および第２のビームトレーニングシーケンスを備える第２のフレームを受信するようにさらに構成され、前記処理システムは、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するようにさらに構成される、Ｃ４１に記載の装置。
［Ｃ４３］
ワイヤレス通信のための方法であって、
送信可（ＣＴＳ）部分および第１のビームトレーニングシーケンスを含む第１のフレームを生成することと、デバイスへの送信のために前記第１のフレームを出力することと
を備える、方法。
［Ｃ４４］
前記デバイスから送信要求（ＲＴＳ）を受信することをさらに備え、ここにおいて、前記第１のフレームを生成することは、前記ＲＴＳフレームを受信することに応答するものである、Ｃ４３に記載の方法。
［Ｃ４５］
全方向性様式で前記ＲＴＳフレームを受信するためのアンテナを構成することをさらに備える、Ｃ４４に記載の方法。
［Ｃ４６］
前記デバイスから送信要求（ＲＴＳ）部分および第２のビームトレーニングシーケンスを備える第２のフレームを受信することをさらに備え、ここにおいて、前記第１のフレームを生成することは、前記第２のフレームを受信することに応答するものである、Ｃ４３に記載の方法。
［Ｃ４７］
全方向性様式で前記第２のフレームを受信するためのアンテナを構成することをさらに備える、Ｃ４６に記載の方法。
［Ｃ４８］
前記第２のビームトレーニングシーケンスに基づいて、前記デバイスに実質的に向けられたプライマリローブを有するアンテナ輻射パターンで前記第１のフレームを送信するためのアンテナを構成することをさらに備える、Ｃ４６に記載の方法。
［Ｃ４９］
前記第１のフレームの前記送信の後に、前記デバイスからデータまたは制御フレームのうちの少なくとも１つを受信することとをさらに備える、Ｃ４３に記載の方法。
［Ｃ５０］
前記デバイスからＲＴＳ部分と第２のビームトレーニングシーケンスを備える第２のフレームを受信することと、前記第２のビームトレーニングシーケンスに基づいて、前記データまたは制御フレームのうちの前記少なくとも１つを受信するためのアンテナを構成することとをさらに備える、Ｃ４９に記載の方法。
［Ｃ５１］
前記データまたは制御フレームのうちの前記少なくとも１つを受信することに応答して肯定応答（ＡＣＫ）、データ、またはＡＣＫおよびデータフレームのうちの少なくとも１つを生成することと、
前記デバイスへの送信のために前記ＡＣＫ、データ、またはＡＣＫおよびデータフレームのうちの前記少なくとも１つを出力することと
をさらに備える、Ｃ４９に記載の方法。
［Ｃ５２］
前記デバイスからＲＴＳ部分と第２のビームトレーニングシーケンスを備える第２のフレームを受信することと、前記第２のビームトレーニングシーケンスに基づいて、前記デバイスに実質的に向けられたプライマリローブを有するアンテナ輻射パターンで前記ＡＣＫ、データ、またはＡＣＫおよびデータフレームのうちの前記少なくとも１つを送信するためのアンテナを構成することとをさらに備える、Ｃ５１に記載の方法。
［Ｃ５３］
ワイヤレス通信のための装置であって、
送信可（ＣＴＳ）部分および第１のビームトレーニングシーケンスを含む第１のフレームを生成するための手段と、
デバイスへの送信のために前記第１のフレームを出力するための手段と
を備える、装置。
［Ｃ５４］
前記デバイスから送信要求（ＲＴＳ）を受信するための手段をさらに備え、ここにおいて、前記第１のフレームを生成するための前記手段は、前記ＲＴＳフレームを受信することに応答して、前記第１のフレームを生成するための手段を備える、Ｃ５３に記載の装置。
［Ｃ５５］
全方向性様式で前記ＲＴＳフレームを受信するためのアンテナを構成するための手段をさらに備える、Ｃ５４に記載の装置。
［Ｃ５６］
前記デバイスから送信要求（ＲＴＳ）部分および第２のビームトレーニングシーケンスを備える第２のフレームを受信するための手段をさらに備え、ここにおいて、前記第１のフレームを生成するための前記手段は、前記第２のフレームを受信することに応答して、前記第１のフレームを生成するための手段を備える、Ｃ５３に記載の装置。
［Ｃ５７］
全方向性様式で前記第２のフレームを受信するためのアンテナを構成するための手段をさらに備える、Ｃ５６に記載の装置。
［Ｃ５８］
前記第２のビームトレーニングシーケンスに基づいて、前記デバイスに実質的に向けられたプライマリローブを有するアンテナ輻射パターンで前記第１のフレームを送信するためのアンテナを構成するための手段をさらに備える、Ｃ５６に記載の装置。
［Ｃ５９］
前記第１のフレームの前記送信の後に、前記デバイスからデータまたは制御フレームのうちの少なくとも１つを受信するための手段をさらに備える、Ｃ５３に記載の装置。
［Ｃ６０］
前記デバイスからＲＴＳ部分と第２のビームトレーニングシーケンスを備える第２のフレームを受信するための手段と、前記第２のビームトレーニングシーケンスに基づいて、データまたは制御フレームのうちの前記少なくとも１つを受信するためのアンテナを構成するための手段をさらに備える、Ｃ５９に記載の装置。
［Ｃ６１］
前記データまたは制御フレームのうちの前記少なくとも１つを受信することに応答して、肯定応答（ＡＣＫ）、データ、またはＡＣＫおよびデータフレームのうちの少なくとも１つを生成するための手段と、
前記デバイスへの送信のために前記ＡＣＫ、データ、またはＡＣＫおよびデータフレームのうちの前記少なくとも１つを出力するための手段と
をさらに備える、Ｃ５９に記載の装置。
［Ｃ６２］
前記デバイスからＲＴＳ部分と第２のビームトレーニングシーケンスを備える第２のフレームを受信するための手段と、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するための手段とをさらに備える、Ｃ６１に記載の装置。
［Ｃ６３］
コンピュータ読取り可能媒体であって、
送信可（ＣＴＳ）部分およびビームトレーニングシーケンスを含むフレームを生成することと、
デバイスへの送信のために前記フレームを出力することと
を行うための命令を記憶したコンピュータ読取り可能媒体。
［Ｃ６４］
ワイヤレスノードであって、
少なくとも１つのアンテナと、
送信可（ＣＴＳ）部分およびビームトレーニングシーケンスを含むフレームを生成するように構成された処理システムと、
前記少なくとも１つのアンテナを介したデバイスへの送信のために前記フレームを出力するように構成されたインタフェースと
を備える、ワイヤレスノード。
［Ｃ６５］
ワイヤレス通信のための装置であって、
第１のデバイスから第１のビームトレーニングシーケンスを備える第１のフレームを受信することと、
前記第１のビームトレーニングシーケンスに基づいて第１の構成にアンテナを構成することと、
第２のフレームを生成することと
を行うように構成された処理システムと、
前記アンテナが前記第１の構成に構成されている間、前記アンテナを介した第２のデバイスへの送信のために前記第２のフレームを出力するように構成されたインタフェースと
を備える、装置。
［Ｃ６６］
前記第１の構成は、前記第１のデバイスに実質的に向けられた空白を有するアンテナ輻射パターンを生成するように構成された前記アンテナを備える、Ｃ６５に記載の装置。
［Ｃ６７］
前記第１の構成は、前記第２のデバイスに実質的に向けられたプライマリローブおよび前記第１のデバイスに実質的に向けられた空白を有するアンテナ輻射パターンを生成するように構成された前記アンテナを備える、Ｃ６５に記載の装置。
［Ｃ６８］
前記第１のフレームは、送信要求（ＲＴＳ）部分を備え、前記処理システムは、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、Ｃ６５に記載の装置。
［Ｃ６９］
前記第２の構成は、前記第１のデバイスに向けられた空白なしのアンテナ輻射パターンを生成するように構成された前記アンテナを備える、Ｃ６８に記載の装置。
［Ｃ７０］
前記第２のフレームは、送信要求（ＲＴＳ）フレームを備える、Ｃ６５に記載の装置。
［Ｃ７１］
前記第２のフレームは、送信要求（ＲＴＳ）部分および第２のビームトレーニングシーケンスを含むフレームを備える、Ｃ６５に記載の装置。
［Ｃ７２］
前記第２のフレームは、少なくとも１つのデータフレームを備える、Ｃ６５に記載の装置。
［Ｃ７３］
前記第２のフレームは、送信可（ＣＴＳ）フレームを備える、Ｃ６５に記載の装置。
［Ｃ７４］
前記第２のフレームは、送信可（ＣＴＳ）部分および第２のビームトレーニングシーケンスを含むフレームを備える、Ｃ６５に記載の装置。
［Ｃ７５］
前記第２のフレームは、少なくとも１つの肯定応答（ＡＣＫ）フレームを備える、Ｃ６５に記載の装置。
［Ｃ７６］
前記処理システムは、第３のデバイスから送信可（ＣＴＳ）部分および第２のビームトレーニングシーケンスを備える第３のフレームを受信するようにさらに構成され、前記アンテナの前記第１の構成は、前記第２のビームトレーニングシーケンスにさらに基づく、Ｃ６５に記載の装置。
［Ｃ７７］
前記第１の構成は、前記第１のデバイスに実質的に向けられた第１の空白および前記第３のデバイスに実質的に向けられた第２の空白を有するアンテナ輻射パターンを生成するように構成された前記アンテナを備える、Ｃ７６に記載の装置。
［Ｃ７８］
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、Ｃ７６に記載の装置。
［Ｃ７９］
前記第１のフレームは、送信要求（ＲＴＳ）部分を備え、前記処理システムは、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、Ｃ７６に記載の装置。
［Ｃ８０］
前記第２の構成は、それぞれ、前記第１のデバイスにおよび前記第３のデバイスに向けられた空白なしのアンテナ輻射パターンを生成するように構成された前記アンテナを備える、Ｃ７９に記載の装置。
［Ｃ８１］
前記処理システムは、前記アンテナのための少なくとも前記第１の構成と、前記少なくとも第１の構成が有効である関連の持続時間とを含むテーブルを生成するように構成される、Ｃ６５に記載の装置。
［Ｃ８２］
ワイヤレス通信のための方法であって、
第１のデバイスから第１のビームトレーニングシーケンスを備える第１のフレームを受信することと、
前記第１のビームトレーニングシーケンスに基づいて第１の構成にアンテナを構成することと、
第２のフレームを生成することと、
前記アンテナが前記第１の構成に構成されている間、前記アンテナを介した第２のデバイスへの送信のために前記第２のフレームを出力することと
を備える、方法。
［Ｃ８３］
前記第１の構成は、前記第１のデバイスに実質的に向けられた空白を有するアンテナ輻射パターンを生成するように構成された前記アンテナを備える、Ｃ８２に記載の方法。
［Ｃ８４］
前記第１の構成は、前記第２のデバイスに実質的に向けられたプライマリローブおよび前記第１のデバイスに実質的に向けられた空白を有するアンテナ輻射パターンを生成するように構成された前記アンテナを備える、Ｃ８２に記載の方法。
［Ｃ８５］
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、Ｃ８２に記載の方法。
［Ｃ８６］
前記第２の構成は、前記第１のデバイスに向けられた空白なしのアンテナ輻射パターンを生成するように構成された前記アンテナを備える、Ｃ８２に記載の方法。
［Ｃ８７］
前記第２のフレームは、送信要求（ＲＴＳ）フレームを備える、Ｃ８２に記載の方法。
［Ｃ８８］
前記第２のフレームは、送信要求（ＲＴＳ）部分および第２のビームトレーニングシーケンスを含むフレームを備える、Ｃ８２に記載の方法。
［Ｃ８９］
前記第２のフレームは、少なくとも１つのデータフレームを備える、Ｃ８２に記載の方法。
［Ｃ９０］
前記第２のフレームは、送信可（ＣＴＳ）フレームを備える、Ｃ８２に記載の方法。
［Ｃ９１］
前記第２のフレームは、送信可（ＣＴＳ）部分および第２のビームトレーニングシーケンスを含むフレームを備える、Ｃ８２に記載の方法。
［Ｃ９２］
前記第２のフレームは、少なくとも１つの肯定応答（ＡＣＫ）フレームを備える、Ｃ８２に記載の方法。
［Ｃ９３］
第３のデバイスから送信可（ＣＴＳ）部分および第２のビームトレーニングシーケンスを含む第３のフレームを受信することをさらに備え、ここにおいて、前記アンテナの前記第１の構成は、前記第２のビームトレーニングシーケンスにさらに基づく、
をさらに備える、Ｃ８２に記載の方法。
［Ｃ９４］
前記第１の構成は、前記第１のデバイスに実質的に向けられた第１の空白および前記第３のデバイスに実質的に向けられた第２の空白を有するアンテナ輻射パターンを生成するように構成された前記アンテナを備える、Ｃ９３に記載の方法。
［Ｃ９５］
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、Ｃ９３に記載の方法。
［Ｃ９６］
前記第１のフレームは、送信要求（ＲＴＳ）部分を備え、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、Ｃ９３に記載の方法。
［Ｃ９７］
前記第２の構成は、それぞれ、前記第１のデバイスにおよび前記第３のデバイスに向けられた空白なしのアンテナ輻射パターンを生成するように構成された前記アンテナを備える、Ｃ９３に記載の方法。
［Ｃ９８］
前記アンテナのための少なくとも前記第１の構成と、前記少なくとも第１の構成が有効である関連の持続時間とを含むテーブルを生成することをさらに備える、Ｃ８２に記載の方法。
［Ｃ９９］
ワイヤレス通信のための装置であって、
第１のデバイスから第１のビームトレーニングシーケンスを備える第１のフレームを受信するための手段と、
前記第１のビームトレーニングシーケンスに基づいて第１の構成にアンテナを構成するための手段と、
第２のフレームを生成するための手段と、
前記アンテナが前記第１の構成に構成されている間、前記アンテナを介した第２のデバイスへの送信のために前記第２のフレームを出力するための手段と
を備える、装置。
［Ｃ１００］
前記第１の構成は、前記第１のデバイスに実質的に向けられた空白を有するアンテナ輻射パターンを生成するように構成された前記アンテナを備える、Ｃ９９に記載の装置。
［Ｃ１０１］
前記第１の構成は、前記第２のデバイスに実質的に向けられたプライマリローブおよび前記第１のデバイスに実質的に向けられた空白を有するアンテナ輻射パターンを生成するように構成された前記アンテナを備える、Ｃ９９に記載の装置。
［Ｃ１０２］
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、Ｃ９９に記載の装置。
［Ｃ１０３］
前記第２の構成は、前記第１のデバイスに向けられた空白なしのアンテナ輻射パターンを生成するように構成された前記アンテナを備える、Ｃ１０１に記載の装置。
［Ｃ１０４］
前記第２のフレームは、送信要求（ＲＴＳ）フレームを備える、Ｃ１０１に記載の装置。
［Ｃ１０５］
前記第２のフレームは、送信要求（ＲＴＳ）部分および第２のビームトレーニングシーケンスを含むフレームを備える、Ｃ９９に記載の装置。
［Ｃ１０６］
前記第２のフレームは、少なくとも１つのデータフレームを備える、Ｃ９９に記載の装置。
［Ｃ１０７］
前記第２のフレームは、送信可（ＣＴＳ）フレームを備える、Ｃ９９に記載の装置。
［Ｃ１０８］
前記第２のフレームは、送信可（ＣＴＳ）部分および第２のビームトレーニングシーケンスを含むフレームを備える、Ｃ９９に記載の装置。
［Ｃ１０９］
前記第２のフレームは、少なくとも１つの肯定応答（ＡＣＫ）フレームを備える、Ｃ９９に記載の装置。
［Ｃ１１０］
第３のデバイスから送信可（ＣＴＳ）部分および第２のビームトレーニングシーケンスを含む第３のフレームを受信するための手段をさらに備え、ここにおいて、前記アンテナの前記第１の構成は、前記第２のビームトレーニングシーケンスにさらに基づく、
をさらに備える、Ｃ９９に記載の装置。
［Ｃ１１１］
前記第１の構成は、前記第１のデバイスに実質的に向けられた第１の空白および前記第３のデバイスに実質的に向けられた第２の空白を有するアンテナ輻射パターンを生成するように構成された前記アンテナを備える、Ｃ１１０に記載の装置。
［Ｃ１１２］
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、Ｃ１１０に記載の装置。
［Ｃ１１３］
前記第１のフレームは、送信要求（ＲＴＳ）部分を備え、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、Ｃ１１０に記載の装置。
［Ｃ１１４］
前記第２の構成は、それぞれ、前記第１のデバイスにおよび前記第３のデバイスに向けられた空白なしのアンテナ輻射パターンを生成するように構成された前記アンテナを備える、Ｃ１１３に記載の装置。
［Ｃ１１５］
前記アンテナのための少なくとも前記第１の構成と、前記少なくとも第１の構成が有効である関連の持続時間とを含むテーブルを生成するための手段をさらに備える、Ｃ９９に記載の装置。
［Ｃ１１６］
コンピュータ読取り可能媒体であって、
第１のデバイスからビームトレーニングシーケンスを備える第１のフレームを受信することと、
前記ビームトレーニングシーケンスに基づいて第１の構成にアンテナを構成することと、
第２のフレームを生成することと、
前記アンテナが前記第１の構成に構成されている間、前記アンテナを介した第２のデバイスへの送信のために前記第２のフレームを出力することと
を行うための命令を記憶したコンピュータ読取り可能媒体。
［Ｃ１１７］
ワイヤレスノードであって、
少なくとも１つのアンテナと、
第１のデバイスからビームトレーニングシーケンスを備える第１のフレームを受信することと、
前記ビームトレーニングシーケンスに基づいて第１の構成に前記少なくとも１つのアンテナを構成することと、
第２のフレームを生成することと
を行うように構成された処理システムと、
前記少なくとも１つのアンテナが、前記第１の構成に構成されてる間、前記少なくとも１つのアンテナを介して第２のデバイスへの送信のために前記第２のフレームを出力するためのインタフェースと
を備える、ワイヤレスノード。
［Ｃ１１８］
ワイヤレス通信のための装置であって、
第１のデバイスから第１の送信可（ＣＴＳ）部分および第１のビームトレーニングシーケンスを備える第１のフレームを受信することと、
前記第１のビームトレーニングシーケンスに基づいて第１の構成にアンテナを構成することと、
第２のフレームを生成することと
を行うように構成された処理システムと、
前記アンテナが前記第１の構成に構成されている間、前記アンテナを介した第２のデバイスへの送信のために前記第２のフレームを出力するように構成されたインタフェースと
を備える、装置。
［Ｃ１１９］
前記第１の構成は、前記第１のデバイスに実質的に向けられた空白を有するアンテナ輻射パターンを生成するように構成された前記アンテナを備える、Ｃ１１８に記載の装置。
［Ｃ１２０］
前記第１の構成は、前記第２のデバイスに実質的に向けられたプライマリローブおよび前記第１のデバイスに実質的に向けられた空白を有するアンテナ輻射パターンを生成するように構成された前記アンテナを備える、Ｃ１１８に記載の装置。
［Ｃ１２１］
前記処理システムは、
前記第１のデバイスが、前記第１のフレームの前記第１のＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３の構成を出力するように構成される、
Ｃ１１８に記載の装置。
［Ｃ１２２］
前記第２の構成は、前記第１のデバイスに向けられた空白なしのアンテナ輻射パターンを生成するように構成された前記アンテナを備える、Ｃ１２１に記載の装置。
［Ｃ１２３］
前記第２のフレームは、送信要求（ＲＴＳ）フレームを備える、Ｃ１１８に記載の装置。
［Ｃ１２４］
前記第２のフレームは、送信要求（ＲＴＳ）部分および第２のビームトレーニングシーケンスを備える、Ｃ１１８に記載の装置。
［Ｃ１２５］
前記第２のフレームは、少なくとも１つのデータフレームデータフレームを備える、Ｃ１１８に記載の装置。
［Ｃ１２６］
前記第２のフレームは、送信可（ＣＴＳ）フレームを備える、Ｃ１１８に記載の装置。
［Ｃ１２７］
前記第２のフレームは、第２の送信可（ＣＴＳ）部分および第２のビームトレーニングシーケンスを備える、Ｃ１１８に記載の装置。
［Ｃ１２８］
前記第２のフレームは、少なくとも１つの肯定応答（ＡＣＫ）フレームを備える、Ｃ１１８に記載の装置。
［Ｃ１２９］
前記処理システムは、前記アンテナのための少なくとも前記第１の構成と、前記少なくとも第１の構成が有効である関連の持続時間とを含むテーブルを生成するように構成される、Ｃ１１８に記載の装置。
［Ｃ１３０］
ワイヤレス通信のための方法であって、
第１のデバイスから第１の送信可（ＣＴＳ）部分および第１のビームトレーニングシーケンスを備える第１のフレームを受信することと、
前記第１のビームトレーニングシーケンスに基づいて第１の構成にアンテナを構成することと、
第２のフレームを生成することと
を行うように構成され、
前記アンテナが前記第１の構成に構成されている間、前記アンテナを介した第２のデバイスへの送信のために前記第２のフレームを出力することと
を備える、方法。
［Ｃ１３１］
前記第１の構成は、前記第１のデバイスに実質的に向けられた空白を有するアンテナ輻射パターンを生成するように構成された前記アンテナを備える、Ｃ１３０に記載の方法。
［Ｃ１３２］
前記第１の構成は、前記第２のデバイスに実質的に向けられたプライマリローブおよび前記第１のデバイスに実質的に向けられた空白を有するアンテナ輻射パターンを生成するように構成された前記アンテナを備える、Ｃ１３０に記載の方法。
［Ｃ１３３］
前記第１のデバイスが、前記第１のフレームの前記第１のＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、Ｃ１３０に記載の方法。
［Ｃ１３４］
前記第２の構成は、前記第１のデバイスに向けられた空白なしのアンテナ輻射パターンを生成するように構成された前記アンテナを備える、Ｃ１３３に記載の方法。
［Ｃ１３５］
前記第２のフレームは、送信要求（ＲＴＳ）フレームを備える、Ｃ１３０に記載の方法。
［Ｃ１３６］
前記第２のフレームは、送信要求（ＲＴＳ）部分および第２のビームトレーニングシーケンスを備える、Ｃ１３０に記載の方法。
［Ｃ１３７］
前記第２のフレームは、少なくとも１つのデータフレームを備える、Ｃ１３０に記載の方法。
［Ｃ１３８］
前記第２のフレームは、送信可（ＣＴＳ）フレームを備える、Ｃ１３０に記載の方法。
［Ｃ１３９］
前記第２のフレームは、第２の送信可（ＣＴＳ）部分および第２のビームトレーニングシーケンスを備える、Ｃ１３０に記載の方法。
［Ｃ１４０］
前記第２のフレームは、少なくとも１つの肯定応答（ＡＣＫ）フレームを備える、Ｃ１３０に記載の方法。
［Ｃ１４１］
前記アンテナのための少なくとも前記第１の構成と、前記少なくとも第１の構成が有効である関連の持続時間とを含むテーブルを生成することをさらに備える、
をさらに備える、Ｃ１３０に記載の方法。
［Ｃ１４２］
ワイヤレス通信のための装置であって、
第１のデバイスから第１の送信可（ＣＴＳ）部分および第１のビームトレーニングシーケンスを備える第１のフレームを受信するための手段と、
前記第１のビームトレーニングシーケンスに基づいて第１の構成にアンテナを構成するための手段と、
第２のフレームを生成するための手段と、
前記アンテナが前記第１の構成に構成されている間、前記アンテナを介した第２のデバイスへの送信のために前記第２のフレームを出力するための手段と
を備える、装置。
［Ｃ１４３］
前記第１の構成は、前記第１のデバイスに実質的に向けられた空白を有するアンテナ輻射パターンを生成するように構成された前記アンテナを備える、Ｃ１４２に記載の装置。
［Ｃ１４４］
前記第１の構成は、前記第２のデバイスに実質的に向けられたプライマリローブおよび前記第１のデバイスに実質的に向けられた空白を有するアンテナ輻射パターンを生成するように構成された前記アンテナを備える、Ｃ１４２に記載の装置。
［Ｃ１４５］
前記第１のデバイスが、前記第１のフレームの前記第１のＣＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、Ｃ１４２に記載の装置。
［Ｃ１４６］
前記第２の構成は、前記第１のデバイスに向けられた空白なしのアンテナ輻射パターンを生成するように構成された前記アンテナを備える、Ｃ１４５に記載の装置。
［Ｃ１４７］
前記第２のフレームは、送信要求（ＲＴＳ）フレームを備える、Ｃ１４２に記載の装置。
［Ｃ１４８］
前記第２のフレームは、送信要求（ＲＴＳ）部分および第２のビームトレーニングシーケンスを備える、Ｃ１４２に記載の装置。
［Ｃ１４９］
前記第２のフレームは、少なくとも１つのデータフレームを備える、Ｃ１４２に記載の装置。
［Ｃ１５０］
前記第２のフレームは、送信可（ＣＴＳ）フレームを備える、Ｃ１４２に記載の装置。
［Ｃ１５１］
前記第２のフレームは、第２の送信可（ＣＴＳ）部分および第２のビームトレーニングシーケンスを備える、Ｃ１４２に記載の装置。
［Ｃ１５２］
前記第２のフレームは、少なくとも１つの肯定応答（ＡＣＫ）フレームを備える、Ｃ１４２に記載の装置。
［Ｃ１５３］
前記アンテナのための少なくとも前記第１の構成と、前記少なくとも第１の構成が有効である関連の持続時間とを含むテーブルを生成するための手段をさらに備える、Ｃ１４２に記載の装置。
［Ｃ１５４］
コンピュータ読取り可能媒体であって、
第１のデバイスから送信可（ＣＴＳ）部分およびビームトレーニングシーケンスを備える第１のフレームを受信することと、
前記ビームトレーニングシーケンスに基づいて第１の構成にアンテナを構成することと、
第２のフレームを生成することと、
前記アンテナが前記第１の構成に構成されている間、前記アンテナを介した第２のデバイスへの送信のために前記第２のフレームを出力することと
を行うための命令を記憶したコンピュータ読取り可能媒体。
［Ｃ１５５］
ワイヤレスノードであって、
少なくとも１つのアンテナと、
第１のデバイスから送信可（ＣＴＳ）部分およびビームトレーニングシーケンスを備えるフレームを受信することと、
前記ビームトレーニングシーケンスに基づいて第１の構成に前記少なくとも１つのアンテナを構成することと、
第２のフレームを生成することと
を行うように構成された処理システムと、
前記少なくとも１つのアンテナが、前記第１の構成に構成されている間、前記少なくとも１つのアンテナを介して第２のデバイスへの送信のために前記第２のフレームを出力するためのインタフェースと
を備える、ワイヤレスノード。
［Ｃ１５６］
ワイヤレス通信のための装置であって、
通信媒体が前記装置と前記デバイスとの間の通信を提供するために利用可能であるかどうかを決定するために使用されることになる第１の制御フレームを生成するように構成された処理システム、ここにおいて、前記第１の制御フレームは、第１のビームトレーニングシーケンスを備える、と、
送信のために前記第１の制御フレームを出力するように構成されたインタフェースと
を備える、装置。
［Ｃ１５７］
前記処理システムは、指向性様式で前記第１の制御フレームを送信するためにアンテナを構成するようにさらに構成される、Ｃ１５６に記載の装置。
［Ｃ１５８］
前記処理システムは、前記デバイスに実質的に向けられたプライマリローブを有するアンテナ輻射パターンで前記第１の制御フレームを送信するためのアンテナを構成するようにさらに構成される、Ｃ１５６に記載の装置。
［Ｃ１５９］
前記第１の制御フレームは、送信要求（ＲＴＳ）部分をさらに備える、Ｃ１５６に記載の装置。
［Ｃ１６０］
前記処理システムは、前記第１の制御フレームの前記送信の後に、前記デバイスから第２の制御フレームを受信するようにさらに構成され、前記第２の制御フレームは、送信可（ＣＴＳ）部分および第２のビームトレーニングシーケンスを備える、と、Ｃ１５６に記載の装置。
［Ｃ１６１］
前記処理システムは、前記第２の制御フレームを受信することに応答して、データまたは制御フレームのうちの少なくとも１つを生成するためにさらに構成され、前記インタフェースは、前記デバイスへの送信のために前記データまたは制御フレームのうちの前記少なくとも１つを出力するためにさらに構成される、Ｃ１６０に記載の装置。
［Ｃ１６２］
前記処理システムは、前記第２のビームトレーニングシーケンスに基づいて、前記デバイスに実質的に向けられたプライマリローブを有するアンテナ輻射パターンで、前記データまたは制御フレームのうちの少なくとも１つを送信、受信、または送信および受信するためのアンテナを構成するようにさらに構成される、Ｃ１６０に記載の装置。
［Ｃ１６３］
前記処理システムは、前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するようにさらに構成される、Ｃ１６１に記載の装置。
［Ｃ１６４］
前記処理システムは、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成するようにさらに構成される、Ｃ１６３に記載の装置。
［Ｃ１６５］
前記第１の制御フレームは、送信可（ＣＴＳ）部分をさらに備える、Ｃ１５６に記載の装置。
［Ｃ１６６］
前記処理システムは、前記デバイスから送信要求（ＲＴＳ）フレームを受信するようにさらに構成され、前記処理システムは、前記ＲＴＳフレームを受信することに応答して前記第１の制御フレームを生成するようにさらに構成される、Ｃ１５６に記載の装置。
［Ｃ１６７］
前記処理システムは、全方向性様式で前記ＲＴＳフレームを受信するためのアンテナを構成するようにさらに構成される、Ｃ１６６に記載の装置。
［Ｃ１６８］
前記処理システムは、前記デバイスから送信要求（ＲＴＳ）部分および第２のビームトレーニングシーケンスを備える第２の制御フレームを受信するようにさらに構成され、前記処理システムは、前記第２の制御フレームを受信することに応答して、前記第１の制御フレームを生成するようにさらに構成される、Ｃ１５６に記載の装置。
［Ｃ１６９］
前記処理システムは、全方向性様式で前記第２の制御フレームを受信するためのアンテナを構成するようにさらに構成される、Ｃ１６８に記載の装置。
［Ｃ１７０］
前記処理システムは、前記第２のビームトレーニングシーケンスに基づいて、前記デバイスに実質的に向けられたプライマリローブを有するアンテナ輻射パターンで、前記第１の制御フレームを送信するためのアンテナを構成するようにさらに構成される、Ｃ１６８に記載の装置。
［Ｃ１７１］
前記処理システムは、前記第１の制御フレームの前記送信の後に、前記デバイスからデータまたは制御フレームのうちの少なくとも１つを受信するようにさらに構成される、Ｃ１５６に記載の装置。
［Ｃ１７２］
前記処理システムは、前記デバイスからＲＴＳ部分および第２のビームトレーニングシーケンスを備える第２の制御フレームを受信するようにさらに構成され、前記処理システムは、前記第２のビームトレーニングシーケンスに基づいて、前記データまたは制御フレームのうちの前記少なくとも１つを受信するためのアンテナを構成するようにさらに構成される、Ｃ１７１に記載の装置。
［Ｃ１７３］
前記処理システムは、前記データまたは制御フレームのうちの前記少なくとも１つを受信することに応答して、肯定応答（ＡＣＫ）、データ、またはＡＣＫおよびデータレームのうちの少なくとも１つを生成するようにさらに構成され、前記インタフェースは、前記デバイスへの送信のために前記ＡＣＫ、データ、またはＡＣＫおよびデータフレームのうちの前記少なくとも１つを出力するように構成される、Ｃ１７１に記載の装置。
［Ｃ１７４］
前記処理システムは、前記デバイスからＲＴＳ部分および第２のビームトレーニングシーケンスを備える第２の制御フレームを受信するようにさらに構成され、前記処理システムは、前記第２のビームトレーニングシーケンスに基づいて、前記デバイスに実質的に向けられたプライマリローブを有するアンテナ輻射パターンで前記ＡＣＫ、データ、またはＡＣＫおよびデータフレームのうちの前記少なくとも１つを送信するためのアンテナを構成するようにさらに構成される、Ｃ１７３に記載の装置。
［Ｃ１７５］
ワイヤレス通信のための方法であって、
通信媒体がデバイスと通信することに利用可能であるかを決定するために使用されることになる第１の制御フレームを生成すること、ここにおいて、前記第１の制御フレームは、第１のビームトレーニングシーケンスを備える、と、
前記デバイスへの送信のために前記第１の制御フレームを出力することと
を備える、方法。
［Ｃ１７６］
指向性様式で前記第１の制御フレームを送信するためのアンテナを構成することをさらに備える、Ｃ１７５に記載の方法。
［Ｃ１７７］
前記デバイスに実質的に向けられたプライマリローブを有するアンテナ輻射パターンで、指向性様式で前記第１の制御フレームを送信するためのアンテナを構成することをさらに備える、Ｃ１７５に記載の方法。
［Ｃ１７８］
前記第１の制御フレームを生成することは、送信要求（ＲＴＳ）部分を含むための前記フレーム制御フレームを生成することを備える、Ｃ１７５に記載の方法。
［Ｃ１７９］
前記第１の制御フレームの前記送信の後に、前記デバイスから第２の制御フレームを受信することをさらに備え、ここにおいて、前記第２の制御フレームは、送信可（ＣＴＳ）部分および第２のビームトレーニングシーケンスを備える、Ｃ１７５に記載の方法。
［Ｃ１８０］
前記第２の制御フレームを受信することに応答して、データまたは制御フレームのうちの少なくとも１つを生成すること、前記デバイスへの送信のために前記データまたは制御フレームのうちの前記少なくとも１つを出力することとをさらに備える、Ｃ１７９に記載の方法。
［Ｃ１８１］
前記第２のビームトレーニングシーケンスに基づいて、前記デバイスに実質的に向けられたプライマリローブを有するアンテナ輻射パターンで、前記データまたは制御フレームのうちの少なくとも１つを送信、受信、または送信および受信するためのアンテナを構成することをさらに備える、Ｃ１７９に記載の方法。
［Ｃ１８２］
前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信することをさらに備える、Ｃ１８０に記載の方法。
［Ｃ１８３］
前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成することをさらに備える、Ｃ１８２に記載の方法。
［Ｃ１８４］
前記第１の制御フレームを生成することは、送信可（ＣＴＳ）部分を含むための前記第１の制御フレームを生成することを備える、Ｃ１７５に記載の方法。
［Ｃ１８５］
前記デバイスから送信要求（ＲＴＳ）フレームを受信することをさらに備え、ここにおいて、前記第１の制御フレームを生成することは、前記ＲＴＳフレームを受信することに応答して、前記第１の制御フレームを生成することを備える、Ｃ１７５に記載の方法。
［Ｃ１８６］
全方向性様式で前記ＲＴＳフレームを受信するためのアンテナを構成することをさらに備える、Ｃ１８５に記載の方法。
［Ｃ１８７］
前記デバイスから送信要求（ＲＴＳ）部分および第２のビームトレーニングシーケンスを備える第２の制御フレームを受信することをさらに備え、ここにおいて、前記第１の制御フレームを生成することは、前記第２の制御フレームを受信することに応答して、前記第１の制御フレームを生成することを備える、Ｃ１７５に記載の方法。
［Ｃ１８８］
全方向性様式で前記第２の制御フレームを受信するためのアンテナを構成することをさらに備える、Ｃ１８７に記載の方法。
［Ｃ１８９］
前記第２のビームトレーニングシーケンスに基づいて、前記デバイスに実質的に向けられたプライマリローブを有するアンテナ輻射パターンで、前記第１の制御フレームを送信するためのアンテナを構成すること、をさらに備える、Ｃ１８７に記載の方法。
［Ｃ１９０］
前記第１の制御フレームの前記送信の後に、前記デバイスから、データまたは制御フレームのうちの少なくとも１つを受信することをさらに備える、Ｃ１７５に記載の方法。
［Ｃ１９１］
前記デバイスからＲＴＳ部分および第２のビームトレーニングシーケンスを備える第２の制御フレームを受信することと、前記第２のビームトレーニングシーケンスに基づいて、前記データまたは制御フレームのうちの前記少なくとも１つを受信するためのアンテナを構成することとをさらに備える、Ｃ１９０に記載の方法。
［Ｃ１９２］
前記データまたは制御フレームのうちの前記少なくとも１つを受信することに応答して、肯定応答（ＡＣＫ）、データ、またはＡＣＫおよびデータフレームのうちの少なくとも１つを生成することと、前記デバイスへの送信のために前記ＡＣＫ、データ、またはＡＣＫおよびデータフレームのうちの前記少なくとも１つを出力することとをさらに備える、Ｃ１９０に記載の方法。
［Ｃ１９３］
前記デバイスからＲＴＳ部分および第２のビームトレーニングシーケンスを備える第２の制御フレームを受信することと、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成することとをさらに備える、Ｃ１９２に記載の方法。
［Ｃ１９４］
ワイヤレス通信のための装置であって、
通信媒体がデバイスと通信することに利用可能であるかを決定するために使用されることになる第１の制御フレームを生成するための手段と、ここにおいて、前記第１の制御フレームは、第１のビームトレーニングシーケンスを備える、と、
前記デバイスへの送信のために前記第１の制御フレームを出力するための手段と
を備える、装置。
［Ｃ１９５］
指向性様式で前記第１の制御フレームを送信するためのアンテナを構成するための手段をさらに備える、Ｃ１９４に記載の装置。
［Ｃ１９６］
前記デバイスに実質的に向けられたプライマリローブを有するアンテナ輻射パターンで指向性様式で前記第１の制御フレームを送信するためのアンテナを構成するための手段をさらに備える、Ｃ１９４に記載の装置。
［Ｃ１９７］
前記第１の制御フレームを生成するための手段は、送信要求（ＲＴＳ）部分を含むための前記フレーム制御フレームを生成するための手段を備える、Ｃ１９４に記載の装置。
［Ｃ１９８］
前記第１の制御フレームの前記送信の後に、前記デバイスから第２の制御フレームを受信するための手段をさらに備え、前記第２の制御フレームは、送信可（ＣＴＳ）部分および第２のビームトレーニングシーケンスを備える、Ｃ１９４に記載の装置。
［Ｃ１９９］
前記第２の制御フレームを受信することに応答して、データまたは制御フレームのうちの少なくとも１つを生成するための手段と、前記デバイスへの送信のために前記データまたは制御フレームのうちの前記少なくとも１つを出力するための手段とをさらに備える、Ｃ１９８に記載の装置。
［Ｃ２００］
前記第２のビームトレーニングシーケンスに基づいて、前記デバイスに実質的に向けられたプライマリローブを有するアンテナ輻射パターンで、前記データまたは制御フレームのうちの少なくとも１つを送信、受信、または送信および受信するためのアンテナを構成するための手段をさらに備える、Ｃ１９８に記載の装置。
［Ｃ２０１］
前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するための手段をさらに備える、Ｃ１９９に記載の装置。
［Ｃ２０２］
前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成するための手段をさらに備える、Ｃ２０１に記載の装置。
［Ｃ２０３］
前記第１の制御フレームを生成するための手段は、送信可（ＣＴＳ）部分を含むための前記第１の制御フレームを生成するための手段を備える、Ｃ１９４に記載の装置。
［Ｃ２０４］
前記デバイスから送信要求（ＲＴＳ）フレームを受信するための手段をさらに備え、ここにおいて、前記第１の制御フレームを生成することは、前記ＲＴＳフレームを受信することに応答して、前記第１の制御フレームを生成するための手段を備える、Ｃ１９４に記載の装置。
［Ｃ２０５］
全方向性様式で前記ＲＴＳフレームを受信するためのアンテナを構成するための手段をさらに備える、Ｃ２０４に記載の装置。
［Ｃ２０６］
前記デバイスから送信要求（ＲＴＳ）部分および第２のビームトレーニングシーケンスを備える第２の制御フレームを受信するための手段をさらに備え、ここにおいて、前記第１の制御フレームを生成するための前記手段は、前記第２の制御フレームを受信することに応答して、前記第１の制御フレームを生成するための手段を備える、Ｃ１９４に記載の装置。
［Ｃ２０７］
全方向性様式で前記第２の制御フレームを受信するためのアンテナを構成するための手段をさらに備える、Ｃ２０６に記載の装置。
［Ｃ２０８］
前記第２のビームトレーニングシーケンスに基づいて、前記デバイスに実質的に向けられたプライマリローブを有するアンテナ輻射パターンで、指向性様式で前記第１の制御フレームを送信するためのアンテナを構成するための手段
をさらに備える、Ｃ２０６に記載の装置。
［Ｃ２０９］
前記第１の制御フレームの前記送信の後に、前記デバイスから、データまたは制御フレームのうちの少なくとも１つを受信するための手段
をさらに備える、Ｃ１９４に記載の装置。
［Ｃ２１０］
前記デバイスからＲＴＳ部分および第２のビームトレーニングシーケンスを備える第２の制御フレームを受信するための手段と、前記第２のビームトレーニングシーケンスに基づいて、前記データまたは制御フレームのうちの前記少なくとも１つを受信するためのアンテナを構成するための手段とをさらに備える、Ｃ２０９に記載の装置。
［Ｃ２１１］
前記データまたは制御フレームのうちの前記少なくとも１つを受信することに応答して、肯定応答（ＡＣＫ）、データ、またはＡＣＫおよびデータフレームのうちの少なくとも１つを生成するための手段と、前記デバイスへの送信のために前記ＡＣＫ、データ、またはＡＣＫおよびデータフレームのうちの前記少なくとも１つを出力するための手段とをさらに備える、Ｃ２０９に記載の装置。
［Ｃ２１２］
前記デバイスからＲＴＳ部分および第２のビームトレーニングシーケンスを備える第２の制御フレームを受信するための手段と、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するための手段と
をさらに備える、Ｃ２１１に記載の装置。
［Ｃ２１３］
コンピュータ読取り可能媒体であって、
通信媒体がデバイスと通信することに利用可能であるかを決定するために使用されることになる第１の制御フレームを生成すること、ここにおいて、前記第１の制御フレームは、第１のビームトレーニングシーケンスを備える、と、
前記デバイスへの送信のために前記第１の制御フレームを出力することと
を行うための命令を記憶したコンピュータ読取り可能媒体。
［Ｃ２１４］
ワイヤレスノードであって、
少なくとも１つのアンテナと、
通信媒体が前記装置と前記デバイスとの間の通信を提供するために利用可能であるかどうかを決定するために使用されることになる第１の制御フレームを生成するように構成された処理システム、ここにおいて、前記第１の制御フレームは、第１のビームトレーニングシーケンスを備える、と、
前記少なくとも１つのアンテナを介して、送信のために前記第１の制御フレームを出力するように構成されたインタフェースと
を備える、ワイヤレスノード。
［Ｃ２１５］
ワイヤレス通信のための装置であって、
通信媒体が第１のデバイスと第２のデバイスとの間の通信を提供するために利用可能であるかどうかを決定するために使用されることになる第１のフレームを受信すること、ここにおいて、前記第１のフレームは、第１のビームトレーニングシーケンスを備える、と、
前記第１のビームトレーニングシーケンスに基づいて第１の構成にアンテナを構成することと、
第２のフレームを生成することと
を行うように構成された処理システムと、
前記アンテナが前記第１の構成に構成されている間、前記アンテナを介した第３のデバイスへの送信のために前記第２のフレームを出力するように構成されたインタフェースと
を備える、装置。
［Ｃ２１６］
前記第１の構成は、前記第１のデバイスまたは前記第２のデバイスのうちの少なくとも１つに実質的に向けられた少なくとも１つの空白を有するアンテナ輻射パターンを生成するように構成された前記アンテナを備える、Ｃ２１５に記載の装置。
［Ｃ２１７］
前記第１の構成は、前記第１のデバイスまたは前記第２のデバイスのうちの少なくとも１つに実質的に向けられた少なくとも１つの空白、および前記第３のデバイスに実質的に向けられたプライマリローブを有するアンテナ輻射パターンを生成するように構成された前記アンテナを備える、Ｃ２１６に記載の装置。
［Ｃ２１８］
前記処理システムは、
前記第１のデバイスが、前記第１のフレームに基づいて、前記第２のデバイスと通信していることになる持続時間を決定することと、
前記決定が、前記持続時間が満了したために、前記第１のデバイスが、前記第２のデバイスと通信していないことを示す場合、第２の構成における前記アンテナを再構成することと、
第３のフレームを生成することと
を行うように構成され、
ここにおいて、前記インタフェースは、前記アンテナが前記第２の構成に構成されている間、前記アンテナを介した前記第３のデバイスへの送信のために前記第３のフレームを出力するように構成される、Ｃ２１６に記載の装置。
［Ｃ２１９］
前記第２の構成は、前記第１のデバイスまたは前記第２のデバイスのうちの前記少なくとも１つ向けである少なくとも１つの空白なしのアンテナ輻射パターンを生成するように構成された前記アンテナを備える、Ｃ２１８に記載の装置。
［Ｃ２２０］
前記第１のフレームは、送信要求（ＲＴＳ）部分を備える、Ｃ２１５に記載の装置。
［Ｃ２２１］
前記第１のフレームは、送信可（ＲＴＳ）部分を備える、Ｃ２１５に記載の装置。
［Ｃ２２２］
前記第２のフレームは、送信要求（ＲＴＳ）フレームを備える、Ｃ２１５に記載の装置。
［Ｃ２２３］
前記第２のフレームは、送信要求（ＲＴＳ）部分および第２のビームトレーニングシーケンスを含むフレームを備える、Ｃ２１５に記載の装置。
［Ｃ２２４］
前記第２のフレームは、少なくとも１つのデータフレームを備える、Ｃ２１５に記載の装置。
［Ｃ２２５］
前記第２のフレームは、送信可（ＣＴＳ）フレームを備える、Ｃ２１５に記載の装置。
［Ｃ２２６］
前記第２のフレームは、送信可（ＣＴＳ）部分および第２のビームトレーニングシーケンスを含むフレームを備える、Ｃ２１５に記載の装置。
［Ｃ２２７］
前記第２のフレームは、少なくとも１つの肯定応答（ＡＣＫ）フレームを備える、Ｃ２１５に記載の装置。
［Ｃ２２８］
前記処理システムは、前記アンテナのための少なくとも前記第１の構成と、前記少なくとも第１の構成が有効である関連の持続時間とを含むテーブルを生成するように構成される、Ｃ２１５に記載の装置。
［Ｃ２２９］
ワイヤレス通信のための方法であって、
通信媒体が第１のデバイスと第２のデバイスとの間の通信を提供するために利用可能であるかどうかを決定するために使用されることになる第１のフレームを受信すること、ここにおいて、前記第１のフレームは、第１のビームトレーニングシーケンスを備える、と、
前記第１のビームトレーニングシーケンスに基づいて第１の構成にアンテナを構成することと、
第２のフレームを生成することと
を行うように構成され、前記アンテナが前記第１の構成に構成されている間、前記アンテナを介した第３のデバイスへの送信のために前記第２のフレームを出力することと
を備える、方法。
［Ｃ２３０］
前記第１の構成は、前記第１のデバイスまたは前記第２のデバイスのうちの少なくとも１つに実質的に向けられた少なくとも１つの空白を有するアンテナ輻射パターンを生成するように構成された前記アンテナを備える、Ｃ２２９に記載の方法。
［Ｃ２３１］
前記第１の構成は、前記第１のデバイスまたは前記第２のデバイスのうちの少なくとも１つに実質的に向けられた少なくとも１つの空白、および前記第３のデバイスに実質的に向けられたプライマリローブを有するアンテナ輻射パターンを生成するように構成された前記アンテナを備える、Ｃ２３０に記載の方法。
［Ｃ２３２］
前記第１のデバイスが、前記第１のフレームに基づいて、前記第２のデバイスと通信していることになる持続時間を決定することと、
前記決定が、前記持続時間が満了したために、前記第１のデバイスが前記第２のデバイスと通信していないことを示す場合、第２の構成に前記アンテナを再構成することと、
第３のフレームを生成することと、
前記アンテナが前記第２の構成に構成されている間、前記アンテナを介した前記第３のデバイスへの送信のために前記第３のフレームを出力することと
をさらに備える、Ｃ２３０に記載の方法。
［Ｃ２３３］
前記第２の構成は、前記第１のデバイスまたは前記第２のデバイスのうちの前記少なくとも１つ向けである少なくとも１つの空白なしのアンテナ輻射パターンを生成するように構成された前記アンテナを備える、Ｃ２３２に記載の方法。
［Ｃ２３４］
前記第１のフレームは、送信要求（ＲＴＳ）部分を備える、Ｃ２２９に記載の方法。
［Ｃ２３５］
前記第１のフレームは、送信可（ＲＴＳ）部分を備える、Ｃ２２９に記載の方法。
［Ｃ２３６］
前記第２のフレームは、送信要求（ＲＴＳ）フレームを備える、Ｃ２２９に記載の方法。
［Ｃ２３７］
前記第２のフレームは、送信要求（ＲＴＳ）部分および第２のビームトレーニングシーケンスを含むフレームを備える、Ｃ２２９に記載の方法。
［Ｃ２３８］
前記第２のフレームは、少なくとも１つのデータフレームを備える、Ｃ２２９に記載の方法。
［Ｃ２３９］
前記第２のフレームは、送信可（ＣＴＳ）フレームを備える、Ｃ２２９に記載の方法。
［Ｃ２４０］
前記第２のフレームは、送信可（ＣＴＳ）部分および第２のビームトレーニングシーケンスを含むフレームを備える、Ｃ２２９に記載の方法。
［Ｃ２４１］
前記第２のフレームは、少なくとも１つの肯定応答（ＡＣＫ）フレームを備える、Ｃ２２９に記載の方法。
［Ｃ２４２］
前記アンテナのための少なくとも前記第１の構成と、前記少なくとも第１の構成が有効である関連の持続時間とを含むテーブルを生成することをさらに備える、Ｃ２２９に記載の方法。
［Ｃ２４３］
ワイヤレス通信のための装置であって、
通信媒体が第１のデバイスと第２のデバイスとの間の通信を提供するために利用可能であるかどうかを決定するために使用されることになる第１のフレームを受信するための手段と、ここにおいて、前記第１のフレームは、第１のビームトレーニングシーケンスを備える、と、
前記第１のビームトレーニングシーケンスに基づいて第１の構成にアンテナを構成するための手段と、
第２のフレームを生成するための手段と、
前記アンテナが前記第１の構成に構成されている間、前記アンテナを介した第３のデバイスへの送信のために前記第２のフレームを出力するための手段と
を備える、装置。
［Ｃ２４４］
前記第１の構成は、前記第１のデバイスまたは前記第２のデバイスのうちの少なくとも１つに実質的に向けられた少なくとも１つの空白を有するアンテナ輻射パターンを生成するように構成された前記アンテナを備える、Ｃ２４３に記載の装置。
［Ｃ２４５］
前記第１の構成は、前記第１のデバイスまたは前記第２のデバイスのうちの少なくとも１つに実質的に向けられた少なくとも１つの空白、および前記第３のデバイスに実質的に向けられたプライマリローブを有するアンテナ輻射パターンを生成するように構成された前記アンテナを備える、Ｃ２４４に記載の装置。
［Ｃ２４６］
前記第１のデバイスが、前記第１のフレームに基づいて、前記第２のデバイスと通信していることになる持続時間を決定するための手段と、
前記決定が、前記持続時間が満了したために、前記第１のデバイスが前記第２のデバイスと通信していないことを示す場合、第２の構成に前記アンテナを再構成するための手段と、
第３のフレームを生成するための手段と、
前記アンテナが前記第２の構成に構成されている間、前記アンテナを介した前記第３のデバイスへの送信のために前記第３のフレームを出力するための手段と
をさらに備える、Ｃ２４４に記載の装置。
［Ｃ２４７］
前記第２の構成は、前記第１のデバイスまたは前記第２のデバイスのうちの前記少なくとも１つ向けである少なくとも１つの空白なしのアンテナ輻射パターンを生成するように構成された前記アンテナを備える、Ｃ２４６に記載の装置。
［Ｃ２４８］
前記第１のフレームは、送信要求（ＲＴＳ）部分を備える、Ｃ２４３に記載の装置。
［Ｃ２４９］
前記第１のフレームは、送信可（ＲＴＳ）部分を備える、Ｃ２４３に記載の装置。
［Ｃ２５０］
前記第２のフレームは、送信要求（ＲＴＳ）フレームを備える、Ｃ２４３に記載の装置。
［Ｃ２５１］
前記第２のフレームは、送信要求（ＲＴＳ）部分および第２のビームトレーニングシーケンスを含むフレームを備える、Ｃ２４３に記載の装置。
［Ｃ２５２］
前記第２のフレームは、少なくとも１つのデータフレームを備える、Ｃ２４３に記載の装置。
［Ｃ２５３］
前記第２のフレームは、送信可（ＣＴＳ）フレームを備える、Ｃ２４３に記載の装置。
［Ｃ２５４］
前記第２のフレームは、送信可（ＣＴＳ）部分および第２のビームトレーニングシーケンスを含むフレームを備える、Ｃ２４３に記載の装置。
［Ｃ２５５］
前記第２のフレームは、少なくとも１つの肯定応答（ＡＣＫ）フレームを備える、Ｃ２４３に記載の装置。
［Ｃ２５６］
Ｃ装置の装置であって、
前記アンテナのための少なくとも前記第１の構成と、前記少なくとも第１の構成が有効である関連の持続時間とを含むテーブルを生成するための手段をさらに備える、装置。
［Ｃ２５７］
コンピュータ読取り可能媒体であって、
通信媒体が第１のデバイスと第２のデバイスとの間の通信を提供するために利用可能であるかどうかを決定するために使用されることになる第１のフレームを受信すること、ここにおいて、前記第１のフレームは、第１のビームトレーニングシーケンスを備える、と、
前記第１のビームトレーニングシーケンスに基づいて第１の構成にアンテナを構成することと、
第２のフレームを生成することと、
前記アンテナが前記第１の構成に構成されている間、前記アンテナを介した第３のデバイスへの送信のために前記第２のフレームを出力することと
を行うための命令を記憶したコンピュータ読取り可能媒体。
［Ｃ２５８］
ワイヤレスノードであって、
少なくとも１つのアンテナと、
通信媒体が第１のデバイスと第２のデバイスとの間の通信を提供するために利用可能であるかどうかを決定するために使用されることになる第１のフレームを受信すること、ここにおいて、前記第１のフレームは、第１のビームトレーニングシーケンスを備える、と、
前記第１のビームトレーニングシーケンスに基づいて第１の構成に前記少なくとも１つのアンテナを構成することと、
第２のフレームを生成することと
を行うように構成された処理システムと、
前記少なくとも１つのアンテナが、前記第１の構成に構成されてる間、前記少なくとも１つのアンテナを介して第３のデバイスへの送信のために前記第２のフレームを出力するように構成されたインタフェースと
を備える、ワイヤレスノード。
［Ｃ２５９］
ワイヤレス通信のための装置であって、
持続時間フィールド、アドレスフィールド、および第１のビームトレーニングシーケンスを含む第１のフレームを生成するように構成された処理システム、ここにおいて、前記持続時間フィールドは、通信媒体がデバイスと通信するために使用されることになる推定持続時間を示す情報を含み、前記アドレスフィールドは、前記装置または前記デバイスのうちの少なくとも１つの識別する情報を含む、と、
前記デバイスへの送信のために前記第１のフレームを出力するように構成されたインタフェースと
を備える、装置。
［Ｃ２６０］
前記第１のフレームは、前記持続時間フィールドおよび前記アドレスフィールドを含む送信要求（ＲＴＳ）部分を備える、Ｃ２５９に記載の装置。
［Ｃ２６１］
前記処理システムは、前記デバイスに実質的に向けられたプライマリローブを有するアンテナ輻射パターンで前記第１のフレームを送信するためのアンテナを構成するようにさらに構成される、Ｃ２５９に記載の装置。
［Ｃ２６２］
前記処理システムは、前記デバイスから第２のフレームを受信するようにさらに構成され、前記第２のフレームは、送信可（ＣＴＳ）部分および第２のビームトレーニングシーケンスを備える、Ｃ２５９に記載の装置。
［Ｃ２６３］
前記処理システムは、前記第２のフレームを受信することに応答して、データまたは制御フレームのうちの少なくとも１つを生成するためにさらに構成され、ここにおいて、前記インタフェースは、前記デバイスへの送信のために前記データまたは制御フレームのうちの前記少なくとも１つを出力するためにさらに構成される、Ｃ２６２に記載の装置。
［Ｃ２６４］
前記処理システムは、前記第２のビームトレーニングシーケンスに基づいて、前記デバイスに実質的に向けられたプライマリローブを有するアンテナ輻射パターンで、前記データまたは制御フレームのうちの少なくとも１つを送信、受信、または送信および受信するためのアンテナを構成するようにさらに構成される、Ｃ２６２に記載の装置。
［Ｃ２６５］
前記処理システムは、前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するようにさらに構成される、Ｃ２６３に記載の装置。
［Ｃ２６６］
前記処理システムは、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成するようにさらに構成される、Ｃ２６５に記載の装置。
［Ｃ２６７］
前記推定持続時間は、前記デバイスへ送信される１つまたは複数のデータフレームの推定持続時間を含む、Ｃ２５９に記載の装置。
［Ｃ２６８］
前記インタフェースは、シングルキャリアを介したミリ波スペクトルで、またはＩＥＥＥ８０２．１１ａｄ、８０２．１１ａｙ、または８０２．１１ａｊプロトコルに従って、前記第１のフレームを送信するように構成される、Ｃ２５９に記載の装置。
［Ｃ２６９］
前記第１のフレームは、送信可（ＣＴＳ）部分を備える、Ｃ２５９に記載の装置。
［Ｃ２７０］
前記処理システムは、前記デバイスから送信要求（ＲＴＳ）フレームを受信するようにさらに構成され、前記処理システムは、前記ＲＴＳフレームを受信することに応答して、前記第１のフレームを生成するようにさらに構成される、Ｃ２５９に記載の装置。
［Ｃ２７１］
前記処理システムは、全方向性様式で前記ＲＴＳフレームを受信するためのアンテナを構成するようにさらに構成される、Ｃ２７０に記載の装置。
［Ｃ２７２］
前記処理システムは、前記デバイスから送信要求（ＲＴＳ）部分および第２のビームトレーニングシーケンスを備える第２のフレームを受信するようにさらに構成され、前記処理システムは、前記第２のフレームを受信することに応答して、前記第１のフレームを生成するようにさらに構成される、Ｃ２５９に記載の装置。
［Ｃ２７３］
前記処理システムは、全方向性様式で前記第２のフレームを受信するためのアンテナを構成するようにさらに構成される、Ｃ２７２に記載の装置。
［Ｃ２７４］
前記処理システムは、前記第２のビームトレーニングシーケンスに基づいて、前記デバイスに実質的に向けられたプライマリローブを有するアンテナ輻射パターンで、前記第１のフレームを送信するためのアンテナを構成するようにさらに構成される、Ｃ２７２に記載の装置。
［Ｃ２７５］
前記処理システムは、前記第１のフレームの前記送信の後に、前記デバイスから、データまたは制御フレームのうちの少なくとも１つを受信するようにさらに構成される、Ｃ２５９に記載の装置。
［Ｃ２７６］
前記処理システムは、前記デバイスからＲＴＳ部分および第２のビームトレーニングシーケンスを備える第２のフレームを受信するようにさらに構成され、前記処理システムは、前記第２のビームトレーニングシーケンスに基づいて、前記データまたは制御フレームのうちの前記少なくとも１つを受信するためのアンテナを構成するようにさらに構成される、Ｃ２７５に記載の装置。
［Ｃ２７７］
前記処理システムは、前記データまたは制御フレームのうちの前記少なくとも１つを受信することに応答して、肯定応答（ＡＣＫ）、データ、またはＡＣＫおよびデータレームのうちの少なくとも１つを生成するようにさらに構成され、前記インタフェースは、前記デバイスへの送信のために前記ＡＣＫ、データ、またはＡＣＫおよびデータフレームのうちの前記少なくとも１つを出力するように構成される、Ｃ２７５に記載の装置。
［Ｃ２７８］
前記処理システムは、前記デバイスからＲＴＳ部分および第２のビームトレーニングシーケンスを備える第２のフレームを受信するようにさらに構成され、前記処理システムは、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するようにさらに構成される、Ｃ２７７に記載の装置。
［Ｃ２７９］
前記処理システムは、
第２のデバイスから第２のビームトレーニングシーケンスを備える第２のフレームを受信することと、
前記第２のビームトレーニングシーケンスに基づいてある構成にアンテナを構成することと、
第２のフレームを生成することと
をさらに備え、
ここにおいて、前記インタフェースは、前記アンテナが前記構成に構成されている間、前記アンテナを介した前記デバイスへの送信のために前記第１のフレームを出力するように構成される、Ｃ２５９に記載の装置。
［Ｃ２８０］
前記第１のフレームは、前記持続時間フィールドおよび前記アドレスフィールドを含むＣＴＳ部分を備え、前記アドレスフィールドにおける前記情報は、前記装置を識別する、Ｃ２５９に記載の装置。
［Ｃ２８１］
前記アドレスフィールドにおける前記情報は、前記デバイスを含むデバイスのセットを識別し、前記インタフェースは、デバイスの前記セットへの送信のために前記第１のフレームを出力するようにさらに構成される、Ｃ２５９に記載の装置。
［Ｃ２８２］
ワイヤレス通信のための方法であって、
持続時間フィールド、アドレスフィールド、および第１のビームトレーニングシーケンスを含む第１のフレームを生成すること、ここにおいて、前記持続時間フィールドは、通信媒体がデバイスと通信するために装置によって使用されることになる推定持続時間を示す情報を含み、前記アドレスフィールドは、前記装置または前記デバイスのうちの少なくとも１つの識別する情報を含む、と、
前記デバイスへの送信のために前記第１のフレームを出力することと
を備える、方法。
［Ｃ２８３］
前記第１のフレームは、前記持続時間フィールドおよび前記アドレスフィールドを含む送信要求（ＲＴＳ）部分を備える、Ｃ２８２に記載の方法。
［Ｃ２８４］
前記デバイスに実質的に向けられたプライマリローブを有するアンテナ輻射パターンで前記第１のフレームを送信するためのアンテナを構成することをさらに備える、Ｃ２８２に記載の方法。
［Ｃ２８５］
前記第１のフレームを送信することに応答して、前記デバイスから第２のフレームを受信することをさらに備え、ここにおいて、前記第２のフレームは、送信可（ＣＴＳ）部分および第２のビームトレーニングシーケンスを備える、Ｃ２８２に記載の方法。
［Ｃ２８６］
前記第２のフレームを受信することに応答して、データまたは制御フレームのうちの少なくとも１つを生成することと、
前記デバイスへの送信のために前記データまたは制御フレームのうちの前記少なくとも１つを出力することと
をさらに備える、Ｃ２８５に記載の方法。
［Ｃ２８７］
前記第２のビームトレーニングシーケンスに基づいて、前記デバイスに実質的に向けられたプライマリローブを有するアンテナ輻射パターンで、前記データまたは制御フレームのうちの少なくとも１つを送信、受信、または送信および受信するためのアンテナを構成することをさらに備える、Ｃ２８５に記載の方法。
［Ｃ２８８］
前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信することをさらに備える、Ｃ２８６に記載の方法。
［Ｃ２８９］
前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成することをさらに備える、Ｃ２８８に記載の方法。
［Ｃ２９０］
前記推定持続時間は、前記デバイスへ送信される１つまたは複数のデータフレームの推定持続時間を含む、Ｃ２８２に記載の方法。
［Ｃ２９１］
前記第１のフレームを出力することは、シングルキャリアを介したミリ波スペクトルでの、またはＩＥＥＥ８０２．１１ａｄ、８０２．１１ａｙ、または８０２．１１ａｊプロトコルに従う、送信のために前記第１のフレームを出力することを備える、Ｃ２８２に記載の方法。
［Ｃ２９２］
前記第１のフレームは、送信可（ＲＴＳ）部分を備える、Ｃ２８２に記載の方法。
［Ｃ２９３］
前記デバイスから送信要求（ＲＴＳ）を受信することをさらに備え、ここにおいて、前記第１のフレームを生成することは、前記ＲＴＳフレームを受信することに応答するものである、Ｃ２８２に記載の方法。
［Ｃ２９４］
全方向性様式で前記ＲＴＳフレームを受信するためのアンテナを構成することをさらに備える、Ｃ２９３に記載の方法。
［Ｃ２９５］
前記デバイスから送信要求（ＲＴＳ）部分および第２のビームトレーニングシーケンスを備える第２のフレームを受信することをさらに備え、ここにおいて、前記第１のフレームを生成することは、前記第２のフレームを受信することに応答するものである、Ｃ２８２に記載の方法。
［Ｃ２９６］
全方向性様式で前記第２のフレームを受信するためのアンテナを構成することをさらに備える、Ｃ２９５に記載の方法。
［Ｃ２９７］
前記第２のビームトレーニングシーケンスに基づいて、前記デバイスに実質的に向けられたプライマリローブを有するアンテナ輻射パターンで前記第１のフレームを送信するためのアンテナを構成することをさらに備える、Ｃ２９５に記載の方法。
［Ｃ２９８］
前記第１のフレームの前記送信の後に、前記デバイスからデータまたは制御フレームのうちの少なくとも１つを受信することをさらに備える、Ｃ２８２に記載の方法。
［Ｃ２９９］
前記デバイスからＲＴＳ部分と第２のビームトレーニングシーケンスを備える第２のフレームを受信することと、前記第２のビームトレーニングシーケンスに基づいて、前記データまたは制御フレームのうちの前記少なくとも１つを受信するためのアンテナを構成することとをさらに備える、Ｃ２９８に記載の方法。
［Ｃ３００］
前記データまたは制御フレームのうちの前記少なくとも１つを受信することに応答して、肯定応答（ＡＣＫ）、データ、またはＡＣＫおよびデータフレームのうちの少なくとも１つを生成することと、
前記デバイスへの送信のために前記ＡＣＫ、データ、またはＡＣＫおよびデータフレームのうちの前記少なくとも１つを出力することと
をさらに備える、Ｃ２９８に記載の方法。
［Ｃ３０１］
前記デバイスからＲＴＳ部分と第２のビームトレーニングシーケンスを備える第２のフレームを受信することと、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成することとをさらに備える、Ｃ３００に記載の方法。
［Ｃ３０２］
第２のデバイスから第２のビームトレーニングシーケンスを備える第２のフレームを受信することと、
前記第２のビームトレーニングシーケンスに基づいて、ある構成にアンテナを構成することと、
第２のフレームを生成することと、
前記アンテナが前記構成に構成されている間、前記アンテナを介した前記デバイスへの送信のために前記第１のフレームを出力することと
をさらに備える、Ｃ２８２に記載の方法。
［Ｃ３０３］
前記第１のフレームは、前記持続時間フィールドおよび前記アドレスフィールドを含むＣＴＳ部分を備え、前記アドレスフィールドにおける前記情報は、前記装置を識別する、
Ｃ２８２に記載の方法。
［Ｃ３０４］
前記アドレスフィールドにおける前記情報は、前記デバイスを含むデバイスのセットを識別し、前記インタフェースは、デバイスの前記セットへの送信のために前記第１のフレームを出力するようにさらに構成される、Ｃ２８２に記載の方法。
［Ｃ３０５］
ワイヤレス通信のための装置であって、
持続時間フィールド、アドレスフィールド、および第１のビームトレーニングシーケンスを含む第１のフレームを生成するための手段、ここにおいて、前記持続時間フィールドは、通信媒体がデバイスと通信するために使用されることになる推定持続時間を示す情報を含み、前記アドレスフィールドは、前記装置または前記デバイスのうちの少なくとも１つの識別する情報を含む、と、
前記デバイスへの送信のために前記第１のフレームを出力するための手段と
を備える、装置。
［Ｃ３０６］
前記第１のフレームは、前記持続時間フィールドおよび前記アドレスフィールドを含む送信要求（ＲＴＳ）部分を備える、Ｃ３０５に記載の装置。
［Ｃ３０７］
前記デバイスに実質的に向けられたプライマリローブを有するアンテナ輻射パターンで、前記第１のフレームを送信するために、アンテナを構成するための手段と
をさらに備える、Ｃ３０５に記載の装置。
［Ｃ３０８］
前記第１のフレームを送信することに応答して、前記デバイスから第２のフレームを受信するための手段をさらに備え、ここにおいて、前記第２のフレームは、送信可（ＣＴＳ）部分および第２のビームトレーニングシーケンスを備える、Ｃ３０５に記載の装置。
［Ｃ３０９］
前記第２のフレームを受信することに応答して、データまたは制御フレームのうちの少なくとも１つを生成するための手段と、
前記デバイスへの送信のために前記データまたは制御フレームのうちの前記少なくとも１つを出力するための手段と
をさらに備える、Ｃ３０８に記載の装置。
［Ｃ３１０］
前記第２のビームトレーニングシーケンスに基づいて、前記デバイスに実質的に向けられたプライマリローブを有するアンテナ送信輻射パターンで、前記データまたは制御フレームのうちの少なくとも１つを送信、受信、または送信および受信するためのアンテナを構成するための手段をさらに備える、Ｃ３０８に記載の装置。
［Ｃ３１１］
前記データまたは制御フレームのうちの前記少なくとも１つの前記送信の後に、前記デバイスから、肯定応答（ＡＣＫ）、データ、またはＡＣＫおよびデータフレームのうちの少なくとも１つを受信するための手段をさらに備える、Ｃ３０９に記載の装置。
［Ｃ３１２］
前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを受信するためのアンテナを構成するための手段をさらに備える、Ｃ３１１に記載の装置。
［Ｃ３１３］
前記推定持続時間は、前記デバイスへ送信される１つまたは複数のデータフレームの推定持続時間を含む、Ｃ３０５に記載の装置。
［Ｃ３１４］
出力するための前記手段は、シングルキャリアを介したミリ波スペクトルでの、またはＩＥＥＥ８０２．１１ａｄ、８０２．１１ａｙ、または８０２．１１ａｊプロトコルに従う、送信のために前記第１のフレームを出力するための手段を備える、
Ｃ３０５に記載の装置。
［Ｃ３１５］
前記第１のフレームは、送信可（ＣＴＳ）部分を備える、
Ｃ３０５に記載の装置。
［Ｃ３１６］
前記デバイスから送信要求（ＲＴＳ）フレームを受信するための手段をさらに備え、ここにおいて、前記第１のフレームを生成するための前記手段は、前記ＲＴＳフレームを受信することに応答して、前記第１のフレームを生成するための手段を備える、Ｃ３０５に記載の装置。
［Ｃ３１７］
全方向性様式で前記ＲＴＳフレームを受信するためにアンテナを構成するための手段をさらに備える、Ｃ３１６に記載の装置。
［Ｃ３１８］
前記デバイスから送信要求（ＲＴＳ）部分および第２のビームトレーニングシーケンスを備える第２のフレームを受信するための手段をさらに備え、ここにおいて、前記第１のフレームを生成するための前記手段は、前記第２のフレームを受信することに応答して、前記第１のフレームを生成するための手段を備える、Ｃ３０５に記載の装置。
［Ｃ３１９］
全方向性様式で前記第２のフレームを受信するためにアンテナを構成するための手段をさらに備える、Ｃ３１８に記載の装置。
［Ｃ３２０］
前記第２のビームトレーニングシーケンスに基づいて、前記デバイスに実質的に向けられたプライマリローブを有するアンテナ輻射パターンで、前記第１のフレームを送信するためのアンテナを構成するための手段をさらに備える、Ｃ３１８に記載の装置。
［Ｃ３２１］
前記第１のフレームの前記送信の後に、前記デバイスからデータまたは制御フレームのうちの少なくとも１つを受信するための手段をさらに備える、Ｃ３０５に記載の装置。
［Ｃ３２２］
前記デバイスからＲＴＳ部分と第２のビームトレーニングシーケンスを備える第２のフレームを受信するための手段と、前記第２のビームトレーニングシーケンスに基づいて、データまたは制御フレームのうちの前記少なくとも１つを受信するためのアンテナを構成するための手段をさらに備える、Ｃ３２１に記載の装置。
［Ｃ３２３］
前記データまたは制御フレームのうちの前記少なくとも１つを受信することに応答して、肯定応答（ＡＣＫ）、データ、またはＡＣＫおよびデータフレームのうちの少なくとも１つを生成するための手段と
前記デバイスへの送信のために前記ＡＣＫ、データ、またはＡＣＫおよびデータフレームのうちの前記少なくとも１つを出力するための手段と
をさらに備える、Ｃ３２１に記載の装置。
［Ｃ３２４］
前記デバイスからＲＴＳ部分と第２のビームトレーニングシーケンスを備える第２のフレームを受信するための手段と、前記第２のビームトレーニングシーケンスに基づいて、前記デバイスに実質的に向けられたプライマリローブを有するアンテナ輻射パターンで、前記ＡＣＫ、データ、またはＡＣＫおよびデータフレームのうちの前記少なくとも１つを送信するためのアンテナを構成するための手段と
をさらに備える、Ｃ３２３に記載の装置。
［Ｃ３２５］
第２のデバイスから第２のビームトレーニングシーケンスを備える第２のフレームを受信するための手段と、
前記第２のビームトレーニングシーケンスに基づいて、ある構成にアンテナを構成するための手段と、
第２のフレームを生成するための手段と、
前記アンテナが前記構成に構成されている間、前記アンテナを介した前記デバイスへの送信のために前記第１のフレームを出力するための手段と
をさらに備える、Ｃ３０５に記載の装置。
［Ｃ３２６］
前記第１のフレームは、前記持続時間フィールドおよび前記アドレスフィールドを含むＣＴＳ部分を備え、前記アドレスフィールドにおける前記情報は、前記装置を識別する、Ｃ３０５に記載の装置。
［Ｃ３２７］
前記アドレスフィールドにおける前記情報は、前記デバイスを含むデバイスのセットを識別し、前記インタフェースは、デバイスの前記セットへの送信のために前記第１のフレームを出力するようにさらに構成される、Ｃ３０５に記載の装置。
［Ｃ３２８］
コンピュータ読取り可能媒体であって、
持続時間フィールド、アドレスフィールド、およびビームトレーニングシーケンスを含むフレームを生成すること、ここにおいて、前記持続時間フィールドは、通信媒体がデバイスと通信するために装置によって使用されることになる推定持続時間を示す情報を含み、前記アドレスフィールドは、前記デバイスを識別する情報を含む、と、
前記デバイスへの送信のために前記フレームを出力することと
を行うための命令を記憶したコンピュータ読取り可能媒体。
［Ｃ３２９］
ワイヤレスノードであって、
少なくとも１つのアンテナと、持続時間フィールド、アドレスフィールド、およびビームトレーニングシーケンスを含むフレームを生成するように構成された処理システム、ここにおいて、前記持続時間フィールドは、通信媒体がデバイスと通信するために使用されることになる推定持続時間を示す情報を含み、前記アドレスフィールドは、前記ワイヤレスノードまたは前記デバイスのうちの前記少なくとも１つの識別する情報を含む、と、
前記少なくとも１つのアンテナを介した前記デバイスへの送信のために前記フレームを出力するように構成されたインタフェースと
を備える、ワイヤレスノード。
［Ｃ３３０］
ワイヤレス通信のための装置であって、
第１のデバイスから第１のビームトレーニングシーケンスを備える第１のフレームを受信することと、
前記第１のビームトレーニングシーケンスに基づいて、第１の構成にアンテナを構成することと、
第２のフレームを生成することと
を行うように構成された処理システムと、
前記アンテナが前記第１の構成に構成されている間、前記アンテナを介した第２のデバイスへの送信のために前記第２のフレームを出力するように構成されたインタフェースと
を備える、装置。
［Ｃ３３１］
前記第１の構成は、前記第１のデバイスに実質的に向けられた空白を有するアンテナ輻射パターンを生成するように構成された前記アンテナを備える、Ｃ３３０に記載の装置。
［Ｃ３３２］
前記第１の構成は、前記第２のデバイスに実質的に向けられたプライマリローブおよび前記第１のデバイスに実質的に向けられた空白を有するアンテナ輻射パターンを生成するように構成された前記アンテナを備える、Ｃ３３０に記載の装置。
［Ｃ３３３］
前記第１のフレームは、送信要求（ＲＴＳ）部分を備え、前記処理システムは、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、
Ｃ３３０に記載の装置。
［Ｃ３３４］
前記第２の構成は、前記第１のデバイスに向けられた空白なしのアンテナ輻射パターンを生成するように構成された前記アンテナを備える、Ｃ３３３に記載の装置。
［Ｃ３３５］
前記持続時間は、前記第１のデバイスから前記第３のデバイスへ送信される１つまたは複数のデータフレームの推定持続時間を含む、Ｃ３３３に記載の装置。
［Ｃ３３６］
前記インタフェースは、シングルキャリアを介したミリ波スペクトルで、またはＩＥＥＥ８０２．１１ａｄ、８０２．１１ａｙ、または８０２．１１ａｊプロトコルに従って、前記第２のフレームを送信するように構成される、Ｃ３３０に記載の装置。
［Ｃ３３７］
前記第２のフレームは、送信要求（ＲＴＳ）フレームを備える、Ｃ３３０に記載の装置。
［Ｃ３３８］
前記第２のフレームは、送信要求（ＲＴＳ）部分および第２のビームトレーニングシーケンスを含むフレームを備える、Ｃ３３０に記載の装置。
［Ｃ３３９］
前記第２のフレームは、少なくとも１つのデータフレームを備える、Ｃ３３０に記載の装置。
［Ｃ３４０］
前記第２のフレームは、送信可（ＣＴＳ）フレームを備える、Ｃ３３０に記載の装置。
［Ｃ３４１］
前記第２のフレームは、送信可（ＣＴＳ）部分および第２のビームトレーニングシーケンスを含むフレームを備える、Ｃ３３０に記載の装置。
［Ｃ３４２］
前記第２のフレームは、少なくとも１つの肯定応答（ＡＣＫ）フレームを備える、Ｃ３３０に記載の装置。
［Ｃ３４３］
前記処理システムは、第３のデバイスから送信可（ＣＴＳ）部分および第２のビームトレーニングシーケンスを備える第３のフレームを受信するようにさらに構成され、前記アンテナの前記第１の構成は、前記第２のビームトレーニングシーケンスにさらに基づく、Ｃ３３０に記載の装置。
［Ｃ３４４］
前記第１の構成は、前記第１のデバイスに実質的に向けられた第１の空白および前記第３のデバイスに実質的に向けられた第２の空白を有するアンテナ輻射パターンを生成するように構成された前記アンテナを備える、Ｃ３４３に記載の装置。
［Ｃ３４５］
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、Ｃ３４３に記載の装置。
［Ｃ３４６］
前記第１のフレームは、送信要求（ＲＴＳ）部分を備え、前記処理システムは、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、Ｃ３４３に記載の装置。
［Ｃ３４７］
前記第２の構成は、それぞれ、前記第１のデバイスにおよび前記第３のデバイスに向けられた空白なしのアンテナ輻射パターンを生成するように構成された前記アンテナを備える、Ｃ３４６に記載の装置。
［Ｃ３４８］
前記処理システムは、前記アンテナのための少なくとも前記第１の構成と、前記少なくとも第１の構成が有効である関連の持続時間とを含むテーブルを生成するように構成される、Ｃ３３０に記載の装置。
［Ｃ３４９］
前記第１のフレームは、送信可（ＣＴＳ）部分を備え、前記処理システムは、
前記第１のデバイスが、前記第１のフレームの前記ＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、Ｃ３３０に記載の装置。
［Ｃ３５０］
前記第２の構成は、前記第１のデバイスに向けられた空白なしのアンテナ輻射パターンを生成するように構成された前記アンテナを備える、Ｃ３４９に記載の装置。
［Ｃ３５１］
前記持続時間は、前記第１のデバイスから前記第３のデバイスへ１つまたは複数のデータフレームを送信するための推定持続時間を含む、Ｃ３４９に記載の装置。
［Ｃ３５２］
前記処理システムは、前記第１のトレーニングシーケンスに基づいて、前記第１のフレームの到来角の推定値を生成するようにさらに構成され、前記第１の構成は、前記推定された到来角にさらに基づく、Ｃ３３０に記載の装置。
［Ｃ３５３］
前記処理システムは、前記第２のフレームの前記送信に起因した前記第１のデバイスにおける推定された干渉が、しきい値にあるかまたはそれよりも下回るように、前記第１の構成に前記アンテナを構成するようにさらに構成される、Ｃ３３０に記載の装置。
［Ｃ３５４］
前記処理システムは、１つまたは複数のそれぞれのセクタに関して、前記第１のデバイスに向かう方向において１つまたは複数のアンテナ利得を推定することと、前記１つまたは複数のそれぞれのセクタに関して、前記装置と前記第１のデバイスとの間の１つまたは複数のアンテナ相互差異を推定することとを行うようにさらに構成され、前記第１の構成は、前記推定された１つまたは複数のアンテナ利得および前記推定された１つまたは複数のアンテナ相互差異にさらに基づく、Ｃ３３０に記載の装置。
［Ｃ３５５］
ワイヤレス通信のための方法であって、
第１のデバイスから第１のビームトレーニングシーケンスを備える第１のフレームを受信することと、
前記第１のビームトレーニングシーケンスに基づいて、第１の構成にアンテナを構成することと、
第２のフレームを生成することと、
前記アンテナが前記第１の構成に構成されている間、前記アンテナを介した第２のデバイスへの送信のために前記第２のフレームを出力することと
を備える、方法。
［Ｃ３５６］
前記第１の構成は、前記第１のデバイスに実質的に向けられた空白を有するアンテナ輻射パターンを生成するように構成された前記アンテナを備える、Ｃ３５５に記載の方法。
［Ｃ３５７］
前記第１の構成は、前記第２のデバイスに実質的に向けられたプライマリローブおよび前記第１のデバイスに実質的に向けられた空白を有するアンテナ輻射パターンを生成するように構成された前記アンテナを備える、Ｃ３５５に記載の方法。
［Ｃ３５８］
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、Ｃ３５５に記載の方法。
［Ｃ３５９］
前記第２の構成は、前記第１のデバイスに向けられた空白なしのアンテナ輻射パターンを生成するように構成された前記アンテナを備える、Ｃ３５８に記載の方法。
［Ｃ３６０］
前記持続時間は、前記第１のデバイスから前記第３のデバイスへ送信される１つまたは複数のデータフレームの推定持続時間を含む、Ｃ３５８に記載の方法。
［Ｃ３６１］
前記第２のフレームを出力することは、シングルキャリアを介したミリ波スペクトルでの、またはＩＥＥＥ８０２．１１ａｄ、８０２．１１ａｙ、または８０２．１１ａｊプロトコルに従う、送信のために前記セクションフレームを出力することを備える、Ｃ３５５に記載の方法。
［Ｃ３６２］
前記第２のフレームは、送信要求（ＲＴＳ）フレームを備える、Ｃ３５５に記載の方法。
［Ｃ３６３］
前記第２のフレームは、送信要求（ＲＴＳ）部分および第２のビームトレーニングシーケンスを含むフレームを備える、Ｃ３５５に記載の方法。
［Ｃ３６４］
前記第２のフレームは、少なくとも１つのデータフレームを備える、Ｃ３５５に記載の方法。
［Ｃ３６５］
前記第２のフレームは、送信可（ＣＴＳ）フレームを備える、Ｃ３５５に記載の方法。
［Ｃ３６６］
前記第２のフレームは、送信可（ＣＴＳ）部分および第２のビームトレーニングシーケンスを含むフレームを備える、Ｃ３５５に記載の方法。
［Ｃ３６７］
前記第２のフレームは、少なくとも１つの肯定応答（ＡＣＫ）フレームを備える、Ｃ３５５の方法。
［Ｃ３６８］
第３のデバイスから送信可（ＣＴＳ）部分および第２のビームトレーニングシーケンスを含む第３のフレームを受信することをさらに備え、ここにおいて、前記アンテナの前記第１の構成は、前記第２のビームトレーニングシーケンスにさらに基づく、をさらに備える、Ｃ３５５に記載の方法。
［Ｃ３６９］
前記第１の構成は、前記第１のデバイスに実質的に向けられた第１の空白および前記第３のデバイスに実質的に向けられた第２の空白を有するアンテナ輻射パターンを生成するように構成された前記アンテナを備える、Ｃ３６８の方法。
［Ｃ３７０］
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、Ｃ３６８の方法。
［Ｃ３７１］
前記第１のフレームは、送信要求（ＲＴＳ）部分を備え、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、Ｃ３６８の方法。
［Ｃ３７２］
前記第２の構成は、それぞれ、前記第１のデバイスにおよび前記第３のデバイスに向けられた空白なしのアンテナ輻射パターンを生成するように構成された前記アンテナを備える、Ｃ３７１の方法。
［Ｃ３７３］
前記アンテナのための少なくとも前記第１の構成と、前記少なくとも第１の構成が有効である関連の持続時間とを含むテーブルを生成することをさらに備える、Ｃ３５５に記載の方法。
［Ｃ３７４］
前記第１のフレームは、送信可（ＣＴＳ）部分を備え、
前記第１のデバイスが、前記第１のフレームの前記ＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、Ｃ３５５の方法。
［Ｃ３７５］
前記第２の構成は、前記第１のデバイスに向けられた空白なしのアンテナ輻射パターンを生成するように構成された前記アンテナを備える、Ｃ３７４の方法。
［Ｃ３７６］
前記持続時間は、前記第１のデバイスから前記第３のデバイスへ１つまたは複数のデータフレームを送信するための推定持続時間を含む、Ｃ３７４８の方法。
［Ｃ３７７］
前記第１のトレーニングシーケンスに基づいて、前記第１のフレームの到来角の推定値を生成することをさらに備え、ここにおいて、前記第１の構成は、前記推定された到来角にさらに基づく、Ｃ３５５に記載の方法。
［Ｃ３７８］
前記第１の構成に前記アンテナを構成することは、前記第２のフレームの前記送信に起因する前記第１のデバイスにおける推定された干渉が、しきい値にあるかまたはそれよりも下回るように、前記第１の構成に前記アンテナを構成することを備える、Ｃ３５５の方法。
［Ｃ３７９］
１つまたは複数のそれぞれのセクタに関して、前記第１のデバイスに向かう方向において１つまたは複数のアンテナ利得を推定することと、前記１つまたは複数のそれぞれのセクタに関して、前記装置と前記第１のデバイスとの間の１つまたは複数のアンテナ相互差異を推定すること、ここにおいて、前記第１の構成は、前記推定された１つまたは複数のアンテナ利得および前記推定された１つまたは複数のアンテナ相互差異にさらに基づく、と、をさらに備える、Ｃ３４９に記載の方法。
［Ｃ３８０］
ワイヤレス通信のための装置であって、
第１のデバイスから第１のビームトレーニングシーケンスを備える第１のフレームを受信するための手段と、
前記第１のビームトレーニングシーケンスに基づいて、第１の構成にアンテナを構成するための手段と、
第２のフレームを生成するための手段と、
前記アンテナが前記第１の構成に構成されている間、前記アンテナを介した第２のデバイスへの送信のために前記第２のフレームを出力するための手段と
を備える、装置。
［Ｃ３８１］
前記第１の構成は、前記第１のデバイスに実質的に向けられた空白を有するアンテナ輻射パターンを生成するように構成された前記アンテナを備える、Ｃ３８０に記載の装置。
［Ｃ３８２］
前記第１の構成は、前記第２のデバイスに実質的に向けられたプライマリローブおよび前記第１のデバイスに実質的に向けられた空白を有するアンテナ輻射パターンを生成するように構成された前記アンテナを備える、Ｃ３８０に記載の装置。
［Ｃ３８３］
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、Ｃ３８０に記載の装置。
［Ｃ３８４］
前記第２の構成は、前記第１のデバイスに向けられた空白なしのアンテナ輻射パターンを生成するように構成された前記アンテナを備える、Ｃ３８３に記載の装置。
［Ｃ３８５］
前記持続時間は、前記第１のデバイスから前記第３のデバイスへ送信される１つまたは複数のデータフレームの推定持続時間を含む、Ｃ３８３に記載の装置。
［Ｃ３８６］
前記第２のフレームを出力するための前記手段は、シングルキャリアを介したミリ波スペクトルでの、またはＩＥＥＥ８０２．１１ａｄ、８０２．１１ａｙ、または８０２．１１ａｊプロトコルに従う、送信のために前記第２のフレームを出力するための手段を備える、Ｃ３８０に記載の装置。
［Ｃ３８７］
前記第２のフレームは、送信要求（ＲＴＳ）フレームを備える、Ｃ３８０に記載の装置。
［Ｃ３８８］
前記第２のフレームは、送信要求（ＲＴＳ）部分および第２のビームトレーニングシーケンスを含むフレームを備える、Ｃ３８０に記載の装置。
［Ｃ３８９］
前記第２のフレームは、少なくとも１つのデータフレームを備える、Ｃ３８０に記載の装置。
［Ｃ３９０］
前記第２のフレームは、送信可（ＣＴＳ）フレームを備える、Ｃ３８０に記載の装置。
［Ｃ３９１］
前記第２のフレームは、送信可（ＣＴＳ）部分および第２のビームトレーニングシーケンスを含むフレームを備える、Ｃ３８０に記載の装置。
［Ｃ３９２］
前記第２のフレームは、少なくとも１つの肯定応答（ＡＣＫ）フレームを備える、Ｃ３８０に記載の装置。
［Ｃ３９３］
第３のデバイスから送信可（ＣＴＳ）部分および第２のビームトレーニングシーケンスを含む第３のフレームを受信するための手段をさらに備え、ここにおいて、前記アンテナの前記第１の構成は、前記第２のビームトレーニングシーケンスにさらに基づく、Ｃ３８０に記載の装置。
［Ｃ３９４］
前記第１の構成は、前記第１のデバイスに実質的に向けられた第１の空白および前記第３のデバイスに実質的に向けられた第２の空白を有するアンテナ輻射パターンを生成するように構成された前記アンテナを備える、Ｃ３９３に記載の装置。
［Ｃ３９５］
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、Ｃ３９３に記載の装置。
［Ｃ３９６］
前記第１のフレームは、送信要求（ＲＴＳ）部分を備え、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、Ｃ３９３に記載の装置。
［Ｃ３９７］
前記第２の構成は、それぞれ、前記第１のデバイスにおよび前記第３のデバイスに向けられた空白なしのアンテナ輻射パターンを生成するように構成された前記アンテナを備える、Ｃ３９６に記載の装置。
［Ｃ３９８］
前記アンテナのための少なくとも前記第１の構成と、前記少なくとも第１の構成が有効である関連の持続時間とを含むテーブルを生成するための手段をさらに備える、Ｃ３８０に記載の装置。
［Ｃ３９９］
前記第１のフレームは、送信可（ＣＴＳ）部分を備え、
前記第１のデバイスが、前記第１のフレームの前記ＣＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、Ｃ３８０に記載の装置。
［Ｃ４００］
前記第２の構成は、前記第１のデバイスに向けられた空白なしのアンテナ輻射パターンを生成するように構成された前記アンテナを備える、Ｃ３９９に記載の装置。
［Ｃ４０１］
前記持続時間は、前記第１のデバイスから前記第３のデバイスへ１つまたは複数のデータフレームを送信するための推定持続時間を含む、Ｃ３９９に記載の装置。
［Ｃ４０２］
前記第１のトレーニングシーケンスに基づいて、前記第１のフレームの到来角の推定値を生成するための手段をさらに備え、ここにおいて、前記第１の構成は、前記推定された到来角にさらに基づく、Ｃ３８０に記載の装置。
［Ｃ４０３］
前記第１の構成に前記アンテナを構成するための前記手段は、前記第２のフレームの前記送信に起因する前記第１のデバイスにおける推定された干渉が、しきい値にあるかまたはそれよりも下回るように、前記第１の構成に前記アンテナを構成するための手段を備える、Ｃ３８０に記載の装置。
［Ｃ４０４］
１つまたは複数のそれぞれのセクタに関して、前記第１のデバイスに向かう方向において１つまたは複数のアンテナ利得を推定するための手段と、前記１つまたは複数のそれぞれのセクタに関して、前記装置と前記第１のデバイスとの間の１つまたは複数のアンテナ相互差異を推定するための手段、ここにおいて、前記第１の構成は、前記推定された１つまたは複数のアンテナ利得および前記推定された１つまたは複数のアンテナ相互差異にさらに基づく、と
をさらに備える、Ｃ３８０に記載の装置。
［Ｃ４０５］
コンピュータ読取り可能媒体であって、
第１のデバイスからビームトレーニングシーケンスを備える第１のフレームを受信することと、
前記ビームトレーニングシーケンスに基づいて、第１の構成にアンテナを構成することと、
第２のフレームを生成することと、
前記アンテナが前記第１の構成に構成されている間、前記アンテナを介した第２のデバイスへの送信のために前記第２のフレームを出力することと
を行うための命令を記憶したコンピュータ読取り可能媒体。
［Ｃ４０６］
ワイヤレスノードであって、
少なくとも１つのアンテナと、
第１のデバイスからビームトレーニングシーケンスを備える第１のフレームを受信することと、
前記ビームトレーニングシーケンスに基づいて、第１の構成に前記少なくとも１つのアンテナを構成することと、
第２のフレームを生成することと
を行うように構成された処理システムと、
前記少なくとも１つのアンテナが、前記第１の構成に構成されている間、前記少なくとも１つのアンテナを介した第２のデバイスへの送信のために前記第２のフレームを出力するためのインタフェースと
を備える、ワイヤレスノード。
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
第１のデバイスから第１の送信可（ＣＴＳ）部分および第１のビームトレーニングシーケンスを備える第１のフレームを受信することと、
前記第１のビームトレーニングシーケンスに基づいて第１の構成にアンテナを構成することと、
第２のフレームを生成することと
を行うように構成された処理システムと、
前記アンテナが前記第１の構成に構成されている間、前記アンテナを介した第２のデバイスへの送信のために前記第２のフレームを出力するように構成されたインタフェースと
を備え、
ここにおいて、前記第１の構成は、前記第１のデバイスに実質的に向けられた空白を有するアンテナ輻射パターンを生成するように構成された前記アンテナを備え、
前記処理システムは、
前記第１のデバイスが、前記第１のフレームの前記第１のＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
ここにおいて、前記インタフェースは、前記アンテナが前記第２の構成に構成されている間、前記アンテナを介した前記第２のデバイスへの送信のために前記第３のフレームを出力するように構成され、
前記第２の構成は、前記第１のデバイスに向けられた空白なしのアンテナ輻射パターンを生成するように構成された前記アンテナを備える、
装置。
【請求項２】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項１に記載の装置。
【請求項３】
前記第２のフレームは、送信要求（ＲＴＳ）フレームを備える、請求項１に記載の装置。
【請求項４】
前記第２のフレームは、送信要求（ＲＴＳ）部分および第２のビームトレーニングシーケンスを備える、請求項１に記載の装置。
【請求項５】
前記第２のフレームは、少なくとも１つのデータフレームデータフレームを備える、請求項１に記載の装置。
【請求項６】
前記第２のフレームは、送信可（ＣＴＳ）フレームを備える、請求項１に記載の装置。
【請求項７】
前記第２のフレームは、第２の送信可（ＣＴＳ）部分および第２のビームトレーニングシーケンスを備える、請求項１に記載の装置。
【請求項８】
前記第２のフレームは、少なくとも１つの肯定応答（ＡＣＫ）フレームを備える、請求項１に記載の装置。
【請求項９】
前記処理システムは、前記アンテナのための少なくとも前記第１の構成と、前記少なくとも第１の構成が有効である関連の持続時間とを含むテーブルを生成するように構成される、請求項１に記載の装置。
【請求項１０】
ワイヤレス通信のための方法であって、
第１のデバイスから第１の送信可（ＣＴＳ）部分および第１のビームトレーニングシーケンスを備える第１のフレームを受信することと、
前記第１のビームトレーニングシーケンスに基づいて第１の構成にアンテナを構成することと、
第２のフレームを生成することと、
前記アンテナが前記第１の構成に構成されている間、前記アンテナを介した第２のデバイスへの送信のために前記第２のフレームを出力することと
を備え、
ここにおいて、前記第１の構成は、前記第１のデバイスに実質的に向けられた空白を有するアンテナ輻射パターンを生成するように構成された前記アンテナを備え、
前記第１のデバイスが、前記第１のフレームの前記第１のＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備え、
ここにおいて、前記第２の構成は、前記第１のデバイスに向けられた空白なしのアンテナ輻射パターンを生成するように構成された前記アンテナを備える、
方法。
【請求項１１】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項１０に記載の方法。
【請求項１２】
前記第２のフレームは、送信要求（ＲＴＳ）フレームを備える、請求項１０に記載の方法。
【請求項１３】
前記第２のフレームは、送信要求（ＲＴＳ）部分および第２のビームトレーニングシーケンスを備える、請求項１０に記載の方法。
【請求項１４】
前記第２のフレームは、少なくとも１つのデータフレームを備える、請求項１０に記載の方法。
【請求項１５】
前記第２のフレームは、送信可（ＣＴＳ）フレームを備える、請求項１０に記載の方法。
【請求項１６】
前記第２のフレームは、第２の送信可（ＣＴＳ）部分および第２のビームトレーニングシーケンスを備える、請求項１０に記載の方法。
【請求項１７】
前記第２のフレームは、少なくとも１つの肯定応答（ＡＣＫ）フレームを備える、請求項１０に記載の方法。
【請求項１８】
前記アンテナのための少なくとも前記第１の構成と、前記少なくとも第１の構成が有効である関連の持続時間とを含むテーブルを生成することをさらに備える、請求項１０に記載の方法。
【請求項１９】
ワイヤレス通信のための装置であって、
第１のデバイスから第１の送信可（ＣＴＳ）部分および第１のビームトレーニングシーケンスを備える第１のフレームを受信するための手段と、
前記第１のビームトレーニングシーケンスに基づいて第１の構成にアンテナを構成するための手段と、
第２のフレームを生成するための手段と、
前記アンテナが前記第１の構成に構成されている間、前記アンテナを介した第２のデバイスへの送信のために前記第２のフレームを出力するための手段と
を備え、
ここにおいて、前記第１の構成は、前記第１のデバイスに実質的に向けられた空白を有するアンテナ輻射パターンを生成するように構成された前記アンテナを備え、
前記第１のデバイスが、前記第１のフレームの前記第１のＣＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備え、
ここにおいて、前記第２の構成は、前記第１のデバイスに向けられた空白なしのアンテナ輻射パターンを生成するように構成された前記アンテナを備える、
装置。
【請求項２０】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項１９に記載の装置。
【請求項２１】
前記第２のフレームは、送信要求（ＲＴＳ）フレームを備える、請求項１９に記載の装置。
【請求項２２】
前記第２のフレームは、送信要求（ＲＴＳ）部分および第２のビームトレーニングシーケンスを備える、請求項１９に記載の装置。
【請求項２３】
前記第２のフレームは、少なくとも１つのデータフレームを備える、請求項１９に記載の装置。
【請求項２４】
前記第２のフレームは、送信可（ＣＴＳ）フレームを備える、請求項１９に記載の装置。
【請求項２５】
前記第２のフレームは、第２の送信可（ＣＴＳ）部分および第２のビームトレーニングシーケンスを備える、請求項１９に記載の装置。
【請求項２６】
前記第２のフレームは、少なくとも１つの肯定応答（ＡＣＫ）フレームを備える、請求項１９に記載の装置。
【請求項２７】
前記アンテナのための少なくとも前記第１の構成と、前記少なくとも第１の構成が有効である関連の持続時間とを含むテーブルを生成するための手段をさらに備える、請求項１９に記載の装置。
【請求項２８】
コンピュータ読取り可能媒体であって、
第１のデバイスから送信可（ＣＴＳ）部分およびビームトレーニングシーケンスを備える第１のフレームを受信することと、
前記ビームトレーニングシーケンスに基づいて第１の構成にアンテナを構成することと、
第２のフレームを生成することと、
前記アンテナが前記第１の構成に構成されている間、前記アンテナを介した第２のデバイスへの送信のために前記第２のフレームを出力することと
を行うための命令を記憶し、
ここにおいて、前記第１の構成は、前記第１のデバイスに実質的に向けられた空白を有するアンテナ輻射パターンを生成するように構成された前記アンテナを備え、
前記第１のデバイスが、前記第１のフレームの前記第１のＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備え、
ここにおいて、前記第２の構成は、前記第１のデバイスに向けられた空白なしのアンテナ輻射パターンを生成するように構成された前記アンテナを備える、
コンピュータ読取り可能媒体。
【請求項２９】
ワイヤレスノードであって、
少なくとも１つのアンテナと、
第１のデバイスから送信可（ＣＴＳ）部分およびビームトレーニングシーケンスを備えるフレームを受信することと、
前記ビームトレーニングシーケンスに基づいて第１の構成に前記少なくとも１つのアンテナを構成することと、
第２のフレームを生成することと
を行うように構成された処理システムと、
前記少なくとも１つのアンテナが、前記第１の構成に構成されている間、前記少なくとも１つのアンテナを介して第２のデバイスへの送信のために前記第２のフレームを出力するためのインタフェースと
を備え、
ここにおいて、前記第１の構成は、前記第１のデバイスに実質的に向けられた空白を有するアンテナ輻射パターンを生成するように構成された前記アンテナを備え、
前記第１のデバイスが、前記第１のフレームの前記第１のＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備え、
ここにおいて、前記第２の構成は、前記第１のデバイスに向けられた空白なしのアンテナ輻射パターンを生成するように構成された前記アンテナを備える、
ワイヤレスノード。
【請求項３０】
ワイヤレス通信のための装置であって、
第１のデバイスから第１のビームトレーニングシーケンスを備える第１のフレームを受信することと、
前記第１のビームトレーニングシーケンスに基づいて、第１の構成にアンテナを構成することと、
第２のフレームを生成することと
を行うように構成された処理システムと、
前記アンテナが前記第１の構成に構成されている間、前記アンテナを介した第２のデバイスへの送信のために前記第２のフレームを出力するように構成されたインタフェースと
を備え、
ここにおいて、前記第１の構成は、前記第１のデバイスに実質的に向けられた空白を有するアンテナ輻射パターンを生成するように構成された前記アンテナを備え、
前記第１のフレームは、送信要求（ＲＴＳ）部分を備え、前記処理システムは、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
ここにおいて、前記インタフェースは、前記アンテナが前記第２の構成に構成されている間、前記アンテナを介した前記第２のデバイスへの送信のために前記第３のフレームを出力するように構成され、
前記第２の構成は、前記第１のデバイスに向けられた空白なしのアンテナ輻射パターンを生成するように構成された前記アンテナを備える、
装置。
【請求項３１】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項３０に記載の装置。
【請求項３２】
前記持続時間は、前記第１のデバイスから前記第３のデバイスへ送信される１つまたは複数のデータフレームの推定持続時間を含む、請求項３０に記載の装置。
【請求項３３】
前記インタフェースは、シングルキャリアを介したミリ波スペクトルで、またはＩＥＥＥ８０２．１１ａｄ、８０２．１１ａｙ、または８０２．１１ａｊプロトコルに従って、前記第２のフレームを送信するように構成される、請求項３０に記載の装置。
【請求項３４】
前記第２のフレームは、送信要求（ＲＴＳ）フレームを備える、請求項３０に記載の装置。
【請求項３５】
前記第２のフレームは、送信要求（ＲＴＳ）部分および第２のビームトレーニングシーケンスを含むフレームを備える、請求項３０に記載の装置。
【請求項３６】
前記第２のフレームは、少なくとも１つのデータフレームを備える、請求項３０に記載の装置。
【請求項３７】
前記第２のフレームは、送信可（ＣＴＳ）フレームを備える、請求項３０に記載の装置。
【請求項３８】
前記第２のフレームは、送信可（ＣＴＳ）部分および第２のビームトレーニングシーケンスを含むフレームを備える、請求項３０に記載の装置。
【請求項３９】
前記第２のフレームは、少なくとも１つの肯定応答（ＡＣＫ）フレームを備える、請求項３０に記載の装置。
【請求項４０】
前記処理システムは、第３のデバイスから送信可（ＣＴＳ）部分および第２のビームトレーニングシーケンスを備える第３のフレームを受信するようにさらに構成され、前記アンテナの前記第１の構成は、前記第２のビームトレーニングシーケンスにさらに基づく、請求項３０に記載の装置。
【請求項４１】
前記第１の構成は、前記第１のデバイスに実質的に向けられた第１の空白および前記第３のデバイスに実質的に向けられた第２の空白を有するアンテナ輻射パターンを生成するように構成された前記アンテナを備える、請求項４０に記載の装置。
【請求項４２】
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、請求項４０に記載の装置。
【請求項４３】
前記第１のフレームは、送信要求（ＲＴＳ）部分を備え、前記処理システムは、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、請求項４０に記載の装置。
【請求項４４】
前記第２の構成は、それぞれ、前記第１のデバイスにおよび前記第３のデバイスに向けられた空白なしのアンテナ輻射パターンを生成するように構成された前記アンテナを備える、請求項４３に記載の装置。
【請求項４５】
前記処理システムは、前記アンテナのための少なくとも前記第１の構成と、前記少なくとも第１の構成が有効である関連の持続時間とを含むテーブルを生成するように構成される、請求項３０に記載の装置。
【請求項４６】
前記第１のフレームは、送信可（ＣＴＳ）部分を備え、前記処理システムは、
前記第１のデバイスが、前記第１のフレームの前記ＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと
を行うように構成され、
前記インタフェースは、前記アンテナが前記第２の構成に構成されている間、前記アンテナを介した前記第２のデバイスへの送信のために前記第３のフレームを出力するように構成される、請求項３０に記載の装置。
【請求項４７】
前記第２の構成は、前記第１のデバイスに向けられた空白なしのアンテナ輻射パターンを生成するように構成された前記アンテナを備える、請求項４６に記載の装置。
【請求項４８】
前記持続時間は、前記第１のデバイスから前記第３のデバイスへ１つまたは複数のデータフレームを送信するための推定持続時間を含む、請求項４６に記載の装置。
【請求項４９】
前記処理システムは、前記第１のトレーニングシーケンスに基づいて、前記第１のフレームの到来角の推定値を生成するようにさらに構成され、前記第１の構成は、前記推定された到来角にさらに基づく、請求項３０に記載の装置。
【請求項５０】
前記処理システムは、前記第２のフレームの前記送信に起因した前記第１のデバイスにおける推定された干渉が、しきい値にあるかまたはそれよりも下回るように、前記第１の構成に前記アンテナを構成するようにさらに構成される、請求項３０に記載の装置。
【請求項５１】
前記処理システムは、１つまたは複数のそれぞれのセクタに関して、前記第１のデバイスに向かう方向において１つまたは複数のアンテナ利得を推定することと、前記１つまたは複数のそれぞれのセクタに関して、前記装置と前記第１のデバイスとの間の１つまたは複数のアンテナ相互差異を推定することとを行うようにさらに構成され、前記第１の構成は、前記推定された１つまたは複数のアンテナ利得および前記推定された１つまたは複数のアンテナ相互差異にさらに基づく、請求項３０に記載の装置。
【請求項５２】
ワイヤレス通信のための方法であって、
第１のデバイスから第１のビームトレーニングシーケンスを備える第１のフレームを受信することと、
前記第１のビームトレーニングシーケンスに基づいて、第１の構成にアンテナを構成することと、
第２のフレームを生成することと、
前記アンテナが前記第１の構成に構成されている間、前記アンテナを介した第２のデバイスへの送信のために前記第２のフレームを出力することと
を備え、
ここにおいて、前記第１の構成は、前記第１のデバイスに実質的に向けられた空白を有するアンテナ輻射パターンを生成するように構成された前記アンテナを備え、
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備え、
ここにおいて、前記第２の構成は、前記第１のデバイスに向けられた空白なしのアンテナ輻射パターンを生成するように構成された前記アンテナを備える、
方法。
【請求項５３】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項５２に記載の方法。
【請求項５４】
前記持続時間は、前記第１のデバイスから前記第３のデバイスへ送信される１つまたは複数のデータフレームの推定持続時間を含む、請求項５２に記載の方法。
【請求項５５】
前記第２のフレームを出力することは、シングルキャリアを介したミリ波スペクトルでの、またはＩＥＥＥ８０２．１１ａｄ、８０２．１１ａｙ、または８０２．１１ａｊプロトコルに従う、送信のために前記セクションフレームを出力することを備える、請求項５２に記載の方法。
【請求項５６】
前記第２のフレームは、送信要求（ＲＴＳ）フレームを備える、請求項５２に記載の方法。
【請求項５７】
前記第２のフレームは、送信要求（ＲＴＳ）部分および第２のビームトレーニングシーケンスを含むフレームを備える、請求項５２に記載の方法。
【請求項５８】
前記第２のフレームは、少なくとも１つのデータフレームを備える、請求項５２に記載の方法。
【請求項５９】
前記第２のフレームは、送信可（ＣＴＳ）フレームを備える、請求項５２に記載の方法。
【請求項６０】
前記第２のフレームは、送信可（ＣＴＳ）部分および第２のビームトレーニングシーケンスを含むフレームを備える、請求項５２に記載の方法。
【請求項６１】
前記第２のフレームは、少なくとも１つの肯定応答（ＡＣＫ）フレームを備える、請求項５２に記載の方法。
【請求項６２】
第３のデバイスから送信可（ＣＴＳ）部分および第２のビームトレーニングシーケンスを含む第３のフレームを受信することをさらに備え、ここにおいて、前記アンテナの前記第１の構成は、前記第２のビームトレーニングシーケンスにさらに基づく、請求項５２に記載の方法。
【請求項６３】
前記第１の構成は、前記第１のデバイスに実質的に向けられた第１の空白および前記第３のデバイスに実質的に向けられた第２の空白を有するアンテナ輻射パターンを生成するように構成された前記アンテナを備える、請求項６２に記載の方法。
【請求項６４】
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、請求項６２に記載の方法。
【請求項６５】
前記第１のフレームは、送信要求（ＲＴＳ）部分を備え、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、請求項６２に記載の方法。
【請求項６６】
前記第２の構成は、それぞれ、前記第１のデバイスにおよび前記第３のデバイスに向けられた空白なしのアンテナ輻射パターンを生成するように構成された前記アンテナを備える、請求項６５に記載の方法。
【請求項６７】
前記アンテナのための少なくとも前記第１の構成と、前記少なくとも第１の構成が有効である関連の持続時間とを含むテーブルを生成することをさらに備える、請求項５２に記載の方法。
【請求項６８】
前記第１のフレームは、送信可（ＣＴＳ）部分を備え、
前記第１のデバイスが、前記第１のフレームの前記ＣＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備える、請求項５２に記載の方法。
【請求項６９】
前記第２の構成は、前記第１のデバイスに向けられた空白なしのアンテナ輻射パターンを生成するように構成された前記アンテナを備える、請求項６８に記載の方法。
【請求項７０】
前記持続時間は、前記第１のデバイスから前記第３のデバイスへ１つまたは複数のデータフレームを送信するための推定持続時間を含む、請求項６８に記載の方法。
【請求項７１】
前記第１のトレーニングシーケンスに基づいて、前記第１のフレームの到来角の推定値を生成することをさらに備え、ここにおいて、前記第１の構成は、前記推定された到来角にさらに基づく、請求項５２に記載の方法。
【請求項７２】
前記第１の構成に前記アンテナを構成することは、前記第２のフレームの前記送信に起因する前記第１のデバイスにおける推定された干渉が、しきい値にあるかまたはそれよりも下回るように、前記第１の構成に前記アンテナを構成することを備える、請求項５２に記載の方法。
【請求項７３】
１つまたは複数のそれぞれのセクタに関して、前記第１のデバイスに向かう方向において１つまたは複数のアンテナ利得を推定することと、前記１つまたは複数のそれぞれのセクタに関して、前記装置と前記第１のデバイスとの間の１つまたは複数のアンテナ相互差異を推定すること、ここにおいて、前記第１の構成は、前記推定された１つまたは複数のアンテナ利得および前記推定された１つまたは複数のアンテナ相互差異にさらに基づく、と、をさらに備える、請求項４６に記載の方法。
【請求項７４】
ワイヤレス通信のための装置であって、
第１のデバイスから第１のビームトレーニングシーケンスを備える第１のフレームを受信するための手段と、
前記第１のビームトレーニングシーケンスに基づいて、第１の構成にアンテナを構成するための手段と、
第２のフレームを生成するための手段と、
前記アンテナが前記第１の構成に構成されている間、前記アンテナを介した第２のデバイスへの送信のために前記第２のフレームを出力するための手段と
を備え、
ここにおいて、前記第１の構成は、前記第１のデバイスに実質的に向けられた空白を有するアンテナ輻射パターンを生成するように構成された前記アンテナを備え、
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備え、
ここにおいて、前記第２の構成は、前記第１のデバイスに向けられた空白なしのアンテナ輻射パターンを生成するように構成された前記アンテナを備える、
装置。
【請求項７５】
前記第１の構成は、前記第２のデバイスに実質的に向けられたプライマリローブおよび前記第１のデバイスに実質的に向けられた空白を有するアンテナ輻射パターンを生成するように構成された前記アンテナを備える、請求項７４に記載の装置。
【請求項７６】
前記持続時間は、前記第１のデバイスから前記第３のデバイスへ送信される１つまたは複数のデータフレームの推定持続時間を含む、請求項７４に記載の装置。
【請求項７７】
前記第２のフレームを出力するための前記手段は、シングルキャリアを介したミリ波スペクトルでの、またはＩＥＥＥ８０２．１１ａｄ、８０２．１１ａｙ、または８０２．１１ａｊプロトコルに従う、送信のために前記第２のフレームを出力するための手段を備える、請求項７４に記載の装置。
【請求項７８】
前記第２のフレームは、送信要求（ＲＴＳ）フレームを備える、請求項７４に記載の装置。
【請求項７９】
前記第２のフレームは、送信要求（ＲＴＳ）部分および第２のビームトレーニングシーケンスを含むフレームを備える、請求項７４に記載の装置。
【請求項８０】
前記第２のフレームは、少なくとも１つのデータフレームを備える、請求項７４に記載の装置。
【請求項８１】
前記第２のフレームは、送信可（ＣＴＳ）フレームを備える、請求項７４に記載の装置。
【請求項８２】
前記第２のフレームは、送信可（ＣＴＳ）部分および第２のビームトレーニングシーケンスを含むフレームを備える、請求項７４に記載の装置。
【請求項８３】
前記第２のフレームは、少なくとも１つの肯定応答（ＡＣＫ）フレームを備える、請求項７４に記載の装置。
【請求項８４】
第３のデバイスから送信可（ＣＴＳ）部分および第２のビームトレーニングシーケンスを含む第３のフレームを受信するための手段をさらに備え、ここにおいて、前記アンテナの前記第１の構成は、前記第２のビームトレーニングシーケンスにさらに基づく、請求項７４に記載の装置。
【請求項８５】
前記第１の構成は、前記第１のデバイスに実質的に向けられた第１の空白および前記第３のデバイスに実質的に向けられた第２の空白を有するアンテナ輻射パターンを生成するように構成された前記アンテナを備える、請求項８４に記載の装置。
【請求項８６】
前記第１の構成は、前記第１のデバイスに実質的に向けられた第１の空白、前記第２のデバイスに実質的に向けられたプライマリローブ、および前記第３のデバイスに実質的に向けられた第２の空白を有するアンテナ輻射パターンを生成するように構成された前記アンテナを備える、請求項８４に記載の装置。
【請求項８７】
前記第１のフレームは、送信要求（ＲＴＳ）部分を備え、
前記第１のデバイスが、前記第１のフレームの前記ＲＴＳ部分または前記第３のフレームの前記ＣＴＳ部分のうちの少なくとも１つに基づいて、前記第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、請求項８４に記載の装置。
【請求項８８】
前記第２の構成は、それぞれ、前記第１のデバイスにおよび前記第３のデバイスに向けられた空白なしのアンテナ輻射パターンを生成するように構成された前記アンテナを備える、請求項８７に記載の装置。
【請求項８９】
前記アンテナのための少なくとも前記第１の構成と、前記少なくとも第１の構成が有効である関連の持続時間とを含むテーブルを生成するための手段をさらに備える、請求項７４に記載の装置。
【請求項９０】
前記第１のフレームは、送信可（ＣＴＳ）部分を備え、
前記第１のデバイスが、前記第１のフレームの前記ＣＴＳ部分に基づいて、第３のデバイスと通信していることになる持続時間を決定するための手段と、
前記決定が、前記持続時間が満了したために、前記第１のデバイスが前記第３のデバイスと通信していないことを示す場合、第２の構成に前記アンテナを再構成するための手段と、
第３のフレームを生成するための手段と、
前記アンテナが前記第２の構成に構成されている間、前記アンテナを介した前記第２のデバイスへの送信のために前記第３のフレームを出力するための手段と
をさらに備える、請求項７４に記載の装置。
【請求項９１】
前記第２の構成は、前記第１のデバイスに向けられた空白なしのアンテナ輻射パターンを生成するように構成された前記アンテナを備える、請求項９０に記載の装置。
【請求項９２】
前記持続時間は、前記第１のデバイスから前記第３のデバイスへ１つまたは複数のデータフレームを送信するための推定持続時間を含む、請求項９０に記載の装置。
【請求項９３】
前記第１のトレーニングシーケンスに基づいて、前記第１のフレームの到来角の推定値を生成するための手段をさらに備え、ここにおいて、前記第１の構成は、前記推定された到来角にさらに基づく、請求項７４に記載の装置。
【請求項９４】
前記第１の構成に前記アンテナを構成するための前記手段は、前記第２のフレームの前記送信に起因する前記第１のデバイスにおける推定された干渉が、しきい値にあるかまたはそれよりも下回るように、前記第１の構成に前記アンテナを構成するための手段を備える、請求項７４に記載の装置。
【請求項９５】
１つまたは複数のそれぞれのセクタに関して、前記第１のデバイスに向かう方向において１つまたは複数のアンテナ利得を推定するための手段と、前記１つまたは複数のそれぞれのセクタに関して、前記装置と前記第１のデバイスとの間の１つまたは複数のアンテナ相互差異を推定するための手段、ここにおいて、前記第１の構成は、前記推定された１つまたは複数のアンテナ利得および前記推定された１つまたは複数のアンテナ相互差異にさらに基づく、と
をさらに備える、請求項７４に記載の装置。
【請求項９６】
コンピュータ読取り可能媒体であって、
第１のデバイスからビームトレーニングシーケンスを備える第１のフレームを受信することと、
前記ビームトレーニングシーケンスに基づいて、第１の構成にアンテナを構成することと、
第２のフレームを生成することと、
前記アンテナが前記第１の構成に構成されている間、前記アンテナを介した第２のデバイスへの送信のために前記第２のフレームを出力することと
を行うための命令を記憶し、
ここにおいて、前記第１の構成は、前記第１のデバイスに実質的に向けられた空白を有するアンテナ輻射パターンを生成するように構成された前記アンテナを備え、
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備え、
ここにおいて、前記第２の構成は、前記第１のデバイスに向けられた空白なしのアンテナ輻射パターンを生成するように構成された前記アンテナを備える、
コンピュータ読取り可能媒体。
【請求項９７】
ワイヤレスノードであって、
少なくとも１つのアンテナと、
第１のデバイスからビームトレーニングシーケンスを備える第１のフレームを受信することと、
前記ビームトレーニングシーケンスに基づいて、第１の構成に前記少なくとも１つのアンテナを構成することと、
第２のフレームを生成することと
を行うように構成された処理システムと、
前記少なくとも１つのアンテナが、前記第１の構成に構成されている間、前記少なくとも１つのアンテナを介した第２のデバイスへの送信のために前記第２のフレームを出力するためのインタフェースと
を備え、
ここにおいて、前記第１の構成は、前記第１のデバイスに実質的に向けられた空白を有するアンテナ輻射パターンを生成するように構成された前記アンテナを備え、
前記第１のフレームは、送信要求（ＲＴＳ）部分を備え、
前記第１のデバイスが、前記第１のフレームの前記ＲＴＳ部分に基づいて、第３のデバイスと通信していることになる持続時間を決定することと、
前記決定が、前記持続時間が満了したために、前記第１のデバイスが前記第３のデバイスと通信していないことを示す場合、第２の構成に前記アンテナを再構成することと、
第３のフレームを生成することと、
前記アンテナが前記第２の構成に構成されている間、前記アンテナを介した前記第２のデバイスへの送信のために前記第３のフレームを出力することと
をさらに備え、
ここにおいて、前記第２の構成は、前記第１のデバイスに向けられた空白なしのアンテナ輻射パターンを生成するように構成された前記アンテナを備える、
ワイヤレスノード。
【国際調査報告】
2019502318.tif 000022
2019502318.tif 000023
2019502318.tif 000024
2019502318.tif 000025
2019502318.tif 000026
2019502318.tif 000027
2019502318.tif 000028